(57)【要約】  ショーケースは、冷媒回路と、その冷媒回路に封入された冷媒と、を備える。冷媒回路は、圧縮機（１２１）と、放熱器（１２２）と、膨張弁（１２３）と、蒸発器（１２４）とを有する。冷媒は、低GWP冷媒である。
2020017521.tif 000002
【特許請求の範囲】
【請求項１】
圧縮機と、放熱器と、減圧部と、吸熱器とを有する冷媒回路と、
前記冷媒回路に封入された、少なくとも１，２−ジフルオロエチレンを含む冷媒と、
を備えた、冷凍用あるいは冷蔵用の冷媒サイクル装置。
【請求項２】
前記冷媒が、トランス−１，２−ジフルオロエチレン（HFO-1132(E)）、トリフルオロエチレン（HFO-1123）及び２，３，３，３−テトラフルオロ−１−プロペン（R1234yf）を含む、
請求項１に記載の、冷凍用あるいは冷蔵用の冷媒サイクル装置。
【請求項３】
前記冷媒において、HFO-1132(E)、HFO-1123及びR1234yfの、これらの総和を基準とする質量%をそれぞれx、y及びzとするとき、HFO-1132(E)、HFO-1123及びR1234yfの総和が100質量%となる3成分組成図において、座標（x,y,z）が、
点D(87.6, 0.0, 12.4)、
点G(18.2, 55.1, 26.7)、
点H(56.7, 43.3, 0.0)及び
点O(100.0, 0.0, 0.0)
の４点をそれぞれ結ぶ線分OD、DG、GH及びHOで囲まれる図形の範囲内又は前記線分OD、DG及びGH上にあり（ただし、点O及び点Hは除く）、
前記線分DGは、
座標（0.0047y2-1.5177y+87.598, y, -0.0047y2+0.5177y+12.402）
で表わされ、
前記線分GHは、
座標（-0.0134z2-1.0825z+56.692, 0.0134z2+0.0825z+43.308, z）
で表わされ、かつ
前記線分HO及びODが直線である、
請求項２に記載の、冷凍用あるいは冷蔵用の冷媒サイクル装置。
【請求項４】
前記冷媒において、HFO-1132(E)、HFO-1123及びR1234yfの、これらの総和を基準とする質量%をそれぞれx、y及びzとするとき、HFO-1132(E)、HFO-1123及びR1234yfの総和が100質量%となる3成分組成図において、座標（x,y,z）が、
点L(72.5, 10.2, 17.3)、
点G(18.2, 55.1, 26.7)、
点H(56.7, 43.3, 0.0)及び
点I(72.5, 27.5, 0.0)
の４点をそれぞれ結ぶ線分LG、GH、HI及びILで囲まれる図形の範囲内又は前記線分LG、GH及びIL上にあり（ただし、点H及び点Iは除く）、
前記線分LGは、
座標（0.0047y2-1.5177y+87.598, y, -0.0047y2+0.5177y+12.402）
で表わされ、
前記線分GHは、
座標（-0.0134z2-1.0825z+56.692, 0.0134z2+0.0825z+43.308, z）
で表わされ、かつ
前記線分HI及びILが直線である、
請求項２に記載の、冷凍用あるいは冷蔵用の冷媒サイクル装置。
【請求項５】
前記冷媒が、さらに、ジフルオロメタン（R32）を含有する、
請求項２から４のいずれかに記載の、冷凍用あるいは冷蔵用の冷媒サイクル装置。
【請求項６】
前記冷媒において、HFO-1132(E)、HFO-1123及びR1234yf並びにR32の、これらの総和を基準とする質量%をそれぞれx、y及びz並びにaとするとき、HFO-1132(E)、HFO-1123及びR1234yfの総和が100質量%となる3成分組成図において、座標（x,y,z）が、
0＜a≦10.0のとき、
点A(0.02a2-2.46a+93.4, 0, -0.02a2+2.46a+6.6)、
点B’(-0.008a2-1.38a+56, 0.018a2-0.53a+26.3, -0.01a2+1.91a+17.7)、
点C(-0.016a2+1.02a+77.6, 0.016a2-1.02a+22.4, 0)及び
点O(100.0, 0.0, 0.0)
の４点をそれぞれ結ぶ直線で囲まれる図形の範囲内又は前記直線OA、AB’及びB’C上にあり（ただし、点O及び点Cは除く）、
10.0＜a≦16.5のとき、
点A(0.0244a2-2.5695a+94.056, 0, -0.0244a2+2.5695a+5.944)、
点B’(0.1161a2-1.9959a+59.749, 0.014a2-0.3399a+24.8, -0.1301a2+2.3358a+15.451)、
点C(-0.0161a2+1.02a+77.6, 0.0161a2-1.02a+22.4, 0)及び
点O(100.0, 0.0, 0.0)
の４点をそれぞれ結ぶ直線で囲まれる図形の範囲内又は前記直線OA、AB’及びB’C上にあり（ただし、点O及び点Cは除く）、又は
16.5＜a≦21.8のとき、
点A(0.0161a2-2.3535a+92.742, 0, -0.0161a2+2.3535a+7.258)、
点B’(-0.0435a2-0.0435a+50.406, -0.0304a2+1.8991a-0.0661, 0.0739a2-1.8556a+49.6601)、
点C(-0.0161a2+0.9959a+77.851, 0.0161a2-0.9959a+22.149, 0)及び
点O(100.0, 0.0, 0.0)
の４点をそれぞれ結ぶ直線で囲まれる図形の範囲内、又は、前記直線OA、AB’及びB’C上にある（ただし、点O及び点Cは除く）、
請求項５に記載の、冷凍用あるいは冷蔵用の冷媒サイクル装置。
【請求項７】
前記冷媒が、HFO-1132(E)及びHFO-1123の合計を、該冷媒の全体に対して99.5質量％以上含み、かつ、
該冷媒が、HFO-1132(E)を、該冷媒の全体に対して62.5質量％〜72.5質量％含む、
請求項１に記載の、冷凍用あるいは冷蔵用の冷媒サイクル装置。
【請求項８】
前記冷媒が、HFO-1132(E)、R32及びR1234yfを含み、
前記冷媒において、HFO-1132(E)、R32及びR1234yfの、これらの総和を基準とする質量%をそれぞれx、y及びzとするとき、HFO-1132(E)、R32及びR1234yfの総和が100質量%となる3成分組成図において、座標（x,y,z）が、
点A(71.1, 0.0, 28.9)、
点C(36.5, 18.2, 45.3)、
点F(47.6, 18.3, 34.1)及び
点D(72.0, 0.0, 28.0)
の４点をそれぞれ結ぶ線分AC、CF、FD、及びDAで囲まれる図形の範囲内又は前記線分上にあり、
前記線分ACは、
座標（0.0181y2-2.2288y+71.096, y, -0.0181y2+1.2288y+28.904）
で表わされ、
前記線分FDは、
座標（0.02y2-1.7y+72, y, -0.02y2+0.7y+28）
で表わされ、かつ、
前記線分CF及びDAが直線である、
請求項１に記載の、冷凍用あるいは冷蔵用の冷媒サイクル装置。
【請求項９】
前記冷媒が、HFO-1132(E)、R32及びR1234yfを含み、
前記冷媒において、HFO-1132(E)、R32及びR1234yfの、これらの総和を基準とする質量%をそれぞれx、y及びzとするとき、HFO-1132(E)、R32及びR1234yfの総和が100質量%となる3成分組成図において、座標（x,y,z）が、
点A(71.1, 0.0, 28.9)、
点B(42.6, 14.5, 42.9)、
点E(51.4, 14.6, 34.0)及び
点D(72.0, 0.0, 28.0)
の４点をそれぞれ結ぶ線分AB、BE、ED、及びDAで囲まれる図形の範囲内又は前記線分上にあり、
前記線分ABは、
座標（0.0181y2-2.2288y+71.096, y, -0.0181y2+1.2288y+28.904）
で表わされ、
前記線分EDは、
座標（0.02y2-1.7y+72, y, -0.02y2+0.7y+28）
で表わされ、かつ、
前記線分BE及びDAが直線である、
請求項１に記載の、冷凍用あるいは冷蔵用の冷媒サイクル装置。
【請求項１０】
前記冷媒が、HFO-1132(E)、R32及びR1234yfを含み、
前記冷媒において、HFO-1132(E)、R32及びR1234yfの、これらの総和を基準とする質量%をそれぞれx、y及びzとするとき、HFO-1132(E)、R32及びR1234yfの総和が100質量%となる3成分組成図において、座標（x,y,z）が、
点G(77.5, 6.9, 15.6)、
点I(55.1, 18.3, 26.6)及び
点J(77.5. 18.4, 4.1)
の３点をそれぞれ結ぶ線分GI、IJ及びJKで囲まれる図形の範囲内又は前記線分上にあり、
前記線分GIは、
座標（0.02y2-2.4583y+93.396, y, -0.02y2+1.4583y+6.604）
で表わされ、かつ、
前記線分IJ及びJKが直線である、
請求項１に記載の、冷凍用あるいは冷蔵用の冷媒サイクル装置。
【請求項１１】
前記冷媒が、HFO-1132(E)、R32及びR1234yfを含み、
前記冷媒において、HFO-1132(E)、R32及びR1234yfの、これらの総和を基準とする質量%をそれぞれx、y及びzとするとき、HFO-1132(E)、R32及びR1234yfの総和が100質量%となる3成分組成図において、座標（x,y,z）が、
点G(77.5, 6.9, 15.6)、
点H(61.8, 14.6, 23.6)及び
点K(77.5, 14.6, 7.9)
の３点をそれぞれ結ぶ線分GH、HK及びKGで囲まれる図形の範囲内又は前記線分上にあり、
前記線分GHは、
座標（0.02y2-2.4583y+93.396, y, -0.02y2+1.4583y+6.604）
で表わされ、かつ、
前記線分HK及びKGが直線である、
請求項１に記載の、冷凍用あるいは冷蔵用の冷媒サイクル装置。
【請求項１２】
前記冷媒が、HFO-1132(E)、HFO-1123及びR32を含み、
前記冷媒において、HFO-1132(E)、HFO-1123及びR32の、これらの総和を基準とする質量%をそれぞれx、y及びzとするとき、HFO-1132(E)、HFO-1123及びR32の総和が100質量%となる3成分組成図において、座標（x,y,z）が、
点O(100.0, 0.0, 0.0)、
点C’(56.7, 43.3, 0.0)、
点D’(52.2, 38.3, 9.5)、
点E’(41.8, 39.8, 18.4)及び
点A’(81.6, 0.0, 18.4)
の５点をそれぞれ結ぶ線分OC’、C’D’、D’E’、E’A’及びA’Oで囲まれる図形の範囲内又は前記線分C’D’、D’E’及びE’A’上にあり（ただし、点C’及びA’を除く）、
前記線分C’D’は、
座標（-0.0297z2-0.1915z+56.7, 0.0297z2+1.1915z+43.3, z）
で表わされ、
前記線分D’E’は、
座標（-0.0535z2+0.3229z+53.957, 0.0535z2+0.6771z+46.043, z）
で表わされ、かつ、
前記線分OC’、E’A’及びA’Oが直線である、
請求項１に記載の、冷凍用あるいは冷蔵用の冷媒サイクル装置。
【請求項１３】
前記冷媒が、HFO-1132(E)、HFO-1123及びR32を含み、
前記冷媒において、HFO-1132(E)、HFO-1123及びR32の、これらの総和を基準とする質量%をそれぞれx、y及びzとするとき、HFO-1132(E)、HFO-1123及びR32の総和が100質量%となる3成分組成図において、座標（x,y,z）が、
点O(100.0, 0.0, 0.0)、
点C(77.7, 22.3, 0.0)、
点D(76.3, 14.2, 9.5)、
点E(72.2, 9.4, 18.4)及び
点A’(81.6, 0.0, 18.4)
の５点をそれぞれ結ぶ線分OC、CD、DE、EA’及びA’Oで囲まれる図形の範囲内又は前記線分CD、DE及びEA’上にあり（ただし、点C及びA’を除く）、
前記線分CDEは、
座標（-0.017z2+0.0148z+77.684, 0.017z2+0.9852z+22.316, z）
で表わされ、かつ、
前記線分OC、EA’及びA’Oが直線である、
請求項１に記載の、冷凍用あるいは冷蔵用の冷媒サイクル装置。
【請求項１４】
前記冷媒が、HFO-1132(E)、HFO-1123及びR32を含み、
前記冷媒において、HFO-1132(E)、HFO-1123及びR32の、これらの総和を基準とする質量%をそれぞれx、y及びzとするとき、HFO-1132(E)、HFO-1123及びR32の総和が100質量%となる3成分組成図において、座標（x,y,z）が、
点O(100.0, 0.0, 0.0)、
点C’(56.7, 43.3, 0.0)、
点D’(52.2, 38.3, 9.5)及び
点A(90.5, 0.0, 9.5)
の５点をそれぞれ結ぶ線分OC’、C’D’、D’A及びAOで囲まれる図形の範囲内又は前記線分C’D’及びD’A上にあり（ただし、点C’及びAを除く）、
前記線分C’D’は、
座標（-0.0297z2-0.1915z+56.7, 0.0297z2+1.1915z+43.3, z）
で表わされ、かつ、
前記線分OC’、D’A及びAOが直線である、
請求項１に記載の、冷凍用あるいは冷蔵用の冷媒サイクル装置。
【請求項１５】
前記冷媒が、HFO-1132(E)、HFO-1123及びR32を含み、
前記冷媒において、HFO-1132(E)、HFO-1123及びR32の、これらの総和を基準とする質量%をそれぞれx、y及びzとするとき、HFO-1132(E)、HFO-1123及びR32の総和が100質量%となる3成分組成図において、座標（x,y,z）が、
点O(100.0, 0.0, 0.0)、
点C(77.7, 22.3, 0.0)、
点D(76.3, 14.2, 9.5)、
点A(90.5, 0.0, 9.5)
の５点をそれぞれ結ぶ線分OC、CD、DA及びAOで囲まれる図形の範囲内又は前記線分CD及びDA上にあり（ただし、点C及びAを除く）、
前記線分CDは、
座標（-0.017z2+0.0148z+77.684, 0.017z2+0.9852z+22.316, z）
で表わされ、かつ、
前記線分OC、DA及びAOが直線である、
請求項１に記載の、冷凍用あるいは冷蔵用の冷媒サイクル装置。
【請求項１６】
前記冷媒が、CO2、並びにトランス−１，２−ジフルオロエチレン（HFO-1132(E)）、ジフルオロメタン（R32）及び２，３，３，３−テトラフルオロ−１−プロペン（R1234yf）を含み、
CO2、並びにR32、HFO-1132(E)及びR1234yfの、これらの総和を基準とする質量%をそれぞれw、並びにx、y及びzとするとき、R32、HFO-1132(E)及びR1234yfの総和が(100-w)質量%となる3成分組成図において、座標（x,y,z）が、
0＜w≦1.2のとき、
点I（0.0, 72.0, 28.0-w）
点J（18.3, 48.5, 33.2-w）
点K（36.8, 35.6, 27.6-w）
点L（51.7, 28.9, 19.4-w）
点B’’（-1.5278w2+2.75w+50.5, 0.0, 1.5278w2-3.75w+49.5）
点D（-2.9167w+40.317, 0.0, 1.9167w+59.683）
点C（0.0, -4.9167w+58.317, 3.9167w+41.683）
の７点をそれぞれ結ぶ曲線IJ、曲線JK及び曲線KL、並びに直線LB’’、直線B’’D、直線DC及び直線CIで囲まれる図形の範囲内又は前記線分上にあり（ただし、直線B’’D及び直線CIの上の点は除く）、
1.2＜w≦4.0のとき、
点I（0.0, 72.0, 28.0-w）
点J（18.3, 48.5, 33.2-w）
点K（36.8, 35.6, 27.6-w）
点L（51.7, 28.9, 19.4-w）
点B’’（51.6, 0.0, 48.4-w）
点D（-2.8226w+40.211, 0.0, 1.8226w+59.789）
点C（0.0, 0.1081w2-5.169w+58.447, -0.1081w2+4.169w+41.553）
の７点をそれぞれ結ぶ曲線IJ、曲線JK及び曲線KL、並びに直線LB’’、直線B’’D、直線DC及び直線CIで囲まれる図形の範囲内又は前記線分上にあり（ただし、直線B’’D及び直線CIの上の点は除く）、
4.0＜w≦7.0のとき、
点I（0.0, 72.0, 28.0-w）
点J（18.3, 48.5, 33.2-w）
点K（36.8, 35.6, 27.6-w）
点L（51.7, 28.9, 19.4-w）
点B’’（51.6, 0.0, 48.4-w）
点D（-2.8w+40.1, 0.0, 1.8w+59.9）
点C（0.0, 0.0667w2-4.9667w+58.3, -0.0667w2+3.9667w+41.7）
の７点をそれぞれ結ぶ曲線IJ、曲線JK及び曲線KL、並びに直線LB’’、直線B’’D、直線DC及び直線CIで囲まれる図形の範囲内又は前記線分上にあり（ただし、直線B’’D及び直線CIの上の点は除く）、かつ
曲線IJは、
座標（x, 0.0236x2-1.716x+72, -0.0236x2+0.716x+28-w）
で表わされ、
曲線JKは、
座標（x, 0.0095x2-1.2222x+67.676, -0.0095x2+0.2222x+32.324-w）
で表わされ、
曲線KLは、
座標（x, 0.0049x2-0.8842x+61.488, -0.0049x2-0.1158x+38.512）
で表わされる、
請求項１に記載の、冷凍用あるいは冷蔵用の冷媒サイクル装置。
【請求項１７】
前記冷媒が、CO2、並びにトランス−１，２−ジフルオロエチレン（HFO-1132(E)）、ジフルオロメタン（R32）及び２，３，３，３−テトラフルオロ−１−プロペン（R1234yf）を含み、
CO2、並びにR32、HFO-1132(E)及びR1234yfの、これらの総和を基準とする質量%をそれぞれw、並びにx、y及びzとするとき、R32、HFO-1132(E)及びR1234yfの総和が(100-w)質量%となる3成分組成図において、座標（x,y,z）が、
0＜w≦1.2のとき、
点I（0.0, 72.0, 28.0-w）
点J（18.3, 48.5, 33.2-w）
点K（36.8, 35.6, 27.6-w）
点F（-0.0833w+36.717, -4.0833w+5.1833, 3.1666w+58.0997）
点C（0.0, -4.9167w+58.317, 3.9167w+41.683）
の５点をそれぞれ結ぶ曲線IJ及び曲線JK、並びに直線KF、直線FC及び直線CIで囲まれる図形の範囲内又は前記線分上にあり（ただし、直線CIの上の点は除く）、
1.2＜w≦1.3のとき、
点I（0.0, 72.0, 28.0-w）
点J（18.3, 48.5, 33.2-w）
点K（36.8, 35.6, 27.6-w）
点F（36.6, -3w+3.9, 2w+59.5）
点C（0.0, 0.1081w2-5.169w+58.447, -0.1081w2+4.169w+41.553）
の５点をそれぞれ結ぶ曲線IJ及び曲線JK、並びに直線KF、直線FC及び直線CIで囲まれる図形の範囲内又は前記線分上にあり（ただし、直線CIの上の点は除く）、
1.3＜w≦4.0のとき、
点I（0.0, 72.0, 28.0-w）
点J（18.3, 48.5, 33.2-w）
点K（36.8, 35.6, 27.6-w）
点B’（36.6, 0.0, -w+63.4）
点D（-2.8226w+40.211, 0.0, 1.8226w+59.789）
点C（0.0, 0.1081w2-5.169w+58.447, -0.1081w2+4.169w+41.553）
の６点をそれぞれ結ぶ曲線IJ及び曲線JK、並びに直線KB’、直線B’D、直線DC及び直線CIで囲まれる図形の範囲内又は前記線分上にあり（ただし、直線CIの上の点は除く）、
4.0＜w≦7.0のとき、
点I（0.0, 72.0, 28.0-w）
点J（18.3, 48.5, 33.2-w）
点K（36.8, 35.6, 27.6-w）
点B’（36.6, 0.0, -w+63.4）
点D（-2.8w+40.1, 0.0, 1.8w+59.9）
点C（0.0, 0.0667w2-4.9667w+58.3, -0.0667w2+3.9667w+41.7）
の６点をそれぞれ結ぶ曲線IJ及び曲線JK、並びに直線KB’、直線B’D、直線DC及び直線CIで囲まれる図形の範囲内又は前記線分上にあり（ただし、直線CIの上の点は除く）、かつ曲線IJは、
座標（x, 0.0236x2-1.716x+72, -0.0236x2+0.716x+28-w）
で表わされ、
曲線JKは、
座標（x, 0.0095x2-1.2222x+67.676, -0.0095x2+0.2222x+32.324-w）
で表わされる、
請求項１に記載の、冷凍用あるいは冷蔵用の冷媒サイクル装置。
【請求項１８】
前記冷媒が、CO2、並びにR32、HFO-1132(E)及びR1234yfを含み、
CO2、並びにR32、HFO-1132(E)及びR1234yfの、これらの総和を基準とする質量%をそれぞれw、並びにx、y及びzとするとき、R32、HFO-1132(E)及びR1234yfの総和が(100-w)質量%となる3成分組成図において、座標（x,y,z）が、
0＜w≦1.2のとき、
点I（0.0, 72.0, 28.0-w）
点J（18.3, 48.5, 33.2-w）
点E（18.2, -1.1111w2-3.1667w+31.9, 1.1111w2+2.1667w+49.9）
点C（0.0, -4.9167w+58.317, 3.9167w+41.683）
の４点をそれぞれ結ぶ曲線IJ及び曲線JK、並びに直線KF、直線FC及び直線CIで囲まれる図形の範囲内又は前記線分上にあり（ただし、直線CIの上の点は除く）、
1.2＜w≦4.0のとき、
点I（0.0, 72.0, 28.0-w）
点J（18.3, 48.5, 33.2-w）
点E（-0.0365w+18.26, 0.0623w2-4.5381w+31.856, -0.0623w2+3.5746w+49.884）
点C（0.0, 0.1081w2-5.169w+58.447, -0.1081w2+4.169w+41.553）
の４点をそれぞれ結ぶ曲線IJ及び曲線JK、並びに直線KF、直線FC及び直線CIで囲まれる図形の範囲内又は前記線分上にあり（ただし、直線CIの上の点は除く）、
4.0＜w≦7.0のとき、
点I（0.0, 72.0, 28.0-w）
点J（18.3, 48.5,  33.2-w）
点E（18.1, 0.0444w2-4.3556w+31.411, -0.0444w2+3.3556w+50.489）
点C（0.0, 0.0667w2-4.9667w+58.3, -0.0667w2+3.9667w+41.7）
の４点をそれぞれ結ぶ曲線IJ及び曲線JK、並びに直線KF、直線FC及び直線CIで囲まれる図形の範囲内又は前記線分上にあり（ただし、直線CIの上の点は除く）、かつ
曲線IJは、
座標（x, 0.0236x2-1.716x+72, -0.0236x2+0.716x+28-w）
で表わされる、
請求項１に記載の、冷凍用あるいは冷蔵用の冷媒サイクル装置。
【請求項１９】
前記冷媒が、CO2、並びにR32、HFO-1132(E)及びR1234yfを含み、
CO2、並びにR32、HFO-1132(E)及びR1234yfの、これらの総和を基準とする質量%をそれぞれw、並びにx、y及びzとするとき、R32、HFO-1132(E)及びR1234yfの総和が(100-w)質量%となる3成分組成図において、座標（x,y,z）が、
0＜w≦0.6のとき、
点G（-5.8333w2-3.1667w+22.2, 7.0833w2+1.4167w+26.2, -1.25w2+0.75w+51.6）
点O（36.8, 0.8333w2+1.8333w+22.6, -0.8333w2-2.8333w+40.6）
点P（51.7, 1.1111w2+20.5, -1.1111w2-w+27.8）
点B’’（-1.5278w2+2.75w+50.5, 0.0, 1.5278w2-3.75w+49.5）
点D（-2.9167w+40.317, 0.0, 1.9167w+59.683）
の５点をそれぞれ結ぶ曲線GO及び曲線OP、並びに直線PB’’、直線B’’D及び直線DGで囲まれる図形の範囲内又は前記線分上にあり（ただし、直線B’’Dの上の点は除く）、
0.6＜w≦1.2のとき、
点G（-5.8333w2-3.1667w+22.2, 7.0833w2+1.4167w+26.2, -1.25w2+0.75w+51.6）
点N（18.2, 0.2778w2+3w+27.7, -0.2778w2-4w+54.1）
点O（36.8, 0.8333w2+1.8333w+22.6, -0.8333w2-2.8333w+40.6）
点P（51.7, 1.1111w2+20.5, -1.1111w2-w+27.8）
点B’’（-1.5278w2+2.75w+50.5, 0.0, 1.5278w2-3.75w+49.5）
点D（-2.9167w+40.317, 0.0, 1.9167w+59.683）
の６点をそれぞれ結ぶ曲線GN、曲線NO、及び曲線OP、並びに直線PB’’、直線B’’D及び直線DGで囲まれる図形の範囲内又は前記線分上にあり（ただし、直線B’’Dの上の点は除く）、
かつ
曲線GOは、
0＜w≦0.6のとき、
座標（x, (0.00487w2-0.0059w+0.0072)x2+(-0.279w2+0.2844w-0.6701)x+3.7639w2-0.2467w+37.512, 100-w-x-y）
で表わされ、
曲線GNは、
0.6＜w≦1.2のとき、
座標（x, (0.0122w2-0.0113w+0.0313)x2+(-0.3582w2+0.1624w-1.4551)x+2.7889w2+3.7417w+43.824 , 100-w-x-y）
で表わされ、
曲線NOは、
0.6＜w≦1.2のとき、
座標（x, (0.00487w2-0.0059w+0.0072)x2+(-0.279w2+0.2844w-0.6701)x+3.7639w2-0.2467w+37.512, 100-w-x-y）
で表され、
曲線OPは、
0＜w≦1.2のとき、
座標（x, (0.0074w2-0.0133w+0.0064)x2+(-0.5839w2+1.0268w-0.7103)x+11.472w2-17.455w+40.07, 100-w-x-y）
で表わされ、
1.2＜w≦4.0のとき、
点M（0.0, -0.3004w2+2.419w+55.53, 0.3004w2-3.419w+44.47）
点W（10.0, -0.3645w2+3.5024w+44.422, 0.3645w2-4.5024w+55.578）
点N（18.2, -0.3773w2+3.319w+28.26, 0.3773w2-4.319w+53.54）
点O（36.8, -0.1392w2+1.4381w+24.475, 0.1392w2-2.4381w+38.725）
点P（51.7, -0.2381w2+1.881w+20.186, 0.2381w2-2.881w+28.114）
点B’’（51.6, 0.0, -w+48.4）
点D（-2.8226w+40.211, 0.0, 1.8226w+59.789）
点C（0.0, 0.1081w2-5.169w+58.447, -0.1081w2+4.169w+41.553）
の８点をそれぞれ結ぶ曲線MW、曲線WN、曲線NO及び曲線OP、並びに直線PB’’、直線B’’D、直線DC及び直線CMで囲まれる図形の範囲内又は前記線分上にあり（ただし、直線B’’D及び直線CMの上の点は除く）、かつ
曲線MWは、
座標（x, (0.0043w2-0.0359w+0.1509)x2+(-0.0493w2+0.4669w-3.6193)x-0.3004w2+2.419w+55.53, 100-w-x-y）
で表わされ、
曲線WNは、
座標（x, (0.0055w2-0.0326w+0.0665)x2+(-0.1571w2+0.8981w-2.6274)x+0.6555w2-2.2153w+54.044, 100-w-x-y）
で表わされ、
曲線NOは、
座標（x, (-0.00062w2+0.0036w+0.0037)x2+(0.0375w2-0.239w-0.4977)x-0.8575w2+6.4941w+36.078, 100-w-x-y）
で表わされ、
曲線OPは、
座標（x, (-0.000463w2+0.0024w-0.0011)x2+(0.0457w2-0.2581w-0.075)x-1.355w2+8.749w+27.096, 100-w-x-y）
で表わされ、
4.0＜w≦7.0のとき、
点M（0.0, -0.0667w2+0.8333w+58.133, 0.0667w2-1.8333w+41.867）
点W（10.0, -0.0667w2+1.1w+39.267, 0.0667w2-2.1w+50.733）
点N（18.2, -0.0889w2+1.3778w+31.411, 0.0889w2-2.3778w+50.389）
点O（36.8, -0.0444w2+0.6889w+25.956, 0.0444w2-1.6889w+37.244）
点P（51.7, -0.0667w2+0.8333w+21.633, 0.0667w2-1.8333w+26.667）
点B’’（51.6, 0.0, -w+48.4）
点D（-2.8w+40.1, 0.0, 1.8w+59.9）
点C（0.0, 0.0667w2-4.9667w+58.3, -0.0667w2+3.9667w+41.7）
の８点をそれぞれ結ぶ曲線MW、曲線WN、曲線NO及び曲線OP、並びに直線PB’’、直線B’’D、直線DC及び直線CMで囲まれる図形の範囲内又は前記線分上にあり（ただし、直線B’’D及び直線CMの上の点は除く）、かつ
曲線MWは、
座標（x, (0.00357w2-0.0391w+0.1756)x2+(-0.0356w2+0.4178w-3.6422)x-0.0667w2+0.8333w+58.103, 100-w-x-y）
で表わされ、
曲線WNは、
座標（x, (-0.002061w2+0.0218w-0.0301)x2+(0.0556w2-0.5821w-0.1108)x-0.4158w2+4.7352w+43.383, 100-w-x-y）
で表わされ、
曲線NOは、
座標（x, 0.0082x2+(0.0022w2-0.0345w-0.7521)x-0.1307w2+2.0247w+42.327, 100-w-x-y）
で表わされ、
曲線OPは、
座標（x, (-0.0006258w2+0.0066w-0.0153)x2+(0.0516w2-0.5478w+0.9894)x-1.074w2+11.651w+10.992, 100-w-x-y）
で表わされる、
請求項１に記載の、冷凍用あるいは冷蔵用の冷媒サイクル装置。
【請求項２０】
前記冷媒が、CO2、並びにR32、HFO-1132(E)及びR1234yfを含み、
CO2、並びにR32、HFO-1132(E)及びR1234yfの、これらの総和を基準とする質量%をそれぞれw、並びにx、y及びzとするとき、R32、HFO-1132(E)及びR1234yfの総和が(100-w)質量%となる3成分組成図において、座標（x,y,z）が、
0＜w≦0.6のとき、
点G（-5.8333w2-3.1667w+22.2, 7.0833w2-1.4167w+26.2, -1.25w2+3.5834w+51.6）
点O（36.8, 0.8333w2+1.8333w+22.6, -0.8333w2-2.8333w+40.6）
点F（-0.0833w+36.717, -4.0833w+5.1833, 3.1666w+58.0997）
の３点をそれぞれ結ぶ曲線GO、並びに直線OF及び直線FGで囲まれる図形の範囲内又は前記線分上にあり、かつ
曲線GOは、
座標（x, (0.00487w2-0.0059w+0.0072)x2+(-0.279w2+0.2844w-0.6701)x+3.7639w2-0.2467w+37.512, 100-w-x-y）
で表わされ、
0.6＜w≦1.2のとき、
点G（-5.8333w2-3.1667w+22.2, 7.0833w2-1.4167w+26.2, -1.25w2+3.5834w+51.6）
点N（18.2, 0.2778w2+3.0w+27.7, -0.2.778w2-4.0w+54.1）
点O（36.8, 0.8333w2+1.8333w+22.6, -0.8333w2-2.8333w+40.6）
点F（-0.0833w+36.717, -4.0833w+5.1833, 3.1666w+58.0997）
の４点をそれぞれ結ぶ曲線GN及び曲線NO、並びに直線OF及び直線FGで囲まれる図形の範囲内又は前記線分上にあり、かつ
曲線GNは、
0.6＜w≦1.2のとき、
座標（x, (0.0122w2-0.0113w+0.0313)x2+(-0.3582w2+0.1624w-1.4551)x+2.7889w2+3.7417w+43.824 , 100-w-x-y）
で表わされ、
曲線NOは、
0.6＜w≦1.2のとき、
座標（x, (0.00487w2-0.0059w+0.0072)x2+(-0.279w2+0.2844w-0.6701)x+3.7639w2-0.2467w+37.512, 100-w-x-y）
で表され
1.2＜w≦1.3のとき、
点M（0.0, -0.3004w2+2.419w+55.53, 0.3004w2-3.419w+44.47）
点W（10.0, -0.3645w2+3.5024w34.422, 0.3645w2-4.5024w+55.578）
点N（18.2, -0.3773w2+3.319w+28.26, 0.3773w2-4.319w+53.54）
点O（36.8, -0.1392w2+1.4381w+24.475, 0.1392w2-2.4381w+38.725）
点F（36.6, -3w+3.9, 2w+59.5）
点C（0.1081w2-5.169w+58.447, 0.0, -0.1081w2+4.169w+41.553）
の６点をそれぞれ結ぶ曲線MW、曲線WN及び曲線NO、並びに直線OF及び直線FC及び直線CMで囲まれる図形の範囲内又は前記線分上にあり（ただし、直線CMの上の点は除く）、かつ
曲線MWは、
座標（x, (0.0043w2-0.0359w+0.1509)x2+(-0.0493w2+0.4669w-3.6193)x-0.3004w2+2.419w+55.53, 100-w-x-y）
で表わされ、
曲線WNは、
座標（x, (0.0055w2-0.0326w+0.0665)x2+(-0.1571w2+0.8981w-2.6274)x+0.6555w2-2.2153w+54.044, 100-w-x-y）
で表わされ、
曲線NOは、
座標（x, (-0.00062w2+0.0036w+0.0037)x2+(0.0375w2-0.239w-0.4977)x-0.8575w2+6.4941w+36.078, 100-w-x-y）
で表わされ、
1.3＜w≦4.0のとき、
点Ｍ（0.0, -0.3004w2+2.419w+55.53, 0.3004w2-3.419w+44.47）
点W（10.0, -0.3645w2+3.5024w+34.422, 0.3645w2-4.5024w+55.578）
点N（18.2, -0.3773w2+3.319w+28.26, 0.3773w2-4.319w+53.54）
点O（36.8, -0.1392w2+1.4381w+24.475, 0.1392w2-2.4381w+38.725）
点B’（ 36.6, 0.0, -w+63.4）
点D（-2.8226w+40.211, 0.0, 1.8226w+59.789）
点C（0.0, 0.1081w2-5.169w+58.447, -0.1081w2+4.169w+41.553）
の７点をそれぞれ結ぶ曲線MW、曲線WN及び曲線NO、並びに直線OB’、直線B’D、及び直線DC及び直線CMで囲まれる図形の範囲内又は前記線分上にあり（ただし、直線CMの上の点は除く）、かつ
曲線MWは、
座標（x, (0.0043w2-0.0359w+0.1509)x2+(-0.0493w2+0.4669w-3.6193)x-0.3004w2+2.419w+55.53, 100-w-x-y）
で表わされ、
曲線WNは、
座標（x, (0.0055w2-0.0326w+0.0665)x2+(-0.1571w2+0.8981w-2.6274)x+0.6555w2-2.2153w+54.044, 100-w-x-y）
曲線NOは、
座標（x, (-0.00062w2+0.0036w+0.0037)x2+(0.0457w2-0.2581w-0.075)x-1.355w2+8.749w+27.096, 100-w-x-y）
で表わされ、
4.0＜w≦7.0のとき、
点M（0.0, -0.0667w2+0.8333w58.133, 0.0667w2-1.8333w+41.867）
点W（10.0, -0.0667w2+1.1w+39.267, 0.0667w2-2.1w+50.733）
点N（18. 2, -0.0889w2+1.3778w+31.411, 0.0889w2-2.3778w+50.389）
点O（36.8, -0.0444w2+0.6889w+25.956, 0.0444w2-1.6889w+37.244）
点B’（36.6, 0.0, -w+63.4）
点D（-2.8w+40. 1, 0.0, 1.8w+59.9）
点C（0.0, 0.0667w2-4.9667w+58.3, -0.0667w2+3.9667w+41.7）
の７点をそれぞれ結ぶ曲線MW、曲線WN及び曲線NO、並びに直線OB’、直線B’D、及び直線DC及び直線CMで囲まれる図形の範囲内又は前記線分上にあり（ただし、直線CMの上の点は除く）、かつ
曲線MWは、
座標（x, (0.00357w2-0.0391w+0.1756)x2+(-0.0356w2+0.4178w-3.6422)x-0.0667w2+0.8333w+58.103, 100-w-x-y）
で表わされ、
曲線WNは、
座標（x, (-0.002061w2+0.0218w-0.0301)x2+(0.0556w2-0.5821w-0.1108)x-0.4158w2+4.7352w+43.383, 100-w-x-y）
曲線NOは、
座標(x, (0.0082x2+(0.0022w2-0.0345w-0.7521)x-0.1307w2+2.0247w+42.327, 100-w-x-y)
で表わされる、
請求項１に記載の、冷凍用あるいは冷蔵用の冷媒サイクル装置。
【請求項２１】
前記冷媒が、CO2、並びにR32、HFO-1132(E)及びR1234yfを含み、
CO2、並びにR32、HFO-1132(E)及びR1234yfの、これらの総和を基準とする質量%をそれぞれw、並びにx、y及びzとするとき、R32、HFO-1132(E)及びR1234yfの総和が(100-w)質量%となる3成分組成図において、座標（x,y,z）が、
1.2＜w≦4.0のとき、
点M（0.0, -0.3004w2+2.419w+55.53, 0.3004w2-3.419w+44.47）
点W（10.0, -0.3645w2+3.5024w+34.422, 0.3645w2-4.5024w+55.578）
点N（18.2, -0.3773w2+3.319w+28.26, 0.3773w2-4.319w+53.54）
点E（-0.0365w+18.26, 0.0623w2-4.5381w+31.856, -0.0623w2+3.5746w+49.884）
点C（0.0, 0.1081w2-5.169w+58.447, -0.1081w2+4.169w+41.553）
の５点をそれぞれ結ぶ曲線MW及び曲線WN、並びに直線NE、直線EC及び直線CMで囲まれる図形の範囲内又は前記線分上にあり（ただし、直線CMの上の点は除く）、かつ
曲線MWは、
座標（x, (0.0043w2-0.0359w+0.1509)x2+(-0.0493w2+0.4669w-3.6193)x-0.3004w2+2.419w+55.53, 100-w-x-y）
で表わされ、
曲線WNは、
座標（x, (0.0055w2-0.0326w+0.0665)x2+(-0.1571w2+0.8981w-2.6274)x+0.6555w2-2.2153w+54.044, 100-w-x-y）
で表わされ、
4.0＜w≦7.0のとき、
点M（0.0, -0.0667w2+0.8333w+58.133, 0.0667w2-1.8333w+41.867）
点W（10.0, -0.0667w2+1.1w+39.267, 0.0667w2-2.1w+50.733）
点N（18.2, -0.0889w2+1.3778w+31.411, 0.0889w2-2.3778w+50.389）
点E（18.1, 0.0444w2-4.3556w+31.411, -0.0444w2+3.3556w+50.489）
点C（0.0, 0.0667w2-4.9667w+58.3, -0.0667w2+3.9667w+41.7）
の５点をそれぞれ結ぶ曲線MW及び曲線WN、並びに直線NE、直線EC及び直線CMで囲まれる図形の範囲内又は前記線分上にあり（ただし、直線CMの上の点は除く）、かつ
曲線MWは、
座標（x, (0.00357w2-0.0391w+0.1756)x2+(-0.0356w2+0.4178w-3.6422)x-0.0667w2+0.8333w+58.103, 100-w-x-y）
で表わされ、
曲線WNは、
座標（x, (-0.002061w2+0.0218w-0.0301)x2+(0.0556w2-0.5821w-0.1108)x-0.4158w2+4.7352w+43.383, 100-w-x-y）
で表わされる、
請求項１に記載の、冷凍用あるいは冷蔵用の冷媒サイクル装置。
【請求項２２】
圧縮機と、放熱器と、減圧部と、吸熱器とを有する冷媒回路と、
前記冷媒回路に封入された、少なくともトランス-1,2-ジフルオロエチレン（HFO-1132(E)）、ジフルオロメタン（HFC-32）及び2,3,3,3-テトラフルオロプロペン（HFO-1234yf）を含む冷媒と、
を備えた、冷凍用あるいは冷蔵用の冷媒サイクル装置。
【請求項２３】
前記冷媒が、トランス-1,2-ジフルオロエチレン（HFO-1132(E)）、ジフルオロメタン（HFC-32）及び2,3,3,3-テトラフルオロプロペン（HFO-1234yf）を含有し、該三成分の総濃度が、前記冷媒全体に対して99.5質量%以上であり、且つ
該三成分の質量比が、該三成分を各頂点とする三角組成図において、
点A（HFO-1132(E)/HFC-32/HFO-1234yf=51.8/1.0/47.2質量%）、
点B（HFO-1132(E)/HFC-32/HFO-1234yf=35.3/1.0/63.7質量%）、
点C（HFO-1132(E)/HFC-32/HFO-1234yf=10.1/18.0/71.9質量%）及び
点D（HFO-1132(E)/HFC-32/HFO-1234yf=27.8/18.0/54.2質量%）、
の4点を通る図形で囲まれた領域の範囲内にある、
請求項２２に記載の冷凍用あるいは冷蔵用の冷媒サイクル装置。
【請求項２４】
前記冷媒が、HFO-1132(E)、HFC-32及びHFO-1234yfを含有し、該三成分の総濃度が、前記冷媒全体に対して99.5質量%以上であり、且つ
該三成分の質量比が、該三成分を各頂点とする三角組成図において、
点A（HFO-1132(E)/HFC-32/HFO-1234yf=51.8/1.0/47.2質量%）、
点B（HFO-1132(E)/HFC-32/HFO-1234yf=35.3/1.0/63.7質量%）、
点E（HFO-1132(E)/HFC-32/HFO-1234yf=15.2/14.3/70.5質量%）及び
点F（HFO-1132(E)/HFC-32/HFO-1234yf=31.1/14.3/54.6質量%）、
の4点を通る図形で囲まれた領域の範囲内にある、
請求項２３に記載の冷凍用あるいは冷蔵用の冷媒サイクル装置。
【請求項２５】
前記冷媒が、HFO-1132(E)、HFC-32及びHFO-1234yfを含有し、該三成分の総濃度が、前記冷媒全体に対して99.5質量%以上であり、且つ
該三成分の質量比が、該三成分を各頂点とする三角組成図において、
点P（HFO-1132(E)/HFC-32/HFO-1234yf=45.6/1.0/53.4質量%）、
点B（HFO-1132(E)/HFC-32/HFO-1234yf=35.3/1.0/63.7質量%）、
点Q（HFO-1132(E)/HFC-32/HFO-1234yf=1.0/24.8/74.2質量%）、
点R（HFO-1132(E)/HFC-32/HFO-1234yf=1.0/29.2/69.8質量%）及び
点S（HFO-1132(E)/HFC-32/HFO-1234yf=6.5/29.2/64.3質量%）、
の5点を通る図形で囲まれた領域の範囲内にある、
請求項２２に記載の冷凍用あるいは冷蔵用の冷媒サイクル装置。
【請求項２６】
前記冷媒が、HFO-1132(E)、HFC-32及びHFO-1234yfのみからなる、請求項２３から２５のいずれかに記載の冷凍用あるいは冷蔵用の冷媒サイクル装置。
【請求項２７】
圧縮機と、放熱器と、減圧部と、吸熱器とを有する冷媒回路と、
前記冷媒回路に封入された冷媒と、
を備えた、冷凍用あるいは冷蔵用の冷媒サイクル装置であって、
前記冷媒が、HFO-1132(E)、HFO-1123及びHFO-1234yfを含有し、該三成分の総濃度が、前記冷媒全体に対して99.5質量%以上であり、且つ
該三成分の質量比が、該三成分を各頂点とする三角組成図において、
点A（HFO-1132(E)/HFO-1123/HFO-1234yf=42.5/1.0/56.5質量%）、
点B（HFO-1132(E)/HFO-1123/HFO-1234yf=27.1/1.0/71.9質量%）、
点C（HFO-1132(E)/HFO-1123/HFO-1234yf=1.0/30.4/68.6質量%）、
点D（HFO-1132(E)/HFO-1123/HFO-1234yf=1.0/57.0/42.0質量%）及び
点E（HFO-1132(E)/HFO-1123/HFO-1234yf=42.5/24.1/33.4質量%）
の5点を通る図形で囲まれた領域の範囲内にある、
冷凍用あるいは冷蔵用の冷媒サイクル装置。
【請求項２８】
前記冷媒が、HFO-1132(E)、HFO-1123及びHFO-1234yfを含有し、該三成分の総濃度が、前記冷媒全体に対して99.5質量%以上であり、且つ
該三成分の質量比が、該三成分を各頂点とする三角組成図において、
点A（HFO-1132(E)/HFO-1123/HFO-1234yf=42.5/1.0/56.5質量%）、
点B（HFO-1132(E)/HFO-1123/HFO-1234yf=27.1/1.0/71.9質量%）、
点C（HFO-1132(E)/HFO-1123/HFO-1234yf=1.0/30.4/68.6質量%）、
点F（HFO-1132(E)/HFO-1123/HFO-1234yf=1.0/52.2/46.8質量%）及び
点G（HFO-1132(E)/HFO-1123/HFO-1234yf=42.5/18.9/38.6質量%）
の5点を通る図形で囲まれた領域の範囲内にある、
請求項２７に記載の冷凍用あるいは冷蔵用の冷媒サイクル装置。
【請求項２９】
前記冷媒が、HFO-1132(E)、HFO-1123及びHFO-1234yfを含有し、該三成分の総濃度が、前記冷媒全体に対して99.5質量%以上であり、且つ
該三成分の質量比が、該三成分を各頂点とする三角組成図において、
点A（HFO-1132(E)/HFO-1123/HFO-1234yf=42.5/1.0/56.5質量%）、
点B（HFO-1132(E)/HFO-1123/HFO-1234yf=27.1/1.0/71.9質量%）、
点C（HFO-1132(E)/HFO-1123/HFO-1234yf=1.0/30.4/68.6質量%）、
点H（HFO-1132(E)/HFO-1123/HFO-1234yf=1.0/35.2/63.8質量%）、
点I（HFO-1132(E)/HFO-1123/HFO-1234yf=27.4/29.8/42.8質量%）及び
点G（HFO-1132(E)/HFO-1123/HFO-1234yf=42.5/18.9/38.6質量%）
の6点を通る図形で囲まれた領域の範囲内にある、
請求項２７又は２８に記載の冷凍用あるいは冷蔵用の冷媒サイクル装置。
【請求項３０】
前記冷媒が、HFO-1132(E)、HFO-1123及びHFO-1234yfのみからなる、請求項２７から２９のいずれかに記載の冷凍用あるいは冷蔵用の冷媒サイクル装置。
【請求項３１】
圧縮機と、放熱器と、減圧部と、吸熱器とを有する冷媒回路と、
前記冷媒回路に封入された冷媒と、
を備えた、冷凍用あるいは冷蔵用の冷媒サイクル装置であって、
前記冷媒が、HFO-1132(E)及びHFO-1234yfを含有し、
HFO-1132(E)及びHFO-1234yfの全質量に対して、
HFO-1132(E)の含有割合が35.0〜65.0質量%であり、
HFO-1234yfの含有割合が65.0〜35.0質量%であり、
冷凍用あるいは冷蔵用の冷媒サイクル装置。
【請求項３２】
HFO-1132(E)及びHFO-1234yfの全質量に対して、
HFO-1132(E)の含有割合が41.3〜53.5質量%であり、
HFO-1234yfの含有割合が58.7〜46.5質量%である、請求項３１に記載の冷凍用あるいは冷蔵用の冷媒サイクル装置。
【請求項３３】
前記冷媒が、HFO-1132(E)及びHFO-1234yfのみからなる、請求項３１又は３２に記載の冷凍用あるいは冷蔵用の冷媒サイクル装置。
【請求項３４】
圧縮機と、放熱器と、減圧部と、吸熱器とを有する冷媒回路と、
前記冷媒回路に封入された冷媒と、
を備えた、冷凍用あるいは冷蔵用の冷媒サイクル装置であって、
前記冷媒が、HFO-1132(E)及びHFO-1234yfを含有し、
HFO-1132(E)及びHFO-1234yfの全質量に対して、
HFO-1132(E)の含有割合が40.5〜49.2質量%であり、
HFO-1234yfの含有割合が59.5〜50.8質量%である、
冷凍用あるいは冷蔵用の冷媒サイクル装置。
【請求項３５】
前記冷媒が、HFO-1132(E)及びHFO-1234yfのみからなる、請求項３４に記載の冷凍用あるいは冷蔵用の冷媒サイクル装置。
【請求項３６】
蒸発温度が-75〜-5℃である、請求項３４又は３５に記載の冷凍用あるいは冷蔵用の冷媒サイクル装置。
【請求項３７】
圧縮機と、放熱器と、減圧部と、吸熱器とを有する冷媒回路と、
前記冷媒回路に封入された冷媒と、
を備えた、冷凍用あるいは冷蔵用の冷媒サイクル装置であって、
前記冷媒が、HFO-1132(E)及びHFO-1234yfを含有し、
HFO-1132(E)及びHFO-1234yfの全質量に対して、
HFO-1132(E)の含有割合が31.1〜39.8質量%であり、
HFO-1234yfの含有割合が68.9〜60.2質量%である、
冷凍用あるいは冷蔵用の冷媒サイクル装置。
【請求項３８】
HFO-1132(E)及びHFO-1234yfの全質量に対して、
HFO-1132(E)の含有割合が31.1〜37.9質量%であり、
HFO-1234yfの含有割合が68.9〜62.1質量%である、請求項３７に記載の冷凍用あるいは冷蔵用の冷媒サイクル装置。
【請求項３９】
前記冷媒が、HFO-1132(E)及びHFO-1234yfのみからなる、請求項３７又は３８に記載の冷凍用あるいは冷蔵用の冷媒サイクル装置。
【請求項４０】
蒸発温度が-75〜-5℃である、請求項３７から３９のいずれかに記載の冷凍用あるいは冷蔵用の冷媒サイクル装置。
【請求項４１】
圧縮機と、放熱器と、減圧部と、吸熱器とを有する冷媒回路と、
前記冷媒回路に封入された冷媒と、
を備えた、冷凍用あるいは冷蔵用の冷媒サイクル装置であって、
前記冷媒が、HFO-1132(E)及びHFO-1234yfを含有し、
HFO-1132(E)及びHFO-1234yfの全質量に対して、
HFO-1132(E)の含有割合が21.0〜28.4質量%であり、
HFO-1234yfの含有割合が79.0〜71.6質量%である、
冷凍用あるいは冷蔵用の冷媒サイクル装置。
【請求項４２】
前記冷媒が、HFO-1132(E)及びHFO-1234yfのみからなる、請求項４１に記載の冷凍用あるいは冷蔵用の冷媒サイクル装置。
【請求項４３】
圧縮機と、放熱器と、減圧部と、吸熱器とを有する冷媒回路と、
前記冷媒回路に封入された冷媒と、
を備えた、冷凍用あるいは冷蔵用の冷媒サイクル装置であって、
前記冷媒が、HFO-1132(E)及びHFO-1234yfを含有し、
HFO-1132(E)及びHFO-1234yfの全質量に対して、
HFO-1132(E)の含有割合が12.1〜72.0質量%であり、
HFO-1234yfの含有割合が87.9〜28.0質量%である、
冷凍用あるいは冷蔵用の冷媒サイクル装置。
【請求項４４】
圧縮機と、放熱器と、減圧部と、吸熱器とを有する冷媒回路と、
前記冷媒回路に封入された冷媒と、
を備えた、冷凍用あるいは冷蔵用の冷媒サイクル装置であって、
前記冷媒が、ＨＦＣ−３２、ＨＦＯ−１２３４ｙｆ、並びに、ＨＦＯ−１１３２ａ及びテトラフルオロエチレン（ＦＯ−１１１４）の少なくとも一種を含有する、
冷凍用あるいは冷蔵用の冷媒サイクル装置。
【請求項４５】
前記冷媒は、ＨＦＯ−１１３２ａを含有する、請求項４４に記載の冷凍用あるいは冷蔵用の冷媒サイクル装置。
【請求項４６】
前記冷媒は、ＨＦＣ−３２、ＨＦＯ−１２３４ｙｆ及びＨＦＯ−１１３２ａの合計量を１００質量％として、１５．０〜２４．０質量％のＨＦＣ−３２、及び１．０〜７．０質量％のＨＦＯ−１１３２ａを含有する、請求項４５に記載の冷凍用あるいは冷蔵用の冷媒サイクル装置。
【請求項４７】
前記冷媒は、ＨＦＣ−３２、ＨＦＯ−１２３４ｙｆ及びＨＦＯ−１１３２ａの合計量を１００質量％として、１９．５〜２３．５質量％のＨＦＣ−３２、及び３．１〜３．７質量％のＨＦＯ−１１３２ａを含有する、請求項４５に記載の冷凍用あるいは冷蔵用の冷媒サイクル装置。
【請求項４８】
前記冷媒が、ＨＦＣ−３２、ＨＦＯ−１２３４ｙｆ及びＨＦＯ−１１３２ａを含み、前記冷媒において、ＨＦＣ−３２、ＨＦＯ−１１３２ａ及びＨＦＯ−１２３４ｙｆの、これらの総和を基準とする質量％をそれぞれｘ、ｙ及びｚとするとき、ＨＦＣ−３２、ＨＦＯ−１１３２ａ及びＨＦＯ−１２３４ｙｆの総和が１００質量％となる３成分組成図において、座標（x, y, z）が、
点Ｒ（21.80, 3.95, 74.25）、
点Ｓ（21.80, 3.05, 75.15）、及び
点Ｔ（20.95, 75.30, 3.75）、
の３点をそれぞれ結ぶ線分ＲＳ、ＳＴ及びＴＲで囲まれる三角形の範囲内又は前記線分上にある、請求項４４に記載の冷凍用あるいは冷蔵用の冷媒サイクル装置。
【請求項４９】
前記冷媒が、ＨＦＣ−３２、ＨＦＯ−１２３４ｙｆ及びＨＦＯ−１１３２ａを含み、前記冷媒において、ＨＦＣ−３２、ＨＦＯ−１１３２ａ及びＨＦＯ−１２３４ｙｆの、これらの総和を基準とする質量％をそれぞれｘ、ｙ及びｚとするとき、ＨＦＣ−３２、ＨＦＯ−１１３２ａ及びＨＦＯ−１２３４ｙｆの総和が１００質量％となる３成分組成図において、座標（x, y, z）が、
点Ｌ（74.0, 19.9, 6.1）、
点Ｆ（49.1, 25.9, 25.0）、
点Ｇ（0.0, 48.6, 51.4）、
点Ｏ（0.0, 0.0, 100）、及び
点Ｂ（73.9, 0.0, 26.1）、
の５点をそれぞれ結ぶ線分ＬＦ、ＦＧ、ＧＯ、ＯＢ及びＢＬで囲まれる図形の範囲内又は前記線分上（但し、線分ＧＯ及びＯＢ上を除く）にあり、
前記線分ＬＦは、
座標（y=0.0021x2-0.4975x+45.264）で表わされ、
前記線分ＦＧは、
座標（y=0.0031x2-0.6144x+48.6）で表わされ、且つ、
前記線分ＧＯ、ＯＢ及びＢＬが直線である、請求項４４に記載の冷凍用あるいは冷蔵用の冷媒サイクル装置。
【請求項５０】
前記冷媒が、ＨＦＣ−３２、ＨＦＯ−１２３４ｙｆ及びＨＦＯ−１１３２ａを含み、前記冷媒において、ＨＦＣ−３２、ＨＦＯ−１１３２ａ及びＨＦＯ−１２３４ｙｆの、これらの総和を基準とする質量％をそれぞれｘ、ｙ及びｚとするとき、ＨＦＣ−３２、ＨＦＯ−１１３２ａ及びＨＦＯ−１２３４ｙｆの総和が１００質量％となる３成分組成図において、座標（x, y, z）が、
点Ｐ（59.1, 23.2, 17.7）、
点Ｆ（49.1, 25.9, 25.0）、
点Ｇ（0.0, 48.6, 51.4）、
点Ｏ（0.0, 0.0, 100）、及び
点Ｂ’（59.0, 0.0, 40.2）、
の５点をそれぞれ結ぶ線分ＰＦ、ＦＧ、ＧＯ、ＯＢ’及びＢ’Ｐで囲まれる図形の範囲内又は前記線分上（但し、線分ＧＯ及びＯＢ’上を除く）にあり、
前記線分ＰＦは、
座標（y=0.0021x2-0.4975x+45.264）で表わされ、
前記線分ＦＧは、
座標（y=0.0031x2-0.6144x+48.6）で表わされ、且つ、
前記線分ＧＯ、ＯＢ’及びＢ’Ｐが直線である、請求項４４に記載の冷凍用あるいは冷蔵用の冷媒サイクル装置。
【請求項５１】
前記冷媒が、ＨＦＣ−３２、ＨＦＯ−１２３４ｙｆ及びＨＦＯ−１１３２ａを含み、前記冷媒において、ＨＦＣ−３２、ＨＦＯ−１１３２ａ及びＨＦＯ−１２３４ｙｆの、これらの総和を基準とする質量％をそれぞれｘ、ｙ及びｚとするとき、ＨＦＣ−３２、ＨＦＯ−１１３２ａ及びＨＦＯ−１２３４ｙｆの総和が１００質量％となる３成分組成図において、座標（x, y, z）が、
点Ｍ（74.0, 19.5, 6.5）、
点Ｉ（62.9, 15.5, 21.6）、
点Ｊ（33.5, 0.0, 66.5）、及び
点Ｂ（73.9, 0.0, 26.1）、
の４点をそれぞれ結ぶ線分ＭＩ、ＩＪ、ＪＢ及びＢＭで囲まれる図形の範囲内又は前記線分上（但し、線分ＪＢ上を除く）にあり、
前記線分ＭＩは、
座標（y=0.006x2+1.1837x-35.264）で表わされ、
前記線分ＩＪは、
座標（y=0.0083x2-0.2719x-0.1953）で表わされ、且つ、
前記線分ＪＢ及びＢＭが直線である、請求項４４に記載の冷凍用あるいは冷蔵用の冷媒サイクル装置。
【請求項５２】
前記冷媒が、ＨＦＣ−３２、ＨＦＯ−１２３４ｙｆ及びＨＦＯ−１１３２ａを含み、前記冷媒において、ＨＦＣ−３２、ＨＦＯ−１１３２ａ及びＨＦＯ−１２３４ｙｆの、これらの総和を基準とする質量％をそれぞれｘ、ｙ及びｚとするとき、ＨＦＣ−３２、ＨＦＯ−１１３２ａ及びＨＦＯ−１２３４ｙｆの総和が１００質量％となる３成分組成図において、座標（x, y, z）が、
点Ｑ（59.1, 12.7, 28.2）、
点Ｊ（33.5, 0.0, 66.5）、及び
点Ｂ’（59.0, 0.0, 40.2）、
の３点をそれぞれ結ぶ線分ＱＪ、ＪＢ’及びＢ’Ｑで囲まれる図形の範囲内又は前記線分上（但し、線分ＪＢ’上を除く）にあり、
前記線分ＱＪは、
座標（y=0.0083x2-0.2719x-0.1953）で表わされ、且つ、
前記線分ＪＢ’及びＢ’Ｑが直線である、請求項４４に記載の冷凍用あるいは冷蔵用の冷媒サイクル装置。
【請求項５３】
前記冷媒が、ＨＦＣ−３２、ＨＦＯ−１２３４ｙｆ及びＨＦＯ−１１３２ａを含み、前記冷媒において、ＨＦＣ−３２、ＨＦＯ−１１３２ａ及びＨＦＯ−１２３４ｙｆの、これらの総和を基準とする質量％をそれぞれｘ、ｙ及びｚとするとき、ＨＦＣ−３２、ＨＦＯ−１１３２ａ及びＨＦＯ−１２３４ｙｆの総和が１００質量％となる３成分組成図において、座標（x, y, z）が、
点Ｑ（59.1, 12.7, 28.2）、
点Ｕ（59.0, 5.5, 35.5）、及び
点Ｖ（52.5, 8.4, 39.1）、
の３点をそれぞれ結ぶ線分ＱＵ、ＵＶ及びＶＱで囲まれる図形の範囲内又は前記線分上にあり、
前記線分ＶＱは、
座標（y=0.0083x2-0.2719x-0.1953）で表わされ、且つ、
前記線分ＵＶは、
座標（y=0.0026x2-0.7385x+39.946）で表わされ、
前記線分ＱＵが直線である、請求項４４に記載の冷凍用あるいは冷蔵用の冷媒サイクル装置。
【請求項５４】
圧縮機と、放熱器と、減圧部と、吸熱器とを有する冷媒回路と、
前記冷媒回路に封入された冷媒と、
を備えた、冷凍用あるいは冷蔵用の冷媒サイクル装置であって、
前記冷媒が、ジフルオロメタン（R32）、二酸化炭素（CO2）、ペンタフルオロエタン（R125）、1,1,1,2-テトラフルオロエタン（R134a）、及び2,3,3,3-テトラフルオロプロペン（R1234yf）を含み、
前記冷媒において、R32、CO2、R125、R134a及びR1234yfの総和を基準とする、R32の質量%をa、CO2の質量%をb、R125の質量%をc1、R134aの質量%をc2、R125及びR134aの合計の質量%をc、R1234yfの質量%をxとし、c1/(c1+c2)をrとする場合、
R32が（100-x）質量%の点と、CO2が（100-x）質量%の点と、R125及びR134aの合計が（100-x）質量%の点とを頂点とする3成分組成図において、座標（a,b,c）が、
１−１−１）  43.8≧x≧41、かつ0.5≧r≧0.25であるとき、
点A(-0.6902x+43.307, 100-a-x, 0.0)、
点Or=0.25〜0.5((-2.2857x+87.314)r2+(1.7143x-55.886)r+(-0.9643x+55.336), (2.2857x-112.91)r2+(-1.7143x+104.69)r+(-0.25x+11.05), 100-a-b-x)、
点Dr=0.25〜0.5(0.0, -28.8r2+54.0r+(-x+49.9), 100-b-x)及び
点Q(0.0, 100-x, 0.0)
を結ぶ線分で囲まれる四角形の範囲内又は該線分上にあるか（ただし、線分Dr=0.25〜0.5Q及びQA上の点は除く）、又は
１−１−２）  43.8≧x≧41、かつ1.0≧r≧0.5であるとき、
点A(-0.6902x+43.307, 100-a-c, 0.0)、
点Or=0.5〜1.0((-0.2857x+8.5143)r2+(0.5x-10.9)+(-0.8571x+52.543), (-0.2857x+4.5143)r2+(0.5x+0.9)r+(-0.7143x+33.586), 100-a-b-x)、
点Dr=0.5〜1.0(0.0, (-0.5714x+12.229)r2+(0.8571x-0.3429)r+(-1.2857x+66.814), 100-b-x)及び
点Q(0.0, 100-x, 0.0)
を結ぶ線分で囲まれる四角形の範囲内又は該線分上にあるか（ただし、線分Dr=0.5〜1.0Q及びQA上の点は除く）、又は
１−２−１）  46.5≧x≧43.8、かつ0.5≧r≧0.25であるとき、
点A(-0.6902x+43.307, 100-a-x, 0.0)、
点Or=0.25〜0.5((1.1852x-64.711)r2+(-0.7407x+51.644)r+(-0.5556x+37.433), (-2.3704x+91.022)r2+(2.0741x-61.244)r+(-0.963x+42.278), 100-a-b-x)、
点Dr=0.25〜0.5(0.0, -28.8r2+54.0r+(-x+49.9), 100-b-x)及び
点Q(0.0, 100-x, 0.0)
を結ぶ線分で囲まれる四角形の範囲内又は該線分上にあるか（ただし、線分Dr=0.25〜0.5Q及びQA上の点は除く）、又は
１−２−２）  46.5≧x≧43、かつ1.0≧r≧0.5であるとき、
点A(-0.6902x+43.307, 100-a-x, 0.0)、
点Or=0.5〜1.0((0.2963x-16.978)r2+(-0.3704x+27.222)r+(-0.5185x+37.711), -8.0r2+22.8r+(-0.5185x+25.011), 100-a-b-x)、
点Dr=0.5〜1.0(0.0, -12.8r2+37.2r+(-x+54.3), 100-b-x)及び
点Q(0.0, 100-x, 0.0)
を結ぶ線分で囲まれる四角形の範囲内又は該線分上にあるか（ただし、線分Dr=0.5〜１.0Q及びQA上の点は除く）、
１−３−１）  50≧x≧46.5、かつ0.5≧r≧0.25であるとき、
点A(-0.6902x+43.307, 100-a-x, 0.0)、
点Or=0.25〜0.5(-9.6r2+17.2r+(-0.6571x+42.157), -19.2r2+(0.2286x+24.571)r+(-0.6286x+26.729), 100-a-b-x)、
点Dr=0.25〜0.5(0.0, (0.9143x-71.314)r2+(-0.5714x+80.571)+(-0.9143x+45.914), 100-b-x)及び
点Q(0.0, 100-x, 0.0)
を結ぶ線分で囲まれる四角形の範囲内又は該線分上にあるか（ただし、線分Dr=0.25〜0.5Q及びQA上の点は除く）、又は
１−３−２）  50≧x≧46.5、かつ1.0≧r≧0.5であるとき、
点A(-0.6902x+43.307, 100-a-x, 0.0)、
点Or=0.5〜1.0((-0.2286x+7.4286)r2+(0.4x-8.6)r+(-0.8x+50.8), (0.2286x-18.629)r2+(-0.2857x+36.086)r+(-0.4286x+20.829), 100-a-b-x)、
点Dr=0.5〜1.0(0.0, (0.2286x-23.429)r2+(-0.4x+55.8)r+(-0.8286x+46.329), 100-b-x)及び
点Q(0.0, 100-x, 0.0)
を結ぶ線分で囲まれる四角形の範囲内又は該線分上にある（ただし、線分Dr=0.5〜1.0Q及びQA上の点は除く）、
冷凍用あるいは冷蔵用の冷媒サイクル装置。
【請求項５５】
圧縮機と、放熱器と、減圧部と、吸熱器とを有する冷媒回路と、
前記冷媒回路に封入された冷媒と、
を備えた、冷凍用あるいは冷蔵用の冷媒サイクル装置であって、
前記冷媒が、R32、CO2、R125、R134a及びR1234yfを含み、
前記冷媒において、R32、CO2、R125、R134a及びR1234yfの総和を基準とする、R32の質量%をa、CO2の質量%をb、R125の質量%をc1、R134aの質量%をc2、R125及びR134aの合計の質量%をc、R1234yfの質量%をxとし、c1/(c1+c2)をrとする場合、
R32が（100-x）質量%の点と、CO2が（100-x）質量%の点と、R125及びR134aの合計が（100-x）質量%の点とを頂点とする3成分組成図において、座標（a,b,c）が、
２−１−１）43.8≧x≧41、かつ0.5≧r≧0.25であるとき、
点Fr=0.25〜0.5(0.0, (-1.1429x+37.257)r2+(1.2857x-38.714)r-(-1.7143x+106.89), 100-b-x)、
点Pr=0.25〜0.5((-1.1429x+34.057)r2+(1.0x-21.0)r+(-0.4643x+27.636), (2.2857x-119.31)r2+(-2.0x+122.0)r+(-0.3929x+19.907), 100-a-b-x)及び
点Dr=0.25〜0.5(0.0, -28.8r2+54.0r+(-x+49.9), 100-b-x)
を結ぶ線分で囲まれる三角形の範囲内又は該線分上にあるか（ただし、線分Dr=0.25〜0.5Fr=0.25〜0.5上の点は除く）、又は
２−１−２）43.8≧x≧41、かつ1.0≧r≧0.5であるとき、
点Fr=0.5〜1.0(0.0, (3.7143x-159.49)r2+(-5.0714x+222.53)r+(0.25x+25.45), 100-b-x)、
点Pr=0.5〜1.0((3.4286x-138.17)r2+(-5.4286x+203.57)+(1.6071x-41.593), (-2.8571x+106.74)r2+(4.5714x-143.63)r+(-2.3929x+96.027), 100-a-b-x)及び
点Dr=0.5〜1.0(0.0, (-0.5714x+12.229)r2+(0.8571x-0.3429)r+(-1.2857x+66.814), 100-b-x)
を結ぶ線分で囲まれる三角形の範囲内又は該線分上にあるか（ただし、線分Dr=0.5〜1.0Fr=0.5〜1.0上の点は除く）、又は
２−２−１）46.5≧x≧43、かつ0.5≧r≧0.25であるとき、
点Fr=0.25〜0.5(0.0, (9.4815x-428.09)r2+(-7.1111x+329.07)r+(-0.2593x+43.156), 100-b-x)、
点Pr=0.25〜0.5((-8.2963x+347.38)r2+(4.8889x-191.33)r+(-0.963x+49.478), (7.1111x-330.67)r2+(-4.1481x+216.09)r+(-0.2593x+14.056), 100-a-b-x)及び
点Dr=0.25〜0.5(0.0, -28.8r2+54.0r+(-x+49.9), 100-b-x)
を結ぶ線分で囲まれる三角形の範囲内又は該線分上にあるか（ただし、線分Dr=0.25〜0.5Fr=0.25〜0.5上の点は除く）、又は
２−２−２）46.5≧x≧43、かつ1.0≧r≧0.5であるとき、
点Fr=0.5〜1.0(0.0, (-4.7407x+210.84)r2+(6.963x-304.58)r+(-3.7407x+200.24), 100-b-x)、
点Pr=0.5〜1.0((0.2963x-0.9778)r2+(0.2222x-43.933)r+(-0.7778x+62.867), (-0.2963x-5.4222)r2+(-0.0741x+59.844)r+(-0.4444x+10.867), 100-a-b-x)及び
点Dr=0.5〜1.0(0.0, -12.8r2+37.2r+(-x+54.3), 100-b-x)
を結ぶ線分で囲まれる三角形の範囲内又は該線分上にあるか（ただし、線分Dr=0.5〜1.0Fr=0.5〜1.0上の点は除く）、又は
２−３−１）50≧x≧46.5、かつ0.37≧r≧0.25であるとき、
点Fr=0.25〜0.37(0.0, (-35.714x+1744.0)r2+(23.333x-1128.3)r+(-5.144x+276.32), 100-b-x)、
点Pr=0.25〜0.37((11.905x-595.24)r2+(-7.6189x+392.61)r+(0.9322x-39.027), (-27.778x+1305.6)r2+(17.46x-796.35)r+(-3.5147x+166.48),100-a-b-x)及び
点Dr=0.25〜0.37(0.0, (0.9143x-71.314)r2+(-0.5714x+80.571)+(-0.9143x+45.914), 100-b-x)
を結ぶ線分で囲まれる三角形の範囲内又は該線分上にあるか（ただし、線分Dr=0.25〜0.37Fr=0.25〜0.37上の点は除く）、又は
２−３−２）50≧x≧46.5、かつ1.0≧r≧0.5であるとき、
点Fr=0.5〜1.0(0.0, (2.2857x-115.89)r2+(-3.0857x+162.69)r+(-0.3714x+43.571), 100-b-x)、
点Pr=0.5〜1.0((-3.2x+161.6)r2+(4.4571x-240.86)r+(-2.0857x+123.69), (2.5143x-136.11)r2+(-3.3714x+213.17)r+(0.5429x-35.043), 100-a-b-x)及び
点Dr=0.5〜1.0(0.0, (0.2286x-23.429)r2+(-0.4x+55.8)r+(-0.8286x+46.329), 100-b-x)
を結ぶ線分で囲まれる三角形の範囲内又は該線分上にある（ただし、線分Dr=0.5〜1.0Fr=0.5〜1.0上の点は除く）、
冷凍用あるいは冷蔵用の冷媒サイクル装置。
【請求項５６】
前記冷媒が、R32、CO2、R125、R134a及びR1234yfの合計を、前記冷媒全体に対して99.5質量%以上含有する、請求項５４又は５５に記載の冷凍用あるいは冷蔵用の冷媒サイクル装置。
【発明の詳細な説明】
【技術分野】
【０００１】
冷凍用あるいは冷蔵用の冷媒サイクル装置に関する。
【背景技術】
【０００２】
これまで、冷凍用あるいは冷蔵用の装置の熱サイクルシステムでは、冷媒として、R410AやR404Aが多用されている。R410Aは、（CH2F2；HFC-32又はR32）とペンタフルオロエタン（C2HF5；HFC-125又はR125）との２成分混合冷媒であり、擬似共沸組成物である。R404Aは、R125, R134a, R143aの３成分混合冷媒であり、擬似共沸組成物である。【０００３】
しかし、R410Aの地球温暖化係数（GWP）は2088、R404Aの地球温暖化係数（GWP）は3920である。近年、地球温暖化への懸念の高まりから、GWPが低い冷媒が使用される傾向にある。【０００４】
このため、例えば、特許文献１（国際公開第２０１５／１４１６７８号）においては、R410Aを代替可能な低GWP混合冷媒が提案されている。また、特許文献２（特開２０１８−１８４５９７号公報）においては、R404Aを代替可能な低GWP混合冷媒が種々提案されている。
【発明の概要】
【発明が解決しようとする課題】
【０００５】
これまで、GWPが小さい冷媒のうち、どのような冷媒を冷凍用あるいは冷蔵用の冷媒サイクル装置に用いるべきかについては、なんら検討されていない。
【課題を解決するための手段】
【０００６】
第１観点の冷凍用あるいは冷蔵用の冷媒サイクル装置は、冷媒回路と、その冷媒回路に封入された冷媒と、を備える。冷媒回路は、圧縮機と、放熱器と、減圧部と、吸熱器とを有する。冷媒は、少なくとも１，２−ジフルオロエチレンを含む。【０００７】
第２観点の冷凍用あるいは冷蔵用の冷媒サイクル装置は、第１観点の冷媒サイクル装置であって、冷媒が、トランス−１，２−ジフルオロエチレン（HFO-1132(E)）、トリフルオロエチレン（HFO-1123）及び２，３，３，３−テトラフルオロ−１−プロペン（R1234yf）を含む。【０００８】
第３観点の冷凍用あるいは冷蔵用の冷媒サイクル装置は、第２観点の冷媒サイクル装置であって、
前記冷媒において、HFO-1132(E)、HFO-1123及びR1234yfの、これらの総和を基準とする質量%をそれぞれx、y及びzとするとき、HFO-1132(E)、HFO-1123及びR1234yfの総和が100質量%となる3成分組成図において、座標（x,y,z）が、
点D(87.6, 0.0, 12.4)、
点G(18.2, 55.1, 26.7)、
点H(56.7, 43.3, 0.0)及び
点O(100.0, 0.0, 0.0)
の４点をそれぞれ結ぶ線分OD、DG、GH及びHOで囲まれる図形の範囲内又は前記線分OD、DG及びGH上にあり（ただし、点O及び点Hは除く）、
前記線分DGは、
座標（0.0047y2-1.5177y+87.598, y, -0.0047y2+0.5177y+12.402）
で表わされ、
前記線分GHは、
座標（-0.0134z2-1.0825z+56.692, 0.0134z2+0.0825z+43.308, z）
で表わされ、かつ
前記線分HO及びODが直線である。【０００９】
第４観点の冷凍用あるいは冷蔵用の冷媒サイクル装置は、第２観点の冷媒サイクル装置であって、
前記冷媒において、HFO-1132(E)、HFO-1123及びR1234yfの、これらの総和を基準とする質量%をそれぞれx、y及びzとするとき、HFO-1132(E)、HFO-1123及びR1234yfの総和が100質量%となる3成分組成図において、座標（x,y,z）が、
点L(72.5, 10.2, 17.3)、
点G(18.2, 55.1, 26.7)、
点H(56.7, 43.3, 0.0)及び
点I(72.5, 27.5, 0.0)
の４点をそれぞれ結ぶ線分LG、GH、HI及びILで囲まれる図形の範囲内又は前記線分LG、GH及びIL上にあり（ただし、点H及び点Iは除く）、
前記線分LGは、
座標（0.0047y2-1.5177y+87.598, y, -0.0047y2+0.5177y+12.402）
で表わされ、
前記線分GHは、
座標（-0.0134z2-1.0825z+56.692, 0.0134z2+0.0825z+43.308, z）
で表わされ、かつ
前記線分HI及びILが直線である。【００１０】
第５観点の冷凍用あるいは冷蔵用の冷媒サイクル装置は、第２観点から第４観点のいずれかの冷媒サイクル装置であって、前記冷媒が、さらに、ジフルオロメタン（R32）を含有する。【００１１】
第６観点の冷凍用あるいは冷蔵用の冷媒サイクル装置は、第５観点の冷媒サイクル装置であって、
前記冷媒において、HFO-1132(E)、HFO-1123及びR1234yf並びにR32の、これらの総和を基準とする質量%をそれぞれx、y及びz並びにaとするとき、HFO-1132(E)、HFO-1123及びR1234yfの総和が100質量%となる3成分組成図において、座標（x,y,z）が、
0＜a≦10.0のとき、
点A(0.02a2-2.46a+93.4, 0, -0.02a2+2.46a+6.6)、
点B’(-0.008a2-1.38a+56, 0.018a2-0.53a+26.3, -0.01a2+1.91a+17.7)、
点C(-0.016a2+1.02a+77.6, 0.016a2-1.02a+22.4, 0)及び
点O(100.0, 0.0, 0.0)
の４点をそれぞれ結ぶ直線で囲まれる図形の範囲内又は前記直線OA、AB’及びB’C上にあり（ただし、点O及び点Cは除く）、
10.0＜a≦16.5のとき、
点A(0.0244a2-2.5695a+94.056, 0, -0.0244a2+2.5695a+5.944)、
点B’(0.1161a2-1.9959a+59.749, 0.014a2-0.3399a+24.8, -0.1301a2+2.3358a+15.451)、
点C(-0.0161a2+1.02a+77.6, 0.0161a2-1.02a+22.4, 0)及び
点O(100.0, 0.0, 0.0)
の４点をそれぞれ結ぶ直線で囲まれる図形の範囲内又は前記直線OA、AB’及びB’C上にあり（ただし、点O及び点Cは除く）、又は
16.5＜a≦21.8のとき、
点A(0.0161a2-2.3535a+92.742, 0, -0.0161a2+2.3535a+7.258)、
点B’(-0.0435a2-0.0435a+50.406, -0.0304a2+1.8991a-0.0661, 0.0739a2-1.8556a+49.6601)、
点C(-0.0161a2+0.9959a+77.851, 0.0161a2-0.9959a+22.149, 0)及び
点O(100.0, 0.0, 0.0)
の４点をそれぞれ結ぶ直線で囲まれる図形の範囲内、又は、前記直線OA、AB’及びB’C上にある（ただし、点O及び点Cは除く）。【００１２】
第７観点の冷凍用あるいは冷蔵用の冷媒サイクル装置は、第１観点の冷媒サイクル装置であって、
前記冷媒が、HFO-1132(E)及びHFO-1123の合計を、該冷媒の全体に対して99.5質量％以上含み、かつ、
該冷媒が、HFO-1132(E)を、該冷媒の全体に対して62.5質量％〜72.5質量％含む。【００１３】
第８観点の冷凍用あるいは冷蔵用の冷媒サイクル装置は、第１観点の冷媒サイクル装置であって、
前記冷媒が、HFO-1132(E)、R32及びR1234yfを含み、
前記冷媒において、HFO-1132(E)、R32及びR1234yfの、これらの総和を基準とする質量%をそれぞれx、y及びzとするとき、HFO-1132(E)、R32及びR1234yfの総和が100質量%となる3成分組成図において、座標（x,y,z）が、
点A(71.1, 0.0, 28.9)、
点C(36.5, 18.2, 45.3)、
点F(47.6, 18.3, 34.1)及び
点D(72.0, 0.0, 28.0)
の４点をそれぞれ結ぶ線分AC、CF、FD、及びDAで囲まれる図形の範囲内又は前記線分上にあり、
前記線分ACは、
座標（0.0181y2-2.2288y+71.096, y, -0.0181y2+1.2288y+28.904）
で表わされ、
前記線分FDは、
座標（0.02y2-1.7y+72, y, -0.02y2+0.7y+28）
で表わされ、かつ、
前記線分CF及びDAが直線である。【００１４】
第９観点の冷凍用あるいは冷蔵用の冷媒サイクル装置は、第１観点の冷媒サイクル装置であって、
前記冷媒が、HFO-1132(E)、R32及びR1234yfを含み、
前記冷媒において、HFO-1132(E)、R32及びR1234yfの、これらの総和を基準とする質量%をそれぞれx、y及びzとするとき、HFO-1132(E)、R32及びR1234yfの総和が100質量%となる3成分組成図において、座標（x,y,z）が、
点A(71.1, 0.0, 28.9)、
点B(42.6, 14.5, 42.9)、
点E(51.4, 14.6, 34.0)及び
点D(72.0, 0.0, 28.0)
の４点をそれぞれ結ぶ線分AB、BE、ED、及びDAで囲まれる図形の範囲内又は前記線分上にあり、
前記線分ABは、
座標（0.0181y2-2.2288y+71.096, y, -0.0181y2+1.2288y+28.904）
で表わされ、
前記線分EDは、
座標（0.02y2-1.7y+72, y, -0.02y2+0.7y+28）
で表わされ、かつ、
前記線分BE及びDAが直線である。【００１５】
第１０観点の冷凍用あるいは冷蔵用の冷媒サイクル装置は、第１観点の冷媒サイクル装置であって、
前記冷媒が、HFO-1132(E)、R32及びR1234yfを含み、
前記冷媒において、HFO-1132(E)、R32及びR1234yfの、これらの総和を基準とする質量%をそれぞれx、y及びzとするとき、HFO-1132(E)、R32及びR1234yfの総和が100質量%となる3成分組成図において、座標（x,y,z）が、
点G(77.5, 6.9, 15.6)、
点I(55.1, 18.3, 26.6)及び
点J(77.5. 18.4, 4.1)
の３点をそれぞれ結ぶ線分GI、IJ及びJKで囲まれる図形の範囲内又は前記線分上にあり、
前記線分GIは、
座標（0.02y2-2.4583y+93.396, y, -0.02y2+1.4583y+6.604）
で表わされ、かつ、
前記線分IJ及びJKが直線である。【００１６】
第１１観点の冷凍用あるいは冷蔵用の冷媒サイクル装置は、第１観点の冷媒サイクル装置であって、
前記冷媒が、HFO-1132(E)、R32及びR1234yfを含み、
前記冷媒において、HFO-1132(E)、R32及びR1234yfの、これらの総和を基準とする質量%をそれぞれx、y及びzとするとき、HFO-1132(E)、R32及びR1234yfの総和が100質量%となる3成分組成図において、座標（x,y,z）が、
点G(77.5, 6.9, 15.6)、
点H(61.8, 14.6, 23.6)及び
点K(77.5, 14.6, 7.9)
の３点をそれぞれ結ぶ線分GH、HK及びKGで囲まれる図形の範囲内又は前記線分上にあり、
前記線分GHは、
座標（0.02y2-2.4583y+93.396, y, -0.02y2+1.4583y+6.604）
で表わされ、かつ、
前記線分HK及びKGが直線である。【００１７】
第１２観点の冷凍用あるいは冷蔵用の冷媒サイクル装置は、第１観点の冷媒サイクル装置であって、
前記冷媒が、HFO-1132(E)、HFO-1123及びR32を含み、
前記冷媒において、HFO-1132(E)、HFO-1123及びR32の、これらの総和を基準とする質量%をそれぞれx、y及びzとするとき、HFO-1132(E)、HFO-1123及びR32の総和が100質量%となる3成分組成図において、座標（x,y,z）が、
点O(100.0, 0.0, 0.0)、
点C’(56.7, 43.3, 0.0)、
点D’(52.2, 38.3, 9.5)、
点E’(41.8, 39.8, 18.4)及び
点A’(81.6, 0.0, 18.4)
の５点をそれぞれ結ぶ線分OC’、C’D’、D’E’、E’A’及びA’Oで囲まれる図形の範囲内又は前記線分C’D’、D’E’及びE’A’上にあり（ただし、点C’及びA’を除く）、
前記線分C’D’は、
座標（-0.0297z2-0.1915z+56.7, 0.0297z2+1.1915z+43.3, z）
で表わされ、
前記線分D’E’は、
座標（-0.0535z2+0.3229z+53.957, 0.0535z2+0.6771z+46.043, z）
で表わされ、かつ、
前記線分OC’、E’A’及びA’Oが直線である。【００１８】
第１３観点の冷凍用あるいは冷蔵用の冷媒サイクル装置は、第１観点の冷媒サイクル装置であって、
前記冷媒が、HFO-1132(E)、HFO-1123及びR32を含み、
前記冷媒において、HFO-1132(E)、HFO-1123及びR32の、これらの総和を基準とする質量%をそれぞれx、y及びzとするとき、HFO-1132(E)、HFO-1123及びR32の総和が100質量%となる3成分組成図において、座標（x,y,z）が、
点O(100.0, 0.0, 0.0)、
点C(77.7, 22.3, 0.0)、
点D(76.3, 14.2, 9.5)、
点E(72.2, 9.4, 18.4)及び
点A’(81.6, 0.0, 18.4)
の５点をそれぞれ結ぶ線分OC、CD、DE、EA’及びA’Oで囲まれる図形の範囲内又は前記線分CD、DE及びEA’上にあり（ただし、点C及びA’を除く）、
前記線分CDEは、
座標（-0.017z2+0.0148z+77.684, 0.017z2+0.9852z+22.316, z）
で表わされ、かつ、
前記線分OC、EA’及びA’Oが直線である。【００１９】
第１４観点の冷凍用あるいは冷蔵用の冷媒サイクル装置は、第１観点の冷媒サイクル装置であって、
前記冷媒が、HFO-1132(E)、HFO-1123及びR32を含み、
前記冷媒において、HFO-1132(E)、HFO-1123及びR32の、これらの総和を基準とする質量%をそれぞれx、y及びzとするとき、HFO-1132(E)、HFO-1123及びR32の総和が100質量%となる3成分組成図において、座標（x,y,z）が、
点O(100.0, 0.0, 0.0)、
点C’(56.7, 43.3, 0.0)、
点D’(52.2, 38.3, 9.5)及び
点A(90.5, 0.0, 9.5)
の５点をそれぞれ結ぶ線分OC’、C’D’、D’A及びAOで囲まれる図形の範囲内又は前記線分C’D’及びD’A上にあり（ただし、点C’及びAを除く）、
前記線分C’D’は、
座標（-0.0297z2-0.1915z+56.7, 0.0297z2+1.1915z+43.3, z）
で表わされ、かつ、
前記線分OC’、D’A及びAOが直線である。【００２０】
第１５観点の冷凍用あるいは冷蔵用の冷媒サイクル装置は、第１観点の冷媒サイクル装置であって、
前記冷媒が、HFO-1132(E)、HFO-1123及びR32を含み、
前記冷媒において、HFO-1132(E)、HFO-1123及びR32の、これらの総和を基準とする質量%をそれぞれx、y及びzとするとき、HFO-1132(E)、HFO-1123及びR32の総和が100質量%となる3成分組成図において、座標（x,y,z）が、
点O(100.0, 0.0, 0.0)、
点C(77.7, 22.3, 0.0)、
点D(76.3, 14.2, 9.5)、
点A(90.5, 0.0, 9.5)
の５点をそれぞれ結ぶ線分OC、CD、DA及びAOで囲まれる図形の範囲内又は前記線分CD及びDA上にあり（ただし、点C及びAを除く）、
前記線分CDは、
座標（-0.017z2+0.0148z+77.684, 0.017z2+0.9852z+22.316, z）
で表わされ、かつ、
前記線分OC、DA及びAOが直線である。【００２１】
第１６観点の冷凍用あるいは冷蔵用の冷媒サイクル装置は、第１観点の冷媒サイクル装置であって、
前記冷媒が、CO2、並びにトランス−１，２−ジフルオロエチレン（HFO-1132(E)）、ジフルオロメタン（R32）及び２，３，３，３−テトラフルオロ−１−プロペン（R1234yf）を含み、
CO2、並びにR32、HFO-1132(E)及びR1234yfの、これらの総和を基準とする質量%をそれぞれw、並びにx、y及びzとするとき、R32、HFO-1132(E)及びR1234yfの総和が(100-w)質量%となる3成分組成図において、座標（x,y,z）が、
0＜w≦1.2のとき、
点I（0.0, 72.0, 28.0-w）
点J（18.3, 48.5, 33.2-w）
点K（36.8, 35.6, 27.6-w）
点L（51.7, 28.9, 19.4-w）
点B’’（-1.5278w2+2.75w+50.5, 0.0, 1.5278w2-3.75w+49.5）
点D（-2.9167w+40.317, 0.0, 1.9167w+59.683）
点C（0.0, -4.9167w+58.317, 3.9167w+41.683）
の７点をそれぞれ結ぶ曲線IJ、曲線JK及び曲線KL、並びに直線LB’’、直線B’’D、直線DC及び直線CIで囲まれる図形の範囲内又は前記線分上にあり（ただし、直線B’’D及び直線CIの上の点は除く）、
1.2＜w≦4.0のとき、
点I（0.0, 72.0, 28.0-w）
点J（18.3, 48.5, 33.2-w）
点K（36.8, 35.6, 27.6-w）
点L（51.7, 28.9, 19.4-w）
点B’’（51.6, 0.0, 48.4-w）
点D（-2.8226w+40.211, 0.0, 1.8226w+59.789）
点C（0.0, 0.1081w2-5.169w+58.447, -0.1081w2+4.169w+41.553）
の７点をそれぞれ結ぶ曲線IJ、曲線JK及び曲線KL、並びに直線LB’’、直線B’’D、直線DC及び直線CIで囲まれる図形の範囲内又は前記線分上にあり（ただし、直線B’’D及び直線CIの上の点は除く）、
4.0＜w≦7.0のとき、
点I（0.0, 72.0, 28.0-w）
点J（18.3, 48.5, 33.2-w）
点K（36.8, 35.6, 27.6-w）
点L（51.7, 28.9, 19.4-w）
点B’’（51.6, 0.0, 48.4-w）
点D（-2.8w+40.1, 0.0, 1.8w+59.9）
点C（0.0, 0.0667w2-4.9667w+58.3, -0.0667w2+3.9667w+41.7）
の７点をそれぞれ結ぶ曲線IJ、曲線JK及び曲線KL、並びに直線LB’’、直線B’’D、直線DC及び直線CIで囲まれる図形の範囲内又は前記線分上にあり（ただし、直線B’’D及び直線CIの上の点は除く）、かつ
曲線IJは、
座標（x, 0.0236x2-1.716x+72, -0.0236x2+0.716x+28-w）
で表わされ、
曲線JKは、
座標（x, 0.0095x2-1.2222x+67.676, -0.0095x2+0.2222x+32.324-w）
で表わされ、
曲線KLは、
座標（x, 0.0049x2-0.8842x+61.488, -0.0049x2-0.1158x+38.512）
で表わされる。【００２２】
第１７観点の冷凍用あるいは冷蔵用の冷媒サイクル装置は、第１観点の冷媒サイクル装置であって、
前記冷媒が、CO2、並びにトランス−１，２−ジフルオロエチレン（HFO-1132(E)）、ジフルオロメタン（R32）及び２，３，３，３−テトラフルオロ−１−プロペン（R1234yf）を含み、
CO2、並びにR32、HFO-1132(E)及びR1234yfの、これらの総和を基準とする質量%をそれぞれw、並びにx、y及びzとするとき、R32、HFO-1132(E)及びR1234yfの総和が(100-w)質量%となる3成分組成図において、座標（x,y,z）が、
0＜w≦1.2のとき、
点I（0.0, 72.0, 28.0-w）
点J（18.3, 48.5, 33.2-w）
点K（36.8, 35.6, 27.6-w）
点F（-0.0833w+36.717, -4.0833w+5.1833, 3.1666w+58.0997）
点C（0.0, -4.9167w+58.317, 3.9167w+41.683）
の５点をそれぞれ結ぶ曲線IJ及び曲線JK、並びに直線KF、直線FC及び直線CIで囲まれる図形の範囲内又は前記線分上にあり（ただし、直線CIの上の点は除く）、
1.2＜w≦1.3のとき、
点I（0.0, 72.0, 28.0-w）
点J（18.3, 48.5, 33.2-w）
点K（36.8, 35.6, 27.6-w）
点F（36.6, -3w+3.9, 2w+59.5）
点C（0.0, 0.1081w2-5.169w+58.447, -0.1081w2+4.169w+41.553）
の５点をそれぞれ結ぶ曲線IJ及び曲線JK、並びに直線KF、直線FC及び直線CIで囲まれる図形の範囲内又は前記線分上にあり（ただし、直線CIの上の点は除く）、
1.3＜w≦4.0のとき、
点I（0.0, 72.0, 28.0-w）
点J（18.3, 48.5, 33.2-w）
点K（36.8, 35.6, 27.6-w）
点B’（36.6, 0.0, -w+63.4）
点D（-2.8226w+40.211, 0.0, 1.8226w+59.789）
点C（0.0, 0.1081w2-5.169w+58.447, -0.1081w2+4.169w+41.553）
の６点をそれぞれ結ぶ曲線IJ及び曲線JK、並びに直線KB’、直線B’D、直線DC及び直線CIで囲まれる図形の範囲内又は前記線分上にあり（ただし、直線CIの上の点は除く）、
4.0＜w≦7.0のとき、
点I（0.0, 72.0, 28.0-w）
点J（18.3, 48.5, 33.2-w）
点K（36.8, 35.6, 27.6-w）
点B’（36.6, 0.0, -w+63.4）
点D（-2.8w+40.1, 0.0, 1.8w+59.9）
点C（0.0, 0.0667w2-4.9667w+58.3, -0.0667w2+3.9667w+41.7）
の６点をそれぞれ結ぶ曲線IJ及び曲線JK、並びに直線KB’、直線B’D、直線DC及び直線CIで囲まれる図形の範囲内又は前記線分上にあり（ただし、直線CIの上の点は除く）、かつ曲線IJは、
座標（x, 0.0236x2-1.716x+72, -0.0236x2+0.716x+28-w）
で表わされ、
曲線JKは、
座標（x, 0.0095x2-1.2222x+67.676, -0.0095x2+0.2222x+32.324-w）
で表わされる。【００２３】
第１８観点の冷凍用あるいは冷蔵用の冷媒サイクル装置は、第１観点の冷媒サイクル装置であって、
前記冷媒が、CO2、並びにR32、HFO-1132(E)及びR1234yfを含み、
CO2、並びにR32、HFO-1132(E)及びR1234yfの、これらの総和を基準とする質量%をそれぞれw、並びにx、y及びzとするとき、R32、HFO-1132(E)及びR1234yfの総和が(100-w)質量%となる3成分組成図において、座標（x,y,z）が、
0＜w≦1.2のとき、
点I（0.0, 72.0, 28.0-w）
点J（18.3, 48.5, 33.2-w）
点E（18.2, -1.1111w2-3.1667w+31.9, 1.1111w2+2.1667w+49.9）
点C（0.0, -4.9167w+58.317, 3.9167w+41.683）
の４点をそれぞれ結ぶ曲線IJ及び曲線JK、並びに直線KF、直線FC及び直線CIで囲まれる図形の範囲内又は前記線分上にあり（ただし、直線CIの上の点は除く）、
1.2＜w≦4.0のとき、
点I（0.0, 72.0, 28.0-w）
点J（18.3, 48.5, 33.2-w）
点E（-0.0365w+18.26, 0.0623w2-4.5381w+31.856, -0.0623w2+3.5746w+49.884）
点C（0.0, 0.1081w2-5.169w+58.447, -0.1081w2+4.169w+41.553）
の４点をそれぞれ結ぶ曲線IJ及び曲線JK、並びに直線KF、直線FC及び直線CIで囲まれる図形の範囲内又は前記線分上にあり（ただし、直線CIの上の点は除く）、
4.0＜w≦7.0のとき、
点I（0.0, 72.0, 28.0-w）
点J（18.3, 48.5,  33.2-w）
点E（18.1, 0.0444w2-4.3556w+31.411, -0.0444w2+3.3556w+50.489）
点C（0.0, 0.0667w2-4.9667w+58.3, -0.0667w2+3.9667w+41.7）
の４点をそれぞれ結ぶ曲線IJ及び曲線JK、並びに直線KF、直線FC及び直線CIで囲まれる図形の範囲内又は前記線分上にあり（ただし、直線CIの上の点は除く）、かつ
曲線IJは、
座標（x, 0.0236x2-1.716x+72, -0.0236x2+0.716x+28-w）
で表わされる。【００２４】
第１９観点の冷凍用あるいは冷蔵用の冷媒サイクル装置は、第１観点の冷媒サイクル装置であって、
前記冷媒が、CO2、並びにR32、HFO-1132(E)及びR1234yfを含み、
CO2、並びにR32、HFO-1132(E)及びR1234yfの、これらの総和を基準とする質量%をそれぞれw、並びにx、y及びzとするとき、R32、HFO-1132(E)及びR1234yfの総和が(100-w)質量%となる3成分組成図において、座標（x,y,z）が、
0＜w≦0.6のとき、
点G（-5.8333w2-3.1667w+22.2, 7.0833w2+1.4167w+26.2, -1.25w2+0.75w+51.6）
点O（36.8, 0.8333w2+1.8333w+22.6, -0.8333w2-2.8333w+40.6）
点P（51.7, 1.1111w2+20.5, -1.1111w2-w+27.8）
点B’’（-1.5278w2+2.75w+50.5, 0.0, 1.5278w2-3.75w+49.5）
点D（-2.9167w+40.317, 0.0, 1.9167w+59.683）
の５点をそれぞれ結ぶ曲線GO及び曲線OP、並びに直線PB’’、直線B’’D及び直線DGで囲まれる図形の範囲内又は前記線分上にあり（ただし、直線B’’Dの上の点は除く）、
0.6＜w≦1.2のとき、
点G（-5.8333w2-3.1667w+22.2, 7.0833w2+1.4167w+26.2, -1.25w2+0.75w+51.6）
点N（18.2, 0.2778w2+3w+27.7, -0.2778w2-4w+54.1）
点O（36.8, 0.8333w2+1.8333w+22.6, -0.8333w2-2.8333w+40.6）
点P（51.7, 1.1111w2+20.5, -1.1111w2-w+27.8）
点B’’（-1.5278w2+2.75w+50.5, 0.0, 1.5278w2-3.75w+49.5）
点D（-2.9167w+40.317, 0.0, 1.9167w+59.683）
の６点をそれぞれ結ぶ曲線GN、曲線NO、及び曲線OP、並びに直線PB’’、直線B’’D及び直線DGで囲まれる図形の範囲内又は前記線分上にあり（ただし、直線B’’Dの上の点は除く）、
かつ
曲線GOは、
0＜w≦0.6のとき、
座標（x, (0.00487w2-0.0059w+0.0072)x2+(-0.279w2+0.2844w-0.6701)x+3.7639w2-0.2467w+37.512, 100-w-x-y）
で表わされ、
曲線GNは、
0.6＜w≦1.2のとき、
座標（x, (0.0122w2-0.0113w+0.0313)x2+(-0.3582w2+0.1624w-1.4551)x+2.7889w2+3.7417w+43.824 , 100-w-x-y）
で表わされ、
曲線NOは、
0.6＜w≦1.2のとき、
座標（x, (0.00487w2-0.0059w+0.0072)x2+(-0.279w2+0.2844w-0.6701)x+3.7639w2-0.2467w+37.512, 100-w-x-y）
で表され、
曲線OPは、
0＜w≦1.2のとき、
座標（x, (0.0074w2-0.0133w+0.0064)x2+(-0.5839w2+1.0268w-0.7103)x+11.472w2-17.455w+40.07, 100-w-x-y）
で表わされ、
1.2＜w≦4.0のとき、
点M（0.0, -0.3004w2+2.419w+55.53, 0.3004w2-3.419w+44.47）
点W（10.0, -0.3645w2+3.5024w+44.422, 0.3645w2-4.5024w+55.578）
点N（18.2, -0.3773w2+3.319w+28.26, 0.3773w2-4.319w+53.54）
点O（36.8, -0.1392w2+1.4381w+24.475, 0.1392w2-2.4381w+38.725）
点P（51.7, -0.2381w2+1.881w+20.186, 0.2381w2-2.881w+28.114）
点B’’（51.6, 0.0, -w+48.4）
点D（-2.8226w+40.211, 0.0, 1.8226w+59.789）
点C（0.0, 0.1081w2-5.169w+58.447, -0.1081w2+4.169w+41.553）
の８点をそれぞれ結ぶ曲線MW、曲線WN、曲線NO及び曲線OP、並びに直線PB’’、直線B’’D、直線DC及び直線CMで囲まれる図形の範囲内又は前記線分上にあり（ただし、直線B’’D及び直線CMの上の点は除く）、かつ
曲線MWは、
座標（x, (0.0043w2-0.0359w+0.1509)x2+(-0.0493w2+0.4669w-3.6193)x-0.3004w2+2.419w+55.53, 100-w-x-y）
で表わされ、
曲線WNは、
座標（x, (0.0055w2-0.0326w+0.0665)x2+(-0.1571w2+0.8981w-2.6274)x+0.6555w2-2.2153w+54.044, 100-w-x-y）
で表わされ、
曲線NOは、
座標（x, (-0.00062w2+0.0036w+0.0037)x2+(0.0375w2-0.239w-0.4977)x-0.8575w2+6.4941w+36.078, 100-w-x-y）
で表わされ、
曲線OPは、
座標（x, (-0.000463w2+0.0024w-0.0011)x2+(0.0457w2-0.2581w-0.075)x-1.355w2+8.749w+27.096, 100-w-x-y）
で表わされ、
4.0＜w≦7.0のとき、
点M（0.0, -0.0667w2+0.8333w+58.133, 0.0667w2-1.8333w+41.867）
点W（10.0, -0.0667w2+1.1w+39.267, 0.0667w2-2.1w+50.733）
点N（18.2, -0.0889w2+1.3778w+31.411, 0.0889w2-2.3778w+50.389）
点O（36.8, -0.0444w2+0.6889w+25.956, 0.0444w2-1.6889w+37.244）
点P（51.7, -0.0667w2+0.8333w+21.633, 0.0667w2-1.8333w+26.667）
点B’’（51.6, 0.0, -w+48.4）
点D（-2.8w+40.1, 0.0, 1.8w+59.9）
点C（0.0, 0.0667w2-4.9667w+58.3, -0.0667w2+3.9667w+41.7）
の８点をそれぞれ結ぶ曲線MW、曲線WN、曲線NO及び曲線OP、並びに直線PB’’、直線B’’D、直線DC及び直線CMで囲まれる図形の範囲内又は前記線分上にあり（ただし、直線B’’D及び直線CMの上の点は除く）、かつ
曲線MWは、
座標（x, (0.00357w2-0.0391w+0.1756)x2+(-0.0356w2+0.4178w-3.6422)x-0.0667w2+0.8333w+58.103, 100-w-x-y）
で表わされ、
曲線WNは、
座標（x, (-0.002061w2+0.0218w-0.0301)x2+(0.0556w2-0.5821w-0.1108)x-0.4158w2+4.7352w+43.383, 100-w-x-y）
で表わされ、
曲線NOは、
座標（x, 0.0082x2+(0.0022w2-0.0345w-0.7521)x-0.1307w2+2.0247w+42.327, 100-w-x-y）
で表わされ、
曲線OPは、
座標（x, (-0.0006258w2+0.0066w-0.0153)x2+(0.0516w2-0.5478w+0.9894)x-1.074w2+11.651w+10.992, 100-w-x-y）
で表わされる。【００２５】
第２０観点の冷凍用あるいは冷蔵用の冷媒サイクル装置は、第１観点の冷媒サイクル装置であって、
前記冷媒が、CO2、並びにR32、HFO-1132(E)及びR1234yfを含み、
CO2、並びにR32、HFO-1132(E)及びR1234yfの、これらの総和を基準とする質量%をそれぞれw、並びにx、y及びzとするとき、R32、HFO-1132(E)及びR1234yfの総和が(100-w)質量%となる3成分組成図において、座標（x,y,z）が、
0＜w≦0.6のとき、
点G（-5.8333w2-3.1667w+22.2, 7.0833w2-1.4167w+26.2, -1.25w2+3.5834w+51.6）
点O（36.8, 0.8333w2+1.8333w+22.6, -0.8333w2-2.8333w+40.6）
点F（-0.0833w+36.717, -4.0833w+5.1833, 3.1666w+58.0997）
の３点をそれぞれ結ぶ曲線GO、並びに直線OF及び直線FGで囲まれる図形の範囲内又は前記線分上にあり、かつ
曲線GOは、
座標（x, (0.00487w2-0.0059w+0.0072)x2+(-0.279w2+0.2844w-0.6701)x+3.7639w2-0.2467w+37.512, 100-w-x-y）
で表わされ、
0.6＜w≦1.2のとき、
点G（-5.8333w2-3.1667w+22.2, 7.0833w2-1.4167w+26.2, -1.25w2+3.5834w+51.6）
点N（18.2, 0.2778w2+3.0w+27.7, -0.2.778w2-4.0w+54.1）
点O（36.8, 0.8333w2+1.8333w+22.6, -0.8333w2-2.8333w+40.6）
点F（-0.0833w+36.717, -4.0833w+5.1833, 3.1666w+58.0997）
の４点をそれぞれ結ぶ曲線GN及び曲線NO、並びに直線OF及び直線FGで囲まれる図形の範囲内又は前記線分上にあり、かつ
曲線GNは、
0.6＜w≦1.2のとき、
座標（x, (0.0122w2-0.0113w+0.0313)x2+(-0.3582w2+0.1624w-1.4551)x+2.7889w2+3.7417w+43.824 , 100-w-x-y）
で表わされ、
曲線NOは、
0.6＜w≦1.2のとき、
座標（x, (0.00487w2-0.0059w+0.0072)x2+(-0.279w2+0.2844w-0.6701)x+3.7639w2-0.2467w+37.512, 100-w-x-y）
で表され
1.2＜w≦1.3のとき、
点M（0.0, -0.3004w2+2.419w+55.53, 0.3004w2-3.419w+44.47）
点W（10.0, -0.3645w2+3.5024w34.422, 0.3645w2-4.5024w+55.578）
点N（18.2, -0.3773w2+3.319w+28.26, 0.3773w2-4.319w+53.54）
点O（36.8, -0.1392w2+1.4381w+24.475, 0.1392w2-2.4381w+38.725）
点F（36.6, -3w+3.9, 2w+59.5）
点C（0.1081w2-5.169w+58.447, 0.0, -0.1081w2+4.169w+41.553）
の６点をそれぞれ結ぶ曲線MW、曲線WN及び曲線NO、並びに直線OF及び直線FC及び直線CMで囲まれる図形の範囲内又は前記線分上にあり（ただし、直線CMの上の点は除く）、かつ
曲線MWは、
座標（x, (0.0043w2-0.0359w+0.1509)x2+(-0.0493w2+0.4669w-3.6193)x-0.3004w2+2.419w+55.53, 100-w-x-y）
で表わされ、
曲線WNは、
座標（x, (0.0055w2-0.0326w+0.0665)x2+(-0.1571w2+0.8981w-2.6274)x+0.6555w2-2.2153w+54.044, 100-w-x-y）
で表わされ、
曲線NOは、
座標（x, (-0.00062w2+0.0036w+0.0037)x2+(0.0375w2-0.239w-0.4977)x-0.8575w2+6.4941w+36.078, 100-w-x-y）
で表わされ、
1.3＜w≦4.0のとき、
点Ｍ（0.0, -0.3004w2+2.419w+55.53, 0.3004w2-3.419w+44.47）
点W（10.0, -0.3645w2+3.5024w+34.422, 0.3645w2-4.5024w+55.578）
点N（18.2, -0.3773w2+3.319w+28.26, 0.3773w2-4.319w+53.54）
点O（36.8, -0.1392w2+1.4381w+24.475, 0.1392w2-2.4381w+38.725）
点B’（ 36.6, 0.0, -w+63.4）
点D（-2.8226w+40.211, 0.0, 1.8226w+59.789）
点C（0.0, 0.1081w2-5.169w+58.447, -0.1081w2+4.169w+41.553）
の７点をそれぞれ結ぶ曲線MW、曲線WN及び曲線NO、並びに直線OB’、直線B’D、及び直線DC及び直線CMで囲まれる図形の範囲内又は前記線分上にあり（ただし、直線CMの上の点は除く）、かつ
曲線MWは、
座標（x, (0.0043w2-0.0359w+0.1509)x2+(-0.0493w2+0.4669w-3.6193)x-0.3004w2+2.419w+55.53, 100-w-x-y）
で表わされ、
曲線WNは、
座標（x, (0.0055w2-0.0326w+0.0665)x2+(-0.1571w2+0.8981w-2.6274)x+0.6555w2-2.2153w+54.044, 100-w-x-y）
曲線NOは、
座標（x, (-0.00062w2+0.0036w+0.0037)x2+(0.0457w2-0.2581w-0.075)x-1.355w2+8.749w+27.096, 100-w-x-y）
で表わされ、
4.0＜w≦7.0のとき、
点M（0.0, -0.0667w2+0.8333w58.133, 0.0667w2-1.8333w+41.867）
点W（10.0, -0.0667w2+1.1w+39.267, 0.0667w2-2.1w+50.733）
点N（18. 2, -0.0889w2+1.3778w+31.411, 0.0889w2-2.3778w+50.389）
点O（36.8, -0.0444w2+0.6889w+25.956, 0.0444w2-1.6889w+37.244）
点B’（36.6, 0.0, -w+63.4）
点D（-2.8w+40. 1, 0.0, 1.8w+59.9）
点C（0.0, 0.0667w2-4.9667w+58.3, -0.0667w2+3.9667w+41.7）
の７点をそれぞれ結ぶ曲線MW、曲線WN及び曲線NO、並びに直線OB’、直線B’D、及び直線DC及び直線CMで囲まれる図形の範囲内又は前記線分上にあり（ただし、直線CMの上の点は除く）、かつ
曲線MWは、
座標（x, (0.00357w2-0.0391w+0.1756)x2+(-0.0356w2+0.4178w-3.6422)x-0.0667w2+0.8333w+58.103, 100-w-x-y）
で表わされ、
曲線WNは、
座標（x, (-0.002061w2+0.0218w-0.0301)x2+(0.0556w2-0.5821w-0.1108)x-0.4158w2+4.7352w+43.383, 100-w-x-y）
曲線NOは、
座標(x, (0.0082x2+(0.0022w2-0.0345w-0.7521)x-0.1307w2+2.0247w+42.327, 100-w-x-y)
で表わされる。【００２６】
第２１観点の冷凍用あるいは冷蔵用の冷媒サイクル装置は、第１観点の冷媒サイクル装置であって、
前記冷媒が、CO2、並びにR32、HFO-1132(E)及びR1234yfを含み、
CO2、並びにR32、HFO-1132(E)及びR1234yfの、これらの総和を基準とする質量%をそれぞれw、並びにx、y及びzとするとき、R32、HFO-1132(E)及びR1234yfの総和が(100-w)質量%となる3成分組成図において、座標（x,y,z）が、
1.2＜w≦4.0のとき、
点M（0.0, -0.3004w2+2.419w+55.53, 0.3004w2-3.419w+44.47）
点W（10.0, -0.3645w2+3.5024w+34.422, 0.3645w2-4.5024w+55.578）
点N（18.2, -0.3773w2+3.319w+28.26, 0.3773w2-4.319w+53.54）
点E（-0.0365w+18.26, 0.0623w2-4.5381w+31.856, -0.0623w2+3.5746w+49.884）
点C（0.0, 0.1081w2-5.169w+58.447, -0.1081w2+4.169w+41.553）
の５点をそれぞれ結ぶ曲線MW及び曲線WN、並びに直線NE、直線EC及び直線CMで囲まれる図形の範囲内又は前記線分上にあり（ただし、直線CMの上の点は除く）、かつ
曲線MWは、
座標（x, (0.0043w2-0.0359w+0.1509)x2+(-0.0493w2+0.4669w-3.6193)x-0.3004w2+2.419w+55.53, 100-w-x-y）
で表わされ、
曲線WNは、
座標（x, (0.0055w2-0.0326w+0.0665)x2+(-0.1571w2+0.8981w-2.6274)x+0.6555w2-2.2153w+54.044, 100-w-x-y）
で表わされ、
4.0＜w≦7.0のとき、
点M（0.0, -0.0667w2+0.8333w+58.133, 0.0667w2-1.8333w+41.867）
点W（10.0, -0.0667w2+1.1w+39.267, 0.0667w2-2.1w+50.733）
点N（18.2, -0.0889w2+1.3778w+31.411, 0.0889w2-2.3778w+50.389）
点E（18.1, 0.0444w2-4.3556w+31.411, -0.0444w2+3.3556w+50.489）
点C（0.0, 0.0667w2-4.9667w+58.3, -0.0667w2+3.9667w+41.7）
の５点をそれぞれ結ぶ曲線MW及び曲線WN、並びに直線NE、直線EC及び直線CMで囲まれる図形の範囲内又は前記線分上にあり（ただし、直線CMの上の点は除く）、かつ
曲線MWは、
座標（x, (0.00357w2-0.0391w+0.1756)x2+(-0.0356w2+0.4178w-3.6422)x-0.0667w2+0.8333w+58.103, 100-w-x-y）
で表わされ、
曲線WNは、
座標（x, (-0.002061w2+0.0218w-0.0301)x2+(0.0556w2-0.5821w-0.1108)x-0.4158w2+4.7352w+43.383, 100-w-x-y）
で表わされる。【００２７】
第２２観点の冷凍用あるいは冷蔵用の冷媒サイクル装置は、冷媒回路と、その冷媒回路に封入された冷媒と、を備える。冷媒回路は、圧縮機と、放熱器と、減圧部と、吸熱器とを有する。冷媒は、少なくともトランス-1,2-ジフルオロエチレン（HFO-1132(E)）、ジフルオロメタン（HFC-32）及び2,3,3,3-テトラフルオロプロペン（HFO-1234yf）を含む。【００２８】
第２３観点の冷凍用あるいは冷蔵用の冷媒サイクル装置は、第２２観点の冷媒サイクル装置であって、前記冷媒が、トランス-1,2-ジフルオロエチレン（HFO-1132(E)）、ジフルオロメタン（HFC-32）及び2,3,3,3-テトラフルオロプロペン（HFO-1234yf）を含有し、該三成分の総濃度が、前記冷媒全体に対して99.5質量%以上であり、且つ
該三成分の質量比が、該三成分を各頂点とする三角組成図において、
点A（HFO-1132(E)/HFC-32/HFO-1234yf=51.8/1.0/47.2質量%）、
点B（HFO-1132(E)/HFC-32/HFO-1234yf=35.3/1.0/63.7質量%）、
点C（HFO-1132(E)/HFC-32/HFO-1234yf=10.1/18.0/71.9質量%）及び
点D（HFO-1132(E)/HFC-32/HFO-1234yf=27.8/18.0/54.2質量%）、
の4点を通る図形で囲まれた領域の範囲内にある。【００２９】
第２４観点の冷凍用あるいは冷蔵用の冷媒サイクル装置は、第２３観点の冷媒サイクル装置であって、前記冷媒が、HFO-1132(E)、HFC-32及びHFO-1234yfを含有し、該三成分の総濃度が、前記冷媒全体に対して99.5質量%以上であり、且つ
該三成分の質量比が、該三成分を各頂点とする三角組成図において、
点A（HFO-1132(E)/HFC-32/HFO-1234yf=51.8/1.0/47.2質量%）、
点B（HFO-1132(E)/HFC-32/HFO-1234yf=35.3/1.0/63.7質量%）、
点E（HFO-1132(E)/HFC-32/HFO-1234yf=15.2/14.3/70.5質量%）及び
点F（HFO-1132(E)/HFC-32/HFO-1234yf=31.1/14.3/54.6質量%）、
の4点を通る図形で囲まれた領域の範囲内にある。【００３０】
第２５観点の冷凍用あるいは冷蔵用の冷媒サイクル装置は、第２２観点の冷媒サイクル装置であって、前記冷媒が、HFO-1132(E)、HFC-32及びHFO-1234yfを含有し、該三成分の総濃度が、前記冷媒全体に対して99.5質量%以上であり、且つ
該三成分の質量比が、該三成分を各頂点とする三角組成図において、
点P（HFO-1132(E)/HFC-32/HFO-1234yf=45.6/1.0/53.4質量%）、
点B（HFO-1132(E)/HFC-32/HFO-1234yf=35.3/1.0/63.7質量%）、
点Q（HFO-1132(E)/HFC-32/HFO-1234yf=1.0/24.8/74.2質量%）、
点R（HFO-1132(E)/HFC-32/HFO-1234yf=1.0/29.2/69.8質量%）及び
点S（HFO-1132(E)/HFC-32/HFO-1234yf=6.5/29.2/64.3質量%）、
の5点を通る図形で囲まれた領域の範囲内にある。【００３１】
第２６観点の冷凍用あるいは冷蔵用の冷媒サイクル装置は、第２３観点〜第２５観点のいずれかの冷媒サイクル装置であって、前記冷媒が、HFO-1132(E)、HFC-32及びHFO-1234yfのみからなる。【００３２】
第２７観点の冷凍用あるいは冷蔵用の冷媒サイクル装置は、冷媒回路と、その冷媒回路に封入された冷媒とを備える。冷媒回路は、圧縮機と、放熱器と、減圧部と、吸熱器とを有する。前記冷媒が、HFO-1132(E)、HFO-1123及びHFO-1234yfを含有し、該三成分の総濃度が、前記冷媒全体に対して99.5質量%以上であり、且つ
該三成分の質量比が、該三成分を各頂点とする三角組成図において、
点A（HFO-1132(E)/HFO-1123/HFO-1234yf=42.5/1.0/56.5質量%）、
点B（HFO-1132(E)/HFO-1123/HFO-1234yf=27.1/1.0/71.9質量%）、
点C（HFO-1132(E)/HFO-1123/HFO-1234yf=1.0/30.4/68.6質量%）、
点D（HFO-1132(E)/HFO-1123/HFO-1234yf=1.0/57.0/42.0質量%）及び
点E（HFO-1132(E)/HFO-1123/HFO-1234yf=42.5/24.1/33.4質量%）
の5点を通る図形で囲まれた領域の範囲内にある。【００３３】
第２８観点の冷凍用あるいは冷蔵用の冷媒サイクル装置は、第２７観点の冷媒サイクル装置であって、前記冷媒が、HFO-1132(E)、HFO-1123及びHFO-1234yfを含有し、該三成分の総濃度が、前記冷媒全体に対して99.5質量%以上であり、且つ
該三成分の質量比が、該三成分を各頂点とする三角組成図において、
点A（HFO-1132(E)/HFO-1123/HFO-1234yf=42.5/1.0/56.5質量%）、
点B（HFO-1132(E)/HFO-1123/HFO-1234yf=27.1/1.0/71.9質量%）、
点C（HFO-1132(E)/HFO-1123/HFO-1234yf=1.0/30.4/68.6質量%）、
点F（HFO-1132(E)/HFO-1123/HFO-1234yf=1.0/52.2/46.8質量%）及び
点G（HFO-1132(E)/HFO-1123/HFO-1234yf=42.5/18.9/38.6質量%）
の5点を通る図形で囲まれた領域の範囲内にある。【００３４】
第２９観点の冷凍用あるいは冷蔵用の冷媒サイクル装置は、第２７観点又は第２８観点の冷媒サイクル装置であって、前記冷媒が、HFO-1132(E)、HFO-1123及びHFO-1234yfを含有し、該三成分の総濃度が、前記冷媒全体に対して99.5質量%以上であり、且つ
該三成分の質量比が、該三成分を各頂点とする三角組成図において、
点A（HFO-1132(E)/HFO-1123/HFO-1234yf=42.5/1.0/56.5質量%）、
点B（HFO-1132(E)/HFO-1123/HFO-1234yf=27.1/1.0/71.9質量%）、
点C（HFO-1132(E)/HFO-1123/HFO-1234yf=1.0/30.4/68.6質量%）、
点H（HFO-1132(E)/HFO-1123/HFO-1234yf=1.0/35.2/63.8質量%）、
点I（HFO-1132(E)/HFO-1123/HFO-1234yf=27.4/29.8/42.8質量%）及び
点G（HFO-1132(E)/HFO-1123/HFO-1234yf=42.5/18.9/38.6質量%）
の6点を通る図形で囲まれた領域の範囲内にある。【００３５】
第３０観点の冷凍用あるいは冷蔵用の冷媒サイクル装置は、第２７観点〜第２９観点のいずれかの冷媒サイクル装置であって、前記冷媒が、HFO-1132(E)、HFO-1123及びHFO-1234yfのみからなる。【００３６】
第３１観点の冷凍用あるいは冷蔵用の冷媒サイクル装置は、冷媒回路と、その冷媒回路に封入された冷媒とを備える。冷媒回路は、圧縮機と、放熱器と、減圧部と、吸熱器とを有する。前記冷媒が、HFO-1132(E)及びHFO-1234yfを含有し、
HFO-1132(E)及びHFO-1234yfの全質量に対して、
HFO-1132(E)の含有割合が35.0〜65.0質量%であり、
HFO-1234yfの含有割合が65.0〜35.0質量%である。【００３７】
第３２観点の冷凍用あるいは冷蔵用の冷媒サイクル装置は、第３１観点の冷媒サイクル装置であって、HFO-1132(E)及びHFO-1234yfの全質量に対して、
HFO-1132(E)の含有割合が41.3〜53.5質量%であり、
HFO-1234yfの含有割合が58.7〜46.5質量%である。【００３８】
第３３観点の冷凍用あるいは冷蔵用の冷媒サイクル装置は、第３１観点又は第３２観点の冷媒サイクル装置であって、前記冷媒が、HFO-1132(E)及びHFO-1234yfのみからなる。【００３９】
第３４観点の冷凍用あるいは冷蔵用の冷媒サイクル装置は、冷媒回路と、その冷媒回路に封入された冷媒とを備える。冷媒回路は、圧縮機と、放熱器と、減圧部と、吸熱器とを有する。前記冷媒が、HFO-1132(E)及びHFO-1234yfを含有し、
HFO-1132(E)及びHFO-1234yfの全質量に対して、
HFO-1132(E)の含有割合が40.5〜49.2質量%であり、
HFO-1234yfの含有割合が59.5〜50.8質量%である。【００４０】
第３５観点の冷凍用あるいは冷蔵用の冷媒サイクル装置は、第３４観点の冷媒サイクル装置であって、前記冷媒が、HFO-1132(E)及びHFO-1234yfのみからなる。【００４１】
第３６観点の冷凍用あるいは冷蔵用の冷媒サイクル装置は、第３４観点又は第３５観点の冷媒サイクル装置であって、蒸発温度が-75〜-5℃である。【００４２】
第３７観点の冷凍用あるいは冷蔵用の冷媒サイクル装置は、冷媒回路と、その冷媒回路に封入された冷媒とを備える。冷媒回路は、圧縮機と、放熱器と、減圧部と、吸熱器とを有する。前記冷媒が、HFO-1132(E)及びHFO-1234yfを含有し、
HFO-1132(E)及びHFO-1234yfの全質量に対して、
HFO-1132(E)の含有割合が31.1〜39.8質量%であり、
HFO-1234yfの含有割合が68.9〜60.2質量%である。【００４３】
第３８観点の冷凍用あるいは冷蔵用の冷媒サイクル装置は、第３７観点の冷媒サイクル装置であって、HFO-1132(E)及びHFO-1234yfの全質量に対して、
HFO-1132(E)の含有割合が31.1〜37.9質量%であり、
HFO-1234yfの含有割合が68.9〜62.1質量%である。【００４４】
第３９観点の冷凍用あるいは冷蔵用の冷媒サイクル装置は、第３７観点又は第３８観点の冷媒サイクル装置であって、前記冷媒が、HFO-1132(E)及びHFO-1234yfのみからなる。【００４５】
第４０観点の冷凍用あるいは冷蔵用の冷媒サイクル装置は、第３７観点〜第３９観点のいずれかの冷媒サイクル装置であって、蒸発温度が-75〜-5℃である。【００４６】
第４１観点の冷凍用あるいは冷蔵用の冷媒サイクル装置は、冷媒回路と、その冷媒回路に封入された冷媒とを備える。冷媒回路は、圧縮機と、放熱器と、減圧部と、吸熱器とを有する。前記冷媒が、HFO-1132(E)及びHFO-1234yfを含有し、
HFO-1132(E)及びHFO-1234yfの全質量に対して、
HFO-1132(E)の含有割合が21.0〜28.4質量%であり、
HFO-1234yfの含有割合が79.0〜71.6質量%である。【００４７】
第４２観点の冷凍用あるいは冷蔵用の冷媒サイクル装置は、第４１観点の冷媒サイクル装置であって、前記冷媒が、HFO-1132(E)及びHFO-1234yfのみからなる。【００４８】
第４３観点の冷凍用あるいは冷蔵用の冷媒サイクル装置は、冷媒回路と、その冷媒回路に封入された冷媒とを備える。冷媒回路は、圧縮機と、放熱器と、減圧部と、吸熱器とを有する。前記冷媒が、HFO-1132(E)及びHFO-1234yfを含有し、
HFO-1132(E)及びHFO-1234yfの全質量に対して、
HFO-1132(E)の含有割合が12.1〜72.0質量%であり、
HFO-1234yfの含有割合が87.9〜28.0質量%である。【００４９】
第４４観点の冷凍用あるいは冷蔵用の冷媒サイクル装置は、冷媒回路と、その冷媒回路に封入された冷媒とを備える。冷媒回路は、圧縮機と、放熱器と、減圧部と、吸熱器とを有する。前記冷媒が、ＨＦＣ−３２、ＨＦＯ−１２３４ｙｆ、並びに、ＨＦＯ−１１３２ａ及びテトラフルオロエチレン（ＦＯ−１１１４）の少なくとも一種を含有する。【００５０】
第４５観点の冷凍用あるいは冷蔵用の冷媒サイクル装置は、第４４観点の冷媒サイクル装置であって、前記冷媒は、ＨＦＯ−１１３２ａを含有する。【００５１】
第４６観点の冷凍用あるいは冷蔵用の冷媒サイクル装置は、第４５観点の冷媒サイクル装置であって、前記冷媒は、ＨＦＣ−３２、ＨＦＯ−１２３４ｙｆ及びＨＦＯ−１１３２ａの合計量を１００質量％として、１５．０〜２４．０質量％のＨＦＣ−３２、及び１．０〜７．０質量％のＨＦＯ−１１３２ａを含有する。【００５２】
第４７観点の冷凍用あるいは冷蔵用の冷媒サイクル装置は、第４５観点の冷媒サイクル装置であって、前記冷媒は、ＨＦＣ−３２、ＨＦＯ−１２３４ｙｆ及びＨＦＯ−１１３２ａの合計量を１００質量％として、１９．５〜２３．５質量％のＨＦＣ−３２、及び３．１〜３．７質量％のＨＦＯ−１１３２ａを含有する。【００５３】
第４８観点の冷凍用あるいは冷蔵用の冷媒サイクル装置は、第４４観点の冷媒サイクル装置であって、前記冷媒が、ＨＦＣ−３２、ＨＦＯ−１２３４ｙｆ及びＨＦＯ−１１３２ａを含み、前記冷媒において、ＨＦＣ−３２、ＨＦＯ−１１３２ａ及びＨＦＯ−１２３４ｙｆの、これらの総和を基準とする質量％をそれぞれｘ、ｙ及びｚとするとき、ＨＦＣ−３２、ＨＦＯ−１１３２ａ及びＨＦＯ−１２３４ｙｆの総和が１００質量％となる３成分組成図において、座標（x, y, z）が、
点Ｒ（21.80, 3.95, 74.25）、
点Ｓ（21.80, 3.05, 75.15）、及び
点Ｔ（20.95, 75.30, 3.75）、
の３点をそれぞれ結ぶ線分ＲＳ、ＳＴ及びＴＲで囲まれる三角形の範囲内又は前記線分上にある。【００５４】
第４９観点の冷凍用あるいは冷蔵用の冷媒サイクル装置は、第４４観点の冷媒サイクル装置であって、前記冷媒が、ＨＦＣ−３２、ＨＦＯ−１２３４ｙｆ及びＨＦＯ−１１３２ａを含み、前記冷媒において、ＨＦＣ−３２、ＨＦＯ−１１３２ａ及びＨＦＯ−１２３４ｙｆの、これらの総和を基準とする質量％をそれぞれｘ、ｙ及びｚとするとき、ＨＦＣ−３２、ＨＦＯ−１１３２ａ及びＨＦＯ−１２３４ｙｆの総和が１００質量％となる３成分組成図において、座標（x, y, z）が、
点Ｌ（74.0, 19.9, 6.1）、
点Ｆ（49.1, 25.9, 25.0）、
点Ｇ（0.0, 48.6, 51.4）、
点Ｏ（0.0, 0.0, 100）、及び
点Ｂ（73.9, 0.0, 26.1）、
の５点をそれぞれ結ぶ線分ＬＦ、ＦＧ、ＧＯ、ＯＢ及びＢＬで囲まれる図形の範囲内又は前記線分上（但し、線分ＧＯ及びＯＢ上を除く）にあり、
前記線分ＬＦは、
座標（y=0.0021x2-0.4975x+45.264）で表わされ、
前記線分ＦＧは、
座標（y=0.0031x2-0.6144x+48.6）で表わされ、且つ、
前記線分ＧＯ、ＯＢ及びＢＬが直線である。【００５５】
第５０観点の冷凍用あるいは冷蔵用の冷媒サイクル装置は、第４４観点の冷媒サイクル装置であって、前記冷媒が、ＨＦＣ−３２、ＨＦＯ−１２３４ｙｆ及びＨＦＯ−１１３２ａを含み、前記冷媒において、ＨＦＣ−３２、ＨＦＯ−１１３２ａ及びＨＦＯ−１２３４ｙｆの、これらの総和を基準とする質量％をそれぞれｘ、ｙ及びｚとするとき、ＨＦＣ−３２、ＨＦＯ−１１３２ａ及びＨＦＯ−１２３４ｙｆの総和が１００質量％となる３成分組成図において、座標（x, y, z）が、
点Ｐ（59.1, 23.2, 17.7）、
点Ｆ（49.1, 25.9, 25.0）、
点Ｇ（0.0, 48.6, 51.4）、
点Ｏ（0.0, 0.0, 100）、及び
点Ｂ’（59.0, 0.0, 40.2）、
の５点をそれぞれ結ぶ線分ＰＦ、ＦＧ、ＧＯ、ＯＢ’及びＢ’Ｐで囲まれる図形の範囲内又は前記線分上（但し、線分ＧＯ及びＯＢ’上を除く）にあり、
前記線分ＰＦは、
座標（y=0.0021x2-0.4975x+45.264）で表わされ、
前記線分ＦＧは、
座標（y=0.0031x2-0.6144x+48.6）で表わされ、且つ、
前記線分ＧＯ、ＯＢ’及びＢ’Ｐが直線である。【００５６】
第５１観点の冷凍用あるいは冷蔵用の冷媒サイクル装置は、第４４観点の冷媒サイクル装置であって、前記冷媒が、ＨＦＣ−３２、ＨＦＯ−１２３４ｙｆ及びＨＦＯ−１１３２ａを含み、前記冷媒において、ＨＦＣ−３２、ＨＦＯ−１１３２ａ及びＨＦＯ−１２３４ｙｆの、これらの総和を基準とする質量％をそれぞれｘ、ｙ及びｚとするとき、ＨＦＣ−３２、ＨＦＯ−１１３２ａ及びＨＦＯ−１２３４ｙｆの総和が１００質量％となる３成分組成図において、座標（x, y, z）が、
点Ｍ（74.0, 19.5, 6.5）、
点Ｉ（62.9, 15.5, 21.6）、
点Ｊ（33.5, 0.0, 66.5）、及び
点Ｂ（73.9, 0.0, 26.1）、
の４点をそれぞれ結ぶ線分ＭＩ、ＩＪ、ＪＢ及びＢＭで囲まれる図形の範囲内又は前記線分上（但し、線分ＪＢ上を除く）にあり、
前記線分ＭＩは、
座標（y=0.006x2+1.1837x-35.264）で表わされ、
前記線分ＩＪは、
座標（y=0.0083x2-0.2719x-0.1953）で表わされ、且つ、
前記線分ＪＢ及びＢＭが直線である。【００５７】
第５２観点の冷凍用あるいは冷蔵用の冷媒サイクル装置は、第４４観点の冷媒サイクル装置であって、前記冷媒が、ＨＦＣ−３２、ＨＦＯ−１２３４ｙｆ及びＨＦＯ−１１３２ａを含み、前記冷媒において、ＨＦＣ−３２、ＨＦＯ−１１３２ａ及びＨＦＯ−１２３４ｙｆの、これらの総和を基準とする質量％をそれぞれｘ、ｙ及びｚとするとき、ＨＦＣ−３２、ＨＦＯ−１１３２ａ及びＨＦＯ−１２３４ｙｆの総和が１００質量％となる３成分組成図において、座標（x, y, z）が、
点Ｑ（59.1, 12.7, 28.2）、
点Ｊ（33.5, 0.0, 66.5）、及び
点Ｂ’（59.0, 0.0, 40.2）、
の３点をそれぞれ結ぶ線分ＱＪ、ＪＢ’及びＢ’Ｑで囲まれる図形の範囲内又は前記線分上（但し、線分ＪＢ’上を除く）にあり、
前記線分ＱＪは、
座標（y=0.0083x2-0.2719x-0.1953）で表わされ、且つ、
前記線分ＪＢ’及びＢ’Ｑが直線である。【００５８】
第５３観点の冷凍用あるいは冷蔵用の冷媒サイクル装置は、第４４観点の冷媒サイクル装置であって、前記冷媒が、ＨＦＣ−３２、ＨＦＯ−１２３４ｙｆ及びＨＦＯ−１１３２ａを含み、前記冷媒において、ＨＦＣ−３２、ＨＦＯ−１１３２ａ及びＨＦＯ−１２３４ｙｆの、これらの総和を基準とする質量％をそれぞれｘ、ｙ及びｚとするとき、ＨＦＣ−３２、ＨＦＯ−１１３２ａ及びＨＦＯ−１２３４ｙｆの総和が１００質量％となる３成分組成図において、座標（x, y, z）が、
点Ｑ（59.1, 12.7, 28.2）、
点Ｕ（59.0, 5.5, 35.5）、及び
点Ｖ（52.5, 8.4, 39.1）、
の３点をそれぞれ結ぶ線分ＱＵ、ＵＶ及びＶＱで囲まれる図形の範囲内又は前記線分上にあり、
前記線分ＶＱは、
座標（y=0.0083x2-0.2719x-0.1953）で表わされ、且つ、
前記線分ＵＶは、
座標（y=0.0026x2-0.7385x+39.946）で表わされ、
前記線分ＱＵが直線である。【００５９】
第５４観点の冷凍用あるいは冷蔵用の冷媒サイクル装置は、冷媒回路と、その冷媒回路に封入された冷媒とを備える。冷媒回路は、圧縮機と、放熱器と、減圧部と、吸熱器とを有する。前記冷媒が、ジフルオロメタン（R32）、二酸化炭素（CO2）、ペンタフルオロエタン（R125）、1,1,1,2-テトラフルオロエタン（R134a）、及び2,3,3,3-テトラフルオロプロペン（R1234yf）を含み、
前記冷媒において、R32、CO2、R125、R134a及びR1234yfの総和を基準とする、R32の質量%をa、CO2の質量%をb、R125の質量%をc1、R134aの質量%をc2、R125及びR134aの合計の質量%をc、R1234yfの質量%をxとし、c1/(c1+c2)をrとする場合、
R32が（100-x）質量%の点と、CO2が（100-x）質量%の点と、R125及びR134aの合計が（100-x）質量%の点とを頂点とする3成分組成図において、座標（a,b,c）が、
１−１−１）  43.8≧x≧41、かつ0.5≧r≧0.25であるとき、
点A(-0.6902x+43.307, 100-a-x, 0.0)、
点Or=0.25〜0.5((-2.2857x+87.314)r2+(1.7143x-55.886)r+(-0.9643x+55.336), (2.2857x-112.91)r2+(-1.7143x+104.69)r+(-0.25x+11.05), 100-a-b-x)、
点Dr=0.25〜0.5(0.0, -28.8r2+54.0r+(-x+49.9), 100-b-x)及び
点Q(0.0, 100-x, 0.0)
を結ぶ線分で囲まれる四角形の範囲内又は該線分上にあるか（ただし、線分Dr=0.25〜0.5Q及びQA上の点は除く）、又は
１−１−２）  43.8≧x≧41、かつ1.0≧r≧0.5であるとき、
点A(-0.6902x+43.307, 100-a-c, 0.0)、
点Or=0.5〜1.0((-0.2857x+8.5143)r2+(0.5x-10.9)+(-0.8571x+52.543), (-0.2857x+4.5143)r2+(0.5x+0.9)r+(-0.7143x+33.586), 100-a-b-x)、
点Dr=0.5〜1.0(0.0, (-0.5714x+12.229)r2+(0.8571x-0.3429)r+(-1.2857x+66.814), 100-b-x)及び
点Q(0.0, 100-x, 0.0)
を結ぶ線分で囲まれる四角形の範囲内又は該線分上にあるか（ただし、線分Dr=0.5〜1.0Q及びQA上の点は除く）、又は
１−２−１）  46.5≧x≧43.8、かつ0.5≧r≧0.25であるとき、
点A(-0.6902x+43.307, 100-a-x, 0.0)、
点Or=0.25〜0.5((1.1852x-64.711)r2+(-0.7407x+51.644)r+(-0.5556x+37.433), (-2.3704x+91.022)r2+(2.0741x-61.244)r+(-0.963x+42.278), 100-a-b-x)、
点Dr=0.25〜0.5(0.0, -28.8r2+54.0r+(-x+49.9), 100-b-x)及び
点Q(0.0, 100-x, 0.0)
を結ぶ線分で囲まれる四角形の範囲内又は該線分上にあるか（ただし、線分Dr=0.25〜0.5Q及びQA上の点は除く）、又は
１−２−２）  46.5≧x≧43、かつ1.0≧r≧0.5であるとき、
点A(-0.6902x+43.307, 100-a-x, 0.0)、
点Or=0.5〜1.0((0.2963x-16.978)r2+(-0.3704x+27.222)r+(-0.5185x+37.711), -8.0r2+22.8r+(-0.5185x+25.011), 100-a-b-x)、
点Dr=0.5〜1.0(0.0, -12.8r2+37.2r+(-x+54.3), 100-b-x)及び
点Q(0.0, 100-x, 0.0)
を結ぶ線分で囲まれる四角形の範囲内又は該線分上にあるか（ただし、線分Dr=0.5〜１.0Q及びQA上の点は除く）、
１−３−１）  50≧x≧46.5、かつ0.5≧r≧0.25であるとき、
点A(-0.6902x+43.307, 100-a-x, 0.0)、
点Or=0.25〜0.5(-9.6r2+17.2r+(-0.6571x+42.157), -19.2r2+(0.2286x+24.571)r+(-0.6286x+26.729), 100-a-b-x)、
点Dr=0.25〜0.5(0.0, (0.9143x-71.314)r2+(-0.5714x+80.571)+(-0.9143x+45.914), 100-b-x)及び
点Q(0.0, 100-x, 0.0)
を結ぶ線分で囲まれる四角形の範囲内又は該線分上にあるか（ただし、線分Dr=0.25〜0.5Q及びQA上の点は除く）、又は
１−３−２）  50≧x≧46.5、かつ1.0≧r≧0.5であるとき、
点A(-0.6902x+43.307, 100-a-x, 0.0)、
点Or=0.5〜1.0((-0.2286x+7.4286)r2+(0.4x-8.6)r+(-0.8x+50.8), (0.2286x-18.629)r2+(-0.2857x+36.086)r+(-0.4286x+20.829), 100-a-b-x)、
点Dr=0.5〜1.0(0.0, (0.2286x-23.429)r2+(-0.4x+55.8)r+(-0.8286x+46.329), 100-b-x)及び
点Q(0.0, 100-x, 0.0)
を結ぶ線分で囲まれる四角形の範囲内又は該線分上にある（ただし、線分Dr=0.5〜1.0Q及びQA上の点は除く）。【００６０】
第５５観点の冷凍用あるいは冷蔵用の冷媒サイクル装置は、冷媒回路と、その冷媒回路に封入された冷媒とを備える。冷媒回路は、圧縮機と、放熱器と、減圧部と、吸熱器とを有する。前記冷媒が、R32、CO2、R125、R134a及びR1234yfを含み、
前記冷媒において、R32、CO2、R125、R134a及びR1234yfの総和を基準とする、R32の質量%をa、CO2の質量%をb、R125の質量%をc1、R134aの質量%をc2、R125及びR134aの合計の質量%をc、R1234yfの質量%をxとし、c1/(c1+c2)をrとする場合、
R32が（100-x）質量%の点と、CO2が（100-x）質量%の点と、R125及びR134aの合計が（100-x）質量%の点とを頂点とする3成分組成図において、座標（a,b,c）が、
２−１−１）43.8≧x≧41、かつ0.5≧r≧0.25であるとき、
点Fr=0.25〜0.5(0.0, (-1.1429x+37.257)r2+(1.2857x-38.714)r-(-1.7143x+106.89), 100-b-x)、
点Pr=0.25〜0.5((-1.1429x+34.057)r2+(1.0x-21.0)r+(-0.4643x+27.636), (2.2857x-119.31)r2+(-2.0x+122.0)r+(-0.3929x+19.907), 100-a-b-x)及び
点Dr=0.25〜0.5(0.0, -28.8r2+54.0r+(-x+49.9), 100-b-x)
を結ぶ線分で囲まれる三角形の範囲内又は該線分上にあるか（ただし、線分Dr=0.25〜0.5Fr=0.25〜0.5上の点は除く）、又は
２−１−２）43.8≧x≧41、かつ1.0≧r≧0.5であるとき、
点Fr=0.5〜1.0(0.0, (3.7143x-159.49)r2+(-5.0714x+222.53)r+(0.25x+25.45), 100-b-x)、
点Pr=0.5〜1.0((3.4286x-138.17)r2+(-5.4286x+203.57)+(1.6071x-41.593), (-2.8571x+106.74)r2+(4.5714x-143.63)r+(-2.3929x+96.027), 100-a-b-x)及び
点Dr=0.5〜1.0(0.0, (-0.5714x+12.229)r2+(0.8571x-0.3429)r+(-1.2857x+66.814), 100-b-x)
を結ぶ線分で囲まれる三角形の範囲内又は該線分上にあるか（ただし、線分Dr=0.5〜1.0Fr=0.5〜1.0上の点は除く）、又は
２−２−１）46.5≧x≧43、かつ0.5≧r≧0.25であるとき、
点Fr=0.25〜0.5(0.0, (9.4815x-428.09)r2+(-7.1111x+329.07)r+(-0.2593x+43.156), 100-b-x)、
点Pr=0.25〜0.5((-8.2963x+347.38)r2+(4.8889x-191.33)r+(-0.963x+49.478), (7.1111x-330.67)r2+(-4.1481x+216.09)r+(-0.2593x+14.056), 100-a-b-x)及び
点Dr=0.25〜0.5(0.0, -28.8r2+54.0r+(-x+49.9), 100-b-x)
を結ぶ線分で囲まれる三角形の範囲内又は該線分上にあるか（ただし、線分Dr=0.25〜0.5Fr=0.25〜0.5上の点は除く）、又は
２−２−２）46.5≧x≧43、かつ1.0≧r≧0.5であるとき、
点Fr=0.5〜1.0(0.0, (-4.7407x+210.84)r2+(6.963x-304.58)r+(-3.7407x+200.24), 100-b-x)、
点Pr=0.5〜1.0((0.2963x-0.9778)r2+(0.2222x-43.933)r+(-0.7778x+62.867), (-0.2963x-5.4222)r2+(-0.0741x+59.844)r+(-0.4444x+10.867), 100-a-b-x)及び
点Dr=0.5〜1.0(0.0, -12.8r2+37.2r+(-x+54.3), 100-b-x)
を結ぶ線分で囲まれる三角形の範囲内又は該線分上にあるか（ただし、線分Dr=0.5〜1.0Fr=0.5〜1.0上の点は除く）、又は
２−３−１）50≧x≧46.5、かつ0.37≧r≧0.25であるとき、
点Fr=0.25〜0.37(0.0, (-35.714x+1744.0)r2+(23.333x-1128.3)r+(-5.144x+276.32), 100-b-x)、
点Pr=0.25〜0.37((11.905x-595.24)r2+(-7.6189x+392.61)r+(0.9322x-39.027), (-27.778x+1305.6)r2+(17.46x-796.35)r+(-3.5147x+166.48),100-a-b-x)及び
点Dr=0.25〜0.37(0.0, (0.9143x-71.314)r2+(-0.5714x+80.571)+(-0.9143x+45.914), 100-b-x)
を結ぶ線分で囲まれる三角形の範囲内又は該線分上にあるか（ただし、線分Dr=0.25〜0.37Fr=0.25〜0.37上の点は除く）、又は
２−３−２）50≧x≧46.5、かつ1.0≧r≧0.5であるとき、
点Fr=0.5〜1.0(0.0, (2.2857x-115.89)r2+(-3.0857x+162.69)r+(-0.3714x+43.571), 100-b-x)、
点Pr=0.5〜1.0((-3.2x+161.6)r2+(4.4571x-240.86)r+(-2.0857x+123.69), (2.5143x-136.11)r2+(-3.3714x+213.17)r+(0.5429x-35.043), 100-a-b-x)及び
点Dr=0.5〜1.0(0.0, (0.2286x-23.429)r2+(-0.4x+55.8)r+(-0.8286x+46.329), 100-b-x)
を結ぶ線分で囲まれる三角形の範囲内又は該線分上にある（ただし、線分Dr=0.5〜1.0Fr=0.5〜1.0上の点は除く）。【００６１】
第５６観点の冷凍用あるいは冷蔵用の冷媒サイクル装置は、第５４観点又は第５５観点の冷媒サイクル装置であって、前記冷媒が、R32、CO2、R125、R134a及びR1234yfの合計を、前記冷媒全体に対して99.5質量%以上含有する。
【図面の簡単な説明】
【００６２】
【図１Ａ】燃焼性試験に用いた装置の模式図である。
【図１Ｂ】HFO-1132(E)、HFO-1123及びR1234yfの総和が100質量%となる3成分組成図に、点A〜M及びO並びにそれらを互いに結ぶ線分を示した図である。
【図１Ｃ】HFO-1132(E)、HFO-1123及びR1234yfの総和が100質量%となる3成分組成図に、点A〜C、B’及びO並びにそれらを互いに結ぶ線分を示した図である。
【図１Ｄ】HFO-1132(E)、HFO-1123及びR1234yfの総和が95質量%（R32含有割合が5質量％）となる3成分組成図に、点A〜C、B’及びO並びにそれらを互いに結ぶ線分を示した図である。
【図１Ｅ】HFO-1132(E)、HFO-1123及びR1234yfの総和が90質量%（R32含有割合が10質量％）となる3成分組成図に、点A〜C、B’及びO並びにそれらを互いに結ぶ線分を示した図である。
【図１Ｆ】HFO-1132(E)、HFO-1123及びR1234yfの総和が85.7質量%（R32含有割合が14.3質量％）となる3成分組成図に、点A〜C、B’及びO並びにそれらを互いに結ぶ線分を示した図である。
【図１Ｇ】HFO-1132(E)、HFO-1123及びR1234yfの総和が83.5質量%（R32含有割合が16.5質量％）となる3成分組成図に、点A〜C、B’及びO並びにそれらを互いに結ぶ線分を示した図である。
【図１Ｈ】HFO-1132(E)、HFO-1123及びR1234yfの総和が80.8質量%（R32含有割合が19.2質量％）となる3成分組成図に、点A〜C、B’及びO並びにそれらを互いに結ぶ線分を示した図である。
【図１Ｉ】HFO-1132(E)、HFO-1123及びR1234yfの総和が78.2質量%（R32含有割合が21.8質量％）となる3成分組成図に、点A〜C、B’及びO並びにそれらを互いに結ぶ線分を示した図である。
【図１Ｊ】HFO-1132(E)、R32及びR1234yfの総和が100質量%となる3成分組成図に、点A〜K及びO〜R並びにそれらを互いに結ぶ線分を示した図である。
【図１Ｋ】HFO-1132(E)、HFO-1123及びR32の総和が100質量%となる3成分組成図に、点A〜D、A’〜D’及びO並びにそれらを互いに結ぶ線分を示した図である。
【図１Ｌ】R32、HFO-1132(E)及びR1234yfの総和が100質量%となる3成分組成図に、本開示の冷媒を規定する点及び線分を示した図である。
【図１Ｍ】R32、HFO-1132(E)及びR1234yfの総和が99.4質量%（CO2含有割合が0.6質量％）となる3成分組成図に、本開示の冷媒を規定する点及び線分を示した図である。
【図１Ｎ】R32、HFO-1132(E)及びR1234yfの総和が98.8質量%（CO2含有割合が1.2質量％）となる3成分組成図に、本開示の冷媒を規定する点及び線分を示した図である。
【図１Ｏ】R32、HFO-1132(E)及びR1234yfの総和が98.7質量%（CO2含有割合が1.3質量％）となる3成分組成図に、本開示の冷媒を規定する点及び線分を示した図である。
【図１Ｐ】R32、HFO-1132(E)及びR1234yfの総和が97.5質量%（CO2含有割合が2.5質量％）となる3成分組成図に、本開示の冷媒を規定する点及び線分を示した図である。
【図１Ｑ】R32、HFO-1132(E)及びR1234yfの総和が96質量%（CO2含有割合が4質量％）となる3成分組成図に、本開示の冷媒を規定する点及び線分を示した図である。
【図１Ｒ】R32、HFO-1132(E)及びR1234yfの総和が94.5質量%（CO2含有割合が5.5質量％）となる3成分組成図に、本開示の冷媒を規定する点及び線分を示した図である。
【図１Ｓ】R32、HFO-1132(E)及びR1234yfの総和が93質量%（CO2含有割合が7質量％）となる3成分組成図に、本開示の冷媒を規定する点及び線分を示した図である。
【図１Ｔ】燃焼性（可燃又は不燃）の判別をするための実験装置の模式図である。
【図２Ａ】トランス-1,2-ジフルオロエチレン（HFO-1132(E)）、ジフルオロメタン（HFC-32）及び2,3,3,3-テトラフルオロプロペン（HFO-1234yf）の三角組成図における、冷媒Ａ１に含有されるHFO-1132(E)、HFC-32及びHFO-1234yfの質量比（点A、B、C及びDの4点を通る図形で囲まれた領域、及び点A、B、E及びFの4点を通る図形で囲まれた領域）を示す図である。
【図２Ｂ】HFO-1132(E)、HFC-32及びHFO-1234yfの三角組成図における、冷媒Ａ２に含有されるHFO-1132(E)、HFC-32及びHFO-1234yfの質量比（点P、B、Q、R及びSの5点を通る図形で囲まれた領域）を示す図である。
【図２Ｃ】HFO-1132(E)、HFO-1123及びHFO-1234yfの三角組成図における、冷媒Ｂに含有されるHFO-1132(E)、HFO-1123及びHFO-1234yfの質量比（点A、B、C、D及びEの5点を通る図形で囲まれた領域、点A、B、C、F及びGの5点を通る図形で囲まれた領域、並びに点A、B、C、H、I及びGの6点を通る図形で囲まれた領域）を示す図である。
【図２Ｄ】本開示の第１形態及び第２形態の冷媒Ｄの組成を説明するための３成分組成図である。図２Ｄの拡大図中、第１形態の冷媒Ｄの最大組成はＸで示される四角形の範囲内又は前記四角形の線分上である。図２Ｄの拡大図中、第１形態の好ましい冷媒の組成はＹで示される四角形の範囲内又は前記四角形の線分上である。また、図２Ｄの拡大図中、第２形態の冷媒Ｄの組成は線分ＲＳ、ＳＴ及びＴＲで囲まれる三角形の範囲内又は前記線分上である。
【図２Ｅ】本開示の第３形態から第７形態の冷媒Ｄの組成を説明するための３成分組成図である。
【図２Ｆ】燃焼性試験に用いた装置の模式図である。
【図２Ｇ】対向流型の熱交換器の一例を示す概略図である。
【図２Ｈ】対向流型の熱交換器の一例を示す概略図であり、（ａ）は平面図、（ｂ）は斜視図である。
【図２Ｉ１】本開示の冷凍機における冷媒回路の一態様を示す概略図である。
【図２Ｉ２】図２Ｉ１の冷媒回路の変形例を示す概略図である。
【図２Ｉ３】図２Ｉ２の冷媒回路の変形例を示す概略図である。
【図２Ｉ４】図２Ｉ２の冷媒回路の変形例を示す概略図である。
【図２Ｉ５】オフサイクルデフロストを説明する概略図である。
【図２Ｉ６】加熱デフロストを説明する概略図である。
【図２Ｉ７】逆サイクルホットガスデフロストを説明する概略図である。
【図２Ｉ８】正サイクルホットガスデフロストを説明する概略図である。
【図２Ｊ】冷媒Ｅに関し、R32が（100-x）質量%の点と、CO2が（100-x）質量%の点と、R125及びR134aの合計が（100-x）質量%の点とを頂点とする3成分組成図において、表６〜９に示されるASHRAE不燃限界点と点Fr=0.25と点Pr=0.25とを結んだ直線Fr=0.25Pr=0.25を示した図である。
【図２Ｋ】冷媒Ｅに関し、R32が（100-x）質量%の点と、CO2が（100-x）質量%の点と、R125及びR134aの合計が（100-x）質量%の点とを頂点とする3成分組成図において、表６〜９に示されるASHRAE不燃限界点と点Fr=0.375と点Pr=0.375とを結んだ直線Fr=0.375Pr=0.375を示した図である。
【図２Ｌ】冷媒Ｅに関し、R32が（100-x）質量%の点と、CO2が（100-x）質量%の点と、R125及びR134aの合計が（100-x）質量%の点とを頂点とする3成分組成図において、表６〜９に示されるASHRAE不燃限界点と点Fr=0.5と点Pr=0.5とを結んだ直線Fr=0.5Pr=0.5を示した図である。
【図２Ｍ】冷媒Ｅに関し、R32が（100-x）質量%の点と、CO2が（100-x）質量%の点と、R125及びR134aの合計が（100-x）質量%の点とを頂点とする3成分組成図において、表６〜９に示されるASHRAE不燃限界点と点Fr=0.75と点Pr=0.75とを結んだ直線Fr=0.75Pr=0.75を示した図である。
【図２Ｎ】冷媒Ｅに関し、R32が（100-x）質量%の点と、CO2が（100-x）質量%の点と、R125及びR134aの合計が（100-x）質量%の点とを頂点とする3成分組成図において、表６〜９に示されるASHRAE不燃限界点と点Fr=1.0と点Pr=1.0とを結んだ直線Fr=1.0Pr=1.0を示した図である。
【図２Ｏ】冷媒Ｅに関し、R1234yfの濃度が41質量％のときにおける、点A、Or=0.25〜1、Dr=0.25〜1、Cr=0.25〜1、Fr=0.25〜1、Pr=0.25〜1及びQを示す三角図である。
【図２Ｐ】冷媒Ｅに関し、R1234yfの濃度が43.8質量％のときにおける、点A、Or=0.25〜1、Dr=0.25〜1、Cr=0.25〜1、Fr=0.25〜1、Pr=0.25〜1及びQを示す三角図である。
【図２Ｑ】冷媒Ｅに関し、R1234yfの濃度が46.5質量％のときにおける、点A、Or=0.25〜1、Dr=0.25〜1、Cr=0.25〜1、Fr=0.25〜1、Pr=0.25〜1及びQを示す三角図である。
【図２Ｒ】冷媒Ｅに関し、R1234yfの濃度が50.0質量％のときにおける、点A、Or=0.25〜1、Dr=0.25〜1、Cr=0.25〜1、Pr=0.25〜1及びQを示す三角図である。
【図２Ｓ】冷媒Ｅに関し、R1234yfの濃度が46.5質量％のときにおける、点Dr=0.25〜1、Ｃr＝0.25〜1、Ｆr=0.25〜0.37、Ｆr=0.5〜1、Ｐr=0.25〜0.37、Ｐr=0.50〜1及びＱを示す三角図である。
【図２Ｔ】冷媒Ｅに関し、R1234yfの濃度が50.0質量％のときにおける、点Dr=0.25〜1、Ｃr=0.25〜1、Ｆr=0.25〜0.37、Ｆr=0.37〜1、Ｐr=0.25〜0.37、Ｐr=0.37〜1及びＱを示す三角図である。
【図３】内蔵型オープンショーケースの縦断面側面図。
【図４】別置型のショーケース冷却装置の概略図。
【図５】ショーケース冷却装置の冷媒回路図。
【図６】中間インジェクションの機能を有するショーケースの冷媒回路図。
【図７】バイパス回路で能力調整を行うショーケースの冷媒回路図。
【図８】吸入インジェクションの機能を有するショーケースの冷媒回路図。
【図９】中間インジェクションの機能及び過冷却の機能を有するショーケースの冷媒回路図。
【図１０Ａ】２段圧縮・単段膨張の冷媒回路図。
【図１０Ｂ】２段圧縮・単段膨張のモリエル線図。
【図１１Ａ】２段圧縮・２段膨張の冷媒回路図。
【図１１Ｂ】２段圧縮・２段膨張のモリエル線図。
【図１２】ホットガスデフロスト機能を備える冷媒回路図。
【発明を実施するための形態】
【００６３】
（１）
（１−１）用語の定義
本明細書において用語「冷媒」には、ISO817（国際標準化機構）で定められた、冷媒の種類を表すRで始まる冷媒番号（ASHRAE番号）が付された化合物が少なくとも含まれ、さらに冷媒番号が未だ付されていないとしても、それらと同等の冷媒としての特性を有するものが含まれる。冷媒は、化合物の構造の面で、「フルオロカーボン系化合物」と「非フルオロカーボン系化合物」とに大別される。「フルオロカーボン系化合物」には、クロロフルオロカーボン（CFC）、ハイドロクロロフルオロカーボン（HCFC）及びハイドロフルオロカーボン（HFC）が含まれる。「非フルオロカーボン系化合物」としては、プロパン（R290）、プロピレン（R1270）、ブタン（R600）、イソブタン（R600a）、二酸化炭素（R744）及びアンモニア（R717）等が挙げられる。
【００６４】
本明細書において、用語「冷媒を含む組成物」には、（１）冷媒そのもの（冷媒の混合物を含む）と、（２）その他の成分をさらに含み、少なくとも冷凍機油と混合することにより冷凍機用作動流体を得るために用いることのできる組成物と、（３）冷凍機油を含有する冷凍機用作動流体とが少なくとも含まれる。本明細書においては、これら三態様のうち、（２）の組成物のことを、冷媒そのもの（冷媒の混合物を含む）と区別して「冷媒組成物」と表記する。また、（３）の冷凍機用作動流体のことを「冷媒組成物」と区別して「冷凍機油含有作動流体」と表記する。
【００６５】
本明細書において、用語「代替」は、第一の冷媒を第二の冷媒で「代替」するという文脈で用いられる場合、第一の類型として、第一の冷媒を使用して運転するために設計された機器において、必要に応じてわずかな部品（冷凍機油、ガスケット、パッキン、膨張弁、ドライヤその他の部品のうち少なくとも一種）の変更及び機器調整のみを経るだけで、第二の冷媒を使用して、最適条件下で運転することができることを意味する。すなわち、この類型は、同一の機器を、冷媒を「代替」して運転することを指す。この類型の「代替」の態様としては、第二の冷媒への置き換えの際に必要とされる変更乃至調整の度合いが小さい順に、「ドロップイン（drop in）代替」、「ニアリー・ドロップイン（nealy drop in）代替」及び「レトロフィット（retrofit）」があり得る。
【００６６】
第二の類型として、第二の冷媒を用いて運転するために設計された機器を、第一の冷媒の既存用途と同一の用途のために、第二の冷媒を搭載して用いることも、用語「代替」に含まれる。この類型は、同一の用途を、冷媒を「代替」して提供することを指す。
【００６７】
本明細書において用語「冷凍機（refrigerator）」とは、物あるいは空間の熱を奪い去ることにより、周囲の外気よりも低い温度にし、かつこの低温を維持する装置全般のことをいう。言い換えれば、冷凍機は温度の低い方から高い方へ熱を移動させるために、外部からエネルギーを得て仕事を行いエネルギー変換する変換装置のことをいう。
【００６８】
本開示において冷媒が「不燃」であるとは、米国ANSI/ASHRAE34-2013規格において冷媒許容濃度のうち最も燃えやすい組成であるWCF(Worst case of formulation for flammability)組成が「クラス1」と判断されることを意味する。
【００６９】
本明細書において冷媒が「弱燃」であるとは、米国ANSI/ASHRAE34-2013規格においてWCF組成が「クラス2」と判断されることを意味する。
【００７０】
本開示において、冷媒が「ASHRAE不燃」であるとは、WCF組成又はWCFF組成がASTM E681-2009〔化学品（蒸気及び気体）の引火性濃度限界の標準試験法〕の測定装置及び測定方法に基づいた試験で不燃と特定できた場合を指し、それぞれ「クラス1 ASHRAE不燃（WCF不燃）」又は「クラス1 ASHRAE不燃（WCFF不燃）」に分類される。なお、WCFF組成（Worst case of fractionation for flammability：最も燃え易い混合組成）は、ANSI/ASHRAE34-2013に基づいた貯蔵、輸送、使用時の漏洩試験を行うことで特定する。
【００７１】
本明細書において冷媒が「微燃」であるとは、米国ANSI/ASHRAE34-2013規格においてWCF組成が「クラス2L」と判断されることを意味する。
【００７２】
本明細書において温度グライド（Temperature Glide）とは、熱サイクルシステムの構成要素内における、本開示の冷媒を含む組成物の相変化過程の開始温度と終了温度との差の絶対値と言い換えることができる。
【００７３】
本明細書において、「車載用空調機器」とは、ガソリン車、ハイブリッド自動車、電気自動車、水素自動車などの自動車で用いられる冷凍装置の一種である。車載用空調機器とは、蒸発器にて液体の冷媒に熱交換を行わせ、蒸発した冷媒ガスを圧縮機が吸い込み、断熱圧縮された冷媒ガスを凝縮器で冷却して液化させ、さらに膨張弁を通過させて断熱膨張させた後、蒸発機に再び液体の冷媒として供給する冷凍サイクルからなる冷凍装置を指す。
【００７４】
本明細書において、「ターボ冷凍機」とは、大型冷凍機の一種である。ターボ冷凍機とは、蒸発器にて液体の冷媒に熱交換を行わせ、蒸発した冷媒ガスを遠心式圧縮機が吸い込み、断熱圧縮された冷媒ガスを凝縮器で冷却して液化させ、さらに膨張弁を通過させて断熱膨張させた後、蒸発機に再び液体の冷媒として供給する冷凍サイクルからなる冷凍装置を指す。なお、上記「大型冷凍機」とは、建物単位での空調を目的とした大型空調機を指す。
【００７５】
本明細書において、「飽和圧力」とは飽和蒸気の圧力を意味する。
【００７６】
本明細書において、「吐出温度」とは圧縮機の吐出口における混合冷媒の温度を意味する。
【００７７】
本明細書において、「蒸発圧力」とは蒸発温度での飽和圧力を意味する。
【００７８】
本明細書において、「臨界温度」とは臨界点における温度を意味し、気体を圧縮してもそれ以下の温度でなければ液体にできない境目の温度を意味する。
【００７９】
本明細書において、GWPは、IPCC（Intergovernmental Panel on Climate Change）第4次報告書の値に基づいた値を意味する。
【００８０】
本明細書において、「質量比」との記載は「組成比」との記載と同義である。
【００８１】
（１−２）冷媒
詳細は後述するが、本開示の冷媒１Ａ、冷媒１Ｂ、冷媒１Ｃ、冷媒１Ｄ、冷媒１Ｅ、冷媒２Ａ、冷媒２Ｂ、冷媒２Ｃ、冷媒２Ｄ、及び冷媒２Ｅ、のいずれか１つ（「本開示の冷媒」と表記することがある）を冷媒として用いることができる。
【００８２】
（１−３）冷媒組成物
本開示の冷媒組成物は、本開示の冷媒を少なくとも含み、本開示の冷媒と同じ用途のために使用することができる。また、本開示の冷媒組成物は、さらに少なくとも冷凍機油と混合することにより冷凍機用作動流体を得るために用いることができる。
【００８３】
本開示の冷媒組成物は、本開示の冷媒に加え、さらに少なくとも一種のその他の成分を含有する。本開示の冷媒組成物は、必要に応じて、以下のその他の成分のうち少なくとも一種を含有していてもよい。上述の通り、本開示の冷媒組成物を、冷凍機における作動流体として使用するに際しては、通常、少なくとも冷凍機油と混合して用いられる。したがって、本開示の冷媒組成物は、好ましくは冷凍機油を実質的に含まない。具体的には、本開示の冷媒組成物は、冷媒組成物全体に対する冷凍機油の含有量が好ましくは0〜1質量%であり、より好ましくは0〜0.1質量%である。
【００８４】
（１−３−１）  水
本開示の冷媒組成物は微量の水を含んでもよい。冷媒組成物における含水割合は、冷媒全体に対して、0.1質量％以下とすることが好ましい。冷媒組成物が微量の水分を含むことにより、冷媒中に含まれ得る不飽和のフルオロカーボン系化合物の分子内二重結合が安定化され、また、不飽和のフルオロカーボン系化合物の酸化も起こりにくくなるため、冷媒組成物の安定性が向上する。
【００８５】
（１−３−２）トレーサー
トレーサーは、本開示の冷媒組成物が希釈、汚染、その他何らかの変更があった場合、その変更を追跡できるように検出可能な濃度で本開示の冷媒組成物に添加される。
【００８６】
本開示の冷媒組成物は、トレーサーとして、一種を単独で含有してもよいし、二種以上を含有してもよい。
【００８７】
トレーサーとしては、特に限定されず、一般に用いられるトレーサーの中から適宜選択することができる。
【００８８】
トレーサーとしては、例えば、ハイドロフルオロカーボン、ハイドロクロロフルオロカーボン、クロロフルオロカーボン、ハイドロクロロカーボン、フルオロカーボン、重水素化炭化水素、重水素化ハイドロフルオロカーボン、パーフルオロカーボン、フルオロエーテル、臭素化化合物、ヨウ素化化合物、アルコール、アルデヒド、ケトン、亜酸化窒素（N2O）等が挙げられる。トレーサーとしては、ハイドロフルオロカーボン、ハイドロクロロフルオロカーボン、クロロフルオロカーボン、ハイドロクロロカーボン、フルオロカーボン及びフルオロエーテルが特に好ましい。
【００８９】
トレーサーとしては、以下の化合物が好ましい。
FC-14（テトラフルオロメタン、CF4）
HCC-40（クロロメタン、CH3Cl）
HFC-23（トリフルオロメタン、CHF3）
HFC-41（フルオロメタン、CH3Cl）
HFC-125（ペンタフルオロエタン、CF3CHF2）
HFC-134a（１，１，１，２−テトラフルオロエタン、CF3CH2F）
HFC-134（１，１，２，２−テトラフルオロエタン、CHF2CHF2）
HFC-143a（１，１，１−トリフルオロエタン、CF3CH3）
HFC-143（１，１，２−トリフルオロエタン、CHF2CH2F）
HFC-152a（１，１−ジフルオロエタン、CHF2CH3）
HFC-152（１，２−ジフルオロエタン、CH2FCH2F）
HFC-161（フルオロエタン、CH3CH2F）
HFC-245fa（１,１,１,３,３−ペンタフルオロプロパン、CF3CH2CHF2）
HFC-236fa（１,１,１,３,３,３−ヘキサフルオロプロパン、CF3CH2CF3）
HFC-236ea（１，１，１，２，３，３−ヘキサフルオロプロパン、CF3CHFCHF2）
HFC-227ea(１，１，１，２，３，３，３−ヘプタフルオロプロパン、CF3CHFCF3)
HCFC-22（クロロジフルオロメタン、CHClF2）
HCFC-31（クロロフルオロメタン、CH2ClF）
CFC-1113（クロロトリフルオロエチレン、CF2=CClF）
HFE-125（トリフルオロメチル−ジフルオロメチルエーテル、CF3OCHF2）
HFE-134a（トリフルオロメチル−フルオロメチルエーテル、CF3OCH2F）
HFE-143a（トリフルオロメチル−メチルエーテル、CF3OCH3）
HFE-227ea（トリフルオロメチル−テトラフルオロエチルエーテル、CF3OCHFCF3）
HFE-236fa（トリフルオロメチル−トリフルオロエチルエーテル、CF3OCH2CF3）
本開示の冷媒組成物は、トレーサーを合計で、冷媒組成物全体に対して、約１０重量百万分率（ｐｐｍ）〜約１０００ｐｐｍ含んでいてもよい。本開示の冷媒組成物は、トレーサーを合計で、冷媒組成物全体に対して、好ましくは約３０ｐｐｍ〜約５００ｐｐｍ、より好ましくは約５０ｐｐｍ〜約３００ｐｐｍ含んでいてもよい。
【００９０】
（１−３−３）紫外線蛍光染料
本開示の冷媒組成物は、紫外線蛍光染料として、一種を単独で含有してもよいし、二種以上を含有してもよい。
【００９１】
紫外線蛍光染料としては、特に限定されず、一般に用いられる紫外線蛍光染料の中から適宜選択することができる。
【００９２】
紫外線蛍光染料としては、例えば、ナフタルイミド、クマリン、アントラセン、フェナントレン、キサンテン、チオキサンテン、ナフトキサンテン及びフルオレセイン、並びにこれらの誘導体が挙げられる。紫外線蛍光染料としては、ナフタルイミド及びクマリンのいずれか又は両方が特に好ましい。
【００９３】
（１−３−４）安定剤
本開示の冷媒組成物は、安定剤として、一種を単独で含有してもよいし、二種以上を含有してもよい。
【００９４】
安定剤としては、特に限定されず、一般に用いられる安定剤の中から適宜選択することができる。
【００９５】
安定剤としては、例えば、ニトロ化合物、エーテル類及びアミン類等が挙げられる。
【００９６】
ニトロ化合物としては、例えば、ニトロメタン及びニトロエタン等の脂肪族ニトロ化合物、並びにニトロベンゼン及びニトロスチレン等の芳香族ニトロ化合物等が挙げられる。
【００９７】
エーテル類としては、例えば、1,4-ジオキサン等が挙げられる。
【００９８】
アミン類としては、例えば、2,2,3,3,3-ペンタフルオロプロピルアミン、ジフェニルアミン等が挙げられる。
【００９９】
その他にも、ブチルヒドロキシキシレン、ベンゾトリアゾール等が挙げられる。
【０１００】
安定剤の含有割合は、特に限定されず、冷媒全体に対して、通常、0.01〜5質量％とすることが好ましく、0.05〜2質量％とすることがより好ましい。
【０１０１】
（１−３−５）重合禁止剤
本開示の冷媒組成物は、重合禁止剤として、一種を単独で含有してもよいし、二種以上を含有してもよい。
【０１０２】
重合禁止剤としては、特に限定されず、一般に用いられる重合禁止剤の中から適宜選択することができる。
【０１０３】
重合禁止剤としては、例えば、4-メトキシ-1-ナフトール、ヒドロキノン、ヒドロキノンメチルエーテル、ジメチル-t-ブチルフェノール、2,6-ジ-tert-ブチル-p-クレゾール、ベンゾトリアゾール等が挙げられる。
【０１０４】
重合禁止剤の含有割合は、特に限定されず、冷媒全体に対して、通常、0.01〜5質量％とすることが好ましく、0.05〜2質量％とすることがより好ましい。
【０１０５】
（１−４）冷凍機油含有作動流体
本開示の冷凍機油含有作動流体は、本開示の冷媒又は冷媒組成物と、冷凍機油とを少なくとも含み、冷凍機における作動流体として用いられる。具体的には、本開示の冷凍機油含有作動流体は、冷凍機の圧縮機において使用される冷凍機油と、冷媒又は冷媒組成物とが互いに混じり合うことにより得られる。冷凍機油含有作動流体には冷凍機油は一般に10〜50質量％含まれる。
【０１０６】
（１−４−１）冷凍機油
本開示の組成物は、冷凍機油として、一種を単独で含有してもよいし、二種以上を含有してもよい。
【０１０７】
冷凍機油としては、特に限定されず、一般に用いられる冷凍機油の中から適宜選択することができる。その際には、必要に応じて、前記混合物との相溶性（miscibility）及び前記混合物の安定性等を向上する作用等の点でより優れている冷凍機油を適宜選択することができる。
【０１０８】
冷凍機油の基油としては、例えば、ポリアルキレングリコール（PAG）、ポリオールエステル（POE）及びポリビニルエーテル（PVE）からなる群より選択される少なくとも一種が好ましい。
【０１０９】
冷凍機油は、基油に加えて、さらに添加剤を含んでいてもよい。添加剤は、酸化防止剤、極圧剤、酸捕捉剤、酸素捕捉剤、銅不活性化剤、防錆剤、油性剤及び消泡剤からなる群より選択される少なくとも一種であってもよい。
【０１１０】
冷凍機油として、40℃における動粘度が5〜400 cStであるものが、潤滑の点で好ましい。
【０１１１】
本開示の冷凍機油含有作動流体は、必要に応じて、さらに少なくとも一種の添加剤を含んでもよい。添加剤としては例えば以下の相溶化剤等が挙げられる。
【０１１２】
（１−４−２）相溶化剤
本開示の冷凍機油含有作動流体は、相溶化剤として、一種を単独で含有してもよいし、二種以上を含有してもよい。
【０１１３】
相溶化剤としては、特に限定されず、一般に用いられる相溶化剤の中から適宜選択することができる。
【０１１４】
相溶化剤としては、例えば、ポリオキシアルキレングリコールエーテル、アミド、ニトリル、ケトン、クロロカーボン、エステル、ラクトン、アリールエーテル、フルオロエーテルおよび1,1,1-トリフルオロアルカン等が挙げられる。相溶化剤としては、ポリオキシアルキレングリコールエーテルが特に好ましい。
【０１１５】
（１−５）各種冷媒１
以下、本開示において用いられる冷媒である冷媒１Ａ〜冷媒１Ｅについて、詳細に説明する。
【０１１６】
なお、以下の冷媒１Ａ、冷媒１Ｂ、冷媒１Ｃ、冷媒１Ｄ及び冷媒１Ｅの各記載は、それぞれ独立しており、点や線分を示すアルファベット、実施例の番号および比較例の番号は、いずれも冷媒１Ａ、冷媒１Ｂ、冷媒１Ｃ、冷媒１Ｄ及び冷媒１Ｅの間でそれぞれ独立であるものとする。例えば、冷媒１Ａの実施例１と冷媒１Ｂの実施例１とは、互いに異なる実施形態についての実施例を示している。
【０１１７】
（１−５−１）冷媒１Ａ
本開示の冷媒１Ａは、トランス−１，２−ジフルオロエチレン（HFO-1132(E)）、トリフルオロエチレン（HFO-1123）及び２，３，３，３−テトラフルオロ−１−プロペン（R1234yf）を含む混合冷媒である。
【０１１８】
本開示の冷媒１Ａは、R410Aと同等の冷凍能力及び成績係数を有し、かつGWPが十分に小さい、という、R410A代替冷媒として望ましい諸特性を有する。
【０１１９】
本開示の冷媒１Ａは、HFO-1132(E)及びR1234yf、並びに必要に応じてHFO-1123を含む組成物であって、さらに以下の要件を満たすものであってもよい。この冷媒１ＡもR410Aと同等の冷凍能力及び成績係数を有し、かつGWPが十分に小さい、という、R410A代替冷媒として望ましい諸特性を有する。
【０１２０】
要件：
HFO-1132(E)、HFO-1123及びR1234yfの、これらの総和を基準とする質量%をそれぞれx、y及びzとするとき、HFO-1132(E)、HFO-1123及びR1234yfの総和が100質量%となる3成分組成図において、座標（x,y,z）が、
点D(87.6, 0.0, 12.4)、
点G(18.2, 55.1, 26.7)、
点H(56.7, 43.3, 0.0)及び
点O(100.0, 0.0, 0.0)
の４点をそれぞれ結ぶ線分OD、DG、GH及びHOで囲まれる図形の範囲内又は前記線分OD、DG及びGH上にあり（ただし、点O及びHは除く）、
前記線分DGは、
座標（0.0047y2-1.5177y+87.598, y, -0.0047y2+0.5177y+12.402）
で表わされ、
前記線分GHは、
座標（-0.0134z2-1.0825z+56.692, 0.0134z2+0.0825z+43.308, z）
で表わされ、かつ
前記線分HO及びODが直線である。本開示の冷媒１Ａは、上記要件が満たされる場合、R410Aを基準とする冷凍能力比が92.5％以上となり、かつR410Aを基準とするCOP比が92.5％以上となる。
【０１２１】
本開示の冷媒１Ａは、HFO-1132(E)、HFO-1123及びR1234yfの、これらの総和を基準とする質量%をそれぞれx、y及びzとするとき、HFO-1132(E)、HFO-1123及びR1234yfの総和が100質量%となる3成分組成図において、座標（x,y,z）が、
点L(72.5, 10.2, 17.3)、
点G(18.2, 55.1, 26.7)、
点H(56.7, 43.3, 0.0)及び
点I(72.5, 27.5, 0.0)
の４点をそれぞれ結ぶ線分LG、GH、HI及びILで囲まれる図形の範囲内又は前記線分LG、GH及びIL上にあり（ただし、点H及び点Iは除く）、
前記線分LGは、
座標（0.0047y2-1.5177y+87.598, y, -0.0047y2+0.5177y+12.402）
で表わされ、
前記線分GHは、
座標（-0.0134z2-1.0825z+56.692, 0.0134z2+0.0825z+43.308, z）
で表わされ、かつ
前記線分HI及びILが直線であるものであれば好ましい。本開示の冷媒１Ａは、上記要件が満たされる場合、R410Aを基準とする冷凍能力比が92.5％以上となり、かつR410Aを基準とするCOP比が92.5％以上となるだけでなく、さらにASHRAEの規格で微燃性（2Lクラス）を示す。
【０１２２】
本開示の冷媒１Ａは、HFO-1132(E)、HFO-1123及びR1234yfの、これらの総和を基準とする質量%をそれぞれx、y及びzとするとき、HFO-1132(E)、HFO-1123及びR1234yfの総和が100質量%となる3成分組成図において、座標（x,y,z）が、
点D(87.6, 0.0, 12.4)、
点E(31.1, 42.9, 26.0)、
点F(65.5, 34.5, 0.0)及び
点O(100.0, 0.0, 0.0)
の４点をそれぞれ結ぶ線分OD、DE、EF及びFOで囲まれる図形の範囲内又は前記線分OD、DE及びEF上にあり（ただし、点O及び点Fは除く）、
前記線分DEは、
座標（0.0047y2-1.5177y+87.598, y, -0.0047y2+0.5177y+12.402）
で表わされ、
前記線分EFは、
座標（-0.0064z2-1.1565z+65.501, 0.0064z2+0.1565z+34.499, z）
で表わされ、かつ
前記線分FO及びODが直線であるものであれば好ましい。本開示の冷媒１Ａは、上記要件が満たされる場合、R410Aを基準とする冷凍能力比が93.5％以上となり、かつR410Aを基準とするCOP比が93.5％以上となる。
【０１２３】
本開示の冷媒１Ａは、HFO-1132(E)、HFO-1123及びR1234yfの、これらの総和を基準とする質量%をそれぞれx、y及びzとするとき、HFO-1132(E)、HFO-1123及びR1234yfの総和が100質量%となる3成分組成図において、座標（x,y,z）が、
点L(72.5, 10.2, 17.3)、
点E(31.1, 42.9, 26.0)、
点F(65.5, 34.5, 0.0)及び
点I(72.5, 27.5, 0.0)
の４点をそれぞれ結ぶ線分LE、EF、FI及びILで囲まれる図形の範囲内又は前記線分LE、EF及びIL上にあり（ただし、点F及び点Iは除く）、
前記線分LEは、
座標（0.0047y2-1.5177y+87.598, y, -0.0047y2+0.5177y+12.402）
で表わされ、
前記線分EFは、
座標（-0.0134z2-1.0825z+56.692, 0.0134z2+0.0825z+43.308, z）
で表わされ、かつ
前記線分FI及びILが直線であるものであれば好ましい。本開示の冷媒１Ａは、上記要件が満たされる場合、R410Aを基準とする冷凍能力比が93.5％以上となり、かつR410Aを基準とするCOP比が93.5％以上となるだけでなく、さらにASHRAEの規格で微燃性（2Lクラス）を示す。
【０１２４】
本開示の冷媒１Ａは、HFO-1132(E)、HFO-1123及びR1234yfの、これらの総和を基準とする質量%をそれぞれx、y及びzとするとき、HFO-1132(E)、HFO-1123及びR1234yfの総和が100質量%となる3成分組成図において、座標（x,y,z）が、
点A(93.4, 0.0, 6.6)、
点B(55.6, 26.6, 17.8)、
点C(77.6, 22.4, 0.0)及び
点O(100.0, 0.0, 0.0)
の４点をそれぞれ結ぶ線分OA、AB、BC及びCOで囲まれる図形の範囲内又は前記線分OA、AB及びBC上にあり（ただし、点O及び点Cは除く）、
前記線分ABは、
座標（0.0052y2-1.5588y+93.385, y, -0.0052y2+0. 5588y+6.615）
で表わされ、
前記線分BCは、
座標（-0.0032z2-1.1791z+77.593, 0.0032z2+0.1791z+22.407, z）
で表わされ、かつ
前記線分CO及びOAが直線であるものであれば好ましい。本開示の冷媒１Ａは、上記要件が満たされる場合、R410Aを基準とする冷凍能力比が95％以上となり、かつR410Aを基準とするCOP比が95％以上となる。
【０１２５】
本開示の冷媒１Ａは、HFO-1132(E)、HFO-1123及びR1234yfの、これらの総和を基準とする質量%をそれぞれx、y及びzとするとき、HFO-1132(E)、HFO-1123及びR1234yfの総和が100質量%となる3成分組成図において、座標（x,y,z）が、
点K(72.5, 14.1, 13.4)、
点B(55.6, 26.6, 17.8)及び
点J(72.5, 23.2, 4.3)
の３点をそれぞれ結ぶ線分KB、BJ及びJKで囲まれる図形の範囲内又は前記線分上にあり、前記線分KBは、
座標（0.0052y2-1.5588y+93.385, y, -0.0052y2+0. 5588y+6.615）
で表わされ、
前記線分BJは、
座標（-0.0032z2-1.1791z+77.593, 0.0032z2+0.1791z+22.407, z）
で表わされ、かつ
前記線分JKが直線であるものであれば好ましい。本開示の冷媒１Ａは、上記要件が満たされる場合、R410Aを基準とする冷凍能力比が95％以上となり、かつR410Aを基準とするCOP比が95％以上となるだけでなく、さらにASHRAEの規格で微燃性（2Lクラス）を示す。
【０１２６】
本開示の冷媒１Ａは、上記の特性や効果を損なわない範囲内で、HFO-1132(E)、HFO-1123及びR1234yfに加えて、さらにジフルオロメタン（R32）を含んでいてもよい。本開示の冷媒１Ａの全体に対するR32の含有割合は特に限定されず、幅広く選択できる。例えば、本開示の冷媒１Ａの全体に対するR32の含有割合が21.8質量％のとき、この混合冷媒のGWPが150となるため、R32の含有割合をそれ以下とすることもできる。本開示の冷媒１Ａの全体に対するR32の含有割合は、例えば5質量％以上としてもよい。
【０１２７】
本開示の冷媒１Ａは、HFO-1132(E)、HFO-1123及びR1234yfに加えて、さらにR32を含む場合、HFO-1132(E)、HFO-1123及びR1234yf並びにR32の、これらの総和を基準とする質量%をそれぞれx、y及びz並びにaとするとき、HFO-1132(E)、HFO-1123及びR1234yfの総和が100質量%となる3成分組成図（図１Ｃ〜図１Ｉ）において、座標（x,y,z）が、
0＜a≦10.0のとき、
点A(0.02a2-2.46a+93.4, 0, -0.02a2+2.46a+6.6)、
点B’(-0.008a2-1.38a+56, 0.018a2-0.53a+26.3, -0.01a2+1.91a+17.7)、
点C(-0.016a2+1.02a+77.6, 0.016a2-1.02a+22.4, 0)及び
点O(100.0, 0.0, 0.0)
の４点をそれぞれ結ぶ直線で囲まれる図形の範囲内又は前記直線OA、AB’及びB’C上にあり（ただし、点O及び点Cは除く）、
10.0＜a≦16.5のとき、
点A(0.0244a2-2.5695a+94.056, 0, -0.0244a2+2.5695a+5.944)、
点B’(0.1161a2-1.9959a+59.749, 0.014a2-0.3399a+24.8, -0.1301a2+2.3358a+15.451)、
点C(-0.0161a2+1.02a+77.6, 0.0161a2-1.02a+22.4, 0)及び
点O(100.0, 0.0, 0.0)
の４点をそれぞれ結ぶ直線で囲まれる図形の範囲内又は前記直線OA、AB’及びB’C上にあり（ただし、点O及び点Cは除く）、又は
16.5＜a≦21.8のとき、
点A(0.0161a2-2.3535a+92.742, 0, -0.0161a2+2.3535a+7.258)、
点B’(-0.0435a2-0.0435a+50.406, -0.0304a2+1.8991a-0.0661, 0.0739a2-1.8556a+49.6601)、
点C(-0.0161a2+0.9959a+77.851, 0.0161a2-0.9959a+22.149, 0)及び
点O(100.0, 0.0, 0.0)
の４点をそれぞれ結ぶ直線で囲まれる図形の範囲内又は前記直線OA、AB’及びB’C上上にあるものとすることができる（ただし、点O及び点Cは除く）。なお、点B’は、前記3成分組成図において、R410Aを基準とする冷凍能力比が95％となり、かつR410Aを基準とするCOP比が95％となる点を点Bとすると、R410Aを基準とするCOP比が95％となる点を結ぶ近似直線と、直線ABとの交点である。本開示の冷媒１Ａは、上記要件が満たされる場合、R410Aを基準とする冷凍能力比が95％以上となり、かつR410Aを基準とするCOP比が95％以上となる。
【０１２８】
本開示の冷媒１Ａは、上記の特性や効果を損なわない範囲内で、HFO-1132(E)、HFO-1123及びR1234yf並びにR32に加えて、さらに他の追加的な冷媒を含有していてもよい。この点で、本開示の冷媒１Ａが、HFO-1132(E)、HFO-1123及びR1234yf並びにR32の合計を、冷媒１Ａ全体に対して99.5質量%以上含むことが好ましく、99.75質量%以上含むことがより好ましく、99.9質量%以上含むことがさらに好ましい。
【０１２９】
また、本開示の冷媒１Ａは、HFO-1132(E)、HFO-1123及びR1234yfの合計を、冷媒１Ａ全体に対して99.5質量%以上含むものであってよく、99.75質量%以上含むものであってもよく、さらに99.9質量%以上含むものであってもよい。
【０１３０】
また、本開示の冷媒１Ａは、HFO-1132(E)、HFO-1123及びR1234yf並びにR32の合計を、冷媒１Ａ全体に対して99.5質量%以上含むものであってよく、99.75質量%以上含むものであってもよく、さらに99.9質量%以上含むものであってもよい。
【０１３１】
追加的な冷媒としては、特に限定されず、幅広く選択できる。混合冷媒は、追加的な冷媒として、一種を単独で含んでいてもよいし、二種以上を含んでいてもよい。
【０１３２】
本開示の冷媒１Ａは、R410Aの代替冷媒としての使用に適している。
（冷媒１Ａの実施例）
以下に、冷媒１Ａの実施例を挙げてさらに詳細に説明する。ただし、本開示の冷媒１Ａは、これらの実施例に限定されるものではない。
【０１３３】
HFO-1132(E)、HFO-1123及びR1234yfを、これらの総和を基準として、表１〜５にそれぞれ示した質量%で混合した混合冷媒を調製した。
【０１３４】
これらの各混合冷媒について、R410を基準とするCOP比及び冷凍能力比をそれぞれ求めた。計算条件は以下の通りとした。
【０１３５】
蒸発温度：5℃
凝縮温度：45℃
過熱度：1K
過冷却度；5K
Ecomp（圧縮仕事量）：0.7kWh
これらの値を、各混合冷媒についてのGWPと合わせて表１〜５に示す。
【０１３６】
【表１】
2020017521.tif 000003
【０１３７】
【表２】
2020017521.tif 000004
【０１３８】
【表３】
2020017521.tif 000005
【０１３９】
【表４】
2020017521.tif 000006
【０１４０】
【表５】
2020017521.tif 000007
【０１４１】
これらの結果から、HFO-1132(E)、HFO-1123及びR1234yfの、これらの総和を基準とする質量%をそれぞれx、y及びzとするとき、HFO-1132(E)、HFO-1123及びR1234yfの総和が100質量%となる3成分組成図において、座標（x,y,z）が、
点D(87.6, 0.0, 12.4)、
点G(18.2, 55.1, 26.7)、
点H(56.7, 43.3, 0.0)及び
点O(100.0, 0.0, 0.0)
の４点をそれぞれ結ぶ線分OD、DG、GH及びHOで囲まれる図形（図１Ｂ）の範囲内又は前記線分OD、DG及びGH上にある場合（ただし、点O及び点Hは除く）、R410Aを基準とする冷凍能力比が92.5％以上となり、かつR410Aを基準とするCOP比が92.5％以上となることが判る。
【０１４２】
また、同様に、座標（x,y,z）が、
点D(87.6, 0.0, 12.4)、
点E(31.1, 42.9, 26.0)、
点F(65.5, 34.5, 0.0)及び
点O(100.0, 0.0, 0.0)
の４点をそれぞれ結ぶ線分OD、DE、EF及びFOで囲まれる図形（図１Ｂ）の範囲内又は前記線分OD、DE及びEF上にある場合（ただし、点O及び点Fは除く）、R410Aを基準とする冷凍能力比が93.5％以上となり、かつR410Aを基準とするCOP比が93.5％以上となることが判る。
【０１４３】
また、同様に、座標（x,y,z）が、
点A(93.4, 0.0, 6.6)、
点B(55.6, 26.6, 17.8)、
点C(77.6, 22.4, 0.0)及び
点O(100.0, 0.0, 0.0)
の４点をそれぞれ結ぶ線分OA、AB、BC及びCOで囲まれる図形（図１Ｂ）の範囲内又は前記線分OA、AB及びBC上にある場合（ただし、点O及び点Cは除く）、R410Aを基準とする冷凍能力比が95％以上となり、かつR410Aを基準とするCOP比が95％以上となることが判る。
【０１４４】
なお、これらの組成物において、R1234yfは燃焼性の低下や重合等の変質抑制に寄与しており、これを含むことが好ましい。
【０１４５】
さらに、これらの各混合冷媒について、ANSI/ASHRAE34-2013規格に従い燃焼速度を測定した。燃焼速度が10 cm/s以下となるものは「2Lクラス（微燃性）」であるとした。これらの結果から、HFO-1132(E)、HFO-1123及びR1234yfの混合冷媒においては、これらの総和を基準として、HFO-1132(E)を72.5質量％以下含む場合に、「2Lクラス（微燃性）」と判断できることが明らかとなった。
【０１４６】
なお、燃焼速度試験は図１Ａに示す装置を用いて、以下の通り行った。まず、使用した混合冷媒は99.5％またはそれ以上の純度とし、真空ゲージ上に空気の痕跡が見られなくなるまで凍結、ポンピング及び解凍のサイクルを繰り返すことにより脱気した。閉鎖法により燃焼速度を測定した。初期温度は周囲温度とした。点火は、試料セルの中心で電極間に電気的スパークを生じさせることにより行った。放電の持続時間は1.0〜9.9msとし、点火エネルギーは典型的には約0.1〜1.0Jであった。シュリーレン写真を使って炎の広がりを視覚化した。光を通す2つのアクリル窓を備えた円筒形容器（内径：155mm、長さ：198mm）を試料セルとして用い、光源としてはキセノンランプを用いた。炎のシュリーレン画像を高速デジタルビデオカメラで600fpsのフレーミング速度で記録し、PCに保存した。
【０１４７】
HFO-1132(E)、HFO-1123及びR1234yf並びにR32を、これらの総和を基準として、表６〜１２にそれぞれ示した質量%で混合した混合冷媒を調製した。
【０１４８】
これらの各混合冷媒について、R410Aを基準とするCOP比及び冷凍能力比をそれぞれ求めた。計算条件は前述と同じとした。これらの値を、各混合冷媒についてのGWPと合わせて表６〜１２に示す。
【０１４９】
【表６】
2020017521.tif 000008
【０１５０】
【表７】
2020017521.tif 000009
【０１５１】
【表８】
2020017521.tif 000010
【０１５２】
【表９】
2020017521.tif 000011
【０１５３】
【表１０】
2020017521.tif 000012
【０１５４】
【表１１】
2020017521.tif 000013
【０１５５】
【表１２】
2020017521.tif 000014
【０１５６】
これらの結果から、HFO-1132(E)、HFO-1123及びR1234yf並びにR32の、これらの総和を基準とする質量%をそれぞれx、y及びz並びにaとするとき、HFO-1132(E)、HFO-1123及びR1234yfの総和が100質量%となる3成分組成図（図１Ｃ〜図１Ｉ）において、座標（x,y,z）が、
0＜a≦10.0のとき、
点A(0.02a2-2.46a+93.4, 0, -0.02a2+2.46a+6.6)、
点B’(-0.008a2-1.38a+56, 0.018a2-0.53a+26.3, -0.01a2+1.91a+17.7)、
点C(-0.016a2+1.02a+77.6, 0.016a2-1.02a+22.4, 0)及び
点O(100.0, 0.0, 0.0)
の４点をそれぞれ結ぶ直線で囲まれる図形の範囲内又は前記直線OA、AB’及びB’C上にあり（ただし、点O及び点Cは除く）、
10.0＜a≦16.5のとき、
点A(0.0244a2-2.5695a+94.056, 0, -0.0244a2+2.5695a+5.944)、
点B’(0.1161a2-1.9959a+59.749, 0.014a2-0.3399a+24.8, -0.1301a2+2.3358a+15.451)、
点C(-0.0161a2+1.02a+77.6, 0.0161a2-1.02a+22.4, 0)及び
点O(100.0, 0.0, 0.0)
の４点をそれぞれ結ぶ直線で囲まれる図形の範囲内又は前記直線OA、AB’及びB’C上にあり（ただし、点O及び点Cは除く）、又は
16.5＜a≦21.8のとき、
点A(0.0161a2-2.3535a+92.742, 0, -0.0161a2+2.3535a+7.258)、
点B’(-0.0435a2-0.0435a+50.406, -0.0304a2+1.8991a-0.0661, 0.0739a2-1.8556a+49.6601)、
点C(-0.0161a2+0.9959a+77.851, 0.0161a2-0.9959a+22.149, 0)及び
点O(100.0, 0.0, 0.0)
の４点をそれぞれ結ぶ直線で囲まれる図形の範囲内又は前記直線OA、AB’及びB’C上にある（ただし、点O及び点Cは除く）本開示の冷媒は、R410Aを基準とする冷凍能力比が95％以上となり、かつR410Aを基準とするCOP比が95％以上となることが判る。
【０１５７】
なお、図１Ｃ〜図１Ｉは、それぞれ、順に、R32含有割合a（質量％）が、0質量％、5質量％、10質量％、14.3質量％、16.5質量％、19.2質量％及び21.8質量％の場合の組成を表わしている。
【０１５８】
なお、点B’は、前記3成分組成図において、R410Aを基準とする冷凍能力比が95％となり、かつR410Aを基準とするCOP比が95％となる点を点Bとすると、R410Aを基準とするCOP比が95％となる点Cを含む３点を結ぶ近似直線と、直線ABとの交点である。
【０１５９】
点A、B’及びCは、近似計算によりそれぞれ以下のようにして求めた。
【０１６０】
点Aは、HFO-1123含有割合が0質量％であり、かつR410Aを基準とする冷凍能力比が95％となる点である。点Aについて、計算により以下の三範囲毎に三点ずつを求め、これらの近似式を求めた。
【０１６１】
【表１３】
2020017521.tif 000015
【０１６２】
点Cは、R1234yf含有割合が0質量％であり、かつR410Aを基準とするCOP比が95％となる点である。点Cについて、計算により以下の三範囲毎に三点ずつを求め、これらの近似式を求めた。
【０１６３】
【表１４】
2020017521.tif 000016
【０１６４】
点B’について、計算により以下の三範囲毎に三点ずつを求め、これらの近似式を求めた。
【０１６５】
【表１５】
2020017521.tif 000017
【０１６６】
（１−５−２）冷媒１Ｂ
本開示の冷媒１Ｂは、
HFO-1132(E)及びHFO-1123の合計を、冷媒１Ｂの全体に対して99.5質量％以上含み、かつ
HFO-1132(E)を、冷媒１Ｂの全体に対して62.5質量％〜72.5質量％含む、混合冷媒である。
【０１６７】
本開示の冷媒１Ｂは、（１）R410Aと同等の成績係数を有すること、（２）R410Aと同等の冷凍能力を有すること、（３）GWPが十分に小さいこと、及び（４）ASHRAEの規格で微燃性（2Lクラス）であること、という、R410A代替冷媒として望ましい諸特性を有する。
【０１６８】
本開示の冷媒１Ｂは、HFO-1132(E)を72.5質量％以下含む混合冷媒であればASHRAEの規格で微燃性（2Lクラス）となるため特に好ましい。
【０１６９】
本開示の冷媒１Ｂは、HFO-1132(E)を、62.5質量％以上含む混合冷媒であればより好ましい。この場合、本開示の冷媒１Ｂは、R410Aを基準とする成績係数比がより優れたものとなり、かつHFO-1132(E)及び／又はHFO-1123の重合反応がより抑制され、安定性がより優れたものとなる。
【０１７０】
本開示の冷媒１Ｂは、上記の特性や効果を損なわない範囲内で、HFO-1132(E)及びHFO-1123に加えて、さらに他の追加的な冷媒を含有していてもよい。この点で、本開示の冷媒１Ｂが、HFO-1132(E)及びHFO-1123の合計を、冷媒１Ｂ全体に対して99.75質量%以上含むことがより好ましく、99.9質量%以上含むことがさらに好ましい。
【０１７１】
追加的な冷媒としては、特に限定されず、幅広く選択できる。混合冷媒は、追加的な冷媒として、一種を単独で含んでいてもよいし、二種以上を含んでいてもよい。
【０１７２】
本開示の冷媒１Ｂは、R410A、R407C及びR404A等のHFC冷媒、並びにR22等のHCFC冷媒の代替冷媒としての使用に適している。
（冷媒１Ｂの実施例）
以下に、冷媒１Ｂの実施例を挙げてさらに詳細に説明する。ただし、本開示の冷媒１Ｂは、これらの実施例に限定されるものではない。
【０１７３】
HFO-1132(E)及びHFO-1123を、これらの総和を基準として表１６及び表１７にそれぞれ示した質量％(mass%)で混合した混合冷媒を調製した。
【０１７４】
R410A(R32=50%/R125=50%)の混合物を含有する組成物のGWPは、IPCC（Intergovernmental Panel on Climate Change）第4次報告書の値に基づいて評価した。HFO-1132(E)のGWPは記載がないが、HFO-1132a(GWP=1以下）、HFO-1123（GWP=0.3,特許文献１に記載）から、そのGWPを１と想定した。R410A及びHFO-1132（E）とHFO-1123との混合物を含有する組成物の冷凍能力は、National Institute of Science and Technology（NIST） Reference Fluid Thermodynamic and Transport Properties Database（Refprop  9.0）を使い、下記条件で混合冷媒の冷凍サイクル理論計算を実施することにより求めた。
蒸発温度      5℃
凝縮温度      45℃
過熱温度      １K
過冷却温度    5K
圧縮機効率    70%
また、これらの結果をもとに算出したGWP、COP及び冷凍能力を表１、表２に示す。なお、比COP及び比冷凍能力については、R410Aに対する割合を示す。
【０１７５】
成績係数（COP）は、次式により求めた。
COP =（冷凍能力又は暖房能力）／消費電力量
また、燃焼性はANSI/ASHRAE34-2013規格に従い燃焼速度を測定した。燃焼速度が10 cm/s以下となるものは「2Lクラス（微燃性）」であるとした。
【０１７６】
燃焼速度試験は図１Ａに示す装置を用いて、以下の通り行った。まず、使用した混合冷媒は99.5％またはそれ以上の純度とし、真空ゲージ上に空気の痕跡が見られなくなるまで凍結、ポンピング及び解凍のサイクルを繰り返すことにより脱気した。閉鎖法により燃焼速度を測定した。初期温度は周囲温度とした。点火は、試料セルの中心で電極間に電気的スパークを生じさせることにより行った。放電の持続時間は1.0〜9.9msとし、点火エネルギーは典型的には約0.1〜1.0Jであった。シュリーレン写真を使って炎の広がりを視覚化した。光を通す2つのアクリル窓を備えた円筒形容器（内径：155mm、長さ：198mm）を試料セルとして用い、光源としてはキセノンランプを用いた。炎のシュリーレン画像を高速デジタルビデオカメラで600fpsのフレーミング速度で記録し、PCに保存した。
【０１７７】
【表１６】
2020017521.tif 000018
【０１７８】
【表１７】
2020017521.tif 000019
【０１７９】
組成物が、HFO-1132(E)を、該組成物の全体に対して62.5質量％〜72.5質量％含む場合に、GWP=1という低いGWPを持ちつつも安定で、かつ、ASHRAE燃焼性2Lを確保し、更に驚くべきことにR410Aと同等の性能を確保することができる。
【０１８０】
（１−５−３）冷媒１Ｃ
本開示の冷媒１Ｃは、HFO-1132(E)、R32及び２，３，３，３−テトラフルオロ−１−プロペン（R1234yf）を含む混合冷媒である。
【０１８１】
本開示の冷媒１Ｃは、R410Aと同等の冷却能力を有し、GWPが十分に小さく、かつASHRAEの規格で微燃性（2Lクラス）である、という、R410A代替冷媒として望ましい諸特性を有する。
【０１８２】
本開示の冷媒１Ｃは、HFO-1132(E)、R32及びR1234yfの、これらの総和を基準とする質量%をそれぞれx、y及びzとするとき、HFO-1132(E)、R32及びR1234yfの総和が100質量%となる3成分組成図において、座標（x,y,z）が、
点A(71.1, 0.0, 28.9)、
点C(36.5, 18.2, 45.3)、
点F(47.6, 18.3, 34.1)及び
点D(72.0, 0.0, 28.0)
の４点をそれぞれ結ぶ線分AC、CF、FD、及びDAで囲まれる図形の範囲内又は前記線分上にあり、
前記線分ACは、
座標（0.0181y2-2.2288y+71.096, y, -0.0181y2+1.2288y+28.904）
で表わされ、
前記線分FDは、
座標（0.02y2-1.7y+72, y, -0.02y2+0.7y+28）
で表わされ、かつ
前記線分CF及びDAが直線であるものであれば好ましい。本開示の冷媒１Ｃは、上記要件が満たされる場合、R410Aを基準とする冷凍能力比が85％以上となり、GWPが125以下となり、かつASHRAEの規格で微燃性（2Lクラス）となる。
【０１８３】
本開示の冷媒１Ｃは、HFO-1132(E)、R32及びR1234yfの、これらの総和を基準とする質量%をそれぞれx、y及びzとするとき、HFO-1132(E)、R32及びR1234yfの総和が100質量%となる3成分組成図において、座標（x,y,z）が、
点A(71.1, 0.0, 28.9)、
点B(42.6, 14.5, 42.9)、
点E(51.4, 14.6, 34.0)及び
点D(72.0, 0.0, 28.0)
の４点をそれぞれ結ぶ線分AB、BE、ED、及びDAで囲まれる図形の範囲内又は前記線分上にあり、
前記線分ABは、
座標（0.0181y2-2.2288y+71.096, y, -0.0181y2+1.2288y+28.904）
で表わされ、
前記線分EDは、
座標（0.02y2-1.7y+72, y, -0.02y2+0.7y+28）
で表わされ、かつ
前記線分BE及びDAが直線であるものであれば好ましい。本開示の冷媒１Ｃは、上記要件が満たされる場合、R410Aを基準とする冷凍能力比が85％以上となり、GWPが100以下となり、かつASHRAEの規格で微燃性（2Lクラス）となる。
【０１８４】
本開示の冷媒１Ｃは、HFO-1132(E)、R32及びR1234yfの、これらの総和を基準とする質量%をそれぞれx、y及びzとするとき、HFO-1132(E)、R32及びR1234yfの総和が100質量%となる3成分組成図において、座標（x,y,z）が、
点G(77.5, 6.9, 15.6)、
点I(55.1, 18.3, 26.6)及び
点J(77.5. 18.4, 4.1)
の３点をそれぞれ結ぶ線分GI、IJ及びJKで囲まれる図形の範囲内又は前記線分上にあり、前記線分GIは、
座標（0.02y2-2.4583y+93.396, y, -0.02y2+1.4583y+6.604）
で表わされ、かつ
前記線分IJ及びJKが直線であるものであれば好ましい。本開示の冷媒１Ｃは、上記要件が満たされる場合、R410Aを基準とする冷凍能力比が95％以上となり、GWPが100以下となり、かつ重合や分解などの変化を起こしにくく、安定性に優れている。
【０１８５】
本開示の冷媒１Ｃは、HFO-1132(E)、R32及びR1234yfの、これらの総和を基準とする質量%をそれぞれx、y及びzとするとき、HFO-1132(E)、R32及びR1234yfの総和が100質量%となる3成分組成図において、座標（x,y,z）が、
点G(77.5, 6.9, 15.6)、
点H(61.8, 14.6, 23.6)及び
点K(77.5, 14.6, 7.9)
の３点をそれぞれ結ぶ線分GH、HK及びKGで囲まれる図形の範囲内又は前記線分上にあり、前記線分GHは、
座標（0.02y2-2.4583y+93.396, y, -0.02y2+1.4583y+6.604）
で表わされ、かつ
前記線分HK及びKGが直線であるものであれば好ましい。本開示の冷媒１Ｃは、上記要件が満たされる場合、R410Aを基準とする冷凍能力比が95％以上となり、GWPが100以下となり、かつ重合や分解などの変化を起こしにくく、安定性に優れている。
【０１８６】
本開示の冷媒１Ｃは、上記の特性や効果を損なわない範囲内で、HFO-1132(E)、R32及びR1234yfに加えて、さらに他の追加的な冷媒を含有していてもよい。この点で、本開示の冷媒１Ｃが、HFO-1132(E)、R32及びR1234yfの合計を、冷媒１Ｃ全体に対して99.5質量%以上含むことが好ましく、99.75質量%以上含むことがより好ましく、99.9質量%以上含むことがさらに好ましい。
【０１８７】
追加的な冷媒としては、特に限定されず、幅広く選択できる。混合冷媒は、追加的な冷媒として、一種を単独で含んでいてもよいし、二種以上を含んでいてもよい。
【０１８８】
本開示の冷媒１Ｃは、R410Aの代替冷媒としての使用に適している。
（冷媒１Ｃの実施例）
以下に、冷媒１Ｃの実施例を挙げてさらに詳細に説明する。ただし、本開示の冷媒１Ｃは、これらの実施例に限定されるものではない。
【０１８９】
HFO-1132(E)、R32及びR1234yfの各混合冷媒について、ANSI/ASHRAE34-2013規格に従って、燃焼速度を測定した。R32の濃度を5質量％ずつ変化させながら、燃焼速度が10 cm/sを示す組成を見出した。見出された組成を表１８に示す。
【０１９０】
なお、燃焼速度試験は図１Ａに示す装置を用いて、以下の通り行った。まず、使用した混合冷媒は99.5％またはそれ以上の純度とし、真空ゲージ上に空気の痕跡が見られなくなるまで凍結、ポンピング及び解凍のサイクルを繰り返すことにより脱気した。閉鎖法により燃焼速度を測定した。初期温度は周囲温度とした。点火は、試料セルの中心で電極間に電気的スパークを生じさせることにより行った。放電の持続時間は1.0〜9.9msとし、点火エネルギーは典型的には約0.1〜1.0Jであった。シュリーレン写真を使って炎の広がりを視覚化した。光を通す2つのアクリル窓を備えた円筒形容器（内径：155mm、長さ：198mm）を試料セルとして用い、光源としてはキセノンランプを用いた。炎のシュリーレン画像を高速デジタルビデオカメラで600fpsのフレーミング速度で記録し、PCに保存した。
【０１９１】
【表１８】
2020017521.tif 000020
【０１９２】
これらの結果から、HFO-1132(E)、R32及びR1234yfの、これらの総和を基準とする質量%をそれぞれx、y及びzとするとき、HFO-1132(E)、R32及びR1234yfの総和が100質量%となる図１Ｊの3成分組成図において、座標（x,y,z）が、表１８に示す５点をそれぞれ結ぶ線分上又は該線分よりも右側にある場合、ASHRAEの規格で微燃性（2Lクラス）となることが判る。
R1234yfは、HFO-1132(E)及びR32のいずれよりも燃焼速度が低いことが判っているためである。
【０１９３】
HFO-1132(E)、R32及びR1234yfを、これらの総和を基準として、表１９〜２３にそれぞれ示した質量%で混合した混合冷媒を調製した。表１９〜２３の各混合冷媒について、R410を基準とする成績係数［Coefficient of Performance（COP）］比及び冷凍能力比をそれぞれ求めた。計算条件は以下の通りとした。
【０１９４】
蒸発温度：5℃
凝縮温度：45℃
過熱度：1K
過冷却度；5K
Ecomp（圧縮仕事量）：0.7kWh
これらの値を、各混合冷媒についてのGWPと合わせて表１９〜２３に示す。
【０１９５】
【表１９】
2020017521.tif 000021
【０１９６】
【表２０】
2020017521.tif 000022
【０１９７】
【表２１】
2020017521.tif 000023
【０１９８】
【表２２】
2020017521.tif 000024
【０１９９】
【表２３】
2020017521.tif 000025
【０２００】
これらの結果から、HFO-1132(E)、R32及びR1234yfの、これらの総和を基準とする質量%をそれぞれx、y及びzとするとき、HFO-1132(E)、R32及びR1234yfの総和が100質量%となる3成分組成図において、座標（x,y,z）が、
点A(71.1, 0.0, 28.9)、
点C(36.5, 18.2, 45.3)、
点F(47.6, 18.3, 34.1)及び
点D(72.0, 0.0, 28.0)
の４点をそれぞれ結ぶ線分AC、CF、FD、及びDAで囲まれる図形（図１Ｊ）の範囲内又は該線分上にある場合、R410Aを基準とする冷凍能力比が85％以上となり、GWPが125以下となり、かつASHRAEの規格で微燃性（2Lクラス）となることが判る。
【０２０１】
また、同様に、座標（x,y,z）が、
点A(71.1, 0.0, 28.9)、
点B(42.6, 14.5, 42.9)、
点E(51.4, 14.6, 34.0)及び
点D(72.0, 0.0, 28.0)
の４点をそれぞれ結ぶ線分AB、BE、ED、及びDAで囲まれる図形（図１Ｊ）の範囲内又は該線分上にある場合、R410Aを基準とする冷凍能力比が85％以上となり、GWPが100以下となり、かつASHRAEの規格で微燃性（2Lクラス）となることが判る。
【０２０２】
また、同様に、座標（x,y,z）が、
点G(77.5, 6.9, 15.6)、
点I(55.1, 18.3, 26.6)及び
点J(77.5. 18.4, 4.1)
の３点をそれぞれ結ぶ線分GI、IJ及びJKで囲まれる図形（図１Ｊ）の範囲内又は該線分上にある場合、R410Aを基準とする冷凍能力比が95％以上となり、GWPが125以下となり、かつ重合や分解などの変化を起こしにくく、安定性に優れることが判る。
【０２０３】
また、同様に、座標（x,y,z）が、
点G(77.5, 6.9, 15.6)、
点H(61.8, 14.6, 23.6)及び
点K(77.5, 14.6, 7.9)
の３点をそれぞれ結ぶ線分GH、HK及びKGで囲まれる図形（図１Ｊ）の範囲内又は該線分上にある場合、R410Aを基準とする冷凍能力比が95％以上となり、GWPが100以下となり、かつ重合や分解などの変化を起こしにくく、安定性に優れることが判る。
【０２０４】
（１−５−４）冷媒１Ｄ
本開示の冷媒１Ｄは、HFO-1132(E)、HFO-1123及びR32を含む混合冷媒である。
【０２０５】
本開示の冷媒１Ｄは、R410Aと同等の成績係数を有し、かつGWPが十分に小さい、という、R410A代替冷媒として望ましい諸特性を有する。
【０２０６】
本開示の冷媒１Ｄは、HFO-1132(E)、HFO-1123及びR32の、これらの総和を基準とする質量%をそれぞれx、y及びzとするとき、HFO-1132(E)、HFO-1123及びR32の総和が100質量%となる3成分組成図において、座標（x,y,z）が、
点O(100.0, 0.0, 0.0)、
点C’(56.7, 43.3, 0.0)、
点D’(52.2, 38.3, 9.5)、
点E’(41.8, 39.8, 18.4)及び
点A’(81.6, 0.0, 18.4)
の５点をそれぞれ結ぶ線分OC’、C’D’、D’E’、E’A’及びA’Oで囲まれる図形の範囲内又は前記線分C’D’、D’E’及びE’A’上にあり（ただし、点C’及びA’を除く）、
前記線分C’D’は、
座標（-0.0297z2-0.1915z+56.7, 0.0297z2+1.1915z+43.3, z）
で表わされ、
前記線分D’E’は、
座標（-0.0535z2+0.3229z+53.957, 0.0535z2+0.6771z+46.043, z）
で表わされ、かつ
前記線分OC’、E’A’及びA’Oが直線であるものであれば好ましい。本開示の冷媒１Ｄは、上記要件が満たされる場合、R410Aを基準とするCOP比が92.5％以上となり、かつGWPが125以下となる。
【０２０７】
本開示の冷媒１Ｄは、HFO-1132(E)、HFO-1123及びR32の、これらの総和を基準とする質量%をそれぞれx、y及びzとするとき、HFO-1132(E)、HFO-1123及びR32の総和が100質量%となる3成分組成図において、座標（x,y,z）が、
点O(100.0, 0.0, 0.0)、
点C(77.7, 22.3, 0.0)、
点D(76.3, 14.2, 9.5)、
点E(72.2, 9.4, 18.4)及び
点A’(81.6, 0.0, 18.4)
の５点をそれぞれ結ぶ線分OC、CD、DE、EA’及びA’Oで囲まれる図形の範囲内又は前記線分CD、DE及びEA’上にあり（ただし、点C及びA’を除く）、
前記線分CDEは、
座標（-0.017z2+0.0148z+77.684, 0.017z2+0.9852z+22.316, z）
で表わされ、かつ
前記線分OC、EA’及びA’Oが直線であるものであれば好ましい。本開示の冷媒１Ｄは、上記要件が満たされる場合、R410Aを基準とするCOP比が95％以上となり、かつGWPが125以下となる。
【０２０８】
本開示の冷媒１Ｄは、HFO-1132(E)、HFO-1123及びR32の、これらの総和を基準とする質量%をそれぞれx、y及びzとするとき、HFO-1132(E)、HFO-1123及びR32の総和が100質量%となる3成分組成図において、座標（x,y,z）が、
点O(100.0, 0.0, 0.0)、
点C’(56.7, 43.3, 0.0)、
点D’(52.2, 38.3, 9.5)及び
点A(90.5, 0.0, 9.5)
の５点をそれぞれ結ぶ線分OC’、C’D’、D’A及びAOで囲まれる図形の範囲内又は前記線分C’D’及びD’A上にあり（ただし、点C’及びAを除く）、
前記線分C’D’は、
座標（-0.0297z2-0.1915z+56.7, 0.0297z2+1.1915z+43.3, z）
で表わされ、かつ
前記線分OC’、D’A及びAOが直線であるものであれば好ましい。本開示の冷媒１Ｄは、上記要件が満たされる場合、R410Aを基準とするCOP比が93.5％以上となり、かつGWPが65以下となる。
【０２０９】
本開示の冷媒１Ｄは、HFO-1132(E)、HFO-1123及びR32の、これらの総和を基準とする質量%をそれぞれx、y及びzとするとき、HFO-1132(E)、HFO-1123及びR32の総和が100質量%となる3成分組成図において、座標（x,y,z）が、
点O(100.0, 0.0, 0.0)、
点C(77.7, 22.3, 0.0)、
点D(76.3, 14.2, 9.5)、
点A(90.5, 0.0, 9.5)
の５点をそれぞれ結ぶ線分OC、CD、DA及びAOで囲まれる図形の範囲内又は前記線分CD及びDA上にあり（ただし、点C及びAを除く）、
前記線分CDは、
座標（-0.017z2+0.0148z+77.684, 0.017z2+0.9852z+22.316, z）
で表わされ、かつ
前記線分OC、DA及びAOが直線であるものであれば好ましい。本開示の冷媒１Ｄは、上記要件が満たされる場合、R410Aを基準とするCOP比が95％以上となり、かつGWPが65以下となる。
【０２１０】
本開示の冷媒１Ｄは、上記の特性や効果を損なわない範囲内で、HFO-1132(E)、HFO-1123及びR32に加えて、さらに他の追加的な冷媒を含有していてもよい。この点で、本開示の冷媒１Ｄが、HFO-1132(E)、HFO-1123及びR32の合計を、冷媒１Ｄ全体に対して99.5質量%以上含むことが好ましく、99.75質量%以上含むことがより好ましく、99.9質量%以上含むことがさらに好ましい。
【０２１１】
追加的な冷媒としては、特に限定されず、幅広く選択できる。混合冷媒は、追加的な冷媒として、一種を単独で含んでいてもよいし、二種以上を含んでいてもよい。
【０２１２】
本開示の冷媒１Ｄは、R410Aの代替冷媒としての使用に適している。
（冷媒１Ｄの実施例）
以下に、冷媒１Ｄの実施例を挙げてさらに詳細に説明する。ただし、本開示の冷媒１Ｄは、これらの実施例に限定されるものではない。
【０２１３】
HFO-1132(E)、HFO-1123及びR32を、これらの総和を基準として、表２４〜２６にそれぞれ示した質量%で混合した混合冷媒を調製した。
【０２１４】
これらの各混合冷媒について、R410を基準とするCOP比及び冷凍能力［Refrigeration Capacity（Cooling Capacity又はCapacityと表記されることもある）］比をそれぞれ求めた。計算条件は以下の通りとした。
【０２１５】
蒸発温度：5℃
凝縮温度：45℃
過熱度：1K
過冷却度；5K
Ecomp（圧縮仕事量）：0.7kWh
これらの値を、各混合冷媒についてのGWPと合わせて表２４〜２６に示す。
【０２１６】
【表２４】
2020017521.tif 000026
【０２１７】
【表２５】
2020017521.tif 000027
【０２１８】
【表２６】
2020017521.tif 000028
【０２１９】
これらの結果から、HFO-1132(E)、HFO-1123及びR32の、これらの総和を基準とする質量%をそれぞれx、y及びzとするとき、HFO-1132(E)、HFO-1123及びR1234yfの総和が100質量%となる3成分組成図において、座標（x,y,z）が、
点O(100.0, 0.0, 0.0)、
点C’(56.7, 43.3, 0.0)、
点D’(52.2, 38.3, 9.5)、
点E’(41.8, 39.8, 18.4)及び
点A’(81.6, 0.0, 18.4)
の５点をそれぞれ結ぶ線分OC’、C’D’、D’E’、E’A’及びA’Oで囲まれる図形（図１Ｋ）の範囲内又は前記線分C’D’、D’E’及びE’A’上にある場合（ただし、点C’及びA’を除く）、R410Aを基準とするCOP比が92.5％以上となり、かつGWPが125以下となることが判る。
【０２２０】
また、同様に、座標（x,y,z）が、
点O(100.0, 0.0, 0.0)、
点C(77.7, 22.3, 0.0)、
点D(76.3, 14.2, 9.5)、
点E(72.2, 9.4, 18.4)及び
点A’(81.6, 0.0, 18.4)
の５点をそれぞれ結ぶ線分OC、CD、DE、EA’及びA’Oで囲まれる図形（図１Ｋ）の範囲内又は前記線分CD、DE及びEA’上にある場合（ただし、点C及びA’を除く）、R410Aを基準とするCOP比が95％以上となり、かつGWPが125以下となることが判る。
【０２２１】
また、同様に、座標（x,y,z）が、
点O(100.0, 0.0, 0.0)、
点C’(56.7, 43.3, 0.0)、
点D’(52.2, 38.3, 9.5)及び
点A(90.5, 0.0, 9.5)
の５点をそれぞれ結ぶ線分OC’、C’D’、D’A及びAOで囲まれる図形（図１Ｋ）の範囲内又は前記線分C’D’及びD’A上にある場合（ただし、点C’及びAを除く）、R410Aを基準とするCOP比が92.5％以上となり、かつGWPが65以下となることが判る。
【０２２２】
また、同様に、座標（x,y,z）が、
点O(100.0, 0.0, 0.0)、
点C(77.7, 22.3, 0.0)、
点D(76.3, 14.2, 9.5)、
点A(90.5, 0.0, 9.5)
の５点をそれぞれ結ぶ線分OC、CD、DA及びAOで囲まれる図形（図１Ｋ）の範囲内又は前記線分CD及びDA上にある場合（ただし、点C及びAを除く）、R410Aを基準とするCOP比が95％以上となり、かつGWPが65以下となることが判る。
【０２２３】
一方、比較例２、３及び４に示されるようにR32を含まない場合、二重結合を持つHFO-1132(E)及びHFO-1123の濃度が相対的に高くなり、冷媒化合物において分解等の変質や重合を招くため、好ましくない。
【０２２４】
また、比較例３、５及び７に示されるようにHFO-1123を含まない場合、その燃焼抑制効果が得られず、組成物を微燃性とすることができないため、好ましくない。
【０２２５】
（１−５−５）冷媒１Ｅ
本開示の冷媒１Ｅは、CO2、並びにR32、HFO-1132(E)及びR1234yfを含む混合冷媒である。
【０２２６】
本開示の冷媒１Ｅは、R410Aと同等の冷却能力を有し、GWPが十分に小さく、かつ微燃性である、という、R410A代替冷媒として望ましい諸特性を有する。
【０２２７】
本開示の冷媒１Ｅは、CO2、並びにR32、HFO-1132(E)及びR1234yfの、これらの総和を基準とする質量%をそれぞれw、並びにx、y及びzとするとき、R32、HFO-1132(E)及びR1234yfの総和が(100-w)質量%となる3成分組成図において、座標（x,y,z）が、
点I（0.0, 72.0, 28.0-w）
点J（18.3, 48.5, 33.2-w）
点K（36.8, 35.6, 27.6-w）
点L（51.7, 28.9, 19.4-w）
点B’’（-1.5278w2+2.75w+50.5, 0.0, 1.5278w2-3.75w+49.5）
点D（-2.9167w+40.317, 0.0, 1.9167w+59.683）
点C（0.0, -4.9167w+58.317, 3.9167w+41.683）
の７点をそれぞれ結ぶ曲線IJ、曲線JK及び曲線KL、並びに直線LB’’、直線B’’D、直線DC及び直線CIで囲まれる図形の範囲内又は前記線分上にあり（ただし、直線B’’D及び直線CIの上の点は除く）、
1.2＜w≦4.0のとき、
点I（0.0, 72.0, 28.0-w）
点J（18.3, 48.5, 33.2-w）
点K（36.8, 35.6, 27.6-w）
点L（51.7, 28.9, 19.4-w）
点B’’（51.6, 0.0, 48.4-w）
点D（-2.8226w+40.211, 0.0, 1.8226w+59.789）
点C（0.0, 0.1081w2-5.169w+58.447, -0.1081w2+4.169w+41.553）
の７点をそれぞれ結ぶ曲線IJ、曲線JK及び曲線KL、並びに直線LB’’、直線B’’D、直線DC及び直線CIで囲まれる図形の範囲内又は前記線分上にあり（ただし、直線B’’D及び直線CIの上の点は除く）、
4.0＜w≦7.0のとき、
点I（0.0, 72.0, 28.0-w）
点J（18.3, 48.5, 33.2-w）
点K（36.8, 35.6, 27.6-w）
点L（51.7, 28.9, 19.4-w）
点B’’（51.6, 0.0, 48.4-w）
点D（-2.8w+40.1, 0.0, 1.8w+59.9）
点C（0.0, 0.0667w2-4.9667w+58.3, -0.0667w2+3.9667w+41.7）
の７点をそれぞれ結ぶ曲線IJ、曲線JK及び曲線KL、並びに直線LB’’、直線B’’D、直線DC及び直線CIで囲まれる図形の範囲内又は前記線分上にあり（ただし、直線B’’D及び直線CIの上の点は除く）、かつ
曲線IJは、
座標（x, 0.0236x2-1.716x+72, -0.0236x2+0.716x+28-w）
で表わされ、
曲線JKは、
座標（x, 0.0095x2-1.2222x+67.676, -0.0095x2+0.2222x+32.324-w）
で表わされ、
曲線KLは、
座標（x, 0.0049x2-0.8842x+61.488, -0.0049x2-0.1158x+38.512）
で表わされるものである。
【０２２８】
本開示の冷媒１Ｅは、R410Aを基準とする冷凍能力比が80％以上であり、GWPが350以下であり、かつWCF微燃となる。
【０２２９】
本開示の冷媒１Ｅは、CO2、並びにR32、HFO-1132(E)及びR1234yfの、これらの総和を基準とする質量%をそれぞれw、並びにx、y及びzとするとき、R32、HFO-1132(E)及びR1234yfの総和が(100-w)質量%となる3成分組成図において、座標（x,y,z）が、
0＜w≦1.2のとき、
点I（0.0, 72.0, 28.0-w）
点J（18.3, 48.5, 33.2-w）
点K（36.8, 35.6, 27.6-w）
点F（-0.0833w+36.717, -4.0833w+5.1833, 3.1666w+58.0997）
点C（0.0, -4.9167w+58.317, 3.9167w+41.683）
の５点をそれぞれ結ぶ曲線IJ及び曲線JK、並びに直線KF、直線FC及び直線CIで囲まれる図形の範囲内又は前記線分上にあり（ただし、直線CIの上の点は除く）、
1.2＜w≦1.3のとき、
点I（0.0, 72.0, 28.0-w）
点J（18.3, 48.5, 33.2-w）
点K（36.8, 35.6, 27.6-w）
点F（36.6, -3w+3.9, 2w+59.5）
点C（0.0, 0.1081w2-5.169w+58.447, -0.1081w2+4.169w+41.553）
の５点をそれぞれ結ぶ曲線IJ及び曲線JK、並びに直線KF、直線FC及び直線CIで囲まれる図形の範囲内又は前記線分上にあり（ただし、直線CIの上の点は除く）、
1.3＜w≦4.0のとき、
点I（0.0, 72.0, 28.0-w）
点J（18.3, 48.5, 33.2-w）
点K（36.8, 35.6, 27.6-w）
点B’（36.6, 0.0, -w+63.4）
点D（-2.8226w+40.211, 0.0, 1.8226w+59.789）
点C（0.0, 0.1081w2-5.169w+58.447, -0.1081w2+4.169w+41.553）
の６点をそれぞれ結ぶ曲線IJ及び曲線JK、並びに直線KB’、直線B’D、直線DC及び直線CIで囲まれる図形の範囲内又は前記線分上にあり（ただし、直線CIの上の点は除く）、
4.0＜w≦7.0のとき、
点I（0.0, 72.0, 28.0-w）
点J（18.3, 48.5, 33.2-w）
点K（36.8, 35.6, 27.6-w）
点B’（36.6, 0.0, -w+63.4）
点D（-2.8w+40.1, 0.0, 1.8w+59.9）
点C（0.0, 0.0667w2-4.9667w+58.3, -0.0667w2+3.9667w+41.7）
の６点をそれぞれ結ぶ曲線IJ及び曲線JK、並びに直線KB’、直線B’D、直線DC及び直線CIで囲まれる図形の範囲内又は前記線分上にあり（ただし、直線CIの上の点は除く）、かつ曲線IJは、
座標（x, 0.0236x2-1.716x+72, -0.0236x2+0.716x+28-w）
で表わされ、
曲線JKは、
座標（x, 0.0095x2-1.2222x+67.676, -0.0095x2+0.2222x+32.324-w）
で表わされるものであれば好ましい。本開示の冷媒１Ｅは、上記要件が満たされる場合、R410Aを基準とする冷凍能力比が80％以上となり、GWPが250以下となり、かつWCF微燃となる。
【０２３０】
本開示の冷媒１Ｅは、CO2、並びにR32、HFO-1132(E)及びR1234yfの、これらの総和を基準とする質量%をそれぞれw、並びにx、y及びzとするとき、R32、HFO-1132(E)及びR1234yfの総和が(100-w)質量%となる3成分組成図において、座標（x,y,z）が、
0＜w≦1.2のとき、
点I（0.0, 72.0, 28.0-w）
点J（18.3, 48.5, 33.2-w）
点E（18.2, -1.1111w2-3.1667w+31.9, 1.1111w2+2.1667w+49.9）
点C（0.0, -4.9167w+58.317, 3.9167w+41.683）
の４点をそれぞれ結ぶ曲線IJ及び曲線JK、並びに直線KF、直線FC及び直線CIで囲まれる図形の範囲内又は前記線分上にあり（ただし、直線CIの上の点は除く）、
1.2＜w≦4.0のとき、
点I（0.0, 72.0, 28.0-w）
点J（18.3, 48.5, 33.2-w）
点E（-0.0365w+18.26, 0.0623w2-4.5381w+31.856, -0.0623w2+3.5746w+49.884）
点C（0.0, 0.1081w2-5.169w+58.447, -0.1081w2+4.169w+41.553）
の４点をそれぞれ結ぶ曲線IJ及び曲線JK、並びに直線KF、直線FC及び直線CIで囲まれる図形の範囲内又は前記線分上にあり（ただし、直線CIの上の点は除く）、
4.0＜w≦7.0のとき、
点I（0.0, 72.0, 28.0-w）
点J（18.3, 48.5,  33.2-w）
点E（18.1, 0.0444w2-4.3556w+31.411, -0.0444w2+3.3556w+50.489）
点C（0.0, 0.0667w2-4.9667w+58.3, -0.0667w2+3.9667w+41.7）
の４点をそれぞれ結ぶ曲線IJ及び曲線JK、並びに直線KF、直線FC及び直線CIで囲まれる図形の範囲内又は前記線分上にあり（ただし、直線CIの上の点は除く）、かつ
曲線IJは、
座標（x, 0.0236x2-1.716x+72, -0.0236x2+0.716x+28-w）
で表わされるものであれば好ましい。本開示の冷媒１Ｅは、上記要件が満たされる場合、R410Aを基準とする冷凍能力比が80％以上となり、GWPが125以下となり、かつWCF微燃となる。
【０２３１】
本開示の冷媒１Ｅは、CO2、並びにR32、HFO-1132(E)及びR1234yfの、これらの総和を基準とする質量%をそれぞれw、並びにx、y及びzとするとき、R32、HFO-1132(E)及びR1234yfの総和が(100-w)質量%となる3成分組成図において、座標（x,y,z）が、
0＜w≦0.6のとき、
点G（-5.8333w2-3.1667w+22.2, 7.0833w2+1.4167w+26.2, -1.25w2+0.75w+51.6）
点O（36.8, 0.8333w2+1.8333w+22.6, -0.8333w2-2.8333w+40.6）
点P（51.7, 1.1111w2+20.5, -1.1111w2-w+27.8）
点B’’（-1.5278w2+2.75w+50.5, 0.0, 1.5278w2-3.75w+49.5）
点D（-2.9167w+40.317, 0.0, 1.9167w+59.683）
の５点をそれぞれ結ぶ曲線GO及び曲線OP、並びに直線PB’’、直線B’’D及び直線DGで囲まれる図形の範囲内又は前記線分上にあり（ただし、直線B’’Dの上の点は除く）、
0.6＜w≦1.2のとき、
点G（-5.8333w2-3.1667w+22.2, 7.0833w2+1.4167w+26.2, -1.25w2+0.75w+51.6）
点N（18.2, 0.2778w2+3w+27.7, -0.2778w2-4w+54.1）
点O（36.8, 0.8333w2+1.8333w+22.6, -0.8333w2-2.8333w+40.6）
点P（51.7, 1.1111w2+20.5, -1.1111w2-w+27.8）
点B’’（-1.5278w2+2.75w+50.5, 0.0, 1.5278w2-3.75w+49.5）
点D（-2.9167w+40.317, 0.0, 1.9167w+59.683）
の６点をそれぞれ結ぶ曲線GN、曲線NO、及び曲線OP、並びに直線PB’’、直線B’’D及び直線DGで囲まれる図形の範囲内又は前記線分上にあり（ただし、直線B’’Dの上の点は除く）、
かつ
曲線GOは、
0＜w≦0.6のとき、
座標（x, (0.00487w2-0.0059w+0.0072)x2+(-0.279w2+0.2844w-0.6701)x+3.7639w2-0.2467w+37.512, 100-w-x-y）
で表わされ、
曲線GNは、
0.6＜w≦1.2のとき、
座標（x, (0.0122w2-0.0113w+0.0313)x2+(-0.3582w2+0.1624w-1.4551)x+2.7889w2+3.7417w+43.824 , 100-w-x-y）
で表わされ、
曲線NOは、
0.6＜w≦1.2のとき、
座標（x, (0.00487w2-0.0059w+0.0072)x2+(-0.279w2+0.2844w-0.6701)x+3.7639w2-0.2467w+37.512, 100-w-x-y）
で表され、
曲線OPは、
0＜w≦1.2のとき、
座標（x, (0.0074w2-0.0133w+0.0064)x2+(-0.5839w2+1.0268w-0.7103)x+11.472w2-17.455w+40.07, 100-w-x-y）
で表わされ、
1.2＜w≦4.0のとき、
点M（0.0, -0.3004w2+2.419w+55.53, 0.3004w2-3.419w+44.47）
点W（10.0, -0.3645w2+3.5024w+44.422, 0.3645w2-4.5024w+55.57）
点N（18.2, -0.3773w2+3.319w+28.26, 0.3773w2-4.319w+53.54）
点O（36.8, -0.1392w2+1.4381w+24.475, 0.1392w2-2.4381w+38.725）
点P（51.7, -0.2381w2+1.881w+20.186, 0.2381w2-2.881w+28.114）
点B’’（51.6, 0.0, -w+48.4）
点D（-2.8226w+40.211, 0.0, 1.8226w+59.789）
点C（0.0, 0.1081w2-5.169w+58.447, -0.1081w2+4.169w+41.553）
の８点をそれぞれ結ぶ曲線MW、曲線WN、曲線NO及び曲線OP、並びに直線PB’’、直線B’’D、直線DC及び直線CMで囲まれる図形の範囲内又は前記線分上にあり（ただし、直線B’’D及び直線CMの上の点は除く）、かつ
曲線MWは、
座標（x, (0.0043w2-0.0359w+0.1509)x2+(-0.0493w2+0.4669w-3.6193)x-0.3004w2+2.419w+55.53, 100-w-x-y）
で表わされ、
曲線WNは、
座標（x, (0.0055w2-0.0326w+0.0665)x2+(-0.1571w2+0.8981w-2.6274)x+0.6555w2-2.2153w+54.044, 100-w-x-y）
で表わされ、
曲線NOは、
座標（x, (-0.00062w2+0.0036w+0.0037)x2+(0.0375w2-0.239w-0.4977)x-0.8575w2+6.4941w+36.078, 100-w-x-y）
で表わされ、
曲線OPは、
座標（x, (-0.000463w2+0.0024w-0.0011)x2+(0.0457w2-0.2581w-0.075)x-1.355w2+8.749w+27.096, 100-w-x-y）
で表わされ、
4.0＜w≦7.0のとき、
点M（0.0, -0.0667w2+0.8333w+58.133, 0.0667w2-1.8333w+41.867）
点W（10.0, -0.0667w2+1.1w+39.267, 0.0667w2-2.1w+50.733）
点N（18.2, -0.0889w2+1.3778w+31.411, 0.0889w2-2.3778w+50.389）
点O（36.8, -0.0444w2+0.6889w+25.956, 0.0444w2-1.6889w+37.244）
点P（51.7, -0.0667w2+0.8333w+21.633, 0.0667w2-1.8333w+26.667）
点B’’（51.6, 0.0, -w+48.4）
点D（-2.8w+40.1, 0.0, 1.8w+59.9）
点C（0.0, 0.0667w2-4.9667w+58.3, -0.0667w2+3.9667w+41.7）
の８点をそれぞれ結ぶ曲線MW、曲線WN、曲線NO及び曲線OP、並びに直線PB’’、直線B’’D、直線DC及び直線CMで囲まれる図形の範囲内又は前記線分上にあり（ただし、直線B’’D及び直線CMの上の点は除く）、かつ
曲線MWは、
座標（x, (0.00357w2-0.0391w+0.1756)x2+(-0.0356w2+0.4178w-3.6422)x-0.0667w2+0.8333w+58.103, 100-w-x-y）
で表わされ、
曲線WNは、
座標（x, (-0.002061w2+0.0218w-0.0301)x2+(0.0556w2-0.5821w-0.1108)x-0.4158w2+4.7352w+43.383, 100-w-x-y）
で表わされ、
曲線NOは、
座標（x, 0.0082x2+(0.0022w2-0.0345w-0.7521)x-0.1307w2+2.0247w+42.327, 100-w-x-y）
で表わされ、
曲線OPは、
座標（x, (-0.0006258w2+0.0066w-0.0153)x2+(0.0516w2-0.5478w+0.9894)x-1.074w2+11.651w+10.992, 100-w-x-y）
で表わされるものであれば好ましい。本開示の冷媒１Ｅは、上記要件が満たされる場合、R410Aを基準とする冷凍能力比が80％以上となり、GWPが350以下となり、かつASHRAE微燃となる。
【０２３２】
本開示の冷媒１Ｅは、CO2、並びにR32、HFO-1132(E)及びR1234yfの、これらの総和を基準とする質量%をそれぞれw、並びにx、y及びzとするとき、R32、HFO-1132(E)及びR1234yfの総和が(100-a)質量%となる3成分組成図において、座標（x,y,z）が、
0＜w≦0.6のとき、
点G（-5.8333w2-3.1667w+22.2, 7.0833w2-1.4167w+26.2, -1.25w2+3.5834w+51.6）
点O（36.8, 0.8333w2+1.8333w+22.6, -0.8333w2-2.8333w+40.6）
点F（-0.0833w+36.717, -4.0833w+5.1833, 3.1666w+58.0997）
の３点をそれぞれ結ぶ曲線GO、並びに直線OF及び直線FGで囲まれる図形の範囲内又は前記線分上にあり、かつ
曲線GOは、
座標（x, (0.00487w2-0.0059w+0.0072) x2+(-0.279w2+0.2844w-0.6701)x+3.7639w2-0.2467w+37.512, 100-w-x-y）
で表わされ、
0.6＜w≦1.2のとき、
点G（-5.8333w2-3.1667w+22.2, 7.0833w2-1.4167w+26.2, -1.25w2+3.5834w+51.6）
点N（18.2, 0.2778w2+3.0w+27.7, -0.2.778w2-4.0w+54.1）
点O（36.8, 0.8333w2+1.8333w+22.6, -0.8333w2-2.8333w+40.6）
点F（-0.0833w+36.717, -4.0833w+5.1833, 3.1666w+58.0997）
の４点をそれぞれ結ぶ曲線GN及び曲線NO、並びに直線OF及び直線FGで囲まれる図形の範囲内又は前記線分上にあり、かつ
曲線GNは、
0.6＜w≦1.2のとき、
座標（x, (0.0122w2-0.0113w+0.0313)x2+(-0.3582w2+0.1624w-1.4551)x+2.7889w2+3.7417w+43.824, 100-w-x-y）
で表わされ、
曲線NOは、
0.6＜w≦1.2のとき、
座標（x, (0.00487w2-0.0059w+0.0072)x2+(-0.279w2+0.2844w-0.6701)x+3.7639w2-0.2467w+37.512, 100-w-x-y）
で表され
1.2＜w≦1.3のとき、
点M（0.0, -0.3004w2+2.419w+55.53, 0.3004w2-3.419w+44.47）
点W（10.0, -0.3645w2+3.5024w34.422, 0.3645w2-4.5024w+55.578）
点N（18.2, -0.3773w2+3.319w+28.26, 0.3773w2-4.319w+53.54）
点O（36.8, -0.1392w2+1.4381w+24.475, 0.1392w2-2.4381w+38.725）
点F（36.6, -3w+3.9, 2w+59.5）
点C（0.1081w2-5.169w+58.447, 0.0, -0.1081w2+4.169w+41.553）
の６点をそれぞれ結ぶ曲線MW、曲線WN及び曲線NO、並びに直線OF及び直線FC及び直線CMで囲まれる図形の範囲内又は前記線分上にあり（ただし、直線CMの上の点は除く）、かつ
曲線MWは、
座標（x, (0.0043w2-0.0359w+0.1509)x2+(-0.0493w2+0.4669w-3.6193)x-0.3004w2+2.419w+55.53, 100-w-x-y）
で表わされ、
曲線WNは、
座標（x, (0.0055w2-0.0326w+0.0665)x2+(-0.1571w2+0.8981w-2.6274)x+0.6555w2-2.2153w+54.044, 100-w-x-y）
で表わされ、
曲線NOは、
座標（x, (-0.00062w2+0.0036w+0.0037)x2+(0.0375w2-0.239w-0.4977)x-0.8575w2+6.4941w+36.078, 100-w-x-y）
で表わされ、
1.3＜w≦4.0のとき、
点Ｍ（0.0, -0.3004w2+2.419w+55.53, 0.3004w2-3.419w+44.47）
点W（10.0, -0.3645w2+3.5024w+34.422, 0.3645w2-4.5024w+55.578）
点N（18.2, -0.3773w2+3.319w+28.26, 0.3773w2-4.319w+53.54）
点O（36.8, -0.1392w2+1.4381w+24.475, 0.1392w2-2.4381w+38.725）
点B’（36.6, 0.0, -w+63.4）
点D（-2.8226w+40.211, 0.0, 1.8226w+59.789）
点C（0.0, 0.1081w2-5.169w+58.447, -0.1081w2+4.169w+41.553）
の７点をそれぞれ結ぶ曲線MW、曲線WN及び曲線NO、並びに直線OB’、直線B’D、及び直線DC及び直線CMで囲まれる図形の範囲内又は前記線分上にあり（ただし、直線CMの上の点は除く）、かつ
曲線MWは、
座標（x, (0.0043w2-0.0359w+0.1509)x2+(-0.0493w2+0.4669w-3.6193)x-0.3004w2+2.419w+55.53, 100-w-x-y）
で表わされ、
曲線WNは、
座標（x, (0.0055w2-0.0326w+0.0665)x2+(-0.1571w2+0.8981w-2.6274)x+0.6555w2-2.2153w+54.044, 100-w-x-y）
曲線NOは、
座標（x, (-0.00062w2+0.0036w+0.0037)x2+(0.0457w2-0.2581w-0.075)x-1.355w2+8.749w+27.096, 100-w-x-y）
で表わされ、
4.0＜w≦7.0のとき、
点M（0.0, -0.0667w2+0.8333w58.133, 0.0667w2-1.8333w+41.867）
点W（10.0, -0.0667w2+1.1w+39.267, 0.0667w2-2.1w+50.733）
点N（18. 2, -0.0889w2+1.3778w+31.411, 0.0889w2-2.3778w+50.389）
点O（36.8, -0.0444w2+0.6889w+25.956, 0.0444w2-1.6889w+37.244）
点B’（36.6, 0.0, -w+63.4）
点D（-2.8w+40. 1, 0.0, 1.8w+59.9）
点C（0.0, 0.0667w2-4.9667w+58.3, -0.0667w2+3.9667w+41.7）
の７点をそれぞれ結ぶ曲線MW、曲線WN及び曲線NO、並びに直線OB’、直線B’D、及び直線DC及び直線CMで囲まれる図形の範囲内又は前記線分上にあり（ただし、直線CMの上の点は除く）、かつ
曲線MWは、
座標（x, (0.00357w2-0.0391w+0.1756)x2+(-0.0356w2+0.4178w-3.6422)x-0.0667w2+0.8333w+58.103, 100-w-x-y）
で表わされ、
曲線WNは、
座標（x, (-0.002061w2+0.0218w-0.0301)x2+(0.0556w2-0.5821w-0.1108)x-0.4158w2+4.7352w+43.383, 100-w-x-y）
曲線NOは、
座標(x, (0.0082x2+(0.0022w2-0.0345w-0.7521)x-0.1307w2+2.0247w+42.327, 100-w-x-y)
で表わされるものであれば好ましい。本開示の冷媒１Ｅは、上記要件が満たされる場合、R410Aを基準とする冷凍能力比が80％以上となり、GWPが250以下となり、かつASHRAE微燃となる。
【０２３３】
本開示の冷媒１Ｅは、CO2、並びにR32、HFO-1132(E)及びR1234yfの、これらの総和を基準とする質量%をそれぞれw、並びにx、y及びzとするとき、R32、HFO-1132(E)及びR1234yfの総和が(100-a)質量%となる3成分組成図において、座標（x,y,z）が、
1.2＜w≦4.0のとき、
点M（0.0, -0.3004w2+2.419w+55.53, 0.3004w2-3.419w+44.47）
点W（10.0, -0.3645w2+3.5024w+34.422, 0.3645w2-4.5024w+55.578）
点N（18.2, -0.3773w2+3.319w+28.26, 0.3773w2-4.319w+53.54）
点E（-0.0365w+18.26, 0.0623w2-4.5381w+31.856, -0.0623w2+3.5746w+49.884）
点C（0.0, 0.1081w2-5.169w+58.447, -0.1081w2+4.169w+41.553）
の５点をそれぞれ結ぶ曲線MW及び曲線WN、並びに直線NE、直線EC及び直線CMで囲まれる図形の範囲内又は前記線分上にあり（ただし、直線CMの上の点は除く）、かつ
曲線MWは、
座標（x, (0.0043w2-0.0359w+0.1509)x2+(-0.0493w2+0.4669w-3.6193)x-0.3004w2+2.419w+55.53, 100-w-x-y）
で表わされ、
曲線WNは、
座標（x, (0.0055w2-0.0326w+0.0665)x2+(-0.1571w2+0.8981w-2.6274)x+0.6555w2-2.2153w+54.044, 100-w-x-y）
で表わされ、
4.0＜w≦7.0のとき、
点M（0.0, -0.0667w2+0.8333w+58.133, 0.0667w2-1.8333w+41.867）
点W（10.0, -0.0667w2+1.1w+39.267, 0.0667w2-2.1w+50.733）
点N（18.2, -0.0889w2+1.3778w+31.411, 0.0889w2-2.3778w+50.389）
点E（18.1, 0.0444w2-4.3556w+31.411, -0.0444w2+3.3556w+50.489）
点C（0.0, 0.0667w2-4.9667w+58.3, -0.0667w2+3.9667w+41.7）
の５点をそれぞれ結ぶ曲線MW及び曲線WN、並びに直線NE、直線EC及び直線CMで囲まれる図形の範囲内又は前記線分上にあり（ただし、直線CMの上の点は除く）、かつ
曲線MWは、
座標（x, (0.00357w2-0.0391w+0.1756)x2+(-0.0356w2+0.4178w-3.6422)x-0.0667w2+0.8333w+58.103, 100-w-x-y）
で表わされ、
曲線WNは、
座標（x, (-0.002061w2+0.0218w-0.0301)x2+(0.0556w2-0.5821w-0.1108)x-0.4158w2+4.7352w+43.383, 100-w-x-y）
で表わされるものであれば好ましい。本開示の冷媒１Ｅは、上記要件が満たされる場合、R410Aを基準とする冷凍能力比が80％以上となり、GWPが125以下となり、かつASHRAE微燃となる。
【０２３４】
本開示の冷媒１Ｅは、上記の特性や効果を損なわない範囲内で、CO2、並びにR32、HFO-1132(E)及びR1234yfに加えて、さらに他の追加的な冷媒を含有していてもよい。この点で、本開示の冷媒１Ｅが、CO2、並びにR32、HFO-1132(E)及びR1234yfの合計を、冷媒全体に対して99.5質量%以上含むことが好ましく、99.75質量%以上含むことがより好ましく、99.9質量%以上含むことがさらに好ましい。
【０２３５】
追加的な冷媒としては、特に限定されず、幅広く選択できる。混合冷媒は、追加的な冷媒として、一種を単独で含んでいてもよいし、二種以上を含んでいてもよい。
【０２３６】
本開示の冷媒１Ｅは、冷凍機における作動流体として好ましく使用することができる。
【０２３７】
本開示の組成物は、R410Aの代替冷媒としての使用に適している。
（冷媒１Ｅの実施例）
以下に、冷媒１Ｅの実施例を挙げてさらに詳細に説明する。ただし、本開示の冷媒１Ｄは、これらの実施例に限定されるものではない。
【０２３８】
CO2、並びにR32、HFO-1132(E)及びR1234yfの各混合冷媒について、ANSI/ASHRAE34-2013規格に従って、燃焼速度を測定した。CO2の濃度を変化させながら、燃焼速度が10 cm/sを示す組成を見出した。見出された組成を表２７〜２９に示す。
【０２３９】
なお、燃焼速度試験は図１Ａに示す装置を用いて、以下の通り行った。まず、使用した混合冷媒は99.5％またはそれ以上の純度とし、真空ゲージ上に空気の痕跡が見られなくなるまで凍結、ポンピング及び解凍のサイクルを繰り返すことにより脱気した。閉鎖法により燃焼速度を測定した。初期温度は周囲温度とした。点火は、試料セルの中心で電極間に電気的スパークを生じさせることにより行った。放電の持続時間は1.0〜9.9msとし、点火エネルギーは典型的には約0.1〜1.0Jであった。シュリーレン写真を使って炎の広がりを視覚化した。光を通す2つのアクリル窓を備えた円筒形容器（内径：155mm、長さ：198mm）を試料セルとして用い、光源としてはキセノンランプを用いた。炎のシュリーレン画像を高速デジタルビデオカメラで600fpsのフレーミング速度で記録し、PCに保存した。
【０２４０】
WCFF濃度は、WCF濃度を初期濃度としてNIST  Standard Reference Data Base Refleak Version 4.0により漏洩シミュレーションを行うことで求めた。
【０２４１】
【表２７】
2020017521.tif 000029
【０２４２】
【表２８】
2020017521.tif 000030
【０２４３】
【表２９】
2020017521.tif 000031
【０２４４】
これらの結果から、CO2、並びにR32、HFO-1132(E)及びR1234yfの、これらの総和を基準とする質量%をそれぞれw、並びにx、y及びzとするとき、R32、HFO-1132(E)及びR1234yfの総和が（100-w）質量%となる図１Ｂ〜図１Ｉの3成分組成図において、座標（x,y,z）が、点I、J、K及びLをそれぞれ結ぶ線分上又は該線分よりも下側にある場合、WCF微燃となることが判る。
【０２４５】
また、図１Ｂの3成分組成図において、座標（x,y,z）が、点M、N、O及びPをそれぞれ結ぶ線分上又は該線分よりも下側にある場合、ASHRAE微燃となることが判る。
【０２４６】
R32、HFO-1132(E)及びR1234yfを、これらの総和を基準として、表３０〜４０にそれぞれ示した質量%で混合した混合冷媒を調製した。表３０〜３７の各混合冷媒について、R410を基準とする成績係数［Coefficient of Performance（COP）］比及び冷凍能力比をそれぞれ求めた。
【０２４７】
R1234yf、及び、R410A(R32=50%/R125=50%)の混合物を含有する組成物のGWPは、IPCC（Intergovernmental Panel on Climate Change）第4次報告書の値に基づいて評価した。HFO-1132(E)のGWPは記載がないが、HFO-1132a（GWP=1以下）、HFO-1123（GWP=0.3,特許文献１に記載）から、そのGWPを１と想定した。R410A及びHFO-1132（E）、HFO-1123、R1234yfとの混合物を含有する組成物の冷凍能力は、National Institute of Science and Technology（NIST） Reference Fluid Thermodynamic and Transport Properties Database（Refprop  9.0）を使い、下記条件で混合冷媒の冷凍サイクル理論計算を実施することにより求めた。
【０２４８】
蒸発温度：5℃
凝縮温度：45℃
過熱度：5K
過冷却度；5K
Ecomp（圧縮仕事量）：0.7kWh
これらの値を、各混合冷媒についてのGWPと合わせて表３０〜３７に示す。なお、表３０〜３７は、CO2濃度が0質量％、0.6質量％、1.2質量％、1.3質量％、2.5質量％、4質量％、5.5質量％、7質量％の場合をそれぞれ示している。
【０２４９】
【表３０】
2020017521.tif 000032
【０２５０】
【表３１】
2020017521.tif 000033
【０２５１】
【表３２】
2020017521.tif 000034
【０２５２】
【表３３】
2020017521.tif 000035
【０２５３】
【表３４】
2020017521.tif 000036
【０２５４】
【表３５】
2020017521.tif 000037
【０２５５】
【表３６】
2020017521.tif 000038
【０２５６】
【表３７】
2020017521.tif 000039
【０２５７】
【表３８】
2020017521.tif 000040
【０２５８】
【表３９】
2020017521.tif 000041
【０２５９】
【表４０】
2020017521.tif 000042
【０２６０】
【表４１】
2020017521.tif 000043
【０２６１】
【表４２】
2020017521.tif 000044
【０２６２】
【表４３】
2020017521.tif 000045
【０２６３】
【表４４】
2020017521.tif 000046
【０２６４】
【表４５】
2020017521.tif 000047
【０２６５】
【表４６】
2020017521.tif 000048
【０２６６】
これらの結果から、CO2、並びにR32、HFO-1132(E)及びR1234yfの、これらの総和を基準とする質量%をそれぞれw並びにx、y及びzとするとき、R32、HFO-1132(E)及びR1234yfの総和が（100-w）質量%となる図１Ｂ〜図１Ｉの3成分組成図において、座標（x,y,z）が、直線A’’B’’の線上にあるときに該混合冷媒のGWPが350となり、該線よりも右側に位置するときに該混合冷媒のGWPが350未満となることが判る。また、図１Ｂ〜図１Ｉの3成分組成図において、座標（x,y,z）が、直線A’B’の線上にあるときに該混合冷媒のGWPが250となり、該線よりも右側に位置するときに該混合冷媒のGWPが250未満となることが判る。さらに、図１Ｂ〜図１Ｉの3成分組成図において、座標（x,y,z）が、直線ABの線上にあるときに該混合冷媒のGWPが125となり、該線よりも右側に位置するときに該混合冷媒のGWPが125未満となることが判る。
【０２６７】
点D及び点Cを結ぶ直線が、R410Aを基準とする冷凍能力比が80％となる点を結ぶ曲線よりも概ねわずかに左側に位置することが判る。よって、座標（x,y,z）が、点D及び点Cを結ぶ直線よりも左側にある場合に、R410Aを基準とする該混合冷媒の冷凍能力比が80％以上となることが判る。
【０２６８】
点A及びB、A’及びB’、並びにA’’及びB’’の座標は、前記の表に記載される各点に基づいて近似式を求めることにより決定した。具体的には表４７（点A及びB）、表４８（点A’及びB’）並びに表４９（点A’’及びB’’）に示す通り計算を行った。
【０２６９】
【表４７】
2020017521.tif 000049
【０２７０】
【表４８】
2020017521.tif 000050
【０２７１】
【表４９】
2020017521.tif 000051
【０２７２】
点C〜Gの座標は、前記の表に記載される各点に基づいて近似式を求めることにより決定した。具体的には表５０及び５１に示す通り計算を行った。
【０２７３】
【表５０】
2020017521.tif 000052
【０２７４】
【表５１】
2020017521.tif 000053
【０２７５】
曲線IJ、曲線JK及び曲線KL上の点の座標は、前記の表に記載される各点に基づいて近似式を求めることにより決定した。具体的には表５２に示す通り計算を行った。
【０２７６】
【表５２】
2020017521.tif 000054
【０２７７】
曲線MW及び曲線WM上の点の座標は、前記の表に記載される各点に基づいて近似式を求めることにより決定した。具体的には表５３（0質量％＜CO2濃度≦1.2質量％のとき）、表５４（1.2質量％＜CO2濃度≦4.0質量％のとき）、表５５（4.0質量％＜CO2濃度≦7.0質量％のとき）に示す通り計算を行った。
【０２７８】
【表５３】
2020017521.tif 000055
【０２７９】
【表５４】
2020017521.tif 000056
【０２８０】
【表５５】
2020017521.tif 000057
【０２８１】
曲線NO及び曲線OP上の点の座標は、前記の表に記載される各点に基づいて近似式を求めることにより決定した。具体的には表５６（0質量％＜CO2濃度≦1.2質量％のとき）、表５７（1.2質量％＜CO2濃度≦4.0質量％のとき）及び表５８（4.0質量％＜CO2濃度≦7.0質量％のとき）に示す通り計算を行った。
【０２８２】
【表５６】
2020017521.tif 000058
【０２８３】
【表５７】
2020017521.tif 000059
【０２８４】
【表５８】
2020017521.tif 000060
【０２８５】
（１−６）各種冷媒２
以下、本開示において用いられる冷媒である冷媒２Ａ〜冷媒２Ｅについて、詳細に説明する。
【０２８６】
なお、以下の冷媒２Ａ、冷媒２Ｂ、冷媒２Ｃ、冷媒２Ｄ及び冷媒２Ｅの各記載は、それぞれ独立しており、点や線分を示すアルファベット、実施例の番号および比較例の番号は、いずれも冷媒２Ａ、冷媒２Ｂ、冷媒２Ｃ、冷媒２Ｄ及び冷媒２Ｅの間でそれぞれ独立であるものとする。例えば、冷媒２Ａの実施例１と冷媒２Ｂの実施例１とは、互いに異なる実施形態についての実施例を示している。
【０２８７】
（１−６−１）冷媒２Ａ
冷媒２Ａとしては、「冷媒２Ａ１」及び「冷媒２Ａ２」が挙げられる。以下、冷媒２Ａ１及び冷媒２Ａ２についてそれぞれ説明する。本開示において、冷媒２Ａ１及び冷媒２Ａ２は、それぞれ混合冷媒である。
【０２８８】
（１−６−１−１）冷媒２Ａ１
冷媒２Ａ１は、HFO-1132(E)、HFC-32及びHFO-1234yfを必須成分として含有する混合冷媒である。以下、本項目において、HFO-1132(E)、HFC-32及びHFO-1234yfを「三成分」とも称する。
【０２８９】
冷媒２Ａ１全体における、三成分の総濃度は99.5質量%以上である。換言すると、冷媒２Ａ１は、三成分をこれらの濃度の総和で99.5質量%以上含有する。
【０２９０】
冷媒２Ａ１において、三成分の質量比は、該三成分を各頂点とする三角組成図において、
点A（HFO-1132(E)/HFC-32/HFO-1234yf=51.8/1.0/47.2質量%）、
点B（HFO-1132(E)/HFC-32/HFO-1234yf=35.3/1.0/63.7質量%）、
点C（HFO-1132(E)/HFC-32/HFO-1234yf=10.1/18.0/71.9質量%）及び
点D（HFO-1132(E)/HFC-32/HFO-1234yf=27.8/18.0/54.2質量%）、
の4点を通る図形で囲まれた領域の範囲内にある。
【０２９１】
言い換えれば、冷媒２Ａ１において、三成分の質量比は、該三成分を各頂点とする図２Ａの三角組成図に示される：
点A（HFO-1132(E)/HFC-32/HFO-1234yf=51.8/1.0/47.2質量%）、
点B（HFO-1132(E)/HFC-32/HFO-1234yf=35.3/1.0/63.7質量%）、
点C（HFO-1132(E)/HFC-32/HFO-1234yf=10.1/18.0/71.9質量%）及び
点D（HFO-1132(E)/HFC-32/HFO-1234yf=27.8/18.0/54.2質量%）、
の4点をそれぞれ結ぶ直線a、曲線b、直線c及び曲線dで囲まれた領域の範囲内にある。
【０２９２】
本項目において、三成分を各頂点とする三角組成図とは、図２Ａに示すように、上記三成分（HFO-1132(E)、HFC-32及びHFO-1234yf）を頂点とし、HFO-1132(E)、HFC-32及びHFO-1234yfの濃度の総和を100質量%とする三成分組成図を意味する。
【０２９３】
冷媒２Ａ１は、このような構成を有することによって、（1）GWPが十分に小さいこと（125以下）、（2）R404Aの代替冷媒として用いた場合に、R404Aと同等以上の冷凍能力及び成績係数（COP）を有すること、並びに（3）ANSI/ASHRAE34-2013規格に従い測定された燃焼速度が5cm/s以下であること、という諸特性を有する。
【０２９４】
本項目において、R404Aと同等以上の成績係数（COP）とは、R404Aに対するCOP比が100%以上（好ましくは102%以上、より好ましくは103%以上）であることを意味し、R404Aと同等以上の冷凍能力とは、R404Aに対する冷凍能力比が95%以上（好ましくは100%以上、より好ましくは102以上、最も好ましくは103%以上）であることを意味する。また、GWPが十分に小さいとは、GWPが125以下、好ましくは110以下、より好ましくは100以下、更に好ましくは75以下であることを意味する。
【０２９５】
図２Ａにおいて、点A、点B、点C及び点Dは白抜き丸（○）で示される、上記座標を持つ点である。
【０２９６】
点A、B、C及びDの技術的意味は次の通りである。また、各点の濃度（質量%）は、後述の実施例で求めた値と同一である。
A：ANSI/ASHRAE34-2013規格に従い測定された燃焼速度が5cm/sであって、HFC-32の濃度（質量%）が1.0質量%である質量比
B：HFC-32の濃度（質量%）が1.0質量%であって、冷凍能力がR404Aに対して95%である質量比
C：冷凍能力がR404Aに対して95%であって、GWPが125である質量比
D：GWPが125であって、ANSI/ASHRAE34-2013規格に従い測定された燃焼速度が5cm/sである質量比
「ANSI/ASHRAE34-2013規格に従い測定された燃焼速度が5cm/s」とは、ANSI/ASHRAE34-2013規格でのクラス2L(微燃)に区分するための基準である燃焼速度（10cm/s）の半分の数値であり、クラス2Lに規定される冷媒の中でも比較的安全であることを意味する。具体的には、「燃焼速度（10cm/s）の半分の数値」であると、万が一着火した場合にも火炎が伝播しにくいという点で比較的安全である。なお、以下ANSI/ASHRAE34-2013規格に従い測定された燃焼速度を、単に「燃焼速度」とも称する。
【０２９７】
冷媒２Ａ１において、三成分の混合冷媒の燃焼速度は、0超〜4.5cm/sが好ましく、0超〜4cm/sがより好ましく、0超〜3.5cm/sが更に好ましく、0超〜3cm/sが特に好ましい。
【０２９８】
点A及びBは、いずれも直線a上にある。すなわち、線分ABは直線aの一部である。直線aは、HFC-32の濃度（質量%）が1.0質量%である質量比を示す直線である。直線aよりも三角組成図の頂点HFC-32側の領域では、三成分の混合冷媒のHFC-32の濃度が1質量%を超える。
また、直線aよりも三角組成図の頂点HFC-32側の領域では、予想外に冷凍能力が大きい。
【０２９９】
図２Ａにおいて、HFO-1132(E)の質量%=x、HFC-32の質量%=y及びHFO-1234yfの質量%=zとするとき、HFC-32の濃度が1.0質量%である質量比を示す線分は、以下の式によって表わされる線分に近似される。
【０３００】
HFC-32が1.0質量%である質量比を示す線分：点A及び点Bの二点を結ぶ直線aの一部（図２Ａの線分AB）
y=1.0
z=100-x-y
35.3≦x≦51.8
点B及びCは、いずれも曲線b上にある。曲線bは、冷凍能力がR404Aに対して95%である質量比を示す曲線である。曲線bよりも三角組成図の頂点HFO-1132(E)側及び頂点HFC-32側の領域では、三成分の混合冷媒の冷凍能力がR404Aに対して95%を超える。
【０３０１】
曲線bは次のようにして求められる。
【０３０２】
表２０１は、HFO-1132(E)=1.0、10.1、20.0、35.3質量%（mass%）であるときに対R404Aとの冷凍能力比が95%である4点を示す。曲線bはこの4点を結ぶ線で示され、ここでHFO-1132(E)の質量%=x、HFC-32の質量%=y及びHFO-1234yfの質量%=zとした場合、曲線bは最小二乗法により表２０１の式で近似される。
【０３０３】
【表２０１】
2020017521.tif 000061
【０３０４】
点C及びDは、いずれも直線c上にある。すなわち、線分CDは直線cの一部である。直線cは、GWPが125である質量比を示す直線である。直線cよりも三角組成図の頂点HFO-1132(E)側及び頂点HFO-1234yf側の領域では、三成分の混合冷媒のGWPが125未満である。
【０３０５】
図２Ａにおいて、HFO-1132(E)の質量%=x、HFC-32の質量%=y及びHFO-1234yfの質量%=zとするとき、GWP=125である質量比を示す線分は、以下の式によって表わされる線分に近似される。
【０３０６】
GWP=125である質量比を示す線分：点C及び点Dの二点を結ぶ直線cの一部（図２Ａの線分CD）
y=18.0
z=100-x-y
10.1≦x≦27.8
点A及びDは、いずれも曲線d上にある。曲線dは、燃焼速度が5cm/sになる質量比を示す曲線である。曲線dよりも三角組成図の頂点HFO-1234yf側の領域では、三成分の混合冷媒は、燃焼速度が5.0cm/s未満である。
【０３０７】
曲線dは次のようにして求められる。
【０３０８】
表２０２は、HFO-1132(E)=18.0、30.0、40.0、53.5質量%であるときにWCF微燃である4点を示す。曲線dはこの4点を結ぶ線で示され、ここでHFO-1132(E)の質量%=x、HFC-32の質量%=y及びHFO-1234yfの質量%=zとした場合、曲線dは最小二乗法により表２０２の式で近似される。
【０３０９】
【表２０２】
2020017521.tif 000062
【０３１０】
HFO-1132(E)、HFC-32及びHFO-1234yfの三元混合冷媒は、点A、B、C及びDの４点をそれぞれ結ぶ線で囲まれた領域（ABCD領域）の範囲内の質量比において、GWPが125以下、冷凍能力が対R404A比で95%以上且つ燃焼速度が5cm/s以下である。
【０３１１】
冷媒２Ａ１において、三成分の質量比は、該三成分を各頂点とする三角組成図において、
点A（HFO-1132(E)/HFC-32/HFO-1234yf=51.8/1.0/47.2質量%）、
点B（HFO-1132(E)/HFC-32/HFO-1234yf=35.3/1.0/63.7質量%）、
点E（HFO-1132(E)/HFC-32/HFO-1234yf=15.2/14.3/70.5質量%）及び
点F（HFO-1132(E)/HFC-32/HFO-1234yf=31.1/14.3/54.6質量%）、
の4点を通る図形で囲まれた領域の範囲内にあることが好ましい。
【０３１２】
言い換えれば、冷媒２Ａ１において、三成分の質量比は、該三成分を各頂点とする図２Ａの三角組成図に示される：
点A（HFO-1132(E)/HFC-32/HFO-1234yf=51.8/1.0/47.2質量%）、
点B（HFO-1132(E)/HFC-32/HFO-1234yf=35.3/1.0/63.7質量%）、
点E（HFO-1132(E)/HFC-32/HFO-1234yf=15.2/14.3/70.5質量%）及び
点F（HFO-1132(E)/HFC-32/HFO-1234yf=31.1/14.3/54.6質量%）
の4点をそれぞれ結ぶ直線a、曲線b、直線e及び曲線dで囲まれた領域の範囲内にあることが好ましい。
【０３１３】
上記三成分を各頂点とする三角組成図については、上記の通りである。
【０３１４】
図２Ａにおいて、点A、点B、点E及び点Fは白抜き丸（○）で示される、上記座標を持つ点である。
【０３１５】
点A、Bの技術的意味は、上記の通りである。
【０３１６】
点E及びFの技術的意味は次の通りである。また、各点の濃度（質量%）は、後述の実施例で求めた値と同一である。
E：冷凍能力がR404Aに対して95%であって、GWPが100である質量比
F：GWPが100であって、ANSI/ASHRAE34-2013規格に従い測定された燃焼速度が5cm/sである、GWP=100の質量比
直線a及び曲線bについては、上記の通りである。点Eは曲線b上にある。
【０３１７】
点E及びFは、いずれも直線e上にある。すなわち、線分EFは直線eの一部である。直線eは、GWPが100である質量比を示す直線である。直線eよりも三角組成図の頂点HFO-1132(E)側及び頂点HFO-1234yf側の領域では、三成分の混合冷媒のGWPが100未満である。
【０３１８】
図２Ａにおいて、HFO-1132(E)の質量%=x、HFC-32の質量%=y及びHFO-1234yfの質量%=zとするとき、GWP=100である質量比を示す線分は、以下の式によって表わされる線分に近似される。
【０３１９】
GWP=100である質量比を示す線分：点E及び点Fの二点を結ぶ直線eの一部（図の線分EF）
y=14.3
z=100-x-y
15.2≦x≦31.1
点A及びFは、いずれも曲線d上にある。曲線dについては、上記の通りである。
【０３２０】
HFO-1132(E)、HFC-32及びHFO-1234yfの三元混合冷媒は、点A、B、E及びFの４点をそれぞれ結ぶ線で囲まれた領域（ABEF領域）の範囲内の質量比において、GWPが100以下、冷凍能力が対R404A比で95%以上且つ燃焼速度が5.0cm/s以下である。
【０３２１】
冷媒２Ａ１は、HFO-1132(E)、HFC-32及びHFO-1234yfをこれらの濃度の総和で99.5質量%以上含有するが、その中でも、冷媒２Ａ１全体におけるHFO-1132(E)、HFC-32及びHFO-1234yfの合計量が99.7質量%以上であれば好ましく、99.8質量%以上であればより好ましく、99.9質量%以上であれば更に好ましい。
【０３２２】
冷媒２Ａ１は、上記の特性を損なわない範囲内で、HFO-1132(E)、HFC-32及びHFO-1234yfに加えて、更に他の冷媒を含むことができる。この場合、冷媒２Ａ１全体における他の冷媒の含有割合は0.5質量%以下が好ましく、0.3質量%以下がより好ましく、0.2質量%以下が更に好ましく、0.1質量%以下が特に好ましい。他の冷媒としては、特に限定されず、この分野で広く使用されている公知の冷媒の中から幅広く選択できる。冷媒２Ａ１は、他の冷媒を単独で含んでいてもよいし、他の冷媒を2種以上含んでいてもよい。
【０３２３】
冷媒２Ａ１は、HFO-1132(E)、HFC-32及びHFO-1234yfのみからなることが特に好ましい。換言すると、冷媒２Ａ１は、冷媒２Ａ１全体におけるHFO-1132(E)、HFC-32及びHFO-1234yfの総濃度が100質量%であることが特に好ましい。
【０３２４】
冷媒２Ａ１は、HFO-1132(E)、HFC-32及びHFO-1234yfのみからなる場合、三成分の質量比は、該三成分を各頂点とする三角組成図において、
点A（HFO-1132(E)/HFC-32/HFO-1234yf=51.8/1.0/47.2質量%）、
点B（HFO-1132(E)/HFC-32/HFO-1234yf=35.3/1.0/63.7質量%）、
点C（HFO-1132(E)/HFC-32/HFO-1234yf=10.1/18.0/71.9質量%）及び
点D（HFO-1132(E)/HFC-32/HFO-1234yf=27.8/18.0/54.2質量%）、
の4点を通る図形で囲まれた領域の範囲内にあることが好ましい。
【０３２５】
点A、B、C及びDの技術的意味は、上記の通りである。点A、B、C及びDの4点を通る図形で囲まれた領域については、上記の通りである。
【０３２６】
この場合、HFO-1132(E)、HFC-32及びHFO-1234yfの三元混合冷媒は、点A、B、C及びDの4点をそれぞれ結ぶ線で囲まれた領域（ABCD領域）の範囲内の質量比において、GWPが125以下、冷凍能力が対R404A比で95%以上且つ燃焼速度が5.0cm/s以下である。
【０３２７】
冷媒２Ａ１は、HFO-1132(E)、HFC-32及びHFO-1234yfのみからなる場合、三成分の質量比は、該三成分を各頂点とする三角組成図において、
点A（HFO-1132(E)/HFC-32/HFO-1234yf=51.8/1.0/47.2質量%）、
点B（HFO-1132(E)/HFC-32/HFO-1234yf=35.3/1.0/63.7質量%）、
点E（HFO-1132(E)/HFC-32/HFO-1234yf=15.2/14.3/70.5質量%）及び
点F（HFO-1132(E)/HFC-32/HFO-1234yf=31.1/14.3/54.6質量%）、
の4点を通る図形で囲まれた領域の範囲内にあることがより好ましい。
【０３２８】
点A、B、E及びFの技術的意味は、上記の通りである。点A、B、E及びFの4点を通る図形で囲まれた領域については、上記の通りである。
【０３２９】
この場合、HFO-1132(E)、HFC-32及びHFO-1234yfの三元混合冷媒は、点A、B、E及びFの4点をそれぞれ結ぶ線で囲まれた領域（ABEF領域）の範囲内の質量比において、GWPが100以下、冷凍能力が対R404A比で95%以上且つ燃焼速度が5.0cm/s以下である。
【０３３０】
冷媒２Ａ１は、GWPが125以下であることによって、地球温暖化の観点から他の汎用冷媒と比べて顕著に環境負荷を抑えることができる。
【０３３１】
（１−６−１−２）冷媒２Ａ２
冷媒２Ａ２は、HFO-1132(E)、HFC-32及びHFO-1234yfを必須成分として含有する混合冷媒である。以下、本項目において、HFO-1132(E)、HFC-32及びHFO-1234yfを「三成分」とも称する。
【０３３２】
冷媒２Ａ２全体における、三成分の総濃度は99.5質量%以上である。換言すると、冷媒２Ａ２は、三成分をこれらの濃度の総和で99.5質量%以上含有する。
【０３３３】
冷媒２Ａ２において、三成分の質量比は、該三成分を各頂点とする三角組成図において、
点P（HFO-1132(E)/HFC-32/HFO-1234yf=45.6/1.0/53.4質量%）、
点B（HFO-1132(E)/HFC-32/HFO-1234yf=35.3/1.0/63.7質量%）、
点Q（HFO-1132(E)/HFC-32/HFO-1234yf=1.0/24.8/74.2質量%）、
点R（HFO-1132(E)/HFC-32/HFO-1234yf=1.0/29.2/69.8質量%）及び
点S（HFO-1132(E)/HFC-32/HFO-1234yf=6.5/29.2/64.3質量%）、
の5点を通る図形で囲まれた領域の範囲内にある、組成物。
【０３３４】
言い換えれば、冷媒２Ａ２において、三成分の質量比は、該三成分を各頂点とする図２Ｂの三角組成図に示される：
点P（HFO-1132(E)/HFC-32/HFO-1234yf=45.6/1.0/53.4質量%）、
点B（HFO-1132(E)/HFC-32/HFO-1234yf=35.3/1.0/63.7質量%）、
点Q（HFO-1132(E)/HFC-32/HFO-1234yf=1.0/24.8/74.2質量%）、
点R（HFO-1132(E)/HFC-32/HFO-1234yf=1.0/29.2/69.8質量%）及び
点S（HFO-1132(E)/HFC-32/HFO-1234yf=6.5/29.2/64.3質量%）、
の5点をそれぞれ結ぶ直線p、曲線q、直線r、直線s及び曲線tで囲まれた領域の範囲内にある。
【０３３５】
本項目において、三成分を各頂点とする三角組成図とは、図２Ｂに示すように、上記三成分（HFO-1132(E)、HFC-32及びHFO-1234yf）を頂点とし、HFO-1132(E)、HFC-32及びHFO-1234yfの濃度の総和を100質量%とする三成分組成図を意味する。
【０３３６】
冷媒２Ａ２は、このような構成を有することによって、（1）GWPが十分に小さいこと（200以下）、（2）R404Aの代替冷媒として用いた場合に、R404Aと同等以上の冷凍能力及び成績係数（COP）を有すること、並びに（3）40℃での圧力が1.85MPa以下であるという諸特性を有する。
【０３３７】
本項目において、R404Aと同等以上の成績係数（COP）とは、R404Aに対するCOP比が100%以上（好ましくは102%以上、より好ましくは103%以上）であることを意味する。R404Aと同等以上の冷凍能力とは、R404Aに対する冷凍能力比が95%以上（好ましくは100%以上、より好ましくは102以上、最も好ましくは103%以上）であることを意味する。GWPが十分に小さいとは、GWPが200以下、好ましくは150以下、より好ましくは125以下、更に好ましくは100以下であることを意味する。
【０３３８】
図２Ｂにおいて、点P、点B、点Q、点R及び点Sは白抜き丸（○）で示される、上記座標を持つ点である。
【０３３９】
点P、点B、点Q、点R及び点Sの技術的意味は次の通りである。また、各点の濃度（質量%）は、後述の実施例で求めた値と同一である。
P：40℃での圧力が1.85MPaであって、HFC-32の濃度（質量%）が1.0質量%である質量比
B：HFC-32の濃度（質量%）が1.0質量%であって、冷凍能力がR404Aに対して95%である質量比
Q：冷凍能力がR404Aに対して95%であって、HFO-1132(E)の濃度（質量%）が1.0質量%である質量比
R：HFO-1132(E)の濃度（質量%）が1.0質量%であって、GWPが200である質量比
S：GWPが200であって、40℃での圧力が1.85MPaである質量比
「40℃での圧力が1.85MPaになる質量比」とは、温度40（℃）での飽和圧力が1.85MPaである質量比を意味する。
【０３４０】
冷媒２Ａ２において、三成分の混合冷媒の40℃での飽和圧力が1.85MPaを超えた場合、R404A用の冷凍装置からの設計変更が必要となる。三成分の混合冷媒の40℃での飽和圧力は、1.50〜1.85MPaが好ましく、1.60〜1.85MPaがより好ましく、1.70〜1.85MPaが更に好ましく、1.75〜1.85MPaが特に好ましい。
【０３４１】
点P及びBは、いずれも直線p上にある。すなわち、線分PBは直線pの一部である。直線pは、HFC-32の濃度（質量%）が1.0質量%である質量比を示す直線である。直線pよりも三角組成図の頂点HFC-32側の領域では、三成分の混合冷媒のHFC-32の濃度が1.0質量%を超える。また、直線pよりも三角組成図の頂点HFC-32側の領域では、予想外に冷凍能力が大きい。
【０３４２】
図２Ｂにおいて、HFO-1132(E)の質量%=x、HFC-32の質量%=y及びHFO-1234yfの質量%=zとするとき、HFC-32の濃度が1.0質量%である質量比を示す線分は、以下の式によって表わされる線分に近似される。
【０３４３】
HFC-32の濃度（質量%）が1.0質量%である質量比を示す線分：点P及び点Bの二点を結ぶ直線pの一部（図２Ｂの線分PB）
y=1.0
z=100-x-y
35.3≦x≦45.6
点B及びQは、いずれも曲線q上にある。曲線qは、冷凍能力がR404Aに対して95%になる質量比を示す曲線である。曲線qよりも三角組成図の頂点HFO-1132(E)側及び頂点HFC-32側の領域では、三成分の混合冷媒の冷凍能力がR404Aに対して95%を超える。
【０３４４】
曲線qは次のようにして求められる。
【０３４５】
表２０３は、HFO-1132(E)=1.0、10.1、20.0、35.3質量%（mass%）であるときに対R404Aとの冷凍能力比が95%である4点を示す。曲線qはこの4点を結ぶ線で示され、ここでHFO-1132(E)の質量%=x、HFC-32の質量%=y及びHFO-1234yfの質量%=zとした場合、曲線qは最小二乗法により表２０３の式で近似される。
【０３４６】
【表２０３】
2020017521.tif 000063
【０３４７】
点Q及びRは、いずれも直線r上にある。すなわち、線分QRは直線rの一部である。直線rは、HFO-1132(E)の濃度（質量%）が1.0質量%である質量比を示す直線である。直線rよりも三角組成図の頂点HFO-1132(E)側の領域では、三成分の混合冷媒のHFO-1132(E)の濃度が1.0質量%を超える。また、直線rよりも三角組成図の頂点HFO-1132(E)側の領域では、予想外に冷凍能力が大きい。
【０３４８】
図２Ｂにおいて、HFO-1132(E)の質量%=x、HFC-32の質量%=y及びHFO-1234yfの質量%=zとするとき、HFO-1132(E)の濃度が1.0質量%である質量比を示す線分は、以下の式によって表わされる線分に近似される。
【０３４９】
HFO-1132(E)の濃度（質量%）が1.0質量%である質量比を示す線分：点Q及び点Rの二点を結ぶ直線rの一部（図２Ｂの線分QR）
x=1.0
z=100-x-y
24.8≦y≦29.2
点R及びSは、いずれも直線s上にある。すなわち、線分RSは直線sの一部である。直線sは、GWPが200である質量比を示す直線である。直線sよりも三角組成図の頂点HFO-1132(E)側及び頂点HFO-1234yf側の領域では、三成分の混合冷媒のGWPが200未満である。
【０３５０】
図２Ｂにおいて、HFO-1132(E)の質量%=x、HFC-32の質量%=y及びHFO-1234yfの質量%=zとするとき、GWP=200である質量比を示す線分は、以下の式によって表わされる線分に近似される。
【０３５１】
GWP=200である質量比を示す線分：点R及び点Sの二点を結ぶ直線sの一部（図２Ｂの線分RS）
y=29.2
z=100-x-y
1.0≦x≦6.5
点P及びSは、いずれも曲線t上にある。曲線tは、40℃での圧力が1.85MPaになる質量比を示す曲線である。曲線tよりも三角組成図の頂点HFO-1234yf側の領域では、三成分の混合冷媒の40℃での圧力が1.85MPa未満である。
【０３５２】
曲線tは次のようにして求められる。
【０３５３】
表２０4は、HFO-1132(E)=5.95、18.00、32.35、47.80質量%であるときに40℃での圧力が1.85MPaである4点を示す。曲線tはこの4点を結ぶ線で示され、ここでHFO-1132(E)の質量%=x、HFC-32の質量%=y及びHFO-1234yfの質量%=zとした場合、曲線tは最小二乗法により表２０4の式で近似される。
【０３５４】
【表２０４】
2020017521.tif 000064
【０３５５】
HFO-1132(E)、HFC-32及びHFO-1234yfの三元混合冷媒は、点P、B、Q、R及びSの5点をそれぞれ結ぶ線で囲まれた領域（PBQRS領域）の範囲内の質量比において、GWPが200以下、冷凍能力が対R404A比で95%以上且つ40℃での圧力が1.85MPa以下である。
【０３５６】
冷媒２Ａ２は、HFO-1132(E)、HFC-32及びHFO-1234yfをこれらの濃度の総和で99.5質量%以上含有するが、その中でも、冷媒２Ａ２全体におけるHFO-1132(E)、HFC-32及びHFO-1234yfの合計量が99.7質量%以上であれば好ましく、99.8質量%以上であればより好ましく、99.9質量%以上であれば更に好ましい。
【０３５７】
冷媒２Ａ２は、上記の特性を損なわない範囲内で、HFO-1132(E)、HFC-32及びHFO-1234yfに加えて、更に他の冷媒を含むことができる。この場合、冷媒２Ａ２全体における他の冷媒の含有割合は0.5質量%以下が好ましく、0.3質量%以下がより好ましく、0.2質量%以下が更に好ましく、0.1質量%以下が特に好ましい。他の冷媒としては、特に限定されず、この分野で広く使用されている公知の冷媒の中から幅広く選択できる。冷媒２Ａ２は、他の冷媒を単独で含んでいてもよいし、他の冷媒を2種以上含んでいてもよい。
【０３５８】
冷媒２Ａ２は、HFO-1132(E)、HFC-32及びHFO-1234yfのみからなることが特に好ましい。換言すると、冷媒２Ａ２は、冷媒２Ａ２全体におけるHFO-1132(E)、HFC-32及びHFO-1234yfの総濃度が100質量%であることが特に好ましい。
【０３５９】
冷媒２Ａ２は、HFO-1132(E)、HFC-32及びHFO-1234yfのみからなる場合、三成分の質量比は、該三成分を各頂点とする三角組成図において、
点P（HFO-1132(E)/HFC-32/HFO-1234yf=45.6/1.0/53.4質量%）、
点B（HFO-1132(E)/HFC-32/HFO-1234yf=35.3/1.0/63.7質量%）、
点Q（HFO-1132(E)/HFC-32/HFO-1234yf=1.0/24.8/74.2質量%）、
点R（HFO-1132(E)/HFC-32/HFO-1234yf=1.0/29.2/69.8質量%）及び
点S（HFO-1132(E)/HFC-32/HFO-1234yf=6.5/29.2/64.3質量%）、
の5点を通る図形で囲まれた領域の範囲内にあることが好ましい。
【０３６０】
点P、点B、点Q、点R及び点Sの技術的意味は、上記の通りである。点P、点B、点Q、点R及び点Sの5点を通る図形で囲まれた領域については、上記の通りである。
【０３６１】
この場合、HFO-1132(E)、HFC-32及びHFO-1234yfの三元混合冷媒は、点P、B、Q、R及びSの5点をそれぞれ結ぶ線で囲まれた領域（PBQRS領域）の範囲内の質量比において、GWPが300以下、冷凍能力が対R404A比で95%以上且つ40℃での圧力が1.85MPaである。
【０３６２】
冷媒２Ａ２は、GWPが200以下であることによって、地球温暖化の観点から他の汎用冷媒と比べて顕著に環境負荷を抑えることができる。
【０３６３】
［冷媒２Ａの実施例］
以下に、実施例を挙げて更に詳細に説明する。ただし、本開示は、これらの実施例に限定されるものではない。
【０３６４】
試験例１
実施例１−１〜１−１１、比較例１−１〜１−６及び参考例１−１（R404A）に示される混合冷媒のGWPは、IPCC（Intergovernmental Panel on Climate Change）第4次報告書の値に基づいて評価した。
【０３６５】
これらの混合冷媒のCOP、冷凍能力及び40℃での飽和圧力は、National Institute of Science and Technology（NIST）、Reference Fluid Thermodynamic and Transport Properties Database（Refprop 9.0）を使用し、以下の条件で混合冷媒の冷凍サイクル理論計算を実施することにより求めた。
蒸発温度    −４０℃
凝縮温度      ４０℃
過熱温度      ２０Ｋ
過冷却温度      ０Ｋ
圧縮機効率    ７０％
試験例１の結果を表２０５及び表２０６に示す。表２０５及び２０６は、本開示の冷媒２Ａ１の実施例及び比較例を示している。表２０５及び２０６中、「COP比（対R404A）」及び「冷凍能力比（対R404A）」とは、R404Aに対する割合（%）を示す。表２０５及び２０６中、「飽和圧力（40℃）」とは、飽和温度40℃における飽和圧力を示す。
【０３６６】
成績係数（COP）は、次式により求めた。
COP=（冷凍能力又は暖房能力）／消費電力量
混合冷媒の燃焼性は、混合冷媒の混合組成をWCF濃度とし、ANSI/ASHRAE34-2013規格に従い燃焼速度を測定することにより、判断した。
【０３６７】
燃焼速度試験は以下の通り行った。まず、使用した混合冷媒は99.5%又はそれ以上の純度とし、真空ゲージ上に空気の痕跡が見られなくなるまで凍結、ポンピング及び解凍のサイクルを繰り返すことにより脱気した。閉鎖法により燃焼速度を測定した。初期温度は周囲温度とした。点火は、試料セルの中心で電極間に電気的スパークを生じさせることにより行った。放電の持続時間は1.0〜9.9msとし、点火エネルギーは典型的には約0.1〜1.0Jであった。シュリーレン写真を使って炎の広がりを視覚化した。光を通す2つのアクリル窓を備えた円筒形容器（内径：155mm、長さ：198mm）を試料セルとして用い、光源としてはキセノンランプを用いた。炎のシュリーレン画像を高速デジタルビデオカメラで600fpsのフレーミング速度で記録し、PCに保存した。燃焼速度が計測できない場合（0cm/s）は「なし（不燃）」とした。
【０３６８】
混合冷媒の燃焼範囲は、ASTM E681-09に基づく測定装置（図１Ｔを参照）を用いて測定を実施した。具体的には、燃焼の状態が目視および録画撮影できるように内容積12リットルの球形ガラスフラスコを使用し、ガラスフラスコは燃焼により過大な圧力が発生した際には上部のふたからガスが開放されるようにした。着火方法は底部から1/3の高さに保持された電極からの放電により発生させた。
【０３６９】
＜試験条件＞
試験容器：280mmφ球形（内容積：12リットル）
試験温度：60℃±3℃
圧力：101.3kPa±0.7kPa
水分：乾燥空気1gにつき0.0088g±0.0005g（23℃における相対湿度50％の水分量）
冷媒組成物／空気混合比：1vol.%刻み±0.2vol.%
冷媒組成物混合：±0.1質量%
点火方法：交流放電、電圧15kV、電流30mA、ネオン変圧器
電極間隔：6.4mm（1/4inch）
スパーク：0.4秒±0.05秒
判定基準：
・着火点を中心に90度より大きく火炎が広がった場合＝火炎伝播あり（可燃）
・着火点を中心に90度以下の火炎の広がりだった場合＝火炎伝播なし（不燃）
【０３７０】
【表２０５】
2020017521.tif 000065
【０３７１】
【表２０６】
2020017521.tif 000066
【０３７２】
試験例２
実施例２−１〜２−１１、比較例２−１〜２−５及び参考例２−１（R404A）に示される混合冷媒のGWPは、IPCC第4次報告書の値に基づいて評価した。
【０３７３】
これらの混合冷媒のCOP、冷凍能力及び40℃での飽和圧力は、National Institute of Science and Technology（NIST）、Reference Fluid Thermodynamic and Transport Properties Database（Refprop 9.0）を使用し、以下の条件で混合冷媒の冷凍サイクル理論計算を実施することにより求めた。
蒸発温度    −４０℃
凝縮温度      ４０℃
過熱温度      ２０Ｋ
過冷却温度      ０Ｋ
圧縮機効率    ７０％
試験例２の結果を表２０７及び２０８に示す。表２０７及び２０８は、本開示の冷媒２Ａ２の実施例及び比較例を示している。表２０７及び２０８中、各用語の意味は、試験例１と同様である。
【０３７４】
成績係数（COP）は、次式により求めた。
COP=（冷凍能力又は暖房能力）／消費電力量
混合冷媒の燃焼性は、試験例１と同様にして判断した。燃焼速度試験は、試験例１と同様にして行った。
【０３７５】
混合冷媒の燃焼範囲は、ASTM E681-09に基づく測定装置（図１Ｔを参照）を用いて、試験例１と同様の方法及び試験条件で測定した。
【０３７６】
【表２０７】
2020017521.tif 000067
【０３７７】
【表２０８】
2020017521.tif 000068
【０３７８】
（１−６−２）冷媒２Ｂ
冷媒２Ｂは、HFO-1132(E)、HFO-1123及びHFO-1234yfを必須成分として含有する混合冷媒である。以下、本項目において、HFO-1132(E)、HFO-1123及びHFO-1234yfを「三成分」とも称する。
【０３７９】
冷媒２Ｂ全体における、三成分の総濃度は99.5質量%以上である。換言すると、冷媒２Ｂは、三成分をこれらの濃度の総和で99.5質量%以上含有する。
【０３８０】
冷媒２Ｂにおいて、三成分の質量比は、該三成分を各頂点とする三角組成図において、
点A（HFO-1132(E)/HFO-1123/HFO-1234yf=42.5/1.0/56.5質量%）、
点B（HFO-1132(E)/HFO-1123/HFO-1234yf=27.1/1.0/71.9質量%）、
点C（HFO-1132(E)/HFO-1123/HFO-1234yf=1.0/30.4/68.6質量%）、
点D（HFO-1132(E)/HFO-1123/HFO-1234yf=1.0/57.0/42.0質量%）及び
点E（HFO-1132(E)/HFO-1123/HFO-1234yf=42.5/24.1/33.4質量%）
の5点を通る図形で囲まれた領域の範囲内にある。
【０３８１】
言い換えれば、冷媒２Ｂにおいて、三成分の質量比は、該三成分を各頂点とする図２Ｃの三角組成図に示される：
点A（HFO-1132(E)/HFO-1123/HFO-1234yf=42.5/1.0/56.5質量%）、
点B（HFO-1132(E)/HFO-1123/HFO-1234yf=27.1/1.0/71.9質量%）、
点C（HFO-1132(E)/HFO-1123/HFO-1234yf=1.0/30.4/68.6質量%）、
点D（HFO-1132(E)/HFO-1123/HFO-1234yf=1.0/57.0/42.0質量%）及び
点E（HFO-1132(E)/HFO-1123/HFO-1234yf=42.5/24.1/33.4質量%）
の5点をそれぞれ結ぶ直線a、曲線b、直線c、曲線d及び直線eで囲まれた領域の範囲内にある。
【０３８２】
本項目において、三成分を各頂点とする三角組成図とは、図２Ｃに示すように、上記三成分（HFO-1132(E)、HFO-1123及びHFO-1234yf）を頂点とし、HFO-1132(E)、HFO-1123及びHFO-1234yfの濃度の総和を100質量%とする三成分組成図を意味する。
【０３８３】
冷媒２Ｂは、このような構成を有することによって、（1）GWPが十分に小さいこと（125以下）、（2）R404Aの代替冷媒として用いた場合に、R404Aと同等又はそれ以上の冷凍能力を有すること、（3）R404Aと同等以上の成績係数（COP）を有すること、並びに（4）ANSI/ASHRAE34-2013規格に従い測定された燃焼速度が5cm/s以下であること、という諸特性を有する。
【０３８４】
本開示において、R404Aと同等以上の成績係数（COP）とは、R404Aに対するCOP比が100%以上（好ましくは101%以上、より好ましくは102%以上、特に好ましくは103%以上）であることを意味する。
【０３８５】
本開示において、R404Aと同等又はそれ以上の冷凍能力とは、R404Aに対する冷凍能力比が85%以上（好ましくは90%以上、より好ましくは95%以上、更に好ましくは100%以上、特に好ましくは102%以上）であることを意味する。
【０３８６】
本開示において、GWPが十分に小さいとは、GWPが125以下、好ましくは110以下、より好ましくは100以下、特に好ましくは75以下であることを意味する。
【０３８７】
図２Ｃにおいて、点A、点B、点C、点D及び点Eは白抜き丸（○）で示される、上記座標を持つ点である。
【０３８８】
点A、B、C、D及びEの技術的意味は次の通りである。また、各点の濃度（質量%）は、後述の実施例で求めた値と同一である。
A：ANSI/ASHRAE34-2013規格に従い測定された燃焼速度が3.0cm/sであって、HFO-1123の濃度（質量%）が1.0質量%である質量比
B：HFO-1123の濃度（質量%）が1.0質量%であって、冷凍能力がR404Aに対して85%である質量比
C：冷凍能力がR404Aに対して85%であって、HFO-1132(E)の濃度（質量%）が1.0質量%である質量比
D：HFO-1132(E)の濃度（質量%）が1.0質量%であって、40℃での飽和圧力が2.25MPaである質量比
E：40℃での飽和圧力が2.25MPaであって、ANSI/ASHRAE34-2013規格に従い測定された燃焼速度が3.0cm/sである質量比
「ANSI/ASHRAE34-2013規格に従い測定された燃焼速度が3.0cm/s」とは、ANSI/ASHRAE34-2013規格でのクラス2L(微燃)に区分するための基準である燃焼速度（10cm/s）の半分未満の数値であり、クラス2Lに規定される冷媒の中でも比較的安全であることを意味する。
具体的には、「燃焼速度（10cm/s）の半分未満の数値」であると、万が一着火した場合にも火炎が伝播しにくいという点で比較的安全である。なお、以下ANSI/ASHRAE34-2013規格に従い測定された燃焼速度を、単に「燃焼速度」とも称する。
【０３８９】
冷媒２Ｂにおいて、三成分の混合冷媒の燃焼速度は、0超2.5cm/s以下が好ましく、0超2.0cm/s以下がより好ましく、0超1.5cm/s以下が更に好ましい。
【０３９０】
点A及びBは、いずれも直線a上にある。すなわち、線分ABは直線aの一部である。直線aは、HFO-1123の濃度（質量%）が1.0質量%である質量比を示す直線である。直線aよりも三角組成図の頂点HFO-1123側の領域では、三成分の混合冷媒のHFO-1123の濃度が1.0質量%を超える。
【０３９１】
図２Ｃにおいて、HFO-1132(E)の質量%＝x、HFO-1123の質量%＝y及びHFO-1234yfの質量%＝zとするとき、HFO-1123の濃度が1.0質量%である質量比を示す線分は、以下の式によって表わされる線分に近似される。
【０３９２】
HFO-1123の濃度（質量%）が1.0質量%である質量比を示す線分：点A及び点Bの二点を結ぶ直線cの一部（図２Ｃの線分AB）
y=1.0
z=100-x-y
27.1≦x≦42.5
点B及びCは、いずれも曲線b上にある。曲線bは、冷凍能力がR404Aに対して85%である質量比を示す曲線である。曲線bよりも三角組成図の頂点HFO-1132(E)側及び頂点HFO-1123側の領域では、三成分の混合冷媒の冷凍能力がR404Aに対して85%を超える。
【０３９３】
曲線bは次のようにして求められる。
【０３９４】
表２０９は、HFO-1132(E)=1.0、15.0、27.1質量%（mass%）であるときに対R404Aとの冷凍能力比が85%である3点を示す。曲線bはこの3点を結ぶ線で示され、ここでHFO-1132(E)の質量%=x、HFO-1123の質量%=y及びHFO-1234yfの質量%=zとした場合、曲線bは最小二乗法により表２０９の式で近似される。
【０３９５】
【表２０９】
2020017521.tif 000069
【０３９６】
点C及びDは、いずれも直線c上にある。すなわち、線分CDは直線cの一部である。直線cは、HFO-1132(E)の濃度（質量%）が1.0質量%である質量比を示す直線である。直線cよりも三角組成図の頂点HFO-1132(E)側の領域では、三成分の混合冷媒のHFO-1132(E)の濃度が1.0質量%を超える。
【０３９７】
図２Ｃにおいて、HFO-1132(E)の質量%=x、HFO-1123の質量%=y及びHFO-1234yfの質量%=zとするとき、HFO-1132(E)の濃度（質量%）が1.0質量%である質量比を示す線分は、以下の式によって表わされる線分に近似される。
【０３９８】
HFO-1132(E)の濃度（質量%）が1.0質量%である質量比を示す線分：点C及び点Dの二点を結ぶ直線cの一部（図２Ｃの線分CD）
x=1.0
z=100-x-y
30.4≦y≦57.0
点D及びEは、いずれも曲線d上にある。曲線dは、40℃での飽和圧力が2.25MPaである質量比を示す曲線である。曲線dよりも三角組成図の頂点HFO-1234yf側の領域では、三成分の混合冷媒は、40℃での飽和圧力が2.25MPa未満である。
【０３９９】
曲線dは次のようにして求められる。
【０４００】
表２１０は、HFO-1132(E)=1.0、20.0、42.5質量%であるときに40℃での飽和圧力が2.25MPaである3点を示す。曲線dはこの3点を結ぶ線で示され、ここでHFO-1132(E)の質量%=x、HFO-1123の質量%=y及びHFO-1234yfの質量%=zとした場合、曲線dは最小二乗法により表２１０の式で近似される。
【０４０１】
【表２１０】
2020017521.tif 000070
【０４０２】
点A及びEは、いずれも直線e上にある。直線eは、燃焼速度が3.0cm/sになる質量比を示す直線である。直線eよりも三角組成図の頂点HFO-1234yf側及び頂点HFO-1123側の領域では、三成分の混合冷媒は、燃焼速度が3.0cm/s未満である。
【０４０３】
図２Ｃにおいて、HFO-1132(E)の質量%＝x、HFO-1123の質量%＝y及びHFO-1234yfの質量%＝zとするとき、燃焼速度が3.0cm/sである質量比は、以下の式によって表わされる線分に近似される。
【０４０４】
燃焼速度が3.0cm/sである質量比を示す線分：点A及び点Eの二点を結ぶ直線eの一部（図２Ｃの線分AE）
x=42.5
z=100-x-y
1.0≦y≦24.1
HFO-1132(E)、HFO-1123及びHFO-1234yfの三元混合冷媒は、点A、B、C、D及びEの5点をそれぞれ結ぶ線で囲まれた領域（ABCDE領域）の範囲内の質量比において、（1）GWPが125以下であること、（2）冷凍能力が対R404A比で85%以上であること、（3）40℃での飽和圧力が2.25MPa以下であること、及び（4）燃焼速度が3.0cm/s以下であること、という諸特性を有する。
【０４０５】
冷媒２Ｂにおいて、三成分の質量比は、該三成分を各頂点とする三角組成図において、
点A（HFO-1132(E)/HFO-1123/HFO-1234yf=42.5/1.0/56.5質量%）、
点B（HFO-1132(E)/HFO-1123/HFO-1234yf=27.1/1.0/71.9質量%）、
点C（HFO-1132(E)/HFO-1123/HFO-1234yf=1.0/30.4/68.6質量%）、
点F（HFO-1132(E)/HFO-1123/HFO-1234yf=1.0/52.2/46.8質量%）及び
点G（HFO-1132(E)/HFO-1123/HFO-1234yf=42.5/18.9/38.6質量%）
の5点を通る図形で囲まれた領域の範囲内にあることが好ましい。
【０４０６】
言い換えれば、冷媒２Ｂにおいて、三成分の質量比は、該三成分を各頂点とする図２Ｃの三角組成図に示される：
点A（HFO-1132(E)/HFO-1123/HFO-1234yf=42.5/1.0/56.5質量%）、
点B（HFO-1132(E)/HFO-1123/HFO-1234yf=27.1/1.0/71.9質量%）、
点C（HFO-1132(E)/HFO-1123/HFO-1234yf=1.0/30.4/68.6質量%）、
点F（HFO-1132(E)/HFO-1123/HFO-1234yf=1.0/52.2/46.8質量%）及び
点G（HFO-1132(E)/HFO-1123/HFO-1234yf=42.5/18.9/38.6質量%）
の5点をそれぞれ結ぶ直線a、曲線b、直線c、曲線f及び直線eで囲まれた領域の範囲内にあることが好ましい。
【０４０７】
上記三成分を各頂点とする三角組成図については、上記の通りである。
【０４０８】
図２Ｃにおいて、点A、点B、点C、点F及び点Gは白抜き丸（○）で示される、上記座標を持つ点である。
【０４０９】
点A、B及びCの技術的意味は、上記の通りである。
【０４１０】
点F及びGの技術的意味は次の通りである。また、各点の濃度（質量%）は、後述の実施例で求めた値と同一である。
F：HFO-1132(E)の濃度（質量%）が1.0質量%であって、40℃での飽和圧力が2.15MPaである質量比
G：40℃での飽和圧力が2.15MPaであって、ANSI/ASHRAE34-2013規格に従い測定された燃焼速度が3.0cm/sである質量比
直線a、曲線b、直線c及び直線eについては、上記の通りである。点Fは直線c上にあり、点Gは直線e上にある。
【０４１１】
点F及びGは、いずれも曲線f上にある。曲線fは、40℃での飽和圧力が2.15MPaである質量比を示す曲線である。曲線fよりも三角組成図の頂点HFO-1234yf側の領域では、三成分の混合冷媒は、40℃での飽和圧力が2.15MPa未満である。
【０４１２】
曲線fは次のようにして求められる。
【０４１３】
表２１１は、HFO-1132(E)=1.0、20.0、42.5質量%であるときに40℃での飽和圧力が2.25MPaである3点を示す。曲線fはこの3点を結ぶ線で示され、ここでHFO-1132(E)の質量%=x、HFO-1123の質量%=y及びHFO-1234yfの質量%=zとした場合、曲線fは最小二乗法により表２１１の式で近似される。
【０４１４】
【表２１１】
2020017521.tif 000071
【０４１５】
HFO-1132(E)、HFO-1123及びHFO-1234yfの三元混合冷媒は、点A、B、C、F及びGの5点をそれぞれ結ぶ線で囲まれた領域（ABCFG領域）の範囲内の質量比において、（1）GWPが125以下であること、（2）冷凍能力が対R404A比で85%以上であること、（3）40℃での飽和圧力が2.15MPa以下であること、及び（4）燃焼速度が3.0cm/s以下であること、という諸特性を有する。
【０４１６】
冷媒２Ｂにおいて、三成分の質量比は、該三成分を各頂点とする三角組成図において、
点A（HFO-1132(E)/HFO-1123/HFO-1234yf=42.5/1.0/56.5質量%）、
点B（HFO-1132(E)/HFO-1123/HFO-1234yf=27.1/1.0/71.9質量%）、
点C（HFO-1132(E)/HFO-1123/HFO-1234yf=1.0/30.4/68.6質量%）、
点H（HFO-1132(E)/HFO-1123/HFO-1234yf=1.0/35.2/63.8質量%）、
点I（HFO-1132(E)/HFO-1123/HFO-1234yf=27.4/29.8/42.8質量%）及び
点G（HFO-1132(E)/HFO-1123/HFO-1234yf=42.5/18.9/38.6質量%）
の6点を通る図形で囲まれた領域の範囲内にあることが好ましい。
【０４１７】
言い換えれば、冷媒２Ｂにおいて、三成分の質量比は、該三成分を各頂点とする図２Ｃの三角組成図に示される：
点A（HFO-1132(E)/HFO-1123/HFO-1234yf=42.5/1.0/56.5質量%）、
点B（HFO-1132(E)/HFO-1123/HFO-1234yf=27.1/1.0/71.9質量%）、
点C（HFO-1132(E)/HFO-1123/HFO-1234yf=1.0/30.4/68.6質量%）、
点H（HFO-1132(E)/HFO-1123/HFO-1234yf=1.0/35.2/63.8質量%）、
点I（HFO-1132(E)/HFO-1123/HFO-1234yf=27.4/29.8/42.8質量%）及び
点G（HFO-1132(E)/HFO-1123/HFO-1234yf=42.5/18.9/38.6質量%）
の6点をそれぞれ結ぶ直線a、曲線b、直線c、曲線g、曲線f及び直線eで囲まれた領域の範囲内にあることが好ましい。
【０４１８】
上記三成分を各頂点とする三角組成図については、上記の通りである。
【０４１９】
図２Ｃにおいて、点A、点B、点C、点G、点H及び点Iは白抜き丸（○）で示される、上記座標を持つ点である。
【０４２０】
点A、B、C及びGの技術的意味は、上記の通りである。
【０４２１】
点H及びIの技術的意味は次の通りである。また、各点の濃度（質量%）は、後述の実施例で求めた値と同一である。
H：HFO-1132(E)の濃度（質量%）が1.0質量%であって、COPがR404Aに対して100%である質量比
I：COPがR404Aに対して100%であって、40℃での飽和圧力が2.15MPaである質量比
直線a、曲線b、直線c、直線e及び曲線fについては、上記の通りである。点Hは直線c上にあり、点Iは曲線f上にある。
【０４２２】
点H及びIは、いずれも曲線g上にある。曲線gは、COPがR404Aに対して100%である質量比を示す曲線である。曲線gよりも三角組成図の頂点HFO-1132(E)側及び頂点HFO-1234yf側の領域では、三成分の混合冷媒は、COPがR404Aに対して100%未満である。
【０４２３】
曲線gは次のようにして求められる。
【０４２４】
表２１２は、HFO-1132(E)=1.0、20.0、42.5質量%であるときに40℃での飽和圧力が2.25MPaである3点を示す。曲線fはこの3点を結ぶ線で示され、ここでHFO-1132(E)の質量%=x、HFO-1123の質量%=y及びHFO-1234yfの質量%=zとした場合、曲線fは最小二乗法により表２１２の式で近似される。
【０４２５】
【表２１２】
2020017521.tif 000072
【０４２６】
HFO-1132(E)、HFO-1123及びHFO-1234yfの三元混合冷媒は、点A、B、C、H、I及びGの6点をそれぞれ結ぶ線で囲まれた領域（ABCHIG領域）の範囲内の質量比において、（1）GWPが125以下であること、（2）冷凍能力が対R404A比で85%以上であること、（3）COPが対R404A比で100%以上であること、（4）40℃での飽和圧力が2.15MPa以下であること、及び（5）燃焼速度が3.0cm/s以下であること、という諸特性を有する。
【０４２７】
冷媒２Ｂは、HFO-1132(E)、HFO-1123及びHFO-1234yfをこれらの濃度の総和で99.5質量%以上含有するが、その中でも、冷媒２Ｂ全体におけるHFO-1132(E)、HFO-1123及びHFO-1234yfの合計量が99.7質量%以上であれば好ましく、99.8質量%以上であればより好ましく、99.9質量%以上であれば更に好ましい。
【０４２８】
冷媒２Ｂは、上記の特性を損なわない範囲内で、HFO-1132(E)、HFO-1123及びHFO-1234yfに加えて、更に他の冷媒を含むことができる。この場合、冷媒２Ｂ全体における他の冷媒の含有割合は0.5質量%以下が好ましく、0.3質量%以下がより好ましく、0.2質量%以下が更に好ましく、0.1質量%以下が特に好ましい。他の冷媒としては、特に限定されず、この分野で広く使用されている公知の冷媒の中から幅広く選択できる。冷媒２Ｂは、他の冷媒を単独で含んでいてもよいし、他の冷媒を2種以上含んでいてもよい。
【０４２９】
冷媒２Ｂは、HFO-1132(E)、HFO-1123及びHFO-1234yfのみからなることが特に好ましい。換言すると、冷媒２Ｂは、冷媒２Ｂ全体におけるHFO-1132(E)、HFO-1123及びHFO-1234yfの総濃度が100質量%であることが特に好ましい。
【０４３０】
冷媒２Ｂは、HFO-1132(E)、HFO-1123及びHFO-1234yfのみからなる場合、三成分の質量比は、該三成分を各頂点とする三角組成図において、
点A（HFO-1132(E)/HFO-1123/HFO-1234yf=42.5/1.0/56.5質量%）、
点B（HFO-1132(E)/HFO-1123/HFO-1234yf=27.1/1.0/71.9質量%）、
点C（HFO-1132(E)/HFO-1123/HFO-1234yf=1.0/30.4/68.6質量%）、
点D（HFO-1132(E)/HFO-1123/HFO-1234yf=1.0/57.0/42.0質量%）及び
点E（HFO-1132(E)/HFO-1123/HFO-1234yf=42.5/24.1/33.4質量%）
の5点を通る図形で囲まれた領域の範囲内にあることが好ましい。
【０４３１】
点A、B、C、D及びEの技術的意味は、上記の通りである。点A、B、C、D及びEの5点を通る図形で囲まれた領域については、上記の通りである。
【０４３２】
この場合、HFO-1132(E)、HFO-1123及びHFO-1234yfの三元混合冷媒は、点A、B、C、D及びEの5点をそれぞれ結ぶ線で囲まれた領域（ABCDE領域）の範囲内の質量比において、（1）GWPが125以下であること、（2）冷凍能力が対R404A比で85%以上であること、（3）40℃での飽和圧力が2.25MPa以下であること、及び（4）燃焼速度が3.0cm/s以下であること、という諸特性を有する。
【０４３３】
冷媒２Ｂは、HFO-1132(E)、HFO-1123及びHFO-1234yfのみからなる場合、三成分の質量比は、該三成分を各頂点とする三角組成図において、
点A（HFO-1132(E)/HFO-1123/HFO-1234yf=42.5/1.0/56.5質量%）、
点B（HFO-1132(E)/HFO-1123/HFO-1234yf=27.1/1.0/71.9質量%）、
点C（HFO-1132(E)/HFO-1123/HFO-1234yf=1.0/30.4/68.6質量%）、
点F（HFO-1132(E)/HFO-1123/HFO-1234yf=1.0/52.2/46.8質量%）及び
点G（HFO-1132(E)/HFO-1123/HFO-1234yf=42.5/18.9/38.6質量%）
の5点を通る図形で囲まれた領域の範囲内にあることがより好ましい。
【０４３４】
点A、B、C、F及びGの技術的意味は、上記の通りである。点A、B、C、F及びGの5点を通る図形で囲まれた領域については、上記の通りである。
【０４３５】
この場合、HFO-1132(E)、HFO-1123及びHFO-1234yfの三元混合冷媒は、点A、B、C、F及びGの5点をそれぞれ結ぶ線で囲まれた領域（ABCFG領域）の範囲内の質量比において、（1）GWPが125以下であること、（2）冷凍能力が対R404A比で85%以上であること、（3）40℃での飽和圧力が2.15MPa以下であること、及び（4）燃焼速度が3.0cm/s以下であること、という諸特性を有する。
【０４３６】
冷媒２Ｂは、HFO-1132(E)、HFO-1123及びHFO-1234yfのみからなる場合、三成分の質量比は、該三成分を各頂点とする三角組成図において、
点A（HFO-1132(E)/HFO-1123/HFO-1234yf=42.5/1.0/56.5質量%）、
点B（HFO-1132(E)/HFO-1123/HFO-1234yf=27.1/1.0/71.9質量%）、
点C（HFO-1132(E)/HFO-1123/HFO-1234yf=1.0/30.4/68.6質量%）、
点H（HFO-1132(E)/HFO-1123/HFO-1234yf=1.0/35.2/63.8質量%）、
点I（HFO-1132(E)/HFO-1123/HFO-1234yf=27.4/29.8/42.8質量%）及び
点G（HFO-1132(E)/HFO-1123/HFO-1234yf=42.5/18.9/38.6質量%）
の6点を通る図形で囲まれた領域の範囲内にあることが更に好ましい。
【０４３７】
点A、B、C、G、H及びIの技術的意味は、上記の通りである。点A、B、C、H、I及びGの6点を通る図形で囲まれた領域については、上記の通りである。
【０４３８】
この場合、HFO-1132(E)、HFO-1123及びHFO-1234yfの三元混合冷媒は、点A、B、C、H、I及びGの6点をそれぞれ結ぶ線で囲まれた領域（ABCHIG領域）の範囲内の質量比において、（1）GWPが125以下であること、（2）冷凍能力が対R404A比で85%以上であること、（3）COPが対R404A比で100%以上であること、（4）40℃での飽和圧力が2.15MPa以下であること、及び（5）燃焼速度が3.0cm/s以下であること、という諸特性を有する。
【０４３９】
冷媒２Ｂは、GWPが125以下であることによって、地球温暖化の観点から他の汎用冷媒と比べて顕著に環境負荷を抑えることができる。
【０４４０】
［冷媒２Ｂの実施例］
以下に、実施例を挙げて更に詳細に説明する。ただし、本開示は、これらの実施例に限定されるものではない。
【０４４１】
試験例１
実施例１〜３８、比較例１〜９及び参考例１（R404A）に示される混合冷媒のGWPは、IPCC（Intergovernmental Panel on Climate Change）第4次報告書の値に基づいて評価した。
【０４４２】
これらの混合冷媒のCOP、冷凍能力及び40℃での飽和圧力は、National Institute of Science and Technology（NIST）、Reference Fluid Thermodynamic and Transport Properties Database（Refprop 9.0）を使用し、以下の条件で混合冷媒の冷凍サイクル理論計算を実施することにより求めた。
蒸発温度    −４０℃
凝縮温度      ４０℃
過熱温度      ２０Ｋ
過冷却温度      ０Ｋ
圧縮機効率    ７０％
試験例１の結果を表２１３〜２１６に示す。表２１３〜２１６中、「COP比（対R404A）」及び「冷凍能力比（対R404A）」とは、R404Aに対する割合（%）を示す。表２１３〜２１６中、「飽和圧力（40℃）」とは、飽和温度40℃における飽和圧力を示す。
【０４４３】
成績係数（COP）は、次式により求めた。
COP=（冷凍能力又は暖房能力）／消費電力量
混合冷媒の燃焼性は、混合冷媒の混合組成をWCF濃度とし、ANSI/ASHRAE34-2013規格に従い燃焼速度を測定することにより、判断した。
【０４４４】
燃焼速度試験は以下の通り行った。まず、使用した混合冷媒は99.5%又はそれ以上の純度とし、真空ゲージ上に空気の痕跡が見られなくなるまで凍結、ポンピング及び解凍のサイクルを繰り返すことにより脱気した。閉鎖法により燃焼速度を測定した。初期温度は周囲温度とした。点火は、試料セルの中心で電極間に電気的スパークを生じさせることにより行った。放電の持続時間は1.0〜9.9msとし、点火エネルギーは典型的には約0.1〜1.0Jであった。シュリーレン写真を使って炎の広がりを視覚化した。光を通す2つのアクリル窓を備えた円筒形容器（内径：155mm、長さ：198mm）を試料セルとして用い、光源としてはキセノンランプを用いた。炎のシュリーレン画像を高速デジタルビデオカメラで600fpsのフレーミング速度で記録し、PCに保存した。燃焼速度が計測できない場合（0cm/s）は「なし（不燃）」とした。
【０４４５】
混合冷媒の燃焼範囲は、ASTM E681-09に基づく測定装置（図１Ｔを参照）を用いて測定を実施した。具体的には、燃焼の状態が目視および録画撮影できるように内容積12リットルの球形ガラスフラスコを使用し、ガラスフラスコは燃焼により過大な圧力が発生した際には上部のふたからガスが開放されるようにした。着火方法は底部から1/3の高さに保持された電極からの放電により発生させた。
【０４４６】
＜試験条件＞
試験容器：280mmφ球形（内容積：12リットル）
試験温度：60℃±3℃
圧力：101.3kPa±0.7kPa
水分：乾燥空気1gにつき0.0088g±0.0005g（23℃における相対湿度50％の水分量）
冷媒組成物／空気混合比：1vol.%刻み±0.2vol.%
冷媒組成物混合：±0.1質量%
点火方法：交流放電、電圧15kV、電流30mA、ネオン変圧器
電極間隔：6.4mm（1/4inch）
スパーク：0.4秒±0.05秒
判定基準：
・着火点を中心に90度より大きく火炎が広がった場合＝火炎伝播あり（可燃）
・着火点を中心に90度以下の火炎の広がりだった場合＝火炎伝播なし（不燃）
【０４４７】
【表２１３】
2020017521.tif 000073
【０４４８】
【表２１４】
2020017521.tif 000074
【０４４９】
【表２１５】
2020017521.tif 000075
【０４５０】
【表２１６】
2020017521.tif 000076
【０４５１】
（１−６−３）冷媒２Ｃ
冷媒２Ｃは、一つの態様において、HFO-1132(E)及びHFO-1234yfを含有し、HFO-1132(E)及びHFO-1234yfの全質量に対して、HFO-1132(E)の含有割合は35.0〜65.0質量%であり、HFO-1234yfの含有割合は65.0〜35.0質量%である。この冷媒を「冷媒２Ｃ１」ということがある。
【０４５２】
（１−６−３−１）冷媒２Ｃ１
冷媒２Ｃ１は、上述の構成を有することによって、（1）GWPが十分小さいこと（100以下）、（2）R404Aと同等又はそれ以上のCOPを有すること、及び（3）R404Aと同等又はそれ以上の冷凍能力を有すること、という諸特性を有する。
【０４５３】
冷媒２Ｃ１において、HFO-1132(E)及びHFO-1234yfの全質量に対する、HFO-1132(E)の含有割合が35.0質量%以上であることにより、R404Aと同等又はそれ以上の冷凍能力が得られる。
また、冷媒２Ｃ１において、HFO-1132(E)及びHFO-1234yfの全質量に対する、HFO-1132(E)の含有割合が65.0質量%以下であることにより、冷媒２Ｃ１の冷凍サイクルにおける飽和温度40℃の飽和圧力を好適な範囲（特に2.10Mpa以下）に維持することができる。
【０４５４】
冷媒２Ｃ１において、R404Aに対する冷凍能力が95%以上であればよいが、98%以上であることが好ましく、100%以上であることがより好ましく、101%以上であることが更に好ましく、102%以上であることが特に好ましい。
【０４５５】
冷媒２Ｃ１は、GWPが100以下であることによって、地球温暖化の観点から他の汎用冷媒と比べて顕著に環境負荷を抑えることができる。
【０４５６】
冷媒２Ｃ１は、エネルギー消費効率の点から、R404Aに対する冷凍サイクルで消費された動力と冷凍能力の比（成績係数（COP））が高いことが好ましく、具体的には、R404Aに対するCOPは98%以上であることが好ましく、100％以上であることがより好ましく、102％以上であることが特に好ましい。
【０４５７】
冷媒２Ｃ１において、HFO-1132(E)及びHFO-1234yfの全質量に対して、HFO-1132(E)の含有割合が40.5〜59.0質量%であり、HFO-1234yfの含有割合が59.5〜41.0質量%であることが好ましい。この場合、冷媒２Ｃ１はGWPが100以下であり、R404Aに対するCOPが101％以上であり、且つR404Aに対する冷凍能力が99％以上となる。更にこの場合、冷媒２Ｃ１は、飽和温度40℃における飽和圧力が、1.75MPa以上2.00MPa以下となるため、市販のR404A用冷凍装置に対して大きな設計変更なく適用することができる。
【０４５８】
冷媒２Ｃ１において、HFO-1132(E)及びHFO-1234yfの全質量に対して、HFO-1132(E)の含有割合が41.3〜59.0質量%であり、HFO-1234yfの含有割合が58.7〜41.0質量%であることがより好ましい。この場合、冷媒２Ｃ１はGWPが100以下であり、R404Aに対するCOPが101％以上であり、且つR404Aに対する冷凍能力が99.5％以上となる。更にこの場合、冷媒２Ｃ１は、飽和温度40℃における飽和圧力が、1.76MPa以上2.00MPa以下となるため、市販のR404A用冷凍装置に対して大きな設計変更なく適用することができる。
【０４５９】
冷媒２Ｃ１において、HFO-1132(E)及びHFO-1234yfの全質量に対して、HFO-1132(E)の含有割合が41.3〜55.0質量%であり、HFO-1234yfの含有割合が58.7〜45.0質量%であることが更に好ましい。この場合、冷媒２Ｃ１はGWPが100以下であり、R404Aに対するCOPが101％以上であり、且つR404Aに対する冷凍能力が99.5％以上となる。更にこの場合、冷媒２Ｃ１は、飽和温度40℃における飽和圧力が、1.76MPa以上1.95MPa以下となり、市販のR404A用冷凍装置に対して大きな設計変更なく適用することができる。
【０４６０】
冷媒２Ｃ１において、HFO-1132(E)及びHFO-1234yfの全質量に対して、HFO-1132(E)の含有割合が41.3〜53.5質量%であり、HFO-1234yfの含有割合が58.7〜46.5質量%であることが特に好ましい。この場合、冷媒２Ｃ１はGWPが100以下であること、R404Aに対するCOPが102％以上であり、且つR404Aに対する冷凍能力が99.5％以上となること、及びASHRAEの規格で微燃性（クラス2L）であることという、諸特性を有する。更にこの場合、冷媒２Ｃ１は、飽和温度40℃の飽和圧力が、1.76MPa以上1.94MPa以下となり、市販のR404A用冷凍装置に対して大きな設計変更なく適用することができる。
【０４６１】
冷媒２Ｃ１において、HFO-1132(E)及びHFO-1234yfの全質量に対して、HFO-1132(E)の含有割合が41.3〜51.0質量%であり、HFO-1234yfの含有割合が58.7〜49.0質量%であることが格別に好ましい。この場合、冷媒２Ｃ１はGWPが100以下であること、R404Aに対するCOPが102％以上であり、且つR404Aに対する冷凍能力が99％以上となること、及びASHRAEの規格で微燃性（クラス2L）であることという、諸特性を有する。更にこの場合、冷媒２Ｃ１は、飽和温度40℃の飽和圧力が、1.76MPa以上1.90MPa以下となり、市販のR404A用冷凍装置に対して大きな設計変更なく適用することができる。
【０４６２】
冷媒２Ｃ１において、HFO-1132(E)及びHFO-1234yfの全質量に対して、HFO-1132(E)の含有割合が41.3〜49.2質量%であり、HFO-1234yfの含有割合が58.7〜50.8質量%であることが最も好ましい。この場合、冷媒２Ｃ１はGWPが100以下であること、R404Aに対するCOPが102％以上であり、且つR404Aに対する冷凍能力が99.5％以上となること、及びASHRAEの規格で微燃性（クラス2L）であることという、諸特性を有する。更にこの場合、冷媒２Ｃ１は、飽和温度40℃の飽和圧力が、1.76MPa以上1.88MPa以下となり、市販のR404A用冷凍装置に対して大きな設計変更なく適用することができる。
【０４６３】
冷媒２Ｃ１において、飽和温度40℃の飽和圧力は通常2.10MPa以下、好ましくは2.00MPa以下、より好ましくは1.95MPa以下、更に好ましくは1.90MPa以下、特に好ましくは1.88MPa以下である。飽和温度40℃の飽和圧力がこのような範囲にあれば、市販のR404A用冷凍装置に対して大きな設計変更なく冷媒２Ｃ１を適用することができる。
【０４６４】
冷媒２Ｃ１において、飽和温度40℃の飽和圧力は通常1.70MPa以上、好ましくは1.73MPa以上、より好ましくは1.74MPa以上、更に好ましくは1.75MPa以上、特に好ましくは1.76MPa以上である。飽和温度40℃の飽和圧力がこのような範囲にあれば、市販のR404A用冷凍装置に対して大きな設計変更なく冷媒２Ｃ１を適用することができる。
【０４６５】
本開示において、冷凍サイクルを運転するために冷媒２Ｃ１を使用した場合は、市販のR404A用冷凍装置の部材の寿命を延ばす観点から、吐出温度は好ましくは150℃以下、より好ましくは140℃以下、更に好ましくは130℃以下、特に好ましくは120℃以下である。
【０４６６】
冷媒２Ｃ１を蒸発温度が-75〜-5℃である冷凍サイクルを運転するために用いることにより、R404Aと同等以上の冷凍能力が得られるという利点がある。
【０４６７】
本開示の冷媒２Ｃ１が使用される冷凍サイクルにおいて、蒸発温度が-5℃を超えた場合は、圧縮比が2.5未満となり、冷凍サイクルとしての効率が悪くなる。本開示の冷媒２Ｃ１が使用される冷凍サイクルにおいて、蒸発温度が-75℃未満である場合は、蒸発圧力が0.02MPa未満となり、圧縮機への冷媒の吸入が困難になる。なお、圧縮比は、次式により求めることができる。
圧縮比＝凝縮圧力（Mpa）／蒸発圧力（Mpa）
本開示の冷媒２Ｃ１が使用される冷凍サイクルにおいて、蒸発温度は好ましくは-7.5℃以下、より好ましくは-10℃以下、更に好ましくは-35℃以下である。
【０４６８】
本開示の冷媒２Ｃ１が使用される冷凍サイクルにおいて、蒸発温度は好ましくは-65℃以上、より好ましくは-60℃以上、更に好ましくは-55℃以上、特に好ましくは-50℃以上である。
【０４６９】
本開示の冷媒２Ｃ１が使用される冷凍サイクルにおいて、蒸発温度は好ましくは-65℃以上-5℃以下、より好ましくは-60℃以上-5℃以下、更に好ましくは-55℃以上-7.5℃以下、特に好ましくは-50℃以上-10℃以下である。
【０４７０】
本開示の冷媒２Ｃ１が使用される冷凍サイクルにおいて、圧縮機への冷媒の吸入を向上させる観点から、蒸発圧力は0.02MPa以上が好ましく、0.03MPa以上がより好ましく、0.04MPa以上が更に好ましく、0.05MPa以上が特に好ましい。
【０４７１】
本開示の冷媒２Ｃ１が使用される冷凍サイクルにおいて、冷凍サイクルとしての効率を向上させる観点から、圧縮比は2.5以上が好ましく、3.0以上がより好ましく、3.5以上が更に好ましく、4.0以上が特に好ましい。本開示の冷媒２Ｃ１が使用される冷凍サイクルにおいて、冷凍サイクルとしての効率を向上させる観点から、圧縮比は200以下が好ましく、150以下がより好ましく、100以下が更に好ましく、50以下が特に好ましい。
【０４７２】
冷媒２Ｃ１は、HFO-1132(E)及びHFO-1234yfをこれらの濃度の総和で、通常99.5質量%以上含有してもよい。本開示において、冷媒２Ｃ１全体におけるHFO-1132(E)及びHFO-1234yfの合計量が99.7質量%以上であれば好ましく、99.8質量%以上であればより好ましく、99.9質量%以上であれば更に好ましい。
【０４７３】
冷媒２Ｃ１は、上記の特性を損なわない範囲内で、HFO-1132(E)及びHFO-1234yfに加えて、更に他の冷媒を含有することができる。この場合、冷媒２Ｃ１全体における他の冷媒の含有割合は0.5質量%以下が好ましく、0.3質量%以下がより好ましく、0.2質量%以下が更に好ましく、0.1質量%以下が特に好ましい。他の冷媒としては、特に限定されず、この分野で広く使用されている公知の冷媒の中から幅広く選択できる。冷媒２Ｃ１は、他の冷媒を単独で含んでいてもよいし、他の冷媒を2種以上含んでいてもよい。
【０４７４】
冷媒２Ｃ１は、HFO-1132(E)及びHFO-1234yfのみからなることが特に好ましい。換言すると、冷媒２Ｃ１は、冷媒２Ｃ１全体におけるHFO-1132(E)及びHFO-1234yfの総濃度が100質量%であることが特に好ましい。
【０４７５】
冷媒２Ｃ１が、HFO-1132(E)及びHFO-1234yfのみからなる場合、HFO-1132(E)及びHFO-1234yfの全質量に対して、HFO-1132(E)の含有割合は通常35.0〜65.0質量%であり、HFO-1234yfの含有割合は通常65.0〜35.0質量%である。冷媒２Ｃ１は、このような構成を有することによって、（1）GWPが十分小さいこと（100以下）、（2）R404Aと同等又はそれ以上のCOPを有すること、及び（3）R404Aと同等又はそれ以上の冷凍能力を有すること、という諸特性を有する。
【０４７６】
冷媒２Ｃ１が、HFO-1132(E)及びHFO-1234yfのみからなる場合、HFO-1132(E)及びHFO-1234yfの全質量に対して、HFO-1132(E)の含有割合が40.5〜59.0質量%であり、HFO-1234yfの含有割合が59.5〜41.0質量%であることが好ましい。この場合、冷媒２Ｃ１はGWPが100以下であり、R404Aに対するCOPが101％以上であり、且つR404Aに対する冷凍能力が99％以上となる。
更にこの場合、冷媒２Ｃ１は、飽和温度40℃における飽和圧力が、1.75MPa以上2.00MPa以下となるため、市販のR404A用冷凍装置に対して大きな設計変更なく適用することができる。
【０４７７】
冷媒２Ｃ１が、HFO-1132(E)及びHFO-1234yfのみからなる場合、HFO-1132(E)及びHFO-1234yfの全質量に対して、HFO-1132(E)の含有割合が41.3〜59.0質量%であり、HFO-1234yfの含有割合が58.7〜41.0質量%であることがより好ましい。この場合、冷媒２Ｃ１はGWPが100以下であり、R404Aに対するCOPが101％以上であり、且つR404Aに対する冷凍能力が99.5％以上となる。更にこの場合、冷媒２Ｃ１は、飽和温度40℃における飽和圧力が、1.76MPa以上2.00MPa以下となるため、市販のR404A用冷凍装置に対して大きな設計変更なく適用することができる。
【０４７８】
冷媒２Ｃ１が、HFO-1132(E)及びHFO-1234yfのみからなる場合、HFO-1132(E)及びHFO-1234yfの全質量に対して、HFO-1132(E)の含有割合が41.3〜55.0質量%であり、HFO-1234yfの含有割合が58.7〜45.0質量%であることが更に好ましい。この場合、冷媒２Ｃ１はGWPが100以下であり、R404Aに対するCOPが101％以上であり、且つR404Aに対する冷凍能力が99.5％以上となる。更にこの場合、冷媒２Ｃ１は、飽和温度40℃における飽和圧力が、1.76MPa以上1.95MPa以下となり、市販のR404A用冷凍装置に対して大きな設計変更なく適用することができる。
【０４７９】
冷媒２Ｃ１が、HFO-1132(E)及びHFO-1234yfのみからなる場合、HFO-1132(E)及びHFO-1234yfの全質量に対して、HFO-1132(E)の含有割合が41.3〜53.5質量%であり、HFO-1234yfの含有割合が58.7〜46.5質量%であることが特に好ましい。この場合、冷媒２Ｃ１はGWPが100以下であること、R404Aに対するCOPが102％以上であり、且つR404Aに対する冷凍能力が99.5％以上となること、及びASHRAEの規格で微燃性（クラス2L）であることという、諸特性を有する。更にこの場合、冷媒２Ｃ１は、飽和温度40℃の飽和圧力が、1.76MPa以上1.94MPa以下となり、市販のR404A用冷凍装置に対して大きな設計変更なく適用することができる。
【０４８０】
冷媒２Ｃ１が、HFO-1132(E)及びHFO-1234yfのみからなる場合、HFO-1132(E)及びHFO-1234yfの全質量に対して、HFO-1132(E)の含有割合が41.3〜51.0質量%であり、HFO-1234yfの含有割合が58.7〜49.0質量%であることが格別に好ましい。この場合、冷媒２Ｃ１はGWPが100以下であること、R404Aに対するCOPが102％以上であり、且つR404Aに対する冷凍能力が99％以上となること、及びASHRAEの規格で微燃性（クラス2L）であることという、諸特性を有する。更にこの場合、冷媒２Ｃ１は、飽和温度40℃の飽和圧力が、1.76MPa以上1.90MPa以下となり、市販のR404A用冷凍装置に対して大きな設計変更なく適用することができる。
【０４８１】
冷媒２Ｃ１が、HFO-1132(E)及びHFO-1234yfのみからなる場合、HFO-1132(E)及びHFO-1234yfの全質量に対して、HFO-1132(E)の含有割合が41.3〜49.2質量%であり、HFO-1234yfの含有割合が58.7〜50.8質量%であることが最も好ましい。この場合、冷媒２Ｃ１はGWPが100以下であること、R404Aに対するCOPが102％以上であり、且つR404Aに対する冷凍能力が99.5％以上となること、及びASHRAEの規格で微燃性（クラス2L）であることという、諸特性を有する。更にこの場合、冷媒２Ｃ１は、飽和温度40℃の飽和圧力が、1.76MPa以上1.88MPa以下となり、市販のR404A用冷凍装置に対して大きな設計変更なく適用することができる。
【０４８２】
（１−６−３−２）冷媒２Ｃ２
本開示の組成物に含まれる冷媒は、一つの態様において、HFO-1132(E)及びHFO-1234yfを含有し、HFO-1132(E)及びHFO-1234yfの全質量に対して、HFO-1132(E)の含有割合が40.5〜49.2質量%であり、HFO-1234yfの含有割合が59.5〜50.8質量%である。この冷媒を「冷媒２Ｃ２」ということがある。
【０４８３】
冷媒２Ｃ２は、上述の構成を有することによって、（1）GWPが十分小さいこと（100以下）、（2）R404Aと同等又はそれ以上のCOPを有すること、（3）R404Aと同等又はそれ以上の冷凍能力を有すること、及び（4）ASHRAEの規格で微燃性（クラス2L）であることという、諸特性を有する。更にこの場合、冷媒２Ｃ２は、飽和温度40℃の飽和圧力が、1.75MPa以上1.88MPa以下となり、市販のR404A用冷凍装置に対して大きな設計変更なく適用することができる。
【０４８４】
冷媒２Ｃ２において、HFO-1132(E)及びHFO-1234yfの全質量に対する、HFO-1132(E)の含有割合が40.5質量%以上であることにより、R404Aと同等又はそれ以上の冷凍能力が得られる。
また、冷媒２Ｃ２において、HFO-1132(E)及びHFO-1234yfの全質量に対する、HFO-1132(E)の含有割合が49.2質量%以下であることにより、冷媒２Ｃ２の冷凍サイクルにおける飽和温度40℃の飽和圧力を好適な範囲（特に2.10Mpa以下）に維持することができる。
【０４８５】
冷媒２Ｃ２において、R404Aに対する冷凍能力が99％以上であればよいが、100%以上であることが好ましく、101%以上であることがより好ましく、102%以上であることが更に好ましく、103%以上であることが特に好ましい。
【０４８６】
冷媒２Ｃ２は、GWPが100以下であることによって、地球温暖化の観点から他の汎用冷媒と比べて顕著に環境負荷を抑えることができる。
【０４８７】
冷媒２Ｃ２は、エネルギー消費効率の点から、R404Aに対する冷凍サイクルで消費された動力と冷凍能力の比（成績係数（COP））が高いことが好ましく、具体的には、R404Aに対するCOPは98%以上であることが好ましく、100%以上であることがより好ましく、101%以上であることが更に好ましく、102%以上であることが特に好ましい。
【０４８８】
冷媒２Ｃ２において、HFO-1132(E)及びHFO-1234yfの全質量に対して、HFO-1132(E)の含有割合が41.3〜49.2質量%であり、HFO-1234yfの含有割合が58.7〜50.8質量%であることが好ましい。この場合、冷媒２Ｃ２はGWPが100以下であること、R404Aに対するCOPが102％以上であること、R404Aに対する冷凍能力が99.5％以上であること、及びASHRAEの規格で微燃性（クラス2L）であることという、諸特性を有する。更にこの場合、冷媒２Ｃ２は、飽和温度40℃の飽和圧力が、1.76MPa以上1.88MPa以下となり、市販のR404A用冷凍装置に対して大きな設計変更なく適用することができる。
【０４８９】
冷媒２Ｃ２において、HFO-1132(E)及びHFO-1234yfの全質量に対して、HFO-1132(E)の含有割合が43.0〜49.2質量%であり、HFO-1234yfの含有割合が57.0〜50.8質量%であることがより好ましい。この場合、冷媒２Ｃ２はGWPが100以下であること、R404Aに対するCOPが102％以上であること、R404Aに対する冷凍能力が101％以上であること、及びASHRAEの規格で微燃性（クラス2L）であることという、諸特性を有する。更にこの場合、冷媒２Ｃ２は、飽和温度40℃の飽和圧力が、1.78MPa以上1.88MPa以下となり、市販のR404A用冷凍装置に対して大きな設計変更なく適用することができる。
【０４９０】
冷媒２Ｃ２において、HFO-1132(E)及びHFO-1234yfの全質量に対して、HFO-1132(E)の含有割合が44.0〜49.2質量%であり、HFO-1234yfの含有割合が56.0〜50.8質量%であることが更に好ましい。この場合、冷媒２Ｃ２はGWPが100以下であること、R404Aに対するCOPが102％以上であること、R404Aに対する冷凍能力が101％以上であること、及びASHRAEの規格で微燃性（クラス2L）であることという、諸特性を有する。更にこの場合、冷媒２Ｃ２は、飽和温度40℃の飽和圧力が、1.80MPa以上1.88MPa以下となり、市販のR404A用冷凍装置に対して大きな設計変更なく適用することができる。
【０４９１】
冷媒２Ｃ２において、HFO-1132(E)及びHFO-1234yfの全質量に対して、HFO-1132(E)の含有割合が45.0〜49.2質量%であり、HFO-1234yfの含有割合が55.0〜50.8質量%であることが特に好ましい。この場合、冷媒２Ｃ２はGWPが100以下であること、R404Aに対するCOPが102％以上であること、R404Aに対する冷凍能力が102％以上であること、及びASHRAEの規格で微燃性（クラス2L）であることという、諸特性を有する。更にこの場合、冷媒２Ｃ２は、飽和温度40℃の飽和圧力が、1.81MPa以上1.88MPa以下となり、市販のR404A用冷凍装置に対して大きな設計変更なく適用することができる。
【０４９２】
冷媒２Ｃ２において、HFO-1132(E)及びHFO-1234yfの全質量に対して、HFO-1132(E)の含有割合が45.0〜48.0質量%であり、HFO-1234yfの含有割合が55.0〜52.0質量%であることが格別に好ましい。この場合、冷媒２Ｃ２はGWPが100以下であること、R404Aに対するCOPが102.5％以上であること、R404Aに対する冷凍能力が102.5％以上であること、及びASHRAEの規格で微燃性（クラス2L）であることという、諸特性を有する。更にこの場合、冷媒２Ｃ２は、飽和温度40℃の飽和圧力が、1.81MPa以上1.87MPa以下となり、市販のR404A用冷凍装置に対して大きな設計変更なく適用することができる。
【０４９３】
冷媒２Ｃ２において、HFO-1132(E)及びHFO-1234yfの全質量に対して、HFO-1132(E)の含有割合が45.0〜47.0質量%であり、HFO-1234yfの含有割合が55.0〜53.0質量%であることが最も好ましい。この場合、冷媒２Ｃ２はGWPが100以下であること、R404Aに対するCOPが102.5％以上であること、R404Aに対する冷凍能力が102.5％以上であること、及びASHRAEの規格で微燃性（クラス2L）であることという、諸特性を有する。更にこの場合、冷媒２Ｃ２は、飽和温度40℃の飽和圧力が、1.81MPa以上1.85MPa以下となり、市販のR404A用冷凍装置に対して大きな設計変更なく適用することができる。
【０４９４】
冷媒２Ｃ２において、飽和温度40℃の飽和圧力は通常2.10MPa以下、好ましくは2.00MPa以下、より好ましくは1.95MPa以下、更に好ましくは1.90MPa以下、特に好ましくは1.88MPa以下である。飽和温度40℃の飽和圧力がこのような範囲にあれば、市販のR404A用冷凍装置に対して大きな設計変更なく冷媒２Ｃ２を適用することができる。
【０４９５】
冷媒２Ｃ２において、飽和温度40℃の飽和圧力は通常1.70MPa以上、好ましくは1.73MPa以上、より好ましくは1.74MPa以上、更に好ましくは1.75MPa以上、特に好ましくは1.76MPa以上である。飽和温度40℃の飽和圧力がこのような範囲にあれば、市販のR404A用冷凍装置に対して大きな設計変更なく冷媒２Ｃ２を適用することができる。
【０４９６】
本開示において、冷凍サイクルを運転するために冷媒２Ｃ２を使用した場合は、市販のR404A用冷凍装置の部材の寿命を延ばす観点から、吐出温度は好ましくは150℃以下、より好ましくは140℃以下、更に好ましくは130℃以下、特に好ましくは120℃以下である。
【０４９７】
本開示において、冷媒２Ｃ２は、R404Aと同等以上の冷凍能力を得る観点から、蒸発温度が-75〜15℃である冷凍サイクルを運転するために用いられることが好ましい。
【０４９８】
本開示の冷媒２Ｃ２が使用される冷凍サイクルにおいて、蒸発温度は好ましくは15℃以下、より好ましくは5℃以下、更に好ましくは0℃以下、特に好ましくは-5℃以下である。
【０４９９】
本開示の冷媒２Ｃ２が使用される冷凍サイクルにおいて、蒸発温度は好ましくは-65℃以上、より好ましくは-60℃以上、更に好ましくは-55℃以上、特に好ましくは-50℃以上である。
【０５００】
本開示の冷媒２Ｃ２が使用される冷凍サイクルにおいて、蒸発温度は好ましくは-65℃以上15℃以下、より好ましくは-60℃以上5℃以下、更に好ましくは-55℃以上0℃以下、特に好ましくは-50℃以上-5℃以下である。
【０５０１】
本開示の冷媒２Ｃ２が使用される冷凍サイクルにおいて、圧縮機への冷媒の吸入を向上させる観点から、蒸発圧力は0.02MPa以上が好ましく、0.03MPa以上がより好ましく、0.04MPa以上が更に好ましく、0.05MPa以上が特に好ましい。
【０５０２】
本開示の冷媒２Ｃ２が使用される冷凍サイクルにおいて、冷凍サイクルとしての効率を向上させる観点から、圧縮比は2.5以上が好ましく、3.0以上がより好ましく、3.5以上が更に好ましく、4.0以上が特に好ましい。
【０５０３】
冷媒２Ｃ２は、HFO-1132(E)及びHFO-1234yfをこれらの濃度の総和で、通常99.5質量%以上含有してもよい。本開示において、冷媒２Ｃ２全体におけるHFO-1132(E)及びHFO-1234yfの合計量が99.7質量%以上であれば好ましく、99.8質量%以上であればより好ましく、99.9質量%以上であれば更に好ましい。
【０５０４】
冷媒２Ｃ２は、上記の特性を損なわない範囲内で、HFO-1132(E)及びHFO-1234yfに加えて、更に他の冷媒を含有することができる。この場合、冷媒２Ｃ２全体における他の冷媒の含有割合は0.5質量%以下が好ましく、0.3質量%以下がより好ましく、0.2質量%以下が更に好ましく、0.1質量%以下が特に好ましい。他の冷媒としては、特に限定されず、この分野で広く使用されている公知の冷媒の中から幅広く選択できる。冷媒２Ｃ２は、他の冷媒を単独で含んでいてもよいし、他の冷媒を2種以上含んでいてもよい。
【０５０５】
冷媒２Ｃ２は、HFO-1132(E)及びHFO-1234yfのみからなることが特に好ましい。換言すると、冷媒２Ｃ２は、冷媒２Ｃ２全体におけるHFO-1132(E)及びHFO-1234yfの総濃度が100質量%であることが特に好ましい。
【０５０６】
冷媒２Ｃ２が、HFO-1132(E)及びHFO-1234yfのみからなる場合、HFO-1132(E)及びHFO-1234yfの全質量に対して、HFO-1132(E)の含有割合は通常40.5〜49.2質量%であり、HFO-1234yfの含有割合は通常59.5〜50.8質量%である。冷媒２Ｃ２は、このような構成を有することによって、（1）GWPが十分小さいこと（100以下）、（2）R404Aと同等又はそれ以上のCOPを有すること、（3）R404Aと同等又はそれ以上の冷凍能力を有すること、及び（4）ASHRAEの規格で微燃性（クラス2L）であることという、諸特性を有する。更にこの場合、冷媒２Ｃ２は、飽和温度40℃の飽和圧力が、1.75MPa以上1.88MPa以下となり、市販のR404A用冷凍装置に対して大きな設計変更なく適用することができる。
【０５０７】
冷媒２Ｃ２が、HFO-1132(E)及びHFO-1234yfのみからなる場合、HFO-1132(E)及びHFO-1234yfの全質量に対して、HFO-1132(E)の含有割合が41.3〜49.2質量%であり、HFO-1234yfの含有割合が58.7〜50.8質量%であることが好ましい。この場合、冷媒２Ｃ２はGWPが100以下であること、R404Aに対するCOPが102％以上であること、R404Aに対する冷凍能力が99.5％以上であること、及びASHRAEの規格で微燃性（クラス2L）であることという、諸特性を有する。
更にこの場合、冷媒２Ｃ２は、飽和温度40℃の飽和圧力が、1.76MPa以上1.88MPa以下となり、市販のR404A用冷凍装置に対して大きな設計変更なく適用することができる。
【０５０８】
冷媒２Ｃ２が、HFO-1132(E)及びHFO-1234yfのみからなる場合、HFO-1132(E)及びHFO-1234yfの全質量に対して、HFO-1132(E)の含有割合が43.0〜49.2質量%であり、HFO-1234yfの含有割合が57.0〜50.8質量%であることがより好ましい。この場合、冷媒２Ｃ２はGWPが100以下であること、R404Aに対するCOPが102％以上であること、R404Aに対する冷凍能力が101％以上であること、及びASHRAEの規格で微燃性（クラス2L）であることという、諸特性を有する。更にこの場合、冷媒２Ｃ２は、飽和温度40℃の飽和圧力が、1.78MPa以上1.88MPa以下となり、市販のR404A用冷凍装置に対して大きな設計変更なく適用することができる。
【０５０９】
冷媒２Ｃ２が、HFO-1132(E)及びHFO-1234yfのみからなる場合、HFO-1132(E)及びHFO-1234yfの全質量に対して、HFO-1132(E)の含有割合が44.0〜49.2質量%であり、HFO-1234yfの含有割合が56.0〜50.8質量%であることが更に好ましい。この場合、冷媒２Ｃ２はGWPが100以下であること、R404Aに対するCOPが102％以上であること、R404Aに対する冷凍能力が101％以上であること、及びASHRAEの規格で微燃性（クラス2L）であることという、諸特性を有する。更にこの場合、冷媒２Ｃ２は、飽和温度40℃の飽和圧力が、1.80MPa以上1.88MPa以下となり、市販のR404A用冷凍装置に対して大きな設計変更なく適用することができる。
【０５１０】
冷媒２Ｃ２が、HFO-1132(E)及びHFO-1234yfのみからなる場合、HFO-1132(E)及びHFO-1234yfの全質量に対して、HFO-1132(E)の含有割合が45.0〜49.2質量%であり、HFO-1234yfの含有割合が55.0〜50.8質量%であることが特に好ましい。この場合、冷媒２Ｃ２はGWPが100以下であること、R404Aに対するCOPが102％以上であること、R404Aに対する冷凍能力が102％以上であること、及びASHRAEの規格で微燃性（クラス2L）であることという、諸特性を有する。更にこの場合、冷媒２Ｃ２は、飽和温度40℃の飽和圧力が、1.81MPa以上1.88MPa以下となり、市販のR404A用冷凍装置に対して大きな設計変更なく適用することができる。
【０５１１】
冷媒２Ｃ２が、HFO-1132(E)及びHFO-1234yfのみからなる場合、HFO-1132(E)及びHFO-1234yfの全質量に対して、HFO-1132(E)の含有割合が45.0〜48.0質量%であり、HFO-1234yfの含有割合が55.0〜52.0質量%であることが格別に好ましい。この場合、冷媒２Ｃ２はGWPが100以下であること、R404Aに対するCOPが102.5％以上であること、R404Aに対する冷凍能力が102.5％以上であること、及びASHRAEの規格で微燃性（クラス2L）であることという、諸特性を有する。更にこの場合、冷媒２Ｃ２は、飽和温度40℃の飽和圧力が、1.81MPa以上1.87MPa以下となり、市販のR404A用冷凍装置に対して大きな設計変更なく適用することができる。
【０５１２】
（１−６−３−３）冷媒２Ｃ３
本開示の組成物に含まれる冷媒は、一つの態様において、HFO-1132(E)及びHFO-1234yfを含有し、HFO-1132(E)及びHFO-1234yfの全質量に対して、HFO-1132(E)の含有割合が31.1〜39.8質量%であり、HFO-1234yfの含有割合が68.9〜60.2質量%である。この冷媒を「冷媒２Ｃ３」ということがある。
【０５１３】
冷媒２Ｃ３は、上述の構成を有することによって、（1）GWPが十分小さいこと（100以下）、（2）R134aと同等程度のCOPを有すること、（3）R134aと比較して150%以上の冷凍能力を有すること、及び（4）吐出温度が90℃以下であることという、諸特性を有する。
【０５１４】
冷媒２Ｃ３において、HFO-1132(E)及びHFO-1234yfの全質量に対する、HFO-1132(E)の含有割合が31.1質量%以上であることにより、R134aと比較して150%以上の冷凍能力が得られる。
また、冷媒２Ｃ３において、HFO-1132(E)及びHFO-1234yfの全質量に対する、HFO-1132(E)の含有割合が39.8質量%以下であることにより、冷媒２Ｃ３の冷凍サイクルにおける吐出温度を90℃以下に維持し、R134a用冷凍装置の部材の寿命を長く確保することができる。
【０５１５】
冷媒２Ｃ３において、R134aに対する冷凍能力が150％以上であればよいが、151%以上であることが好ましく、152%以上であることがより好ましく、153%以上であることが更に好ましく、154%以上であることが特に好ましい。
【０５１６】
冷媒２Ｃ３において、冷凍サイクルにおける吐出温度は90.0℃以下であることが好ましく、89.7℃以下であることがより好ましく、89.4℃以下であることが更に好ましく、89.0℃以下であることが特に好ましい。
【０５１７】
冷媒２Ｃ３は、GWPが100以下であることによって、地球温暖化の観点から他の汎用冷媒と比べて顕著に環境負荷を抑えることができる。
【０５１８】
冷媒２Ｃ３は、エネルギー消費効率の点から、R134aに対する冷凍サイクルで消費された動力と冷凍能力の比（成績係数（COP））が高いことが好ましく、具体的には、R134aに対するCOPは90%以上であることが好ましく、91%以上であることがより好ましく、91.5%以上であることが更に好ましく、92%以上であることが特に好ましい。
【０５１９】
冷媒２Ｃ３において、HFO-1132(E)及びHFO-1234yfの全質量に対して、HFO-1132(E)の含有割合は通常31.1〜39.8質量%であり、HFO-1234yfの含有割合は通常68.9〜60.2質量%である。
冷媒２Ｃ３は、このような構成を有することによって、（1）GWPが十分小さいこと（100以下）、（2）R134aと同等程度のCOPを有すること、（3）R134aと比べて150%以上の冷凍能力を有すること、及び（4）吐出温度が90.0℃以下であることという、諸特性を有する。
【０５２０】
冷媒２Ｃ３において、HFO-1132(E)及びHFO-1234yfの全質量に対して、HFO-1132(E)の含有割合が31.1〜37.9質量%であり、HFO-1234yfの含有割合が68.9〜62.1質量%であることが好ましい。この場合、冷媒２Ｃ３は、上述の構成を有することによって、（1）GWPが十分小さいこと（100以下）、（2）R134aと比較して92%以上のCOPを有すること、（3）R134aと比べて150%以上の冷凍能力を有すること、（4）吐出温度が90.0℃以下であること、及び（5）臨界温度が81℃以上であることという、諸特性を有する。
【０５２１】
冷媒２Ｃ３において、HFO-1132(E)及びHFO-1234yfの全質量に対して、HFO-1132(E)の含有割合が32.0〜37.9質量%であり、HFO-1234yfの含有割合が68.0〜62.1質量%であることがより好ましい。この場合、冷媒２Ｃ３は、上述の構成を有することによって、（1）GWPが十分小さいこと（100以下）、（2）R134aと比較して92%以上のCOPを有すること、（3）R134aと比べて151%以上の冷凍能力を有すること、（4）吐出温度が90.0℃以下であること、及び（5）臨界温度が81℃以上であることという、諸特性を有する。
【０５２２】
冷媒２Ｃ３において、HFO-1132(E)及びHFO-1234yfの全質量に対して、HFO-1132(E)の含有割合が33.0〜37.9質量%であり、HFO-1234yfの含有割合が67.0〜62.1質量%であることがより一層好ましい。この場合、冷媒２Ｃ３は、上述の構成を有することによって、（1）GWPが十分小さいこと（100以下）、（2）R134aと比較して92%以上のCOPを有すること、（3）R134aと比べて152%以上の冷凍能力を有すること、（4）吐出温度が90.0℃以下であること、及び（5）臨界温度が81℃以上であることという、諸特性を有する。
【０５２３】
冷媒２Ｃ３において、HFO-1132(E)及びHFO-1234yfの全質量に対して、HFO-1132(E)の含有割合が34.0〜37.9質量%であり、HFO-1234yfの含有割合が66.0〜62.1質量%であることが更に好ましい。この場合、冷媒２Ｃ３は、上述の構成を有することによって、（1）GWPが十分小さいこと（100以下）、（2）R134aと比較して92%以上のCOPを有すること、（3）R134aと比べて153%以上の冷凍能力を有すること、（4）吐出温度が90.0℃以下であること、及び（5）臨界温度が81℃以上であることという、諸特性を有する。
【０５２４】
冷媒２Ｃ３において、HFO-1132(E)及びHFO-1234yfの全質量に対して、HFO-1132(E)の含有割合が35.0〜37.9質量%であり、HFO-1234yfの含有割合が65.0〜62.1質量%であることが特に好ましい。この場合、冷媒２Ｃ３は、上述の構成を有することによって、（1）GWPが十分小さいこと（100以下）、（2）R134aと比較して92%以上のCOPを有すること、（3）R134aと比べて155%以上の冷凍能力を有すること、（4）吐出温度が90.0℃以下であること、及び（5）臨界温度が81℃以上であることという、諸特性を有する。
【０５２５】
本開示において、冷凍サイクルを運転するために冷媒２Ｃ３を使用した場合は、市販のR134a用冷凍装置の部材の寿命を延ばす観点から、吐出温度は好ましくは90.0℃以下、より好ましくは89.7℃以下、更に好ましくは89.4℃以下、特に好ましくは89.0℃以下である。
【０５２６】
本開示において、冷凍サイクルを運転するために冷媒２Ｃ３を使用した場合は、冷凍サイクルでは冷媒の液化（凝縮）の過程を必要とするので、臨界温度は冷媒を液化させるための冷却水または冷却空気の温度より著しく高いことが必要となる。このような観点から、本開示の冷媒２Ｃ３が使用される冷凍サイクルにおいて、臨界温度は好ましくは80℃以上、より好ましくは81℃以上、更に好ましくは81.5℃以上、特に82℃以上である。
【０５２７】
本開示において、冷媒２Ｃ３は、R134aと比較して150%以上の冷凍能力を得る観点から、通常、蒸発温度が-75〜15℃である冷凍サイクルを運転するために用いられる。
【０５２８】
本開示の冷媒２Ｃ３が使用される冷凍サイクルにおいて、蒸発温度は好ましくは15℃以下、より好ましくは5℃以下、更に好ましくは0℃以下、特に好ましくは-5℃以下である。
【０５２９】
本開示の冷媒２Ｃ３が使用される冷凍サイクルにおいて、蒸発温度は好ましくは-65℃以上、より好ましくは-60℃以上、更に好ましくは-55℃以上、特に好ましくは-50℃以上である。
【０５３０】
本開示の冷媒２Ｃ３が使用される冷凍サイクルにおいて、蒸発温度は好ましくは-65℃以上15℃以下、より好ましくは-60℃以上5℃以下、更に好ましくは-55℃以上0℃以下、特に好ましくは-50℃以上-5℃以下である。
【０５３１】
本開示の冷媒２Ｃ３が使用される冷凍サイクルにおいて、性能向上の観点から、冷媒の臨界温度は80℃以上が好ましく、81℃以上がより好ましく、81.5℃以上が更に好ましく、82℃以上が特に好ましい。
【０５３２】
冷媒２Ｃ３は、HFO-1132(E)及びHFO-1234yfをこれらの濃度の総和で、通常99.5質量%以上含有してもよい。本開示において、冷媒２Ｃ３全体におけるHFO-1132(E)及びHFO-1234yfの合計量が99.7質量%以上であれば好ましく、99.8質量%以上であればより好ましく、99.9質量%以上であれば更に好ましい。
【０５３３】
冷媒２Ｃ３は、上記の特性を損なわない範囲内で、HFO-1132(E)及びHFO-1234yfに加えて、更に他の冷媒を含有することができる。この場合、冷媒２Ｃ３全体における他の冷媒の含有割合は0.5質量%以下が好ましく、0.3質量%以下がより好ましく、0.2質量%以下が更に好ましく、0.1質量%以下が特に好ましい。他の冷媒としては、特に限定されず、この分野で広く使用されている公知の冷媒の中から幅広く選択できる。冷媒２Ｃ３は、他の冷媒を単独で含んでいてもよいし、他の冷媒を2種以上含んでいてもよい。
【０５３４】
冷媒２Ｃ３は、HFO-1132(E)及びHFO-1234yfのみからなることが特に好ましい。換言すると、冷媒２Ｃ３は、冷媒２Ｃ３全体におけるHFO-1132(E)及びHFO-1234yfの総濃度が100質量%であることが特に好ましい。
【０５３５】
冷媒２Ｃ３が、HFO-1132(E)及びHFO-1234yfのみからなる場合、HFO-1132(E)及びHFO-1234yfの全質量に対して、HFO-1132(E)の含有割合は通常31.1〜39.8質量%であり、HFO-1234yfの含有割合は通常68.9〜60.2質量%である。冷媒２Ｃ３は、このような構成を有することによって、（1）GWPが十分小さいこと（100以下）、（2）R134aと同等程度のCOPを有すること、（3）R134aと比べて150%以上の冷凍能力を有すること、及び（4）吐出温度が90℃以下であることという、諸特性を有する。
【０５３６】
冷媒２Ｃ３が、HFO-1132(E)及びHFO-1234yfのみからなる場合、HFO-1132(E)及びHFO-1234yfの全質量に対して、HFO-1132(E)の含有割合が31.1〜37.9質量%であり、HFO-1234yfの含有割合が68.9〜62.1質量%であることが好ましい。この場合、冷媒２Ｃ３は、上述の構成を有することによって、（1）GWPが十分小さいこと（100以下）、（2）R134aと比較して92%以上のCOPを有すること、（3）R134aと比べて150%以上の冷凍能力を有すること、（4）吐出温度が90.0℃以下であること、及び（5）臨界温度が81℃以上であることという、諸特性を有する。
【０５３７】
冷媒２Ｃ３が、HFO-1132(E)及びHFO-1234yfのみからなる場合、HFO-1132(E)及びHFO-1234yfの全質量に対して、HFO-1132(E)の含有割合が32.0〜37.9質量%であり、HFO-1234yfの含有割合が68.0〜62.1質量%であることがより好ましい。この場合、冷媒２Ｃ３は、上述の構成を有することによって、（1）GWPが十分小さいこと（100以下）、（2）R134aと比較して92%以上のCOPを有すること、（3）R134aと比べて151%以上の冷凍能力を有すること、（4）吐出温度が90.0℃以下であること、及び（5）臨界温度が81℃以上であることという、諸特性を有する。
【０５３８】
冷媒２Ｃ３が、HFO-1132(E)及びHFO-1234yfのみからなる場合、HFO-1132(E)及びHFO-1234yfの全質量に対して、HFO-1132(E)の含有割合が33.0〜37.9質量%であり、HFO-1234yfの含有割合が67.0〜62.1質量%であることが更に好ましい。この場合、冷媒２Ｃ３は、上述の構成を有することによって、（1）GWPが十分小さいこと（100以下）、（2）R134aと比較して92%以上のCOPを有すること、（3）R134aと比べて152%以上の冷凍能力を有すること、（4）吐出温度が90.0℃以下であること、及び（5）臨界温度が81℃以上であることという、諸特性を有する。
【０５３９】
冷媒２Ｃ３が、HFO-1132(E)及びHFO-1234yfのみからなる場合、HFO-1132(E)及びHFO-1234yfの全質量に対して、HFO-1132(E)の含有割合が34.0〜37.9質量%であり、HFO-1234yfの含有割合が66.0〜62.1質量%であることが更に好ましい。この場合、冷媒２Ｃ３は、上述の構成を有することによって、（1）GWPが十分小さいこと（100以下）、（2）R134aとと比較して92%以上のCOPを有すること、（3）R134aと比べて153%以上の冷凍能力を有すること、（4）吐出温度が90.0℃以下であること、及び（5）臨界温度が81℃以上であることという、諸特性を有する。
【０５４０】
冷媒２Ｃ３が、HFO-1132(E)及びHFO-1234yfのみからなる場合、HFO-1132(E)及びHFO-1234yfの全質量に対して、HFO-1132(E)の含有割合が35.0〜37.9質量%であり、HFO-1234yfの含有割合が65.0〜62.1質量%であることが更に好ましい。この場合、冷媒２Ｃ３は、上述の構成を有することによって、（1）GWPが十分小さいこと（100以下）、（2）R134aと比較して92%以上のCOPを有すること、（3）R134aと比べて155%以上の冷凍能力を有すること、（4）吐出温度が90.0℃以下であること、及び（5）臨界温度が81℃以上であることという、諸特性を有する。
【０５４１】
（１−６−３−４）冷媒２Ｃ４
本開示の組成物に含まれる冷媒は、一つの態様において、HFO-1132(E)及びHFO-1234yfを含有し、HFO-1132(E)及びHFO-1234yfの全質量に対して、HFO-1132(E)の含有割合が21.0〜28.4質量%であり、HFO-1234yfの含有割合が79.0〜71.6質量%である。この冷媒を「冷媒２Ｃ４」ということがある。
【０５４２】
冷媒２Ｃ４は、上述の構成を有することによって、（1）GWPが十分小さいこと（100以下）、（2）R1234yfと同等程度のCOPを有すること、及び（3）R1234yfと比較して140%以上の冷凍能力を有すること、及び（4）ASHRAEの規格で微燃性（クラス2L）であることという、諸特性を有する。更にこの場合、冷媒２Ｃ４は、飽和温度-10℃の飽和圧力が、0.380MPa以上0.420MPa以下となり、市販のR1234yf用冷凍装置に対して大きな設計変更なく適用することができる。
【０５４３】
冷媒２Ｃ４において、HFO-1132(E)及びHFO-1234yfの全質量に対する、HFO-1132(E)の含有割合が21.0質量%以上であることにより、R1234yfと比較して140%以上の冷凍能力が得られる。また、冷媒２Ｃ４において、HFO-1132(E)及びHFO-1234yfの全質量に対する、HFO-1132(E)の含有割合が28.4質量%以下であることにより、83.5℃以上の臨界温度を確保し易くなる。
【０５４４】
冷媒２Ｃ４において、R1234yfに対する冷凍能力が140％以上であればよいが、142%以上であることが好ましく、143%以上であることがより好ましく、145%以上であることが更に好ましく、146%以上であることが特に好ましい。
【０５４５】
冷媒２Ｃ４は、GWPが100以下であることによって、地球温暖化の観点から他の汎用冷媒と比べて顕著に環境負荷を抑えることができる。
【０５４６】
冷媒２Ｃ４は、エネルギー消費効率の点から、R1234yfに対する冷凍サイクルで消費された動力と冷凍能力の比（成績係数（COP））が高いことが好ましく、具体的には、R1234yfに対するCOPは95%以上であることが好ましく、96%以上であることがより好ましく、97%以上であることが更に好ましく、98%以上であることが特に好ましい。
【０５４７】
冷媒２Ｃ４において、HFO-1132(E)及びHFO-1234yfの全質量に対して、HFO-1132(E)の含有割合は好ましくは21.5〜28.0質量%であり、HFO-1234yfの含有割合は好ましくは78.5〜72.0質量%である。この場合、冷媒２Ｃ４は、GWPが100以下であること、R1234yfに対するCOPが98％以上であること、R1234yfに対する冷凍能力が140%以上であること、ASHRAEの規格で微燃性（クラス2Lであること）、吐出温度が65.0℃以下であること、臨界温度が83.5℃以上であることという、諸特性を有する。更にこの場合、冷媒２Ｃ４は、飽和温度-10℃の飽和圧力が、0.383MPa以上0.418MPa以下となり、市販のR1234yf用冷凍装置に対して大きな設計変更なく適用することができる。
【０５４８】
冷媒２Ｃ４において、HFO-1132(E)及びHFO-1234yfの全質量に対して、HFO-1132(E)の含有割合はより好ましくは22.0〜27.7質量%であり、HFO-1234yfの含有割合はより好ましくは78.0〜72.3質量%である。この場合、冷媒２Ｃ４は、GWPが100以下であること、R1234yfに対するCOPが98％以上であること、R1234yfに対する冷凍能力が140%以上であること、ASHRAEの規格で微燃性（クラス2Lであること）、吐出温度が65.0℃以下であること、臨界温度が83.5℃以上であることという、諸特性を有する。更にこの場合、冷媒２Ｃ４は、飽和温度-10℃の飽和圧力が、0.385MPa以上0.417MPa以下となり、市販のR1234yf用冷凍装置に対して大きな設計変更なく適用することができる。
【０５４９】
冷媒２Ｃ４において、HFO-1132(E)及びHFO-1234yfの全質量に対して、HFO-1132(E)の含有割合は更に好ましくは22.5〜27.5質量%であり、HFO-1234yfの含有割合は更に好ましくは77.5〜72.5質量%である。この場合、冷媒２Ｃ４は、GWPが100以下であること、R1234yfに対するCOPが98％以上であること、R1234yfに対する冷凍能力が140%以上であること、ASHRAEの規格で微燃性（クラス2Lであること）、吐出温度が64.8℃以下であること、臨界温度が83.8℃以上であることという、諸特性を有する。更にこの場合、冷媒２Ｃ４は、飽和温度-10℃の飽和圧力が、0.388MPa以上0.414MPa以下となり、市販のR1234yf用冷凍装置に対して大きな設計変更なく適用することができる。
【０５５０】
冷媒２Ｃ４において、HFO-1132(E)及びHFO-1234yfの全質量に対して、HFO-1132(E)の含有割合は特に好ましくは23.0〜27.2質量%であり、HFO-1234yfの含有割合は特に好ましくは77.0〜72.8質量%である。この場合、冷媒２Ｃ４は、GWPが100以下であること、R1234yfに対するCOPが98％以上であること、R1234yfに対する冷凍能力が141%以上であること、ASHRAEの規格で微燃性（クラス2Lであること）、吐出温度が64.8℃以下であること、臨界温度が83.8℃以上であることという、諸特性を有する。更にこの場合、冷媒２Ｃ４は、飽和温度-10℃の飽和圧力が、0.390MPa以上0.414MPa以下となり、市販のR1234yf用冷凍装置に対して大きな設計変更なく適用することができる。
【０５５１】
冷媒２Ｃ４において、HFO-1132(E)及びHFO-1234yfの全質量に対して、HFO-1132(E)の含有割合は格別に好ましくは23.5〜27.0質量%であり、HFO-1234yfの含有割合は格別に好ましくは76.5〜73.0質量%である。この場合、冷媒２Ｃ４は、GWPが100以下であること、R1234yfに対するCOPが98％以上であること、R1234yfに対する冷凍能力が142%以上であること、ASHRAEの規格で微燃性（クラス2Lであること）、吐出温度が64.8℃以下であること、臨界温度が83.8℃以上であることという、諸特性を有する。更にこの場合、冷媒２Ｃ４は、飽和温度-10℃の飽和圧力が、0.390MPa以上0.414MPa以下となり、市販のR1234yf用冷凍装置に対して大きな設計変更なく適用することができる。
【０５５２】
冷媒２Ｃ４において、HFO-1132(E)及びHFO-1234yfの全質量に対して、HFO-1132(E)の含有割合は最も好ましくは24.0〜26.7質量%であり、HFO-1234yfの含有割合は最も好ましくは76.0〜73.3質量%である。この場合、冷媒２Ｃ４は、GWPが100以下であること、R1234yfに対するCOPが98％以上であること、R1234yfに対する冷凍能力が144%以上であること、ASHRAEの規格で微燃性（クラス2Lであること）、吐出温度が64.6℃以下であること、臨界温度が84.0℃以上であることという、諸特性を有する。更にこの場合、冷媒２Ｃ４は、飽和温度-10℃の飽和圧力が、0.396MPa以上0.411MPa以下となり、市販のR1234yf用冷凍装置に対して大きな設計変更なく適用することができる。
【０５５３】
冷媒２Ｃ４において、飽和温度-10℃の飽和圧力は通常0.420MPa以下、好ましくは0.418MPa以下、より好ましくは0.417MPa以下、更に好ましくは0.415MPa以下、特に好ましくは0.413MPa以下である。このような範囲にあれば、市販のR1234yf用冷凍装置に対して大きな設計変更なく冷媒２Ｃ４を適用することができる。
【０５５４】
冷媒２Ｃ４において、飽和温度-10℃の飽和圧力は通常0.380MPa以上、好ましくは0.385MPa以上、より好ましくは0.390MPa以上、更に好ましくは0.400MPa以上、特に好ましくは0.410MPa以上である。これらの場合、市販のR1234yf用冷凍装置に対して大きな設計変更なく冷媒２Ｃ４を適用することができる。
【０５５５】
本開示において、冷凍サイクルを運転するために冷媒２Ｃ４を使用した場合は、市販のR1234yf用冷凍装置の部材の寿命を延ばす観点から、吐出温度は好ましくは65℃以下、より好ましくは64.8℃以下、更に好ましくは64.7℃以下、特に好ましくは64.5℃以下である。
【０５５６】
本開示において、冷媒２Ｃ４は、R1234yfと比較して140%以上の冷凍能力を得る観点から、蒸発温度が-75〜5℃である冷凍サイクルを運転するために用いられることが好ましい。
【０５５７】
本開示の冷媒２Ｃ４が使用される冷凍サイクルにおいて、R1234yfと比較して140%以上の冷凍能力を得る観点から、蒸発温度は好ましくは5℃以下、より好ましくは0℃以下、更に好ましくは-5℃以下、特に好ましくは-10℃以下である。
【０５５８】
本開示の冷媒２Ｃ４が使用される冷凍サイクルにおいて、R1234yfと比較して140%以上の冷凍能力を得る観点から、蒸発温度は好ましくは-75℃以上、より好ましくは-60℃以上、更に好ましくは-55℃以上、特に好ましくは-50℃以上である。
【０５５９】
本開示の冷媒２Ｃ４が使用される冷凍サイクルにおいて、R1234yfと比較して140%以上の冷凍能力を得る観点から、蒸発温度は好ましくは-65℃以上0℃以下、より好ましくは-60℃以上-5℃以下、更に好ましくは-55℃以上-7.5℃以下、特に好ましくは-50℃以上-10℃以下である。
【０５６０】
本開示の冷媒２Ｃ４が使用される冷凍サイクルにおいて、市販のR1234yf用冷凍装置の部材の寿命を延ばす観点から、吐出温度は65.0℃以下が好ましく、64.9℃以下がより好ましく、64.8℃以下が更に好ましく、64.7℃以下が特に好ましい。
【０５６１】
本開示において、冷凍サイクルを運転するために冷媒２Ｃ４を使用した場合は、冷凍サイクルでは冷媒の液化（凝縮）の過程を必要とするので、臨界温度は冷媒を液化させるための冷却水または冷却空気の温度より著しく高いことが必要となる。このような観点から、本開示の冷媒２Ｃ４が使用される冷凍サイクルにおいて、臨界温度は83.5℃以上が好ましく、83.8℃以上がより好ましく、84.0℃以上が更に好ましく、84.5℃以上が特に好ましい。
【０５６２】
冷媒２Ｃ４は、上記の特性を損なわない範囲内で、HFO-1132(E)及びHFO-1234yfに加えて、更に他の冷媒を含有することができる。この場合、冷媒２Ｃ４全体における他の冷媒の含有割合は0.5質量%以下が好ましく、0.3質量%以下がより好ましく、0.2質量%以下が更に好ましく、0.1質量%以下が特に好ましい。他の冷媒としては、特に限定されず、この分野で広く使用されている公知の冷媒の中から幅広く選択できる。冷媒２Ｃ４は、他の冷媒を単独で含んでいてもよいし、他の冷媒を2種以上含んでいてもよい。
【０５６３】
冷媒２Ｃ４は、HFO-1132(E)及びHFO-1234yfのみからなることが特に好ましい。換言すると、冷媒２Ｃ４は、冷媒２Ｃ４全体におけるHFO-1132(E)及びHFO-1234yfの総濃度が100質量%であることが特に好ましい。
【０５６４】
冷媒２Ｃ４が、HFO-1132(E)及びHFO-1234yfのみからなる場合、HFO-1132(E)及びHFO-1234yfの全質量に対して、HFO-1132(E)の含有割合は通常21.0〜28.4質量%であり、HFO-1234yfの含有割合は通常79.0〜71.6質量%である。冷媒２Ｃ４は、このような構成を有することによって、（1）GWPが十分小さいこと（100以下）、（2）R1234yfと同等程度のCOPを有すること、及び（3）R1234yfと比較して140%以上の冷凍能力を有すること、及び（4）ASHRAEの規格で微燃性（クラス2L）であることという、諸特性を有する。更にこの場合、冷媒２Ｃ４は、飽和温度-10℃の飽和圧力が、0.380MPa以上0.420MPa以下となり、市販のR1234yf用冷凍装置に対して大きな設計変更なく適用することができる。
【０５６５】
冷媒２Ｃ４が、HFO-1132(E)及びHFO-1234yfのみからなる場合、HFO-1132(E)及びHFO-1234yfの全質量に対して、HFO-1132(E)の含有割合は好ましくは21.5〜28.0質量%であり、HFO-1234yfの含有割合は好ましくは78.5〜72.0質量%である。この場合、冷媒２Ｃ４は、GWPが100以下であること、R1234yfに対するCOPが98％以上であること、R1234yfに対する冷凍能力が140%以上であること、ASHRAEの規格で微燃性（クラス2Lであること）、吐出温度が65.0℃以下であること、臨界温度が83.5℃以上であることという、諸特性を有する。更にこの場合、冷媒２Ｃ４は、飽和温度-10℃の飽和圧力が、0.383MPa以上0.418MPa以下となり、市販のR1234yf用冷凍装置に対して大きな設計変更なく適用することができる。
【０５６６】
冷媒２Ｃ４が、HFO-1132(E)及びHFO-1234yfのみからなる場合、HFO-1132(E)及びHFO-1234yfの全質量に対して、HFO-1132(E)の含有割合はより好ましくは22.0〜27.7質量%であり、HFO-1234yfの含有割合はより好ましくは78.0〜72.3質量%である。この場合、冷媒２Ｃ４は、GWPが100以下であること、R1234yfに対するCOPが98％以上であること、R1234yfに対する冷凍能力が140%以上であること、ASHRAEの規格で微燃性（クラス2Lであること）、吐出温度が65.0℃以下であること、臨界温度が83.5℃以上であることという、諸特性を有する。更にこの場合、冷媒２Ｃ４は、飽和温度-10℃の飽和圧力が、0.385MPa以上0.417MPa以下となり、市販のR1234yf用冷凍装置に対して大きな設計変更なく適用することができる。
【０５６７】
冷媒２Ｃ４が、HFO-1132(E)及びHFO-1234yfのみからなる場合、HFO-1132(E)及びHFO-1234yfの全質量に対して、HFO-1132(E)の含有割合は更に好ましくは22.5〜27.5質量%であり、HFO-1234yfの含有割合は更に好ましくは77.5〜72.5質量%である。この場合、冷媒２Ｃ４は、GWPが100以下であること、R1234yfに対するCOPが98％以上であること、R1234yfに対する冷凍能力が140%以上であること、ASHRAEの規格で微燃性（クラス2Lであること）、吐出温度が64.8℃以下であること、臨界温度が83.8℃以上であることという、諸特性を有する。更にこの場合、冷媒２Ｃ４は、飽和温度-10℃の飽和圧力が、0.388MPa以上0.414MPa以下となり、市販のR1234yf用冷凍装置に対して大きな設計変更なく適用することができる。
【０５６８】
冷媒２Ｃ４が、HFO-1132(E)及びHFO-1234yfのみからなる場合、HFO-1132(E)及びHFO-1234yfの全質量に対して、HFO-1132(E)の含有割合は特に好ましくは23.0〜27.2質量%であり、HFO-1234yfの含有割合は特に好ましくは77.0〜72.8質量%である。この場合、冷媒２Ｃ４は、GWPが100以下であること、R1234yfに対するCOPが98％以上であること、R1234yfに対する冷凍能力が141%以上であること、ASHRAEの規格で微燃性（クラス2Lであること）、吐出温度が64.8℃以下であること、臨界温度が83.8℃以上であることという、諸特性を有する。更にこの場合、冷媒２Ｃ４は、飽和温度-10℃の飽和圧力が、0.390MPa以上0.414MPa以下となり、市販のR1234yf用冷凍装置に対して大きな設計変更なく適用することができる。
【０５６９】
冷媒２Ｃ４が、HFO-1132(E)及びHFO-1234yfのみからなる場合、HFO-1132(E)及びHFO-1234yfの全質量に対して、HFO-1132(E)の含有割合は格別に好ましくは23.5〜27.0質量%であり、HFO-1234yfの含有割合は格別に好ましくは76.5〜73.0質量%である。この場合、冷媒２Ｃ４は、GWPが100以下であること、R1234yfに対するCOPが98％以上であること、R1234yfに対する冷凍能力が142%以上であること、ASHRAEの規格で微燃性（クラス2Lであること）、吐出温度が64.8℃以下であること、臨界温度が83.8℃以上であることという、諸特性を有する。更にこの場合、冷媒２Ｃ４は、飽和温度-10℃の飽和圧力が、0.390MPa以上0.414MPa以下となり、市販のR1234yf用冷凍装置に対して大きな設計変更なく適用することができる。
【０５７０】
冷媒２Ｃ４が、HFO-1132(E)及びHFO-1234yfのみからなる場合、HFO-1132(E)及びHFO-1234yfの全質量に対して、HFO-1132(E)の含有割合は最も好ましくは24.0〜26.7質量%であり、HFO-1234yfの含有割合は最も好ましくは76.0〜73.3質量%である。この場合、冷媒２Ｃ４は、GWPが100以下であること、R1234yfに対するCOPが98％以上であること、R1234yfに対する冷凍能力が144%以上であること、ASHRAEの規格で微燃性（クラス2Lであること）、吐出温度が64.6℃以下であること、臨界温度が84.0℃以上であることという、諸特性を有する。更にこの場合、冷媒２Ｃ４は、飽和温度-10℃の飽和圧力が、0.396MPa以上0.411MPa以下となり、市販のR1234yf用冷凍装置に対して大きな設計変更なく適用することができる。
【０５７１】
（１−６−３−５）冷媒２Ｃ５
本開示の組成物に含まれる冷媒は、一つの態様において、HFO-1132(E)及びHFO-1234yfを含有し、HFO-1132(E)及びHFO-1234yfの全質量に対して、HFO-1132(E)の含有割合は12.1〜72.0質量%であり、HFO-1234yfの含有割合は87.9〜28.0質量%である。この冷媒を「冷媒２Ｃ５」ということがある。
【０５７２】
本開示において、冷媒２Ｃ５は、車載用空調機器に用いられる。
【０５７３】
冷媒２Ｃ５は、上述の構成を有することによって、（1）GWPが十分小さいこと（100以下）、（2）R1234yfと同等程度のCOPを有すること、（3）R1234yfと比較して128%以上の冷凍能力を有すること、及び（4）燃焼速度が10.0cm/s未満であること、という諸特性を有する。
【０５７４】
冷媒２Ｃ５において、HFO-1132(E)及びHFO-1234yfの全質量に対する、HFO-1132(E)の含有割合が12.1質量%以上であることにより、電気自動車でヒートポンプを用いて暖房する場合に有利な-40℃以下の沸点を確保することができる。なお、-40℃以下の沸点は-40℃で飽和圧力が大気圧以上であることを意味し、上記用途において沸点は-40℃以下でより低い方が好ましい。また、冷媒２Ｃ５において、HFO-1132(E)及びHFO-1234yfの全質量に対する、HFO-1132(E)の含有割合が72.0質量%以下であることにより、車載用空調機器に用いる場合の安全性に寄与する10.0cm/s未満の燃焼速度を確保することができる。
【０５７５】
冷媒２Ｃ５において、R1234yfに対する冷凍能力が128％以上であればよいが、130%以上であることが好ましく、140%以上であることがより好ましく、150%以上であることが更に好ましく、160%以上であることが特に好ましい。
【０５７６】
冷媒２Ｃ５は、GWPが5以上100以下であることによって、地球温暖化の観点から他の汎用冷媒と比べて顕著に環境負荷を抑えることができる。
【０５７７】
冷媒２Ｃ５において、エネルギー消費効率の点から、R1234yfに対する冷凍サイクルで消費された動力と冷凍能力の比（成績係数（COP））が100％以上であればよい。
【０５７８】
冷媒２Ｃ５を車載用空調機器に用いることにより、電気ヒーターに比べて消費電力の少ないヒートポンプによる暖房が可能になるという利点がある。
【０５７９】
冷媒２Ｃ５において、上記空調機器が、ガソリン車用、ハイブリッド自動車用、電気自動車用又は水素自動車用であることが好ましい。これらの中でも、ヒートポンプにより車室内を暖房しつつ、車の走行距離を向上させる観点から、冷媒２Ｃ５において、上記空調機器が電気自動車用であることが特に好ましい。即ち、本開示において、冷媒２Ｃ５を電気自動車に用いることが特に好ましい。
【０５８０】
本開示において、冷媒２Ｃ５は車載用空調機器に使用される。本開示において、冷媒２Ｃ５はガソリン車の空調機器、ハイブリッド自動車の空調機器、電気自動車の空調機器又は水素自動車の空調機器に使用されることが好ましい。本開示において、冷媒２Ｃ５は、電気自動車の空調機器に使用されることが特に好ましい。
【０５８１】
本開示において、ヒートポンプにより車室内を暖房する際、-40℃で大気圧以上の圧力が必要となるため、冷媒２Ｃ５の沸点は、好ましくは-51.2〜-40.0℃、より好ましくは-50.0〜-42.0℃、更に好ましくは-48.0〜-44.0℃である。
【０５８２】
冷媒２Ｃ５において、HFO-1132(E)及びHFO-1234yfの全質量に対して、HFO-1132(E)の含有割合は好ましくは15.0〜65.0質量%であり、HFO-1234yfの含有割合は好ましくは85.0〜35.0質量%である。
【０５８３】
冷媒２Ｃ５において、HFO-1132(E)及びHFO-1234yfの全質量に対して、HFO-1132(E)の含有割合はより好ましくは20.0〜55.0質量%であり、HFO-1234yfの含有割合はより好ましくは80.0〜45.0質量%である。
【０５８４】
冷媒２Ｃ５において、HFO-1132(E)及びHFO-1234yfの全質量に対して、HFO-1132(E)の含有割合は更に好ましくは25.0〜50.0質量%であり、HFO-1234yfの含有割合は更に好ましくは75.0〜50.0質量%である。
【０５８５】
冷媒２Ｃ５において、HFO-1132(E)及びHFO-1234yfの全質量に対して、HFO-1132(E)の含有割合は特に好ましくは30.0〜45.0質量%であり、HFO-1234yfの含有割合は特に好ましくは70.0〜55.0質量%である。
【０５８６】
冷媒２Ｃ５において、HFO-1132(E)及びHFO-1234yfの全質量に対して、HFO-1132(E)の含有割合は最も好ましくは35.0〜40.0質量%であり、HFO-1234yfの含有割合は最も好ましくは65.0〜60.0質量%である。
【０５８７】
本開示において、冷媒２Ｃ５の燃焼速度は10.0cm/s未満であることが好ましく、5.0cm/s未満であることがより好ましく、3.0cm/s未満であることが更に好ましく、2.0cm/sであることが特に好ましい。
【０５８８】
本開示において、冷媒２Ｃ５は、R1234yfと同等又はそれ以上の冷凍能力を得る観点から、蒸発温度が-40〜10℃である冷凍サイクルを運転するために用いられることが好ましい。
【０５８９】
本開示において、冷凍サイクルを運転するために冷媒２Ｃ５を使用した場合、吐出温度は好ましくは79℃以下、より好ましくは75℃以下、更に好ましくは70℃以下、特に好ましくは67℃以下である。
【０５９０】
冷媒２Ｃ５は、HFO-1132(E)及びHFO-1234yfをこれらの濃度の総和で、通常99.5質量%以上含有してもよい。本開示において、冷媒２Ｃ５全体におけるHFO-1132(E)及びHFO-1234yfの合計量が99.7質量%以上であれば好ましく、99.8質量%以上であればより好ましく、99.9質量%以上であれば更に好ましい。
【０５９１】
冷媒２Ｃ５は、上記の特性を損なわない範囲内で、HFO-1132(E)及びHFO-1234yfに加えて、更に他の冷媒を含有することができる。この場合、冷媒２Ｃ５全体における他の冷媒の含有割合は0.5質量%以下が好ましく、0.3質量%以下がより好ましく、0.2質量%以下が更に好ましく、0.1質量%以下が特に好ましい。他の冷媒としては、特に限定されず、この分野で広く使用されている公知の冷媒の中から幅広く選択できる。冷媒２Ｃ５は、他の冷媒を単独で含んでいてもよいし、他の冷媒を2種以上含んでいてもよい。
【０５９２】
冷媒２Ｃ５は、HFO-1132(E)及びHFO-1234yfのみからなることが特に好ましい。換言すると、冷媒２Ｃ５は、冷媒２Ｃ５全体におけるHFO-1132(E)及びHFO-1234yfの総濃度が100質量%であることが特に好ましい。
【０５９３】
冷媒２Ｃ５が、HFO-1132(E)及びHFO-1234yfのみからなる場合、HFO-1132(E)及びHFO-1234yfの全質量に対して、HFO-1132(E)の含有割合は通常12.1〜72.0質量%であり、HFO-1234yfの含有割合は通常87.9〜28.0質量%である。
【０５９４】
冷媒２Ｃ５が、HFO-1132(E)及びHFO-1234yfのみからなる場合、HFO-1132(E)及びHFO-1234yfの全質量に対して、HFO-1132(E)の含有割合は好ましくは15.0〜65.0質量%であり、HFO-1234yfの含有割合は好ましくは85.0〜35.0質量%である。
【０５９５】
冷媒２Ｃ５が、HFO-1132(E)及びHFO-1234yfのみからなる場合、HFO-1132(E)及びHFO-1234yfの全質量に対して、HFO-1132(E)の含有割合はより好ましくは20.0〜55.0質量%であり、HFO-1234yfの含有割合はより好ましくは80.0〜45.0質量%である。
【０５９６】
冷媒２Ｃ５が、HFO-1132(E)及びHFO-1234yfのみからなる場合、HFO-1132(E)及びHFO-1234yfの全質量に対して、HFO-1132(E)の含有割合は更に好ましくは25.0〜50.0質量%であり、HFO-1234yfの含有割合は更に好ましくは75.0〜50.0質量%である。
【０５９７】
冷媒２Ｃ５が、HFO-1132(E)及びHFO-1234yfのみからなる場合、HFO-1132(E)及びHFO-1234yfの全質量に対して、HFO-1132(E)の含有割合は特に好ましくは30.0〜45.0質量%であり、HFO-1234yfの含有割合は特に好ましくは70.0〜55.0質量%である。
【０５９８】
冷媒２Ｃ５が、HFO-1132(E)及びHFO-1234yfのみからなる場合、HFO-1132(E)及びHFO-1234yfの全質量に対して、HFO-1132(E)の含有割合は最も好ましくは35.0〜40.0質量%であり、HFO-1234yfの含有割合は最も好ましくは65.0〜60.0質量%である。
【０５９９】
［冷媒２Ｃの実施例］
以下に、実施例を挙げて更に詳細に説明する。ただし、本開示は、これらの実施例に限定されるものではない。
【０６００】
試験例１−１
実施例１−１〜１−１３、比較例１−１〜１−２及び参考例１−１（R404A）に示される混合冷媒のGWPは、IPCC第4次報告書の値に基づいて評価した。
【０６０１】
これらの混合冷媒のCOP、冷凍能力、吐出温度、飽和温度40℃における飽和圧力、凝縮圧力及び蒸発圧力は、National Institute of Science and Technology（NIST）及びReference Fluid Thermodynamic and Transport Properties Database（Refprop 9.0）を使用し、下記条件で混合冷媒の冷凍サイクル理論計算を実施することにより求めた。
蒸発温度    −５０℃
凝縮温度      ４０℃
過熱温度      ２０Ｋ
過冷却温度      ０Ｋ
圧縮機効率    ７０％
「蒸発温度−５０℃」とは、冷凍装置が備える蒸発器における混合冷媒の蒸発温度が−５０℃であることを意味する。また、「凝縮温度４０℃」とは、冷凍装置が備える凝縮器における混合冷媒の凝縮温度が４０℃であることを意味する。
【０６０２】
試験例１−１の結果を表２１７に示す。表２１７は、本開示の冷媒２Ｃ１の実施例及び比較例を示している。表２１７中、「COP比」及び「冷凍能力比」とは、R404Aに対する割合（%）を示す。
表２１７中、「飽和圧力（40℃）」とは、飽和温度40℃における飽和圧力を示す。表２１７中、「吐出温度（℃）」とは、上記混合冷媒の冷凍サイクル理論計算において、冷凍サイクル中で最も温度が高くなる温度を示す。
【０６０３】
成績係数（COP）は、次式により求めた。
COP＝（冷凍能力又は暖房能力）／消費電力量
圧縮比は、次式により求めた。
圧縮比＝凝縮圧力（Mpa）／蒸発圧力（Mpa）
混合冷媒の燃焼性は、混合冷媒の混合組成をWCF濃度とし、ANSI/ASHRAE34-2013規格に従い燃焼速度を測定することにより、判断した。燃焼速度が0cm/s〜10cm/sとなるものは「クラス2L（微燃）」、燃焼速度が10cm/s超となるものは「クラス2（弱燃）」であるとし、火炎伝播がないものは「クラス1（不燃）」であるとした。表２１７中、「ASHRAE燃焼性区分」とは、この判定基準に基づく結果を示している。
【０６０４】
燃焼速度試験は以下の通り行った。まず、使用した混合冷媒は99.5%又はそれ以上の純度とし、真空ゲージ上に空気の痕跡が見られなくなるまで凍結、ポンピング及び解凍のサイクルを繰り返すことにより脱気した。閉鎖法により燃焼速度を測定した。初期温度は周囲温度とした。点火は、試料セルの中心で電極間に電気的スパークを生じさせることにより行った。放電の持続時間は1.0〜9.9msとし、点火エネルギーは典型的には約0.1〜1.0Jであった。シュリーレン写真を使って炎の広がりを視覚化した。光を通す2つのアクリル窓を備えた円筒形容器（内径：155mm、長さ：198mm）を試料セルとして用い、光源としてはキセノンランプを用いた。炎のシュリーレン画像を高速デジタルビデオカメラで600fpsのフレーミング速度で記録し、PCに保存した。
【０６０５】
混合冷媒の燃焼範囲は、ASTM E681-09に基づく測定装置（図１Ｔを参照）を用いて測定を実施した。
【０６０６】
具体的には、燃焼の状態が目視および録画撮影できるように内容積12リットルの球形ガラスフラスコを使用し、ガラスフラスコは燃焼により過大な圧力が発生した際には上部のふたからガスが開放されるようにした。着火方法は底部から1/3の高さに保持された電極からの放電により発生させた。
【０６０７】
＜試験条件＞
試験容器：280mmφ球形（内容積：12リットル）
試験温度：60℃±3℃
圧力：101.3kPa±0.7kPa
水分：乾燥空気1gにつき0.0088g±0.0005g（23℃における相対湿度50％の水分量）冷媒組成物／空気混合比：1vol.%刻み±0.2vol.%
冷媒組成物混合：±0.1質量%
点火方法：交流放電、電圧15kV、電流30mA、ネオン変圧器
電極間隔：6.4mm（1/4inch）
スパーク：0.4秒±0.05秒
判定基準：
・着火点を中心に90度より大きく火炎が広がった場合＝火炎伝播あり（可燃）
・着火点を中心に90度以下の火炎の広がりだった場合＝火炎伝播なし（不燃）
【０６０８】
【表２１７】
2020017521.tif 000077
【０６０９】
試験例１−２
実施例１−１４〜１−２６、比較例１−３〜１−４及び参考例１−２（R404A）に示される混合冷媒のGWPは、IPCC第4次報告書の値に基づいて評価した。
【０６１０】
これらの混合冷媒のCOP、冷凍能力、吐出温度、飽和温度40℃における飽和圧力、凝縮圧力及び蒸発圧力は、NIST及びRefprop 9.0を使用し、下記条件で混合冷媒の冷凍サイクル理論計算を実施することにより求めた。
蒸発温度    −３５℃
凝縮温度      ４０℃
過熱温度      ２０Ｋ
過冷却温度      ０Ｋ
圧縮機効率    ７０％
上記用語の意味は、試験例１−１と同様である。
【０６１１】
試験例１−２の結果を表２１８に示す。表２１８は、本開示の冷媒２Ｃ１の実施例及び比較例を示している。表２１８中、各用語の意味は、試験例１−１と同様である。
【０６１２】
成績係数（COP）及び圧縮比は、試験例１−１と同様にして求めた。
【０６１３】
混合冷媒の燃焼性は、試験例１−１と同様にして判断した。燃焼速度試験は、試験例１−１と同様にして行った。
【０６１４】
混合冷媒の燃焼範囲は、ASTM E681-09に基づく測定装置（図１Ｔを参照）を用いて、試験例１−１と同様の方法及び試験条件で測定した。
【０６１５】
【表２１８】
2020017521.tif 000078
【０６１６】
試験例１−３
実施例１−２７〜１−３９、比較例１−５〜１−６及び参考例１−３（R404A）に示される混合冷媒のGWPは、IPCC第4次報告書の値に基づいて評価した。
【０６１７】
これらの混合冷媒のCOP、冷凍能力、吐出温度、飽和温度40℃における飽和圧力、凝縮圧力及び蒸発圧力は、NIST及びRefprop 9.0を使用し、下記条件で混合冷媒の冷凍サイクル理論計算を実施することにより求めた。
蒸発温度    −１０℃
凝縮温度      ４０℃
過熱温度      ２０Ｋ
過冷却温度      ０Ｋ
圧縮機効率    ７０％
上記用語の意味は、試験例１−１と同様である。
【０６１８】
試験例１−３の結果を表２１９に示す。表２１９は、本開示の冷媒２Ｃ１の実施例及び比較例を示している。表２１９中、各用語の意味は、試験例１−１と同様である。
【０６１９】
成績係数（COP）及び圧縮比は、試験例１−１と同様にして求めた。
【０６２０】
混合冷媒の燃焼性は、試験例１−１と同様にして判断した。燃焼速度試験は、試験例１−１と同様にして行った。
【０６２１】
混合冷媒の燃焼範囲は、ASTM E681-09に基づく測定装置（図１Ｔを参照）を用いて、試験例１−１と同様の方法及び試験条件で測定した。
【０６２２】
【表２１９】
2020017521.tif 000079
【０６２３】
試験例１−４
比較例１−７〜１−２１及び参考例１−４（R404A）に示される混合冷媒のGWPは、IPCC第4次報告書の値に基づいて評価した。
【０６２４】
これらの混合冷媒のCOP、冷凍能力、吐出温度、飽和温度40℃における飽和圧力、凝縮圧力及び蒸発圧力は、NIST及びRefprop 9.0を使用し、下記条件で混合冷媒の冷凍サイクル理論計算を実施することにより求めた。
蒸発温度    −８０℃
凝縮温度      ４０℃
過熱温度      ２０Ｋ
過冷却温度      ０Ｋ
圧縮機効率    ７０％
上記用語の意味は、試験例１−１と同様である。
【０６２５】
試験例１−４の結果を表２２０に示す。表２２０は、本開示の冷媒２Ｃ１の比較例を示している。表２２０中、各用語の意味は、試験例１−１と同様である。
【０６２６】
成績係数（COP）及び圧縮比は、試験例１−１と同様にして求めた。
【０６２７】
混合冷媒の燃焼性は、試験例１−１と同様にして判断した。燃焼速度試験は、試験例１−１と同様にして行った。
【０６２８】
混合冷媒の燃焼範囲は、ASTM E681-09に基づく測定装置（図１Ｔを参照）を用いて、試験例１−１と同様の方法及び試験条件で測定した。
【０６２９】
【表２２０】
2020017521.tif 000080
【０６３０】
試験例１−５
比較例１−２２〜１−３６及び参考例１−５（R404A）に示される混合冷媒のGWPは、IPCC第4次報告書の値に基づいて評価した。
【０６３１】
これらの混合冷媒のCOP、冷凍能力、吐出温度、飽和温度40℃における飽和圧力、凝縮圧力及び蒸発圧力は、NIST及びRefprop 9.0を使用し、下記条件で混合冷媒の冷凍サイクル理論計算を実施することにより求めた。
蒸発温度      １０℃
凝縮温度      ４０℃
過熱温度      ２０Ｋ
過冷却温度      ０Ｋ
圧縮機効率    ７０％
上記用語の意味は、試験例１−１と同様である。
【０６３２】
試験例１−５の結果を表２２１に示す。表２２１は、本開示の冷媒２Ｃ１の比較例を示している。表２２１中、各用語の意味は、試験例１−１と同様である。
【０６３３】
成績係数（COP）及び圧縮比は、試験例１−１と同様にして求めた。
【０６３４】
混合冷媒の燃焼性は、試験例１−１と同様にして判断した。燃焼速度試験は、試験例１−１と同様にして行った。
【０６３５】
混合冷媒の燃焼範囲は、ASTM E681-09に基づく測定装置（図１Ｔを参照）を用いて、試験例１−１と同様の方法及び試験条件で測定した。
【０６３６】
【表２２１】
2020017521.tif 000081
【０６３７】
試験例２−１
実施例２−１〜２−６、比較例２−１〜２−９及び参考例２−１（R404A）に示される混合冷媒のGWPは、IPCC第4次報告書の値に基づいて評価した。
【０６３８】
これらの混合冷媒のCOP、冷凍能力、吐出温度、飽和温度40℃における飽和圧力、凝縮圧力及び蒸発圧力は、National Institute of Science and Technology（NIST）及びReference Fluid Thermodynamic and Transport Properties Database（Refprop 9.0）を使用し、下記条件で混合冷媒の冷凍サイクル理論計算を実施することにより求めた。
蒸発温度    −５０℃
凝縮温度      ４０℃
過熱温度      ２０Ｋ
過冷却温度      ０Ｋ
圧縮機効率    ７０％
「蒸発温度−５０℃」とは、冷凍装置が備える蒸発器における混合冷媒の蒸発温度が−５０℃であることを意味する。また、「凝縮温度４０℃」とは、冷凍装置が備える凝縮器における混合冷媒の凝縮温度が４０℃であることを意味する。
【０６３９】
試験例２−１の結果を表２２に示す。表２２は、本開示の冷媒２Ｃ２の実施例及び比較例を示している。表２２中、「COP比」及び「冷凍能力比」とは、R404Aに対する割合（%）を示す。
表２２中、「飽和圧力（40℃）」とは、飽和温度40℃における飽和圧力を示す。表２２中、「吐出温度（℃）」とは、上記混合冷媒の冷凍サイクル理論計算において、冷凍サイクル中で最も温度が高くなる温度を示す。
【０６４０】
成績係数（COP）は、次式により求めた。
COP＝（冷凍能力又は暖房能力）／消費電力量
圧縮比は、次式により求めた。
圧縮比＝凝縮圧力（Mpa）／蒸発圧力（Mpa）
混合冷媒の燃焼性は、混合冷媒の混合組成をWCF濃度とし、ANSI/ASHRAE34-2013規格に従い燃焼速度を測定することにより、判断した。燃焼速度が0cm/s〜10cm/sとなるものは「クラス2L（微燃）」、燃焼速度が10cm/s超となるものは「クラス2（弱燃）」であるとし、火炎伝播がないものは「クラス1（不燃）」であるとした。表２２中、「ASHRAE燃焼性区分」とは、この判定基準に基づく結果を示している。
【０６４１】
燃焼速度試験は以下の通り行った。まず、使用した混合冷媒は99.5%又はそれ以上の純度とし、真空ゲージ上に空気の痕跡が見られなくなるまで凍結、ポンピング及び解凍のサイクルを繰り返すことにより脱気した。閉鎖法により燃焼速度を測定した。初期温度は周囲温度とした。点火は、試料セルの中心で電極間に電気的スパークを生じさせることにより行った。放電の持続時間は1.0〜9.9msとし、点火エネルギーは典型的には約0.1〜1.0Jであった。シュリーレン写真を使って炎の広がりを視覚化した。光を通す2つのアクリル窓を備えた円筒形容器（内径：155mm、長さ：198mm）を試料セルとして用い、光源としてはキセノンランプを用いた。炎のシュリーレン画像を高速デジタルビデオカメラで600fpsのフレーミング速度で記録し、PCに保存した。
【０６４２】
混合冷媒の燃焼範囲は、ASTM E681-09に基づく測定装置（図１Ｔを参照）を用いて測定を実施した。
【０６４３】
具体的には、燃焼の状態が目視および録画撮影できるように内容積12リットルの球形ガラスフラスコを使用し、ガラスフラスコは燃焼により過大な圧力が発生した際には上部のふたからガスが開放されるようにした。着火方法は底部から1/3の高さに保持された電極からの放電により発生させた。
【０６４４】
＜試験条件＞
試験容器：280mmφ球形（内容積：12リットル）
試験温度：60℃±3℃
圧力：101.3kPa±0.7kPa
水分：乾燥空気1gにつき0.0088g±0.0005g（23℃における相対湿度50％の水分量）冷媒組成物／空気混合比：1vol.%刻み±0.2vol.%
冷媒組成物混合：±0.1質量%
点火方法：交流放電、電圧15kV、電流30mA、ネオン変圧器
電極間隔：6.4mm（1/4inch）
スパーク：0.4秒±0.05秒
判定基準：
・着火点を中心に90度より大きく火炎が広がった場合＝火炎伝播あり（可燃）
・着火点を中心に90度以下の火炎の広がりだった場合＝火炎伝播なし（不燃）
【０６４５】
【表２２２】
2020017521.tif 000082
【０６４６】
試験例２−２
実施例２−７〜２−１２、比較例２−１０〜２−１８及び参考例２−２（R404A）に示される混合冷媒のGWPは、IPCC第4次報告書の値に基づいて評価した。
【０６４７】
これらの混合冷媒のCOP、冷凍能力、吐出温度、飽和温度40℃における飽和圧力、凝縮圧力及び蒸発圧力は、NIST及びRefprop 9.0を使用し、下記条件で混合冷媒の冷凍サイクル理論計算を実施することにより求めた。
蒸発温度    −３５℃
凝縮温度      ４０℃
過熱温度      ２０Ｋ
過冷却温度      ０Ｋ
圧縮機効率    ７０％
上記用語の意味は、試験例２−１と同様である。
【０６４８】
試験例２−２の結果を表２２３に示す。表２２３は、本開示の冷媒２Ｃ２の実施例及び比較例を示している。表２２３中、各用語の意味は、試験例２−１と同様である。
【０６４９】
成績係数（COP）及び圧縮比は、試験例２−１と同様にして求めた。
【０６５０】
混合冷媒の燃焼性は、試験例２−１と同様にして判断した。燃焼速度試験は、試験例２−１と同様にして行った。
【０６５１】
混合冷媒の燃焼範囲は、ASTM E681-09に基づく測定装置（図１Ｔを参照）を用いて、試験例２−１と同様の方法及び試験条件で測定した。
【０６５２】
【表２２３】
2020017521.tif 000083
【０６５３】
試験例２−３
実施例２−１３〜２−１８、比較例２−１９〜２−２７及び参考例２−３（R404A）に示される混合冷媒のGWPは、IPCC第4次報告書の値に基づいて評価した。
【０６５４】
これらの混合冷媒のCOP、冷凍能力、吐出温度、飽和温度40℃における飽和圧力、凝縮圧力及び蒸発圧力は、NIST及びRefprop 9.0を使用し、下記条件で混合冷媒の冷凍サイクル理論計算を実施することにより求めた。
蒸発温度    −１０℃
凝縮温度      ４０℃
過熱温度      ２０Ｋ
過冷却温度      ０Ｋ
圧縮機効率    ７０％
上記用語の意味は、試験例２−１と同様である。
【０６５５】
試験例２−３の結果を表２２４に示す。表２２４は、本開示の冷媒２Ｃ２の実施例及び比較例を示している。表２２４中、各用語の意味は、試験例２−１と同様である。
【０６５６】
成績係数（COP）及び圧縮比は、試験例２−１と同様にして求めた。
【０６５７】
混合冷媒の燃焼性は、試験例２−１と同様にして判断した。燃焼速度試験は、試験例２−１と同様にして行った。
【０６５８】
混合冷媒の燃焼範囲は、ASTM E681-09に基づく測定装置（図１Ｔを参照）を用いて、試験例２−１と同様の方法及び試験条件で測定した。
【０６５９】
【表２２４】
2020017521.tif 000084
【０６６０】
試験例２−４
実施例２−１９〜２−２４、比較例２−２８〜２−３６及び参考例２−４（R404A）に示される混合冷媒のGWPは、IPCC第4次報告書の値に基づいて評価した。
【０６６１】
これらの混合冷媒のCOP、冷凍能力、吐出温度、飽和温度40℃における飽和圧力、凝縮圧力及び蒸発圧力は、NIST及びRefprop 9.0を使用し、下記条件で混合冷媒の冷凍サイクル理論計算を実施することにより求めた。
蒸発温度    −８０℃
凝縮温度      ４０℃
過熱温度      ２０Ｋ
過冷却温度      ０Ｋ
圧縮機効率    ７０％
上記用語の意味は、試験例２−１と同様である。
【０６６２】
試験例２−４の結果を表２２５に示す。表２２５は、本開示の冷媒２Ｃ２の実施例及び比較例を示している。表２２５中、各用語の意味は、試験例２−１と同様である。
【０６６３】
成績係数（COP）及び圧縮比は、試験例２−１と同様にして求めた。
【０６６４】
混合冷媒の燃焼性は、試験例２−１と同様にして判断した。燃焼速度試験は、試験例２−１と同様にして行った。
【０６６５】
混合冷媒の燃焼範囲は、ASTM E681-09に基づく測定装置（図１Ｔを参照）を用いて、試験例２−１と同様の方法及び試験条件で測定した。
【０６６６】
【表２２５】
2020017521.tif 000085
【０６６７】
試験例２−５
実施例２−２５〜２−３０、比較例２−３７〜２−４５及び参考例２−５（R404A）に示される混合冷媒のGWPは、IPCC第4次報告書の値に基づいて評価した。
【０６６８】
これらの混合冷媒のCOP、冷凍能力、吐出温度、飽和温度40℃における飽和圧力、凝縮圧力及び蒸発圧力は、NIST及びRefprop 9.0を使用し、下記条件で混合冷媒の冷凍サイクル理論計算を実施することにより求めた。
蒸発温度      １０℃
凝縮温度      ４０℃
過熱温度      ２０Ｋ
過冷却温度      ０Ｋ
圧縮機効率    ７０％
上記用語の意味は、試験例２−１と同様である。
【０６６９】
試験例２−５の結果を表２２６に示す。表２２６は、本開示の冷媒２Ｃ２の実施例及び比較例を示している。表２２６中、各用語の意味は、試験例２−１と同様である。
【０６７０】
成績係数（COP）及び圧縮比は、試験例２−１と同様にして求めた。
【０６７１】
混合冷媒の燃焼性は、試験例２−１と同様にして判断した。燃焼速度試験は、試験例２−１と同様にして行った。
【０６７２】
混合冷媒の燃焼範囲は、ASTM E681-09に基づく測定装置（図１Ｔを参照）を用いて、試験例２−１と同様の方法及び試験条件で測定した。
【０６７３】
【表２２６】
2020017521.tif 000086
【０６７４】
試験例３
実施例３−１〜３−５、比較例３−１〜３−５、参考例３−１（R134a）及び参考例３−２（R404A）に示される混合冷媒のGWPは、IPCC第4次報告書の値に基づいて評価した。
【０６７５】
これらの混合冷媒のCOP、冷凍能力、吐出温度、飽和温度45℃における飽和圧力、凝縮圧力及び蒸発圧力は、National Institute of Science and Technology（NIST）及びReference Fluid Thermodynamic and Transport Properties Database（Refprop 9.0）を使用し、下記条件で混合冷媒の冷凍サイクル理論計算を実施することにより求めた。
蒸発温度    −１０℃
凝縮温度      ４５℃
過熱温度      ２０Ｋ
過冷却温度      ０Ｋ
圧縮機効率    ７０％
「蒸発温度−１０℃」とは、冷凍装置が備える蒸発器における混合冷媒の蒸発温度が−１０℃であることを意味する。また、「凝縮温度４５℃」とは、冷凍装置が備える凝縮器における混合冷媒の凝縮温度が４５℃であることを意味する。
【０６７６】
試験例３の結果を表２２７に示す。表２２７は、本開示の冷媒２Ｃ３の実施例及び比較例を示している。表２２７中、「COP比」及び「冷凍能力比」とは、R134aに対する割合（%）を示す。表２２７中、「飽和圧力（45℃）」とは、飽和温度45℃における飽和圧力を示す。表２２７中、「吐出温度（℃）」とは、上記混合冷媒の冷凍サイクル理論計算において、冷凍サイクル中で最も温度が高くなる温度を示す。
【０６７７】
成績係数（COP）は、次式により求めた。
COP＝（冷凍能力又は暖房能力）／消費電力量
臨界温度は、National Institute of Science and Technology（NIST）及びReference Fluid Thermodynamic and Transport Properties Database（Refprop 9.0）を使用し、計算を実施することにより求めた。
【０６７８】
混合冷媒の燃焼性は、混合冷媒の混合組成をWCF濃度とし、ANSI/ASHRAE34-2013規格に従い燃焼速度を測定することにより、判断した。燃焼速度が0cm/s〜10cm/sとなるものは「クラス2L（微燃）」、燃焼速度が10cm/s超となるものは「クラス2（弱燃）」であるとし、火炎伝播がないものは「クラス1（不燃）」であるとした。表２２７中、「ASHRAE燃焼性区分」とは、この判定基準に基づく結果を示している。
【０６７９】
燃焼速度試験は以下の通り行った。まず、使用した混合冷媒は99.5%又はそれ以上の純度とし、真空ゲージ上に空気の痕跡が見られなくなるまで凍結、ポンピング及び解凍のサイクルを繰り返すことにより脱気した。閉鎖法により燃焼速度を測定した。初期温度は周囲温度とした。点火は、試料セルの中心で電極間に電気的スパークを生じさせることにより行った。放電の持続時間は1.0〜9.9msとし、点火エネルギーは典型的には約0.1〜1.0Jであった。シュリーレン写真を使って炎の広がりを視覚化した。光を通す2つのアクリル窓を備えた円筒形容器（内径：155mm、長さ：198mm）を試料セルとして用い、光源としてはキセノンランプを用いた。炎のシュリーレン画像を高速デジタルビデオカメラで600fpsのフレーミング速度で記録し、PCに保存した。
【０６８０】
混合冷媒の燃焼範囲は、ASTM E681-09に基づく測定装置（図１Ｔを参照）を用いて測定を実施した。
【０６８１】
具体的には、燃焼の状態が目視および録画撮影できるように内容積12リットルの球形ガラスフラスコを使用し、ガラスフラスコは燃焼により過大な圧力が発生した際には上部のふたからガスが開放されるようにした。着火方法は底部から1/3の高さに保持された電極からの放電により発生させた。
【０６８２】
＜試験条件＞
試験容器：280mmφ球形（内容積：12リットル）
試験温度：60℃±3℃
圧力：101.3kPa±0.7kPa
水分：乾燥空気1gにつき0.0088g±0.0005g（23℃における相対湿度50％の水分量）冷媒組成物／空気混合比：1vol.%刻み±0.2vol.%
冷媒組成物混合：±0.1質量%
点火方法：交流放電、電圧15kV、電流30mA、ネオン変圧器
電極間隔：6.4mm（1/4inch）
スパーク：0.4秒±0.05秒
判定基準：
・着火点を中心に90度より大きく火炎が広がった場合＝火炎伝播あり（可燃）
・着火点を中心に90度以下の火炎の広がりだった場合＝火炎伝播なし（不燃）
【０６８３】
【表２２７】
2020017521.tif 000087
【０６８４】
試験例４
実施例４−１〜４−７及び比較例４−１〜４−５に示される混合冷媒のGWPは、IPCC第4次報告書の値に基づいて評価した。
【０６８５】
これらの混合冷媒のCOP、冷凍能力、吐出温度及び飽和温度−１０℃における飽和圧力は、National Institute of Science and Technology（NIST）及びReference Fluid Thermodynamic and Transport Properties Database（Refprop 9.0）を使用し、下記条件で混合冷媒の冷凍サイクル理論計算を実施することにより求めた。
蒸発温度        ５℃
凝縮温度      ４５℃
過熱温度        ５Ｋ
過冷却温度      ５Ｋ
圧縮機効率    ７０％
「蒸発温度  ５℃」とは、冷凍装置が備える蒸発器における混合冷媒の蒸発温度が５℃であることを意味する。また、「凝縮温度  ４５℃」とは、冷凍装置が備える凝縮器における混合冷媒の凝縮温度が４５℃であることを意味する。
【０６８６】
試験例４の結果を表２２８に示す。表２２８は、本開示の冷媒２Ｃ４の実施例及び比較例を示している。表２２８中、「COP比」及び「冷凍能力比」とは、R1234yfに対する割合（%）を示す。表２２８中、「飽和圧力（-10℃）」とは、冷蔵条件の蒸発温度の代表値としての飽和温度−１０℃における飽和圧力を示す。表２２８中、「吐出温度（℃）」とは、上記混合冷媒の冷凍サイクル理論計算において、冷凍サイクル中で最も温度が高くなる温度を示す。
【０６８７】
成績係数（COP）は、次式により求めた。
COP＝（冷凍能力又は暖房能力）／消費電力量
臨界温度は、National Institute of Science and Technology（NIST）及びReference Fluid Thermodynamic and Transport Properties Database（Refprop 9.0）を使用し、計算を実施することにより求めた。
【０６８８】
混合冷媒の燃焼性は、混合冷媒の混合組成をWCF濃度とし、ANSI/ASHRAE34-2013規格に従い燃焼速度を測定することにより、判断した。燃焼速度が0cm/s〜10cm/sとなるものを「クラス2L（微燃）」、燃焼速度が10cm/s超となるものは「クラス2（弱燃）」であるとし、火炎伝播がないものは「クラス1（不燃）」であるとした。表２２８中、「ASHRAE燃焼性区分」とは、この判定基準に基づく結果を示している。
【０６８９】
燃焼速度試験は以下の通り行った。まず、使用した混合冷媒は99.5%又はそれ以上の純度とし、真空ゲージ上に空気の痕跡が見られなくなるまで凍結、ポンピング及び解凍のサイクルを繰り返すことにより脱気した。閉鎖法により燃焼速度を測定した。初期温度は周囲温度とした。点火は、試料セルの中心で電極間に電気的スパークを生じさせることにより行った。放電の持続時間は1.0〜9.9msとし、点火エネルギーは典型的には約0.1〜1.0Jであった。シュリーレン写真を使って炎の広がりを視覚化した。光を通す2つのアクリル窓を備えた円筒形容器（内径：155mm、長さ：198mm）を試料セルとして用い、光源としてはキセノンランプを用いた。炎のシュリーレン画像を高速デジタルビデオカメラで600fpsのフレーミング速度で記録し、PCに保存した。
【０６９０】
混合冷媒の燃焼範囲は、ASTM E681-09に基づく測定装置（図１Ｔを参照）を用いて測定を実施した。
【０６９１】
具体的には、燃焼の状態が目視および録画撮影できるように内容積12リットルの球形ガラスフラスコを使用し、ガラスフラスコは燃焼により過大な圧力が発生した際には上部のふたからガスが開放されるようにした。着火方法は底部から1/3の高さに保持された電極からの放電により発生させた。
【０６９２】
＜試験条件＞
試験容器：280mmφ球形（内容積：12リットル）
試験温度：60℃±3℃
圧力：101.3kPa±0.7kPa
水分：乾燥空気1gにつき0.0088g±0.0005g（23℃における相対湿度50％の水分量）
冷媒組成物／空気混合比：1vol.%刻み±0.2vol.%
冷媒組成物混合：±0.1質量%
点火方法：交流放電、電圧15kV、電流30mA、ネオン変圧器
電極間隔：6.4mm（1/4inch）
スパーク：0.4秒±0.05秒
判定基準：
・着火点を中心に90度より大きく火炎が広がった場合＝火炎伝播あり（可燃）
・着火点を中心に90度以下の火炎の広がりだった場合＝火炎伝播なし（不燃）
【０６９３】
【表２２８】
2020017521.tif 000088
【０６９４】
試験例５
実施例５−１〜５−１３、比較例５−１〜５−３及び参考例５−１（R134a）に示される混合冷媒のGWPは、IPCC第4次報告書の値に基づいて評価した。
【０６９５】
これらの混合冷媒のCOP、冷凍能力、沸点及び吐出温度は、National Institute of Science and Technology（NIST）及びReference Fluid Thermodynamic and Transport Properties Database（Refprop 9.0）を使用し、下記条件で混合冷媒の冷凍サイクル理論計算を実施することにより求めた。
蒸発温度    −３０℃
凝縮温度      ３０℃
過熱温度        ５Ｋ
過冷却温度      ５Ｋ
圧縮機効率    ７０％
「蒸発温度  −３０℃」とは、冷凍装置が備える蒸発器における混合冷媒の蒸発温度が−３０℃であることを意味する。また、「凝縮温度  ３０℃」とは、冷凍装置が備える凝縮器における混合冷媒の凝縮温度が３０℃であることを意味する。
【０６９６】
試験例５の結果を表２２９に示す。表２２９は、本開示の冷媒２Ｃ５の実施例及び比較例を示している。表２２９中、「COP比」及び「冷凍能力比」とは、R1234yfに対する割合（%）を示す。表２２９中、「吐出温度（℃）」とは、上記混合冷媒の冷凍サイクル理論計算において、冷凍サイクル中で最も温度が高くなる温度を示す。表２２９中、「沸点（℃）」とは、混合冷媒の液相が大気圧(101.33kPa)となる温度を示す。表２２９中、「動力の消費電力量（%）」とは、電気自動車が走行するために使用した電気エネルギーを示し、冷媒をHFO-1234yfとしたとき消費電力量との比で表す。表２２９中、「暖房の消費電力量（％）」とは、電気自動車が暖房を運転するために使用した電気エネルギーを示し、冷媒をHFO-1234yfとしたとき消費電力量との比で表す。表２２９中、「走行可能距離」とは、一定の電気容量の二次電池を搭載した電気自動車において、暖房せずに（暖房の消費電力が０）走行した場合の走行可能距離を100%とした場合の暖房ありで走行した場合の走行可能距離を相対割合（%）を表したものである。
【０６９７】
成績係数（COP）は、次式により求めた。
COP＝（冷凍能力又は暖房能力）／消費電力量
混合冷媒の燃焼性は、混合冷媒の混合組成をWCF濃度とし、ANSI/ASHRAE34-2013規格に従い燃焼速度を測定することにより判断した。燃焼速度の測定は以下の通り行った。まず、使用した混合冷媒は99.5%又はそれ以上の純度とし、真空ゲージ上に空気の痕跡が見られなくなるまで凍結、ポンピング及び解凍のサイクルを繰り返すことにより脱気した。閉鎖法により燃焼速度を測定した。初期温度は周囲温度とした。点火は、試料セルの中心で電極間に電気的スパークを生じさせることにより行った。放電の持続時間は1.0〜9.9msとし、点火エネルギーは典型的には約0.1〜1.0Jであった。シュリーレン写真を使って炎の広がりを視覚化した。光を通す2つのアクリル窓を備えた円筒形容器（内径：155mm、長さ：198mm）を試料セルとして用い、光源としてはキセノンランプを用いた。炎のシュリーレン画像を高速デジタルビデオカメラで600fpsのフレーミング速度で記録し、PCに保存した。
【０６９８】
暖房方法は、沸点が-40℃を超える冷媒では暖房に電気ヒーター方式を用い、沸点が-40℃以下の冷媒には暖房にヒートポンプ方式を用いた。
【０６９９】
暖房使用時の消費電力量は、次式により求めた。
暖房使用時の消費電力量＝暖房能力／暖房COP
なお、暖房COPとは「暖房効率」を意味する。
【０７００】
暖房効率について、電気ヒーターの場合は暖房COP＝1であり、動力と同等の電極を暖房に消費する。つまり、暖房の消費電力はE＝E/(1+COP)となる。一方、ヒートポンプの場合はNational Institute of Science and Technology（NIST）及びReference Fluid Thermodynamic and Transport Properties Database（Refprop 9.0）を使用し、下記条件で混合冷媒の冷凍サイクル理論計算を実施することにより暖房COPを求めた。
蒸発温度    −３０℃
凝縮温度      ３０℃
過熱温度        ５Ｋ
過冷却温度      ５Ｋ
圧縮機効率    ７０％
走行可能距離は、次式により求めた。
走行可能距離＝（電池容量）／（動力の消費電力量＋暖房での消費電力量）
【０７０１】
【表２２９】
2020017521.tif 000089
【０７０２】
（１−６−４）冷媒２Ｄ
本開示の冷媒２Ｄは、ジフルオロメタン（ＨＦＣ−３２）、２，３，３，３−テトラフルオロプロペン（ＨＦＯ−１２３４ｙｆ）、並びに、１，１−ジフルオロエチレン（ＨＦＯ−１１３２ａ）及びテトラフルオロエチレン（ＦＯ−１１１４）の少なくとも一種を含有することを特徴とする。そして、上記特徴を有する本開示の冷媒２Ｄは、Ｒ４０４Ａ及び／又はＲ４１０Ａと同等以上の成績係数（ＣＯＰ）と冷凍能力（Ｃａｐ）とを有し、ＧＷＰが十分に小さいという三種の性能を兼ね備えている。
【０７０３】
なお、本開示において、Ｒ４０４Ａと同等以上の成績係数（ＣＯＰ）は、Ｒ４０４Ａに対するＣＯＰ比が１００％以上（好ましくは１０３％以上、より好ましくは１０５％以上）であることを意味し、Ｒ４０４Ａと同等以上の冷凍能力（Ｃａｐ）は、Ｒ４０４Ａに対するＣａｐ比が８０％以上（好ましくは９０％以上、より好ましくは９５％以上、最も好ましくは１００％以上）であることを意味する。
【０７０４】
また、Ｒ４１０Ａと同等以上の成績係数（ＣＯＰ）は、Ｒ４１０Ａに対するＣＯＰ比が９０％以上（好ましくは９３％以上、より好ましくは９５％以上、最も好ましくは１００％以上）であることを意味し、Ｒ４１０Ａと同等以上の冷凍能力（Ｃａｐ）は、Ｒ４１０Ａに対するＣａｐ比が８０％以上（好ましくは９５％以上、より好ましくは９９％以上、最も好ましくは１００％以上）であることを意味する。
【０７０５】
更に、ＧＷＰが十分に小さいとは、ＧＷＰが５００以下、好ましくは４００以下、より好ましくは３００以下であることを意味し、後述する第１形態の冷媒２Ｄの場合には、ＧＷＰが２００以下、好ましくは１７０以下、より好ましくは１５０以下、更に好ましくは１３０以下であることを意味する。
【０７０６】
本開示の冷媒２Ｄは、ＨＦＣ−３２、ＨＦＯ−１２３４ｙｆ、並びに、ＨＦＯ−１１３２ａ及びＦＯ−１１１４の少なくとも一種を含有すればよく、その組成は上記性能が発揮される限りにおいて特に限定されないが、その中でも当該冷媒のＧＷＰが５００以下（特に後述する第１形態の冷媒２Ｄの場合には１７０以下となる組成であることが好ましい。ＨＦＯ−１１３２ａ及びＦＯ−１１１４の少なくとも一種についてはどちらか片方又は両方が含まれていてもよいが、本開示ではＨＦＯ−１１３２ａを含有することが好ましい。
【０７０７】
具体的には、本開示の冷媒２Ｄは、ＨＦＣ−３２、ＨＦＯ−１２３４ｙｆ、及びＨＦＯ−１１３２ａを含有する態様が好ましく、これら三成分の合計量を１００質量％として、ＨＦＯ−１２３４ｙｆを含み、ＨＦＣ−３２が１５．０〜２４．０質量％、ＨＦＯ−１１３２ａが１．０〜７．０質量％含まれる混合冷媒であることが好ましい（第１形態の冷媒２Ｄ；図２Ｄの拡大図中、Ｘで示される四角形の範囲内又は前記四角形の線分上）。その中でも、ＨＦＯ−１２３４ｙｆを含み、ＨＦＣ−３２が１９．５〜２３．５質量％、ＨＦＯ−１１３２ａが３．１〜３．７質量％含まれる混合冷媒であることが好ましい（第１形態の好ましい冷媒２Ｄ；図２Ｄの拡大図中、Ｙで示される四角形の範囲内又は前記四角形の線分上）。かかる組成範囲であれば本開示所定の効果が発揮され易くなる。この第１形態の冷媒２Ｄは特にＲ４０４Ａの代替冷媒として有用である。
【０７０８】
本開示の冷媒２Ｄ（第１形態の冷媒２Ｄ）は、凝縮温度グライドは好ましくは１２℃以下、より好ましくは１０℃以下、更に好ましくは９℃以下である。また、圧縮機出口圧力は好ましくは１．６０〜２．００ＭＰａの範囲内であり、より好ましくは１．７３〜１．９１ＭＰａの範囲内である。なお、本開示の冷媒２Ｄは、後述する公知の冷凍機油と混合する場合に冷凍機油との相溶性が良好であるという特性がある。
【０７０９】
前記第１形態の冷媒２Ｄは、その組成範囲内に第２形態の冷媒２Ｄを包含する。
【０７１０】
本開示の冷媒２Ｄ（第２形態の冷媒２Ｄ）は、ＨＦＣ−３２、ＨＦＯ−１２３４ｙｆ及びＨＦＯ−１１３２ａを含み、前記冷媒において、ＨＦＣ−３２、ＨＦＯ−１１３２ａ及びＨＦＯ−１２３４ｙｆの、これらの総和を基準とする質量％をそれぞれｘ、ｙ及びｚとするとき、ＨＦＣ−３２、ＨＦＯ−１１３２ａ及びＨＦＯ−１２３４ｙｆの総和が１００質量％となる３成分組成図において、座標（x, y, z）が、
点Ｒ（21.80, 3.95, 74.25）、
点Ｓ（21.80, 3.05, 75.15）、及び
点Ｔ（20.95, 75.30, 3.75）、
の３点をそれぞれ結ぶ線分ＲＳ、ＳＴ及びＴＲで囲まれる三角形の範囲内又は前記線分上にあることを特徴とする（図２Ｄの拡大図中、線分ＲＳ、ＳＴ及びＴＲで囲まれる三角形の範囲内又は前記線分上）。
【０７１１】
本開示の冷媒２Ｄ（第２形態の冷媒２Ｄ）は、上記要件が満たされる場合、Ｒ４０４Ａと同等以上の成績係数（ＣＯＰ）と９５％以上の冷凍能力（Ｃａｐ）とを有し、ＧＷＰが１５０以下であり、凝縮温度グライドが９℃以下である。
【０７１２】
本開示の冷媒２Ｄは、前述の第１形態及び第２形態の冷媒２Ｄに加えて、下記の第３形態から第７形態の冷媒２Ｄを包含する。これらの第３形態から第７形態の冷媒２Ｄは、特にＲ４１０Ａの代替冷媒として有用である
本開示の冷媒２Ｄ（第３形態の冷媒２Ｄ）は、ＨＦＣ−３２、ＨＦＯ−１２３４ｙｆ及びＨＦＯ−１１３２ａを含み、
前記冷媒において、ＨＦＣ−３２、ＨＦＯ−１１３２ａ及びＨＦＯ−１２３４ｙｆの、これらの総和を基準とする質量％をそれぞれｘ、ｙ及びｚとするとき、ＨＦＣ−３２、ＨＦＯ−１１３２ａ及びＨＦＯ−１２３４ｙｆの総和が１００質量％となる３成分組成図において、座標（x, y, z）が、
点Ｌ（74.0, 19.9, 6.1）、
点Ｆ（49.1, 25.9, 25.0）、
点Ｇ（0.0, 48.6, 51.4）、
点Ｏ（0.0, 0.0, 100）、及び
点Ｂ（73.9, 0.0, 26.1）、
の５点をそれぞれ結ぶ線分ＬＦ、ＦＧ、ＧＯ、ＯＢ及びＢＬで囲まれる図形の範囲内又は前記線分上（但し、線分ＧＯ及びＯＢ上を除く）にあり、
前記線分ＬＦは、
座標（y=0.0021x2-0.4975x+45.264）で表わされ、
前記線分ＦＧは、
座標（y=0.0031x2-0.6144x+48.6）で表わされ、且つ、
前記線分ＧＯ、ＯＢ及びＢＬが直線であることを特徴とする。
【０７１３】
本開示の冷媒２Ｄ（第３形態の冷媒２Ｄ）は、上記要件が満たされる場合、Ｒ４１０Ａと同等以上の成績係数（ＣＯＰ）と冷凍能力（Ｃａｐ）とを有し、ＧＷＰが５００以下であり、Ｒ４１０Ａを基準とする圧縮機出口圧力が１．２５倍以下となる。このような圧縮機出口圧力は好ましくは３．４ＭＰａ以下であり、より好ましくは３．０ＭＰａ以下である。
【０７１４】
なお、線分ＥＦ（線分ＬＦ、線分ＰＦを含む）は本明細書の表及び図の点Ｅ、実施例２４及び点Ｆの３点から最小二乗法にて近似曲線を求め、線分ＦＧは点Ｆ、実施例２６及び点Ｇの３点から最小二乗法により近似曲線を求めた。
【０７１５】
本開示の冷媒２Ｄ（第４形態の冷媒２Ｄ）は、ＨＦＣ−３２、ＨＦＯ−１２３４ｙｆ及びＨＦＯ−１１３２ａを含み、
前記冷媒において、ＨＦＣ−３２、ＨＦＯ−１１３２ａ及びＨＦＯ−１２３４ｙｆの、これらの総和を基準とする質量％をそれぞれｘ、ｙ及びｚとするとき、ＨＦＣ−３２、ＨＦＯ−１１３２ａ及びＨＦＯ−１２３４ｙｆの総和が１００質量％となる３成分組成図において、座標（x, y, z）が、
点Ｐ（59.1, 23.2, 17.7）、
点Ｆ（49.1, 25.9, 25.0）、
点Ｇ（0.0, 48.6, 51.4）、
点Ｏ（0.0, 0.0, 100）及び
点Ｂ’（59.0, 0.0, 40.2）、
の５点をそれぞれ結ぶ線分ＰＦ、ＦＧ、ＧＯ、ＯＢ’及びＢ’Ｐで囲まれる図形の範囲内又は前記線分上（但し、線分ＧＯ及びＯＢ’上を除く）にあり、
前記線分ＰＦは、
座標（y=0.0021x2-0.4975x+45.264）で表わされ、
前記線分ＦＧは、
座標（y=0.0031x2-0.6144x+48.6）で表わされ、且つ、
前記線分ＧＯ、ＯＢ’及びＢ’Ｐが直線であることを特徴とする。
【０７１６】
本開示の冷媒２Ｄ（第４形態の冷媒２Ｄ）は、上記要件が満たされる場合、Ｒ４１０Ａと同等以上の成績係数（ＣＯＰ）と冷凍能力（Ｃａｐ）とを有し、ＧＷＰが４００以下であり、Ｒ４１０Ａを基準とする圧縮機出口圧力が１．２５倍以下となる。このような圧縮機出口圧力は好ましくは３．４ＭＰａ以下であり、より好ましくは３．０ＭＰａ以下である。
【０７１７】
本開示の冷媒２Ｄ（第５形態の冷媒２Ｄ）は、ＨＦＣ−３２、ＨＦＯ−１２３４ｙｆ及びＨＦＯ−１１３２ａを含み、
前記冷媒において、ＨＦＣ−３２、ＨＦＯ−１１３２ａ及びＨＦＯ−１２３４ｙｆの、これらの総和を基準とする質量％をそれぞれｘ、ｙ及びｚとするとき、ＨＦＣ−３２、ＨＦＯ−１１３２ａ及びＨＦＯ−１２３４ｙｆの総和が１００質量％となる３成分組成図において、座標（x, y, z）が、
点Ｍ（74.0, 19.5, 6.5）、
点Ｉ（62.9, 15.5, 21.6）、
点Ｊ（33.5, 0.0, 66.5）、及び
点Ｂ（73.9, 0.0, 26.1）、
の４点をそれぞれ結ぶ線分ＭＩ、ＩＪ、ＪＢ及びＢＭで囲まれる図形の範囲内又は前記線分上（但し、線分ＪＢ上を除く）にあり、
前記線分ＭＩは、
座標（y=0.006x2+1.1837x-35.264）で表わされ、
前記線分ＩＪは、
座標（y=0.0083x2-0.2719x-0.1953）で表わされ、且つ、
前記線分ＪＢ及びＢＭが直線であることを特徴とする。
【０７１８】
本開示の冷媒２Ｄ（第５形態の冷媒２Ｄ）は、上記要件が満たされる場合、Ｒ４１０Ａと同等以上の成績係数（ＣＯＰ）と冷凍能力（Ｃａｐ）とを有し、ＧＷＰが５００以下であり、Ｒ４１０Ａを基準とする圧縮機出口圧力が１．２５倍以下であり、このような圧縮機出口圧力は好ましくは３．４Ｍｐａ以下であり、より好ましくは３．０Ｍｐａ以下である。また、凝縮温度グライド及び蒸発温度グライドがともに５℃以下と小さく、特にＲ４１０Ａ代替として適している。
【０７１９】
なお、線分ＨＩ（線分ＭＩを含む）は本明細書の表及び図の点Ｈ、実施例２１及び点Ｉの３点から最小二乗法にて近似曲線を求め、線分ＩＪは点Ｉ、実施例２３及び点Ｊの３点から最小二乗法により近似曲線を求めた。
【０７２０】
本開示の冷媒２Ｄ（第６形態の冷媒２Ｄ）は、ＨＦＣ−３２、ＨＦＯ−１２３４ｙｆ及びＨＦＯ−１１３２ａを含み、
前記冷媒において、ＨＦＣ−３２、ＨＦＯ−１１３２ａ及びＨＦＯ−１２３４ｙｆの、これらの総和を基準とする質量％をそれぞれｘ、ｙ及びｚとするとき、ＨＦＣ−３２、ＨＦＯ−１１３２ａ及びＨＦＯ−１２３４ｙｆの総和が１００質量％となる３成分組成図において、座標（x, y, z）が、
点Ｑ（59.1, 12.7, 28.2）、
点Ｊ（33.5, 0.0, 66.5）、及び
点Ｂ’（59.0, 0.0, 40.2）、
の３点をそれぞれ結ぶ線分ＱＪ、ＪＢ’及びＢ’Ｑで囲まれる図形の範囲内又は前記線分上（但し、線分ＪＢ’上を除く）にあり、
前記線分ＱＪは、
座標（y=0.0083x2-0.2719x-0.1953）で表わされ、且つ、
前記線分ＪＢ’及びＢ’Ｑがで直線であることを特徴とする。
【０７２１】
本開示の冷媒２Ｄ（第６形態の冷媒２Ｄ）は、上記要件が満たされる場合、Ｒ４１０Ａと同等以上の成績係数（ＣＯＰ）と冷凍能力（Ｃａｐ）とを有し、ＧＷＰが４００以下であり、Ｒ４１０Ａを基準とする圧縮機出口圧力が１．２５倍以下であり、このような圧縮機出口圧力は好ましくは３．４Ｍｐａ以下であり、より好ましくは３．０Ｍｐａ以下である。また、蒸発温度グライドが５℃以下と小さく、好ましくは４℃以下であり、より好ましくは３．５℃以下であり、特にＲ４１０Ａ代替として適している。
【０７２２】
本開示の冷媒２Ｄ（第７形態の冷媒２Ｄ）は、ＨＦＣ−３２、ＨＦＯ−１２３４ｙｆ及びＨＦＯ−１１３２ａを含み、
前記冷媒において、ＨＦＣ−３２、ＨＦＯ−１１３２ａ及びＨＦＯ−１２３４ｙｆの、これらの総和を基準とする質量％をそれぞれｘ、ｙ及びｚとするとき、ＨＦＣ−３２、ＨＦＯ−１１３２ａ及びＨＦＯ−１２３４ｙｆの総和が１００質量％となる３成分組成図において、座標（x, y, z）が、
点Ｑ（59.1, 12.7, 28.2）、
点Ｕ（59.0, 5.5, 35.5）、及び
点Ｖ（52.5, 8.4, 39.1）、
の３点をそれぞれ結ぶ線分ＱＵ、ＵＶ及びＶＱで囲まれる図形の範囲内又は前記線分上にあり、
前記線分ＶＱは、
座標（y=0.0083x2-0.2719x-0.1953）で表わされ、且つ、
前記線分ＵＶは、
座標（y=0.0026x2-0.7385x+39.946）で表わされ
前記線分ＱＵが直線であることを特徴とする。
【０７２３】
本開示の冷媒２Ｄ（第７形態の冷媒２Ｄ）は、上記要件が満たされる場合、Ｒ４１０Ａと同等以上の成績係数（ＣＯＰ）と冷凍能力（Ｃａｐ）（対Ｒ４１０Ａ冷凍能力９９％以上）とを有し、ＧＷＰが４００以下であり、Ｒ４１０Ａを基準とする圧縮機出口圧力が１．２５倍以下であり、このような圧縮機出口圧力は好ましくは３．４Ｍｐａ以下であり、より好ましくは３．０Ｍｐａ以下である。また、蒸発温度グライドが５℃以下と小さく、好ましくは４℃以下であり、より好ましくは３．５℃以下であり、特にＲ４１０Ａ代替として適している。
【０７２４】
なお、線分ＵＶは本明細書の表及び図２Ｅの点Ｕ、実施例２８及び点Ｖの３点から最小二乗法にて近似曲線を求めた。
【０７２５】
なお、第１形態から第７形態の冷媒２Ｄに例示されるように、ＨＦＯ−１１３２ａを用いた、Ｒ１２、Ｒ２２、Ｒ１３４ａ、Ｒ４０４Ａ、Ｒ４０７Ａ、Ｒ４０７Ｃ、Ｒ４０７Ｆ、Ｒ４０７Ｈ、Ｒ４１０Ａ、Ｒ４１３Ａ、Ｒ４１７Ａ、Ｒ４２２Ａ、Ｒ４２２Ｂ、Ｒ４２２Ｃ、Ｒ４２２Ｄ、Ｒ４２３Ａ、Ｒ４２４Ａ、Ｒ４２６Ａ、Ｒ４２７Ａ、Ｒ４３０Ａ、Ｒ４３４Ａ、Ｒ４３７Ａ、Ｒ４３８Ａ、Ｒ４４８Ａ、Ｒ４４９Ａ、Ｒ４４９Ｂ、Ｒ４４９Ｃ、Ｒ４５２Ａ、Ｒ４５２Ｂ、Ｒ４５４Ａ、Ｒ４５４Ｂ、Ｒ４５４Ｃ、Ｒ４５５Ａ、Ｒ４５９Ａ、Ｒ４６５Ａ、Ｒ５０２、Ｒ５０７、Ｒ５１３Ａ等の従来冷媒の代替冷媒を提案するのは本開示が初めてであり、本開示は最も広義には、「冷媒を含有する組成物であって、前記冷媒が、１，１−ジフルオロエチレン（ＨＦＯ−１１３２ａ）を含有する、Ｒ１２、Ｒ２２、Ｒ１３４ａ、Ｒ４０４Ａ、Ｒ４０７Ａ、Ｒ４０７Ｃ、Ｒ４０７Ｆ、Ｒ４０７Ｈ、Ｒ４１０Ａ、Ｒ４１３Ａ、Ｒ４１７Ａ、Ｒ４２２Ａ、Ｒ４２２Ｂ、Ｒ４２２Ｃ、Ｒ４２２Ｄ、Ｒ４２３Ａ、Ｒ４２４Ａ、Ｒ４２６Ａ、Ｒ４２７Ａ、Ｒ４３０Ａ、Ｒ４３４Ａ、Ｒ４３７Ａ、Ｒ４３８Ａ、Ｒ４４８Ａ、Ｒ４４９Ａ、Ｒ４４９Ｂ、Ｒ４４９Ｃ、Ｒ４５２Ａ、Ｒ４５２Ｂ、Ｒ４５４Ａ、Ｒ４５４Ｂ、Ｒ４５４Ｃ、Ｒ４５５Ａ、Ｒ４５９Ａ、Ｒ４６５Ａ、Ｒ５０２、Ｒ５０７又はＲ５１３Ａの代替冷媒として用いられる組成物。」の発明を包含する。この中でも、「冷媒を含有する組成物であって、前記冷媒が１，１−ジフルオロエチレン（ＨＦＯ−１１３２ａ）を含有するＲ４１０Ａの代替冷媒として用いられる組成物。」の発明が好ましいものとして含まれる。
＜更に他の追加的な冷媒を含有する混合冷媒＞
本開示の冷媒２Ｄは、上記の特性や効果を損なわない範囲内で、ＨＦＣ−３２、ＨＦＯ−１２３４ｙｆ、並びに、ＨＦＯ−１１３２ａ及びＦＯ−１１１４の少なくとも一種に加えて、更に他の追加的な冷媒を含有する混合冷媒であってもよい。この場合、ＨＦＣ−３２、ＨＦＯ−１２３４ｙｆ、並びに、ＨＦＯ−１１３２ａ及びＦＯ−１１１４の少なくとも一種の合計量が、本開示の冷媒全体に対して、９９．５質量％以上１００質量％未満であることが好ましく、９９．７５質量％以上１００質量％未満であることがより好ましく、９９．９質量％％以上１００質量％未満であることが更に好ましい。  上記追加的な冷媒としては、特に限定されず、この分野で広く使用されている公知の冷媒の中から幅広く選択できる。上記混合冷媒は、上記追加的な冷媒を単独で含んでいてもよいし、上記追加的な冷媒を２種以上を含んでいてもよい。
【０７２６】
［冷媒２Ｄの実施例］
以下に、実施例を挙げて更に詳細に説明する。ただし、本開示は、これらの実施例に限定されるものではない。
【０７２７】
実施例１〜１６及び比較例１（第１形態及び第２形態の冷媒２Ｄに対応）
実施例１７〜８７及び比較例２〜１８（第３形態〜第７形態の冷媒２Ｄに対応）
各実施例及び比較例に示される混合冷媒のＧＷＰ、並びに、Ｒ４０４Ａ（Ｒ１２５／１４３ａ／Ｒ１３４ａ＝４４／５２／４重量％）、Ｒ４１０Ａ（Ｒ３２／Ｒ１２５＝５０／５０重量％）のＧＷＰは、ＩＰＣＣ（Intergovernmental Panel on Climate Change）第４次報告書の値に基づいて評価した。
【０７２８】
また、各実施例及び比較例に示される混合冷媒のＣＯＰ及び冷凍能力、並びに、Ｒ４０４ＡのＣＯＰ及び冷凍能力は、National Institute of Science and Technology(NIST)、Reference Fluid Thermodynamic and Transport Properties Database(Refprop 9.0)を使用して求めた。具体的には、実施例１〜１６及び比較例１（第１形態及び第２形態の冷媒２Ｄに対応）は下記条件で混合冷媒の冷凍サイクル理論計算を実施することにより求め、
蒸発温度     -４０℃
凝縮温度      ４０℃
過熱温度      ２０Ｋ
過冷却温度      ０Ｋ
圧縮機効率    ７０％
実施例１７〜８７及び比較例２〜１８（第３形態〜第７形態の冷媒２Ｄに対応）は下記条件で混合冷媒の冷凍サイクル理論計算を実施することにより求めた。
蒸発温度      ５℃
凝縮温度    ４５℃
過熱温度      ５Ｋ
過冷却温度    ５Ｋ
圧縮機効率    ７０％
更に、各実施例及び比較例に示される混合冷媒を用いた場合の凝縮温度グライド、蒸発温度グライド及び圧縮機出口圧力についてもRefprop 9.0を使用して求めた。
【０７２９】
また、これらの結果をもとに算出したＧＷＰ、ＣＯＰ及び冷凍能力を表２３０及び表２３１−１〜表２３１−１２に示す。なお、ＣＯＰ比及び冷凍能力比については、実施例１〜１６及び比較例１はＲ４０４Ａに対する割合（％）を示し、実施例１７〜８７及び比較例２〜１８はＲ４１０Ａに対する割合（％）を示す。
【０７３０】
成績係数（ＣＯＰ）は、次式により求めた。
ＣＯＰ＝（冷凍能力又は暖房能力）／消費電力量
【０７３１】
【表２３０】
2020017521.tif 000090
【０７３２】
表２３０の結果から明らかなように、特に第２形態の冷媒２Ｄは、Ｒ４０４Ａと同等以上の成績係数（ＣＯＰ）と９５％以上の冷凍能力（Ｃａｐ）とを有し、ＧＷＰが１５０以下であり、凝縮温度グライドが９℃以下であることが分かり、特にＲ４０４Ａ代替え冷媒として優れていることが分かる。
【０７３３】
【表２３１−１】
2020017521.tif 000091
【０７３４】
【表２３１−２】
2020017521.tif 000092
【０７３５】
【表２３１−３】
2020017521.tif 000093
【０７３６】
【表２３１−４】
2020017521.tif 000094
【０７３７】
【表２３１−５】
2020017521.tif 000095
【０７３８】
【表２３１−６】
2020017521.tif 000096
【０７３９】
【表２３１−７】
2020017521.tif 000097
【０７４０】
【表２３１−８】
2020017521.tif 000098
【０７４１】
【表２３１−９】
2020017521.tif 000099
【０７４２】
【表２３１−１０】
2020017521.tif 000100
【０７４３】
【表２３１−１１】
2020017521.tif 000101
【０７４４】
【表２３１−１２】
2020017521.tif 000102
【０７４５】
上記表２３１−１から表２３１−１２の結果から明らかな通り、第３形態の冷媒２Ｄは、所定要件が満たされる場合、Ｒ４１０Ａと同等以上の成績係数（ＣＯＰ）と冷凍能力（Ｃａｐ）とを有し、ＧＷＰが５００以下であり、Ｒ４１０Ａを基準とする圧縮機出口圧力が１．２５倍以下となることが分かる。第４形態の冷媒２Ｄは、所定要件が満たされる場合、Ｒ４１０Ａと同等以上の成績係数（ＣＯＰ）と冷凍能力（Ｃａｐ）とを有し、ＧＷＰが４００以下であり、Ｒ４１０Ａを基準とする圧縮機出口圧力が１．２５倍以下となることが分かる。第５形態の冷媒２Ｄは、所定要件が満たされる場合、Ｒ４１０Ａと同等以上の成績係数（ＣＯＰ）と冷凍能力（Ｃａｐ）とを有し、ＧＷＰが５００以下であり、Ｒ４１０Ａを基準とする圧縮機出口圧力が１．２５倍以下であり、また凝縮温度グライド及び蒸発温度グライドがともに５℃以下と小さいことが分かる。また、第６形態の冷媒２Ｄは、所定要件が満たされる場合、Ｒ４１０Ａと同等以上の成績係数（ＣＯＰ）と冷凍能力（Ｃａｐ）とを有し、ＧＷＰが４００以下であり、Ｒ４１０Ａを基準とする圧縮機出口圧力が１．２５倍以下であり、また蒸発温度グライドが５℃以下と小さいことが分かる。また、第７形態の冷媒２Ｄは、所定要件が満たされる場合、Ｒ４１０Ａと同等以上の成績係数（ＣＯＰ）と冷凍能力（Ｃａｐ）（９９％以上対Ｒ４１０Ａ）とを有し、ＧＷＰが４００以下であり、Ｒ４１０Ａを基準とする圧縮機出口圧力が１．２５倍以下であり、また蒸発温度グライドが５℃以下と小さいことが分かる。これらの第３形態から第７形態の冷媒２Ｄは、いずれもＲ４１０Ａの代替冷媒として適しており、特に凝縮温度グライド及び／又は蒸発温度グライドが小さい第５形態又は第６形態の冷媒２Ｄは特にＲ４１０Ａの代替冷媒として適している。更には、凝縮温度グライド及び／又は蒸発温度グライドが小さく、かつ、Ｒ４１０Ａと同等以上の成績係数（ＣＯＰ）と冷凍能力（Ｃａｐ）（９９％以上対Ｒ４１０Ａ）である第７形態の冷媒２Ｄは更にＲ４１０Ａの代替え冷媒として優れている。
【０７４６】
（１−６−５）冷媒２Ｅ
本開示の冷媒２Ｅは、R32、CO2、R125、R134a及びR1234yfを含有する混合冷媒である。
【０７４７】
本開示の冷媒２Ｅは、（１）GWPが750以下であること、（２）WCF不燃又はASHRAE不燃であること、及び（３）R410Aと同等のCOP及び冷凍能力を有することという、R410A代替冷媒に通常求められる諸特性を有する。
【０７４８】
本開示の冷媒２Ｅは、上記に加えて、温度グライドを有するため、冷媒の流れと外部熱媒体の流れとが対向流となる熱交換器を有する冷凍機において使用することにより、エネルギー効率及び／又は冷凍能力が改善するという効果も奏する。
【０７４９】
本開示の冷媒２Ｅは、以下の要件１−１−１〜１−３−２が満たされるとき、GWP750以下であり、かつWCF不燃であるため好ましい。なお、以下においては、R32、CO2、R125、R134a及びR1234yfの総和を基準とする、R32の質量%をa、CO2の質量%をb、R125の質量%をc1、R134aの質量%をc2、R125及びR134aの合計の質量%をc、R1234yfの質量%をxとし、c1/(c1+c2)をrとする。
【０７５０】
R32が（100-x）質量%の点と、CO2が（100-x）質量%の点と、R125及びR134aの合計が（100-x）質量%の点とを頂点とする3成分組成図において、座標（a,b,c）が、
要件１−１−１）
43.8≧x≧41、かつ0.5≧r≧0.25であるとき、
点A(-0.6902x+43.307, 100-a-x, 0.0)、
点Or=0.25〜0.5((-2.2857x+87.314)r2+(1.7143x-55.886)r+(-0.9643x+55.336), (2.2857x-112.91)r2+(-1.7143x+104.69)r+(-0.25x+11.05), 100-a-b-x)、
点Dr=0.25〜0.5(0.0, -28.8r2+54.0r+(-x+49.9), 100-b-x)及び
点Q(0.0, 100-x, 0.0)
を結ぶ線分で囲まれる四角形の範囲内又は該線分上にあるか（ただし、線分Dr=0.25〜0.5Q及びQA上の点は除く）、又は
要件１−１−２）
43.8≧x≧41、かつ1.0≧r≧0.5であるとき、
点A(-0.6902x+43.307, 100-a-c, 0.0)、
点Or=0.5〜1.0((-0.2857x+8.5143)r2+(0.5x-10.9)+(-0.8571x+52.543), (-0.2857x+4.5143)r2+(0.5x+0.9)r+(-0.7143x+33.586), 100-a-b-x)、
点Dr=0.5〜1.0(0.0, (-0.5714x+12.229)r2+(0.8571x-0.3429)r+(-1.2857x+66.814), 100-b-x)及び
点Q(0.0, 100-x, 0.0)
を結ぶ線分で囲まれる四角形の範囲内又は該線分上にあるか（ただし、線分Dr=0.5〜1.0Q及びQA上の点は除く）、又は
１−２−１）
46.5≧x≧43.8、かつ0.5≧r≧0.25であるとき、
点A(-0.6902x+43.307, 100-a-x, 0.0)、
点Or=0.25〜0.5((1.1852x-64.711)r2+(-0.7407x+51.644)r+(-0.5556x+37.433), (-2.3704x+91.022)r2+(2.0741x-61.244)r+(-0.963x+42.278), 100-a-b-x)、
点Dr=0.25〜0.5(0.0, -28.8r2+54.0r+(-x+49.9), 100-b-x)及び
点Q(0.0, 100-x, 0.0)
を結ぶ線分で囲まれる四角形の範囲内又は該線分上にあるか（ただし、線分Dr=0.25〜0.5Q及びQA上の点は除く）、又は
要件１−２−２）
46.5≧x≧43、かつ1.0≧r≧0.5であるとき、
点A(-0.6902x+43.307, 100-a-x, 0.0)、
点Or=0.5〜1.0((0.2963x-16.978)r2+(-0.3704x+27.222)r+(-0.5185x+37.711), -8.0r2+22.8r+(-0.5185x+25.011), 100-a-b-x)、
点Dr=0.5〜1.0(0.0, -12.8r2+37.2r+(-x+54.3), 100-b-x)及び
点Q(0.0, 100-x, 0.0)
を結ぶ線分で囲まれる四角形の範囲内又は該線分上にあるか（ただし、線分Dr=0.5〜１.0Q及びQA上の点は除く）、
要件１−３−１）
50≧x≧46.5、かつ0.5≧r≧0.25であるとき、
点A(-0.6902x+43.307, 100-a-x, 0.0)、
点Or=0.25〜0.5(-9.6r2+17.2r+(-0.6571x+42.157), -19.2r2+(0.2286x+24.571)r+(-0.6286x+26.729), 100-a-b-x)、
点Dr=0.25〜0.5(0.0, (0.9143x-71.314)r2+(-0.5714x+80.571)+(-0.9143x+45.914), 100-b-x)及び
点Q(0.0, 100-x, 0.0)
を結ぶ線分で囲まれる四角形の範囲内又は該線分上にあるか（ただし、線分Dr=0.25〜0.5Q及びQA上の点は除く）、又は
要件１−３−２）
50≧x≧46.5、かつ1.0≧r≧0.5であるとき、
点A(-0.6902x+43.307, 100-a-x, 0.0)、
点Or=0.5〜1.0((-0.2286x+7.4286)r2+(0.4x-8.6)r+(-0.8x+50.8), (0.2286x-18.629)r2+(-0.2857x+36.086)r+(-0.4286x+20.829), 100-a-b-x)、
点Dr=0.5〜1.0(0.0, (0.2286x-23.429)r2+(-0.4x+55.8)r+(-0.8286x+46.329), 100-b-x)及び
点Q(0.0, 100-x, 0.0)
を結ぶ線分で囲まれる四角形の範囲内又は該線分上にある（ただし、線分Dr=0.5〜1.0Q及びQA上の点は除く）。
【０７５１】
本開示の冷媒２Ｅは、以下の要件２−１−１〜２−３−２が満たされるとき、GWP750以下であり、かつASHRAE不燃であるため好ましい。
要件２−１−１）
43.8≧x≧41、かつ0.5≧r≧0.25であるとき、
点Fr=0.25〜0.5(0.0, (-1.1429x+37.257)r2+(1.2857x-38.714)r-(-1.7143x+106.89), 100-b-x)、
点Pr=0.25〜0.5((-1.1429x+34.057)r2+(1.0x-21.0)r+(-0.4643x+27.636), (2.2857x-119.31)r2+(-2.0x+122.0)r+(-0.3929x+19.907), 100-a-b-x)及び
点Dr=0.25〜0.5(0.0, -28.8r2+54.0r+(-x+49.9), 100-b-x)
を結ぶ線分で囲まれる三角形の範囲内又は該線分上にあるか（ただし、線分Dr=0.25〜0.5Fr=0.25〜0.5上の点は除く）、又は
要件２−１−２）43.8≧x≧41、かつ1.0≧r≧0.5であるとき、
点Fr=0.5〜1.0(0.0, (3.7143x-159.49)r2+(-5.0714x+222.53)r+(0.25x+25.45), 100-b-x)、
点Pr=0.5〜1.0((3.4286x-138.17)r2+(-5.4286x+203.57)+(1.6071x-41.593), (-2.8571x+106.74)r2+(4.5714x-143.63)r+(-2.3929x+96.027), 100-a-b-x)及び
点Dr=0.5〜1.0(0.0, (-0.5714x+12.229)r2+(0.8571x-0.3429)r+(-1.2857x+66.814), 100-b-x)
を結ぶ線分で囲まれる三角形の範囲内又は該線分上にあるか（ただし、線分Dr=0.5〜1.0Fr=0.5〜1.0上の点は除く）、又は
２−２−１）46.5≧x≧43、かつ0.5≧r≧0.25であるとき、
点Fr=0.25〜0.5(0.0, (9.4815x-428.09)r2+(-7.1111x+329.07)r+(-0.2593x+43.156), 100-b-x)、
点Pr=0.25〜0.5((-8.2963x+347.38)r2+(4.8889x-191.33)r+(-0.963x+49.478), (7.1111x-330.67)r2+(-4.1481x+216.09)r+(-0.2593x+14.056), 100-a-b-x)及び
点Dr=0.25〜0.5(0.0, -28.8r2+54.0r+(-x+49.9), 100-b-x)
を結ぶ線分で囲まれる三角形の範囲内又は該線分上にあるか（ただし、線分Dr=0.25〜0.5Fr=0.25〜0.5上の点は除く）、又は
２−２−２）46.5≧x≧43、かつ1.0≧r≧0.5であるとき、
点Fr=0.5〜1.0(0.0, (-4.7407x+210.84)r2+(6.963x-304.58)r+(-3.7407x+200.24), 100-b-x)、
点Pr=0.5〜1.0((0.2963x-0.9778)r2+(0.2222x-43.933)r+(-0.7778x+62.867), (-0.2963x-5.4222)r2+(-0.0741x+59.844)r+(-0.4444x+10.867), 100-a-b-x)及び
点Dr=0.5〜1.0(0.0, -12.8r2+37.2r+(-x+54.3), 100-b-x)
を結ぶ線分で囲まれる三角形の範囲内又は該線分上にあるか（ただし、線分Dr=0.5〜1.0Fr=0.5〜1.0上の点は除く）、又は
２−３−１）50≧x≧46.5、かつ0.37≧r≧0.25であるとき、
点Fr=0.25〜0.37(0.0, (-35.714x+1744.0)r2+(23.333x-1128.3)r+(-5.144x+276.32), 100-b-x)、
点Pr=0.25〜0.37((11.905x-595.24)r2+(-7.6189x+392.61)r+(0.9322x-39.027), (-27.778x+1305.6)r2+(17.46x-796.35)r+(-3.5147x+166.48),100-a-b-x)及び
点Dr=0.25〜0.37(0.0, (0.9143x-71.314)r2+(-0.5714x+80.571)+(-0.9143x+45.914), 100-b-x)
を結ぶ線分で囲まれる三角形の範囲内又は該線分上にあるか（ただし、線分Dr=0.25〜0.37Fr=0.25〜0.37上の点は除く）、又は
２−３−２）50≧x≧46.5、かつ1.0≧r≧0.5であるとき、
点Fr=0.5〜1.0(0.0, (2.2857x-115.89)r2+(-3.0857x+162.69)r+(-0.3714x+43.571), 100-b-x)、
点Pr=0.5〜1.0((-3.2x+161.6)r2+(4.4571x-240.86)r+(-2.0857x+123.69), (2.5143x-136.11)r2+(-3.3714x+213.17)r+(0.5429x-35.043), 100-a-b-x)及び
点Dr=0.5〜1.0(0.0, (0.2286x-23.429)r2+(-0.4x+55.8)r+(-0.8286x+46.329), 100-b-x)
を結ぶ線分で囲まれる三角形の範囲内又は該線分上にある（ただし、線分Dr=0.5〜1.0Fr=0.5〜1.0上の点は除く）。
【０７５２】
本開示の冷媒２Ｅは、上記の特性や効果を損なわない範囲内で、R32、CO2、R125、R134a及びR1234yfに加えて、さらに他の追加的な冷媒及び／又は不可避不純物を含有していてもよい。この点で、本開示の冷媒２Ｅが、R32、CO2、R125、R134a及びR1234yfの合計を、冷媒２Ｅ全体に対して99.5質量%以上含むことが好ましい。このとき、追加的な冷媒及び不可避不純物の合計含量は、冷媒２Ｅ全体に対して0.5質量%以下となる。この点で、冷媒２Ｅが、R32、CO2、R125、R134a及びR1234yfの合計を、冷媒２Ｅ全体に対して、99.75質量%以上含むことがより好ましく、99.9質量%以上含むことがさらに好ましい。
【０７５３】
追加的な冷媒としては、特に限定されず、幅広く選択できる。混合冷媒は、追加的な冷媒として、一種を単独で含んでいてもよいし、二種以上を含んでいてもよい。
【０７５４】
［冷媒２Ｅの実施例］
以下に、実施例を挙げてさらに詳細に説明する。ただし、本開示は、これらの実施例に限定されるものではない。
１．WCF不燃限界、及びASHRAE不燃限界（WCF＆WCFF不燃）の計算
R32、CO2、R125、R134a及びR1234yfのみからなる混合冷媒の組成は、以下のようにして表わす。すなわち、R32、CO2、R125、R134a及びR1234yfの総和を基準とする、R32の質量%をa、CO2の質量%をb、R125の質量%をc1、R134aの質量%をc2、R125及びR134aの合計の質量%をc、R1234yfの質量%をxとし、c1/(c1+c2)をrとする場合、R32が（100-x）質量%の点と、CO2が（100-x）質量%の点と、R125及びR134aの合計が（100-x）質量%の点とを頂点とする3成分組成図における座標（a,b,c）により、この混合冷媒の組成を特定する。
【０７５５】
以下からは、x=41質量％、r=0.25の場合のWCF不燃限界及びASHRAE不燃限界の特定方法を説明する。
【０７５６】
3成分組成図にて不燃限界を特定していくには、先ず可燃性冷媒（R32、1234yf）と不燃性冷媒（CO2、R134a、R125）との2元混合冷媒の不燃限界を求める必要がある。以下に、当該2元混合冷媒の不燃限界の求め方を示す。
【０７５７】
[1] 可燃性冷媒（R32,1234yf）と不燃性冷媒（CO2、R134a、R125）との2元混合冷媒の不燃限界
2元混合冷媒の不燃限界は、ASTM E681-2009に基づく燃焼試験の測定装置（図２Ｆ）及び測定方法に基づいて求めた。
【０７５８】
具体的には、燃焼の状態が目視および録画撮影できるように内容積12リットルの球形ガラスフラスコを使用し、ガラスフラスコは燃焼により過大な圧力が発生した際には上部のふたからガスが開放されるようにした。着火方法は底部から1/3の高さに保持された電極からの放電により発生させた。試験条件は以下の通りである。
＜試験条件＞
試験容器：280 mmφ球形（内容積：12リットル）
試験温度： 60℃±3℃
圧力 ：101.3 kPa±0.7 kPa
水分 ：乾燥空気1 gにつき0.0088 ｇ±0.0005 g
2元冷媒組成物／空気混合比：1 vol.%刻み±0.2 vol.%
2元冷媒組成物混合： ±0.1 質量%
点火方法：交流放電、電圧15kV、電流30mA、ネオン変圧器
電極間隔：6.4 mm (1/4 inch)
スパーク：0.4 秒 ±0.05 秒
判定基準：
・着火点を中心に90度より火炎が広がった場合 ＝ 燃焼(伝播)
・着火点を中心に90度以下の火炎の広がりだった場合＝ 火炎伝播なし（不燃）
表２３２に記載の可燃性冷媒及び不燃性冷媒の組合せについてそれぞれ試験を行った。可燃性冷媒に対して不燃性冷媒を段階的に添加していき、各段階において燃焼試験を行った。
その結果、可燃性冷媒R32と不燃性冷媒R134aとの混合冷媒では、R32=43.0質量%、R134a=57.0質量%から火炎伝播は認められなくなり、この組成を不燃限界とした。また、可燃性冷媒R32と不燃性冷媒R125では、R32=63.0質量%、R125=37.0質量%、可燃性冷媒R32と不燃性冷媒CO2では、R32=43.5質量%、CO2=56.5質量%、可燃性冷媒1234yfと不燃性冷媒R134aでは、1234yf=62.0質量%、R134a=38.0質量%、可燃性冷媒1234yfと不燃性冷媒R125では、1234yf=79.0質量%、R125=21.0質量%、可燃性冷媒1234yfと不燃性冷媒CO2では、1234yf=63.0質量%、CO2=37.0質量%からそれぞれ火炎伝播は認められなくなり、これらの組成を不燃限界とした。表２３２に結果をまとめた。
【０７５９】
【表２３２】
2020017521.tif 000103
【０７６０】
次に、[1]で求めた2元混合冷媒の不燃限界に基づいて、x=41質量％、r=0.25の場合の不燃限界を以下のように求めた。
【０７６１】
1) x=41質量％、r=0.25、c=0質量％の場合  点A（a,b,0）
a+b=59質量%とし、以下の手順で混合組成が不燃限界組成になっているかどうかを調べた。
【０７６２】
(1) R32換算可燃冷媒濃度=R32濃度＋R1234yf濃度×（(21/79)×(63/37)＋(38/62)×（43/57））/2
(2) R32換算不燃冷媒濃度=R125濃度×(63/37)＋R134a濃度×(43/57)＋CO2濃度×(43.5/56.5)
ここで、R32換算不燃冷媒組成−R32換算可燃冷媒組成の値がプラスで最小値を示す値を計算上の不燃限界組成とした。表２３３に計算結果を示すが、点A(15.0,44.0,0)が計算上の不燃限界組成であった。
【０７６３】
【表２３３】
2020017521.tif 000104
【０７６４】
2) x=41質量％、r=0.25、b=30質量％の場合  点（a,30,c）
a+c=29質量％とし、前記と同様の手順でこの条件での不燃限界組成を求め、その結果を表２３４に示す。
【０７６５】
【表２３４】
2020017521.tif 000105
【０７６６】
3) x=41質量％、r=0.25、b=15質量％の場合  点（a,15,c）
a+c=44質量％とし、前記と同様の手順でこの条件での不燃限界組成を求め、その結果を表２３５に示す。
【０７６７】
【表２３５】
2020017521.tif 000106
【０７６８】
4) x=41質量％、r=0.25、b=0質量％の場合  点Br=0.25（a,0,c）
a+c=59質量％とし、前記と同様の手順でこの条件での不燃限界組成を求め、その結果を表２３６に示す。
【０７６９】
【表２３６】
2020017521.tif 000107
【０７７０】
以上の計算上の不燃限界組成を調べた結果を図２Ｊの3成分組成図に示す。それらの点を結んだものが、図２ＪのABr=0.25である。
【０７７１】
[2] 上記[1]で得られた２元混合冷媒の不燃限界から求めたWCF不燃限界点の燃焼試験による検証
表２３３で示す組成、
可燃限界組成-1-1)(R32/CO2/R125/R134a)=(15.1/43.9/0.0/0.0)、
不燃限界組成-1-2)(R32/CO2/R125/R134a)=(15.0/44.0/0.0/0.0)、
表２３５で示す組成、
可燃限界組成-2-1)(R32/CO2/R125/R134a)=(18.3/15.0/6.4/19.3)、
不燃限界組成-2-2)(R32/CO2/R125/R134a)=(18.2/15.0/6.5/19.3)、
を[1]で示したASTM E681に従って燃焼試験を行ったところ、組成-1-1)、組成-2-1)は火炎伝播が認められ、組成1-1-2)、組成-2-2)は火炎伝播は認められなかった。従って、２元混合冷媒の不燃限界から求めた混合冷媒の不燃限界は実際の不燃限界を示しているといえる。
【０７７２】
以上、２元混合冷媒の不燃限界から求めた混合冷媒の不燃限界組成をWCF不燃限界点とする。また、WCF不燃限界点は、図２Ｊに示すように線分ABr=0.25上にあるので、点A、点Br=0.25の2点から求めた線分ABr=0.25をWCF不燃限界線とする。
【０７７３】
一方、ASHRAE不燃（WCF不燃、及びWCFF不燃）であることは、混合冷媒の最も燃えやすい組成（WCF）、及び、WCF組成を元に、貯蔵/輸送時の漏洩試験、装置からの漏洩試験、漏洩及び再充填試験を行い、最悪条件の最も燃えやすい組成（WCFF）が不燃となることである。以下では、WCFF濃度は、NIST Standard Reference Data Base Refleak Version 4.0（以下、「Refleak」と表記することがある）により各種条件での漏洩シミュレーションを行うことで求めた。また、求めたWCFF組成が不燃限界になっていることはWCF不燃限界で示した２元混合冷媒の不燃限界から混合冷媒の不燃限界を求める方法で確認した。
【０７７４】
x=41質量％、r=0.25の場合のASHRAE不燃限界の求め方を以下で説明する。
5) x=41質量％、r=0.25、a=0質量％の場合  点Br=0.25（0.0,b,c(c1+c2)）
Refleakで貯蔵/輸送時の漏洩試験、装置からの漏洩試験、漏洩・再充填試験を行なったところ、貯蔵/輸送時の漏洩条件が一番燃えやすい条件であり、かつ、-40℃での漏洩が一番燃えやすい条件であった。従って、ASHRAE不燃限界は、貯蔵/輸送時で-40℃での漏洩試験を、Refleakでの漏洩シミューレーションを行い以下の手順で求めた。表２３７は漏洩シミュレーションでの可燃/不燃の限界となる代表値を示す。初期組成が（0.0,39.5,19.5(4.9+14.6)）のときに輸送及び貯蔵条件では-40℃、52%放出時に大気圧になり、その時の液側の濃度はx=67.0質量％で（0.0,2.5,30.5(6.1+24.4)）であり、前記した不燃判定では大気圧条件で不燃となる限界であった。一方、初期組成が（0.0,39.6,19.4(4.9+14.5)）では-40℃、52%放出時に大気圧になり、その時の液側濃度はx=67.1%で（0.0,2.6,30.3(6.1+24.2)）であり、前記した不燃判定では可燃であった。従って、初期組成が（0.0,39.5,19.5(4.9+14.6)）をWCF組成とした場合に、WCF組成、WCFF組成ともに計算上不燃と判断されるので、（0.0,39.5,19.5(4.9+14.6)）がASHRAE不燃限界組成である。
【０７７５】
【表２３７】
2020017521.tif 000108
【０７７６】
6) x=41質量％、r=0.25、a質量％でGWP=750となる場合の  点Pr=0.25（a,b,c(c1+c2)）  X=41.0質量％、r=0.25の条件では、a+b+c=100-x=59質量％で示される３成分組成図でGWP=750となる点は図２Ｊに示しているように、点Cr=0.25(31.6,0.0,27.4(6.9+20.5))と点Dr=0.25(0.0,20.6,38.4(9.6+28.8))を結んだ直線Cr=0.25 Dr=0.25にあり、この直線はc1=-0.085a+9.6で示される。GWP=750でASHRAE不燃限界となるPr=0.25(a,-0.085c1+9.6,c)は、初期組成をこの条件で設定し、Refleakで貯蔵/輸送の条件で-40℃シミューレーションすることでASHRAE不燃限界組成を表２３８のように求めた。
【０７７７】
【表２３８】
2020017521.tif 000109
【０７７８】
7) x=41質量％、r=0.25、a=10.0質量％場合の  点（a,b,c(c1+c2)）
上記と同様に調べた結果を表２３９に示す。
【０７７９】
【表２３９】
2020017521.tif 000110
【０７８０】
8) x=41質量％、r=0.25、a=5.8質量％場合の  点（a,b,c(c1+c2)）
上記と同様に調べた結果を表２４０に示す。
【０７８１】
【表２４０】
2020017521.tif 000111
【０７８２】
[2]上記で得られた２元混合冷媒の不燃限界から求めたASHRAE不燃限界点の燃焼試験による検証
下記組成を[1]で示したASTM E681に従って燃焼試験を行ったところ、組成-3-1)、組成-4-1)、及び組成5-1)は火炎伝播が認められず、組成-3-2)、組成-4-2)、及び組成-5-2)は火炎伝播が認められた。従って、表２３７，２３８，２３９の計算で示したASHRAE不燃限界は実際の不燃限界を示しているといえる。
組成3-1)
x=R1234yf=41.0質量％、(R32/CO2/R125/R134a)=(0.0/39.5/4.9/14.6)の-40℃、52％放出時の液側組成、x=67.0％、(R32/CO2/R125/R134a)=(0.0/2.5/6.1/24.4)
組成3-2)
x=R1234yf=41.0質量％、(R32/CO2/R125/R134a)=(0.0/39.6/4.9/14.5)の-40℃、52％放出時の液側組成、x=67.1％、(R32/CO2/R125/R134a)=(0.0/2.6/6.1/24.2)
組成4-1)
x=R1234yf=41.0質量％、(R32/CO2/R125/R134a)=(12.8/12.2/8.5/25.5)の-40℃、38％放出時の気側組成、x=40.1％、(R32/CO2/R125/R134a)=(21.8/5.1/12.4/20.6)
組成4-2)
x=R1234yf=41.0質量％、(R32/CO2/R125/R134a)=(12.9/12.1/8.5/25.5)の-40℃、38％放出時の気側組成、x=41.1％、(R32/CO2/R125/R134a)=(21.4/3.8/12.4/21.3)
組成5-1)
x=R1234yf=41.0質量％、(R32/CO2/R125/R134a)=(5.8/30.0/5.8/17.4)の-40℃、50％放出時の液側組成、x=61.2％、(R32/CO2/R125/R134a)=(4.1/1.1/6.4/27.2)
組成5-2)
x=R1234yf=41.0質量％、(R32/CO2/R125/R134a)=(5.8/30.1/5.8/17.3)の-40℃、50％放出時の液側組成、x=61.4％、(R32/CO2/R125/R134a)=(4.1/1.1/6.4/27.0)
図２Ｊには表２３７，２３８，２３９，２４０で示したASHRAE不燃限界点と点Fr=0.25 と点Pr=0.25より結んだ直線Fr=0.25 Pr=0.25を示す。ASHRAE不燃限界点は、図２Ｊで示すように直線Fr=0.25Pr=0.25より可燃冷媒R32側にあるが、安全率も見込んでここでは点Fr=0.25、点Pr=0.25をを求めることで得られる直線Fr=0.25Pr=0.25をASHRAE不燃限界線とする。
【０７８３】
以上、２元混合冷媒の不燃限界から求めたWCF不燃限界線、Refleakでの漏洩シミュレーションから求めたWCFF組成を元に２元混合冷媒の不燃限界から求めたASHRAE不燃限界線は、実際のそれぞれの不燃限界線と合致したので、これ以降、上記方法でそれぞれの不燃限界を求め、線分ABrをWCF不燃限界線、線分FrPrをASHRAE不燃限界線とする。
【０７８４】
表２４１から表２４４には２元混合冷媒の不燃限界から求めた混合冷媒のWCF不燃限界点を、表２４５から表２４８には漏洩シミュレーションと２元混合冷媒の不燃限界から求めたASHRAE不燃限界点を示す。
【０７８５】
【表２４１】
2020017521.tif 000112
【０７８６】
【表２４２】
2020017521.tif 000113
【０７８７】
【表２４３】
2020017521.tif 000114
【０７８８】
【表２４４】
2020017521.tif 000115
【０７８９】
【表２４５】
2020017521.tif 000116
【０７９０】
【表２４６】
2020017521.tif 000117
【０７９１】
【表２４７】
2020017521.tif 000118
【０７９２】
【表２４８】
2020017521.tif 000119
【０７９３】
実施例１〜２２２及び比較例１〜２０６
R410A、R32、R125、R1234yf、R134a及びCO2の混合物を含有する組成物のGWPは、IPCC（Intergovernmental Panel on Climate Change）第4次報告書の値に基づいて評価した。また、R410A  並びにR32、R125、R1234yf、R134a及びCO2の混合物を含有する組成物の冷凍能力は、National Institute of Science and Technology（NIST） Reference Fluid Thermodynamic and Transport Properties Database（Refprop  9.0）を使い、下記条件で混合冷媒の冷凍サイクル理論計算を実施することにより求めた。
蒸発温度      -10℃
凝縮温度      45℃
過熱温度      20K
過冷却温度    5K
圧縮機効率    70%
また、これらの結果をもとに算出したGWP、COP及び冷凍能力を表２４９〜２８０に示す。なお、COP及び冷凍能力については、R410Aに対する割合を示す。
【０７９４】
成績係数（COP）は、次式により求めた。
COP =（冷凍能力又は暖房能力）／消費電力量
【０７９５】
【表２４９】
2020017521.tif 000120
【０７９６】
【表２５０】
2020017521.tif 000121
【０７９７】
【表２５１】
2020017521.tif 000122
【０７９８】
【表２５２】
2020017521.tif 000123
【０７９９】
【表２５３】
2020017521.tif 000124
【０８００】
【表２５４】
2020017521.tif 000125
【０８０１】
【表２５５】
2020017521.tif 000126
【０８０２】
【表２５６】
2020017521.tif 000127
【０８０３】
【表２５７】
2020017521.tif 000128
【０８０４】
【表２５８】
2020017521.tif 000129
【０８０５】
【表２５９】
2020017521.tif 000130
【０８０６】
【表２６０】
2020017521.tif 000131
【０８０７】
【表２６１】
2020017521.tif 000132
【０８０８】
x=R1234yfとしたときの点A、点Br、点Cr、点Dr、点Or、点Fr、点Pr近似曲線の求め方
点A
上記のようにして明らかになった、点Aの4種の組成に基づいて、以下のようにして最小二乗法によりR1234yfの割合（x）の関数として点Aの座標の近似式を求めた。すなわち、点Aの座標（a,b,c）=（-0.6902x+43.307, 100-a-x, 0.0）となることが判った。
【０８０９】
【表２６２】
2020017521.tif 000133
【０８１０】
点Br
また、上記のようにして明らかになった、点Brの組成に基づいて、以下のようにして最小二乗法と計算によりr、及びR1234yfの割合（x）の関数として点Brの座標の近似式を求めた。
【０８１１】
【表２６３】
2020017521.tif 000134
【０８１２】
【表２６４】
2020017521.tif 000135
【０８１３】
【表２６５】
2020017521.tif 000136
【０８１４】
点C r=0.25〜1.0及びDr=0.25〜1.0近似曲線の求め方
また、上記のようにして明らかになった、点Cr、点Drの組成に基づいて、以下のようにして最小二乗法と計算によりr、及びR1234yfの割合（x）の関数として点Cr、点Dr座標の近似式を求めた。
【０８１５】
【表２６６】
2020017521.tif 000137
【０８１６】
【表２６７】
2020017521.tif 000138
【０８１７】
【表２６８】
2020017521.tif 000139
【０８１８】
【表２６９】
2020017521.tif 000140
【０８１９】
【表２７０】
2020017521.tif 000141
【０８２０】
【表２７１】
2020017521.tif 000142
【０８２１】
点Or近似曲線の求め方
線分ABｒと線分CrDrとの交点であるOrの各点は実施例及び比較例で示しているが、Orの組成に基づいて、以下のようにして最小二乗法と計算によりr、及びR1234yfの割合（x）の関数として点Or座標の近似式を求めた。
【０８２２】
【表２７２】
2020017521.tif 000143
【０８２３】
【表２７３】
2020017521.tif 000144
【０８２４】
【表２７４】
2020017521.tif 000145
【０８２５】
点Fr、Pr近似曲線の求め方
点Frと点Prの各点は実施例及び比較例で示しているが、各組成に基づいて、以下のようにして最小二乗法と計算によりr、及びR1234yfの割合（x）の関数として点Fr、点Pr座標の近似式を求めた。
【０８２６】
【表２７５】
2020017521.tif 000146
【０８２７】
【表２７６】
2020017521.tif 000147
【０８２８】
【表２７７】
2020017521.tif 000148
【０８２９】
【表２７８】
2020017521.tif 000149
【０８３０】
【表２７９】
2020017521.tif 000150
【０８３１】
【表２８０】
2020017521.tif 000151
【０８３２】
（２）冷凍機油
第２グループの技術としての冷凍機油は、冷媒組成物と共存させて冷凍サイクルを行わせることで、冷凍サイクル装置内の潤滑性を高めることが可能であり、効率的なサイクル性能を発揮させることも可能となる。
【０８３３】
冷凍機油として、例えば、含酸素系合成油（エステル系冷凍機油、エーテル系冷凍機油等）、炭化水素系冷凍機油等が挙げられる。なかでも、冷媒または冷媒組成物との相溶性の観点から、エステル系冷凍機油、エーテル系冷凍機油が好ましい。冷凍機油としては、１種を単独で用いてもよく、２種以上を組み合わせて用いてもよい。
【０８３４】
冷凍機油は、潤滑性や圧縮機の密閉性の低下を抑制させること、低温条件下で冷媒に対して相溶性が十分に確保されること、圧縮機の潤滑不良を抑制させること、蒸発器における熱交換効率を良好にすること、の少なくともいずれかの観点から、４０℃における動粘度が１ｍｍ２／ｓ以上７５０ｍｍ２／ｓ以下であることが好ましく、１ｍｍ２／ｓ以上４００ｍｍ２／ｓ以下であることがより好ましい。なお、冷凍機油の１００℃における動粘度としては、例えば、１ｍｍ２／ｓ以上１００ｍｍ２／ｓ以下であってよく、１ｍｍ２／ｓ以上５０ｍｍ２／ｓ以下であることがより好ましい。
【０８３５】
冷凍機油は、アニリン点が、−１００℃以上０℃以下であることが好ましい。ここで、「アニリン点」は、例えば、炭化水素系溶剤等の溶解性を示す数値であり、試料（ここでは冷凍機油）を等容積のアニリンと混合して冷やしたときに、互いに溶解し合えなくなって濁りがみえ始めたときの温度を表すものである（JIS K 2256で規定）。なお、これらの値は、冷媒が溶解しない状態の冷凍機油自体の値である。このようなアニリン点の冷凍機油を用いることで、例えば、樹脂製機能部品を構成する各軸受および電動機の絶縁材料が冷凍機油と接する位置で用いられている場合においても、これらの樹脂製機能部品に対する冷凍機油の適合性を向上させることができる。具体的には、アニリン点が低すぎると、冷凍機油が軸受や絶縁材料に浸透し易くなり、軸受等が膨潤し易くなる。一方、アニリン点が高すぎると、冷凍機油が軸受や絶縁材料に浸透し難くなり、軸受等が収縮し易くなる。そこで、アニリン点が上述した所定の範囲（−１００℃以上０℃以下）である冷凍機油を用いることで、軸受や絶縁材料の膨潤／収縮変形を防止することができる。ここで、各軸受が膨潤変形してしまうと、摺動部での隙間（ギャップ）を所望とする長さに維持することができない。その結果、摺動抵抗の増大を招く虞がある。各軸受が収縮変形してしまうと、軸受の硬度が高くなり圧縮機の振動によって軸受が破損する虞がある。つまり、各軸受が収縮変形すると、摺動部の剛性の低下を招く虞がある。また、電動機の絶縁材料（絶縁被服材料や絶縁フィルム等）が膨潤変形してしまうと、その絶縁材料の絶縁性が低下してしまう。絶縁材料が収縮変形してしまうと、上述した軸受の場合と同様に絶縁材料が破損する虞があり、この場合もまた絶縁性が低下してしまう。これに対して、上記のようにアニリン点が所定の範囲内である冷凍機油を用いることで、軸受や絶縁材料の膨潤／収縮変形を抑制できるため、このような不具合を回避することができる。
【０８３６】
冷凍機油は、冷媒組成物と混合して冷凍機用作動流体として使用される。冷凍機用作動流体全量に対する冷凍機油の配合割合は、５質量％以上６０質量％以下であることが好ましく、１０質量％以上５０質量％以下であることがより好ましい。
【０８３７】
（２−１）含酸素系合成油
含酸素系合成油であるエステル系冷凍機油やエーテル系冷凍機油は、主として、炭素原子と酸素原子を有して構成されている。エステル系冷凍機油やエーテル系冷凍機油においては、この炭素原子と酸素原子の比率（炭素／酸素モル比）が小さすぎると吸湿性が高くなり、当該比率が大きすぎると冷媒との相溶性が低下してしまうことから、当該比率はモル比で２以上７．５以下であることが好ましい。
【０８３８】
（２−１−１）エステル系冷凍機油
エステル系冷凍機油としては、化学的安定性の観点から、二塩基酸と１価アルコールとの二塩基酸エステル油、ポリオールと脂肪酸とのポリオールエステル油、またはポリオールと多価塩基酸と１価アルコール（又は脂肪酸）とのコンプレックスエステル油、ポリオール炭酸エステル油等が基油成分として挙げられる。
【０８３９】
（二塩基酸エステル油）
二塩基酸エステル油としては、シュウ酸、マロン酸、コハク酸、グルタル酸、アジピン酸、ピメリン酸、スベリン酸、アゼライン酸、セバシン酸、フタル酸、イソフタル酸、テレフタル酸等の二塩基酸、特に、炭素数５〜１０の二塩基酸（グルタル酸、アジピン酸、ピメリン酸、スベリン酸、アゼライン酸、セバシン酸等）と、直鎖または分枝アルキル基を有する炭素数１〜１５の一価アルコール（メタノール、エタノール、プロパノール、ブタノール、ペンタノール、ヘキサノール、ヘプタノール、オクタノール、ノナノール、デカノール、ウンデカノール、ドデカノール、トリデカノール、テトラデカノール、ペンタデカノール等）とのエステルが好ましい。この二塩基酸エステル油としては、具体的には、グルタル酸ジトリデシル、アジピン酸ジ（２−エチルヘキシル）、アジピン酸ジイソデシル、アジピン酸ジトリデシル、セバシン酸ジ（３−エチルヘキシル）等が挙げられる。
【０８４０】
（ポリオールエステル油）
ポリオールエステル油とは、多価アルコールと脂肪酸（カルボン酸）とから合成されるエステルであり、炭素／酸素モル比が２以上７．５以下、好ましくは３．２以上５．８以下のものである。
【０８４１】
ポリオールエステル油を構成する多価アルコールとしては、ジオール（エチレングリコール、１，３−プロパンジオール、プロピレングリコール、１，４−ブタンジオール、１，２−ブタンジオール、２−メチル−１，３−プロパンジオール、１，５−ペンタンジオール、ネオペンチルグリコール、１，６−ヘキサンジオール、２−エチル−２−メチル−１，３−プロパンジオール、１，７−ヘプタンジオール、２−メチル−２−プロピル−１，３−プロパンジオール、２，２−ジエチル−１，３−プロパンジオール、１，８−オクタンジオール、１，９−ノナンジオール、１，１０−デカンジオール、１，１１−ウンデカンジオール、１，１２−ドデカンジオール等）、水酸基を３〜２０個有するポリオール（トリメチロールエタン、トリメチロールプロパン、トリメチロールブタン、ジ−（トリメチロールプロパン）、トリ−（トリメチロールプロパン）、ペンタエリスリトール、ジ−（ペンタエリスリトール）、トリ−（ペンタエリスリトール）、グリセリン、ポリグリセリン（グリセリンの２〜３量体）、１，３，５−ペンタントリオール、ソルビトール、ソルビタン、ソルビトールグリセリン縮合物、アドニトール、アラビトール、キシリトール、マンニトールなどの多価アルコール、キシロース、アラビノース、リボース、ラムノース、グルコース、フルクトース、ガラクトース、マンノース、ソルボース、セロビオース、マルトース、イソマルトース、トレハロース、シュクロース、ラフィノース、ゲンチアノース、メレンジトースなどの糖類、ならびにこれらの部分エーテル化物等）が挙げられ、エステルを構成する多価アルコールとしては、上記の１種でもよく、２種以上が含まれていてもよい。
【０８４２】
ポリオールエステルを構成する脂肪酸としては、特に炭素数は制限されないが、通常炭素数１〜２４のものが用いられる。直鎖の脂肪酸、分岐を有する脂肪酸が好ましい。直鎖の脂肪酸としては、酢酸、プロピオン酸、ブタン酸、ペンタン酸、ヘキサン酸、ヘプタン酸、オクタン酸、ノナン酸、デカン酸、ウンデカン酸、ドデカン酸、トリデカン酸、テトラデカン酸、ペンタデカン酸、ヘキサデカン酸、ヘプタデカン酸、オクタデカン酸、ノナデカン酸、エイコサン酸、オレイン酸、リノール酸、リノレン酸等が挙げられ、カルボキシル基に結合する炭化水素基は、全て飽和炭化水素であってもよく、不飽和炭化水素を有していてもよい。さらに、分岐を有する脂肪酸としては、２−メチルプロパン酸、２−メチルブタン酸、３−メチルブタン酸、２，２−ジメチルプロパン酸、２−メチルペンタン酸、３−メチルペンタン酸、４−メチルペンタン酸、２，２−ジメチルブタン酸、２，３−ジメチルブタン酸、３，３−ジメチルブタン酸、２−メチルヘキサン酸、３−メチルヘキサン酸、４−メチルヘキサン酸、５−メチルヘキサン酸、２，２−ジメチルペンタン酸、２，３−ジメチルペンタン酸、２，４−ジメチルペンタン酸、３，３−ジメチルペンタン酸、３，４−ジメチルペンタン酸、４，４−ジメチルペンタン酸、２−エチルペンタン酸、３−エチルペンタン酸、２，２，３−トリメチルブタン酸、２，３，３−トリメチルブタン酸、２−エチル−２−メチルブタン酸、２−エチル−３−メチルブタン酸、２−メチルヘプタン酸、３−メチルヘプタン酸、４−メチルヘプタン酸、５−メチルヘプタン酸、６−メチルヘプタン酸、２−エチルヘキサン酸、３−エチルヘキサン酸、４−エチルヘキサン酸、２，２−ジメチルヘキサン酸、２，３−ジメチルヘキサン酸、２，４−ジメチルヘキサン酸、２，５−ジメチルヘキサン酸、３，３−ジメチルヘキサン酸、３，４−ジメチルヘキサン酸、３，５−ジメチルヘキサン酸、４，４−ジメチルヘキサン酸、４，５−ジメチルヘキサン酸、５，５−ジメチルヘキサン酸、２−プロピルペンタン酸、２−メチルオクタン酸、３−メチルオクタン酸、４−メチルオクタン酸、５−メチルオクタン酸、６−メチルオクタン酸、７−メチルオクタン酸、２，２−ジメチルヘプタン酸、２，３−ジメチルヘプタン酸、２，４−ジメチルヘプタン酸、２，５−ジメチルヘプタン酸、２，６−ジメチルヘプタン酸、３，３−ジメチルヘプタン酸、３，４−ジメチルヘプタン酸、３，５−ジメチルヘプタン酸、３，６−ジメチルヘプタン酸、４，４−ジメチルヘプタン酸、４，５−ジメチルヘプタン酸、４，６−ジメチルヘプタン酸、５，５−ジメチルヘプタン酸、５，６−ジメチルヘプタン酸、６，６−ジメチルヘプタン酸、２−メチル−２−エチルヘキサン酸、２−メチル−３−エチルヘキサン酸、２−メチル−４−エチルヘキサン酸、３−メチル−２−エチルヘキサン酸、３−メチル−３−エチルヘキサン酸、３−メチル−４−エチルヘキサン酸、４−メチル−２−エチルヘキサン酸、４−メチル−３−エチルヘキサン酸、４−メチル−４−エチルヘキサン酸、５−メチル−２−エチルヘキサン酸、５−メチル−３−エチルヘキサン酸、５−メチル−４−エチルヘキサン酸、２−エチルヘプタン酸、３−メチルオクタン酸、３，５，５−トリメチルヘキサン酸、２−エチル−２，３，３−トリメチル酪酸、２，２，４，４−テトラメチルペンタン酸、２，２，３，３−テトラメチルペンタン酸、２，２，３，４−テトラメチルペンタン酸、２，２−ジイソプロピルプロパン酸などが挙げられる。脂肪酸は、これらの中から選ばれる１種または２種以上の脂肪酸とのエステルであってもよい。
【０８４３】
エステルを構成する多価アルコールは１種類でもよく、２種以上の混合物でもよい。また、エステルを構成する脂肪酸は、単一成分でもよく、２種以上の脂肪酸とのエステルでもよい。脂肪酸は、各々１種類でもよく、２種類以上の混合物でもよい。また、ポリオールエステル油は、遊離の水酸基を有していてもよい。
【０８４４】
具体的なポリオールエステル油としては、ネオペンチルグリコール、トリメチロールエタン、トリメチロールプロパン、トリメチロールブタン、ジ−（トリメチロールプロパン）、トリ−（トリメチロールプロパン）、ペンタエリスリトール、ジ−（ペンタエリスリトール）、トリ−（ペンタエリスリトール）などのヒンダードアルコールのエステルがより好ましく、ネオペンチルグリコール、トリメチロールエタン、トリメチロールプロパン、トリメチロールブタンおよびペンタエリスリトール、ジ−（ペンタエリスリトール）のエステルがさらにより好ましく、ネオペンチルグリコール、トリメチロールプロパン、ペンタエリスリトール、ジ−（ペンタエリスリトール）等と炭素数２〜２０の脂肪酸とのエステルが好ましい。
【０８４５】
このような多価アルコール脂肪酸エステルを構成する脂肪酸において、脂肪酸は直鎖アルキル基をもつ脂肪酸のみでもよいし、分岐構造をもつ脂肪酸から選ばれてもよい。また、直鎖と分岐脂肪酸の混合エステルでもよい。さらに、エステルを構成する脂肪酸は、上記脂肪酸から選ばれる２種類以上が用いられていてもよい。
【０８４６】
具体的な例として、直鎖と分岐脂肪酸の混合エステルの場合には、直鎖を有する炭素数４〜６の脂肪酸と分岐を有する炭素数７〜９の脂肪酸のモル比は、１５：８５〜９０：１０であり、好ましくは１５：８５〜８５：１５であり、より好ましくは２０：８０〜８０：２０であり、さらに好ましくは２５：７５〜７５：２５であり、最も好ましくは３０：７０〜７０：３０である。また、多価アルコール脂肪酸エステルを構成する脂肪酸の全量に占める直鎖を有する炭素数４〜６の脂肪酸および分岐を有する炭素数７〜９の脂肪酸の合計の割合は２０モル％以上であることが好ましい。脂肪酸組成に関しては、冷媒との十分な相溶性、および冷凍機油として必要な粘度とを両立させるものであることが好ましい。なお、ここでいう脂肪酸の割合とは、冷凍機油に含まれる多価アルコール脂肪酸エステルを構成する脂肪酸全量を基準とした値である。
【０８４７】
なかでも、このような冷凍機油としては、脂肪酸における炭素数４〜６の脂肪酸と炭素数７〜９の分岐脂肪酸のモル比が１５：８５〜９０：１０であり、炭素数４〜６の脂肪酸は２−メチルプロパン酸を含有し、上記エステルを構成する脂肪酸の全量に占める炭素数４〜６の脂肪酸および炭素数７〜９の分岐脂肪酸の合計の割合が２０モル％以上であるエステル（以下、「多価アルコール脂肪酸エステル（Ａ）」という。）を含有したものが好ましい。
【０８４８】
多価アルコール脂肪酸エステル（Ａ）には、多価アルコールの全ての水酸基がエステル化された完全エステル、多価アルコールの水酸基の一部がエステル化せずに残っている部分エステル、ならびに完全エステルと部分エステルとの混合物が包含されるが、多価アルコール脂肪酸エステル（Ａ）の水酸基価は、好ましくは１０ｍｇＫＯＨ／ｇ以下、さらには５ｍｇＫＯＨ／ｇ以下、最も好ましくは３ｍｇＫＯＨ／ｇ以下である。
【０８４９】
多価アルコール脂肪酸エステル（Ａ）を構成する脂肪酸において、炭素数４〜６の脂肪酸と分岐を有する炭素数７〜９の脂肪酸のモル比は、１５：８５〜９０：１０であり、好ましくは１５：８５〜８５：１５であり、より好ましくは２０：８０〜８０：２０であり、さらに好ましくは２５：７５〜７５：２５であり、最も好ましくは３０：７０〜７０：３０である。また、多価アルコール脂肪酸エステル（Ａ）を構成する脂肪酸の全量に占める炭素数４〜６の脂肪酸および分岐を有する炭素数７〜９の脂肪酸の合計の割合は２０モル％以上である。脂肪酸組成に関する上記の条件を満たさない場合には、冷媒組成物にジフルオロメタンが含まれている場合において、当該ジフルオロメタンとの十分な相溶性、および冷凍機油として必要な粘度とが高水準で両立されにくくなる。なお、脂肪酸の割合とは、冷凍機油に含有される多価アルコール脂肪酸エステルを構成する脂肪酸全量を基準とした値である。
【０８５０】
上記炭素数４〜６の脂肪酸としては、具体的には例えば、ブタン酸、２−メチルプロパン酸、ペンタン酸、２−メチルブタン酸、３−メチルブタン酸、２，２−ジメチルプロパン酸、２−メチルペンタン酸、３−メチルペンタン酸、４−メチルペンタン酸、２，２−ジメチルブタン酸、２，３−ジメチルブタン酸、３，３−ジメチルブタン酸、ヘキサン酸などが挙げられる。これらの中でも、２−メチルプロパン酸のように、アルキル骨格に分岐を有するものが好ましい。
【０８５１】
上記分岐を有する炭素数７〜９の脂肪酸としては、具体的には例えば、２−メチルヘキサン酸、３−メチルヘキサン酸、４−メチルヘキサン酸、５−メチルヘキサン酸、２，２−ジメチルペンタン酸、２，３−ジメチルペンタン酸、２，４−ジメチルペンタン酸、３，３−ジメチルペンタン酸、３，４−ジメチルペンタン酸、４，４−ジメチルペンタン酸、２−エチルペンタン酸、３−エチルペンタン酸、１，１，２−トリメチルブタン酸、１，２，２−トリメチルブタン酸、１−エチル−１メチルブタン酸、１−エチル−２−メチルブタン酸、オクタン酸、２−エチルヘキサン酸、３−エチルヘキサン酸、３，５−ジメチルヘキサン酸、２，４−ジメチルヘキサン酸、３，４−ジメチルヘキサン酸、４，５−ジメチルヘキサン酸、２，２−ジメチルヘキサン酸、２−メチルヘプタン酸、３−メチルヘプタン酸、４−メチルヘプタン酸、５−メチルヘプタン酸、６−メチルヘプタン酸、２−プロピルペンタン酸、ノナン酸、２，２−ジメチルヘプタン酸、２−メチルオクタン酸、２−エチルヘプタン酸、３−メチルオクタン酸、３，５，５−トリメチルヘキサン酸、２−エチル−２，３，３−トリメチル酪酸、２，２，４，４−テトラメチルペンタン酸、２，２，３，３−テトラメチルペンタン酸、２，２，３，４−テトラメチルペンタン酸、２，２−ジイソプロピルプロパン酸などが挙げられる。
【０８５２】
多価アルコール脂肪酸エステル（Ａ）は、炭素数４〜６の脂肪酸と分岐を有する炭素数７〜９の脂肪酸のモル比が１５：８５〜９０：１０であり、かつ、炭素数４〜６の脂肪酸が２−メチルプロパン酸を含有する限りにおいて、炭素数４〜６の脂肪酸および分岐を有する炭素数７〜９の脂肪酸以外の脂肪酸を構成酸成分として含有してもよい。
【０８５３】
上記炭素数４〜６の脂肪酸および分岐を有する炭素数７〜９の脂肪酸以外の脂肪酸としては、具体的には、酢酸、プロピオン酸等の炭素数２〜３の脂肪酸；ヘプタン酸、オクタン酸、ノナン酸等の炭素数７〜９の直鎖脂肪酸；デカン酸、ウンデカン酸、ドデカン酸、トリデカン酸、テトラデカン酸、ペンタデカン酸、ヘキサデカン酸、ヘプタデカン酸、オクタデカン酸、ノナデカン酸、エイコサン酸、オレイン酸等の炭素数１０〜２０の脂肪酸等が挙げられる。
【０８５４】
上記炭素数４〜６の脂肪酸および分岐を有する炭素数７〜９の脂肪酸と、これらの脂肪酸以外の脂肪酸とを組み合わせて用いる場合、多価アルコール脂肪酸エステル（Ａ）を構成する脂肪酸の全量に占める炭素数４〜６の脂肪酸および炭素数７〜９の分岐脂肪酸の合計の割合が２０モル％以上とすることが好ましく、２５モル％以上であることがより好ましく、３０モル％以上であることがさらにより好ましい。この割合が２０モル％以上であることにより、冷媒組成物においてジフルオロメタンが含まれている場合における当該ジフルオロメタンとの相溶性が十分となる。
【０８５５】
多価アルコール脂肪酸エステル（Ａ）の中でも、酸構成成分が２−メチルプロパン酸と３，５，５−トリメチルヘキサン酸のみからなるものが、必要粘度の確保と、冷媒組成物においてジフルオロメタンが含まれている場合における当該ジフルオロメタンとの相溶性との両立の面で特に好ましい。
【０８５６】
上記多価アルコール脂肪酸エステルは、分子構造の異なるエステルの２種以上の混合物であってもよく、かかる場合には個々の分子が必ずしも上記の条件を満たしている必要はなく、冷凍機油中に含まれるペンタエリスリトール脂肪酸エステルを構成する脂肪酸全体として上記条件を満たしていればよい。
【０８５７】
上記した通り、多価アルコール脂肪酸エステル（Ａ）は、エステルを構成する酸成分として炭素数４〜６の脂肪酸及び分岐を有する炭素数７〜９の脂肪酸を必須とし、必要に応じてその他の脂肪酸を構成成分として含むものである。すなわち、多価アルコール脂肪酸エステル（Ａ）は、２種のみの脂肪酸を酸構成成分としているものであっても、３種以上の構造の異なる脂肪酸を酸構成成分としているものであってもよいが、当該多価アルコール脂肪酸エステルは、酸構成成分として、カルボニル炭素と隣接する炭素原子（α位炭素原子）が四級炭素でない脂肪酸のみを含有することが好ましい。多価アルコール脂肪酸エステルを構成する脂肪酸中に、α位炭素原子が四級炭素である脂肪酸が含まれる場合には、冷媒組成物にジフルオロメタンを含んでいる場合における当該ジフルオロメタン存在下での潤滑性が不十分となる傾向にある。
【０８５８】
また、本実施形態にかかるポリオールエステルを構成する多価アルコールとしては、水酸基を２〜６個有する多価アルコールが好ましく用いられる。
【０８５９】
２価アルコール（ジオール）としては、具体的には例えば、エチレングリコール、１，３−プロパンジオール、プロピレングリコール、１，４−ブタンジオール、１，２−ブタンジオール、２−メチル−１，３−プロパンジオール、１，５−ペンタンジオール、ネオペンチルグリコール、１，６−ヘキサンジオール、２−エチル−２−メチル−１，３−プロパンジオール、１，７−ヘプタンジオール、２−メチル−２−プロピル−１，３−プロパンジオール、２，２−ジエチル−１，３−プロパンジオール、１，８−オクタンジオール、１，９−ノナンジオール、１，１０−デカンジオール、１，１１−ウンデカンジオール、１，１２−ドデカンジオールなどが挙げられる。また、３価以上のアルコールとしては、具体的には例えば、トリメチロールエタン、トリメチロールプロパン、トリメチロールブタン、ジ−（トリメチロールプロパン）、トリ−（トリメチロールプロパン）、ペンタエリスリトール、ジ−（ペンタエリスリトール）、トリ−（ペンタエリスリトール）、グリセリン、ポリグリセリン（グリセリンの２〜３量体）、１，３，５−ペンタントリオール、ソルビトール、ソルビタン、ソルビトールグリセリン縮合物、アドニトール、アラビトール、キシリトール、マンニトールなどの多価アルコール、キシロース、アラビノース、リボース、ラムノース、グルコース、フルクトース、ガラクトース、マンノース、ソルボース、セロビオースなどの糖類、ならびにこれらの部分エーテル化物などが挙げられる。これらの中でも、より加水分解安定性に優れることから、ネオペンチルグリコール、トリメチロールエタン、トリメチロールプロパン、トリメチロールブタン、ジ−（トリメチロールプロパン）、トリ−（トリメチロールプロパン）、ペンタエリスリトール、ジ−（ペンタエリスリトール）、トリ−（ペンタエリスリトール）などのヒンダードアルコールのエステルがより好ましく、ネオペンチルグリコール、トリメチロールエタン、トリメチロールプロパン、トリメチロールブタンおよびペンタエリスリトール、ジ−（ペンタエリスリトール）のエステルがさらにより好ましく、ネオペンチルグリコール、トリメチロールプロパン、ペンタエリスリトール、ジ−（ペンタエリスリトール）がさらに好ましく、冷媒との相溶性および加水分解安定性に特に優れることから、ペンタエリスリトール、ジ−（ペンタエリスリトール）またはペンタエリスリトールとジ−（ペンタエリスリトール）との混合エステルが最も好ましい。
【０８６０】
上記多価アルコール脂肪酸エステル（Ａ）を構成する酸構成成分の好ましい例としては、以下のものを挙げることができる。
（ｉ）ブタン酸、２−メチルプロパン酸、ペンタン酸、２−メチルブタン酸、３−メチルブタン酸、２，２−ジメチルプロパン酸、２−メチルペンタン酸、３−メチルペンタン酸、４−メチルペンタン酸、２，２−ジメチルブタン酸、２，３−ジメチルブタン酸、３，３−ジメチルブタン酸およびヘキサン酸から選ばれる１〜１３種と、２−メチルヘキサン酸、３−メチルヘキサン酸、４−メチルヘキサン酸、５−メチルヘキサン酸、２，２−ジメチルペンタン酸、２，３−ジメチルペンタン酸、２，４−ジメチルペンタン酸、３，３−ジメチルペンタン酸、３，４−ジメチルペンタン酸、４，４−ジメチルペンタン酸、２−エチルペンタン酸、３−エチルペンタン酸および２−エチル−３−メチルブタン酸から選ばれる１〜１３種との組合せ；
（ｉｉ）ブタン酸、２−メチルプロパン酸、ペンタン酸、２−メチルブタン酸、３−メチルブタン酸、２，２−ジメチルプロパン酸、２−メチルペンタン酸、３−メチルペンタン酸、４−メチルペンタン酸、２，２−ジメチルブタン酸、２，３−ジメチルブタン酸、３，３−ジメチルブタン酸およびヘキサン酸から選ばれる１〜１３種と、２−メチルヘプタン酸、３−メチルヘプタン酸、４−メチルヘプタン酸、５−メチルヘプタン酸、６−メチルヘプタン酸、２，２−ジメチルヘキサン酸、３，３−ジメチルヘキサン酸、４，４−ジメチルヘキサン酸、５，５−ジメチルヘキサン酸、２，３−ジメチルヘキサン酸、２，４−ジメチルヘキサン酸、２，５−ジメチルヘキサン酸、３，４−ジメチルヘキサン酸、３，５−ジメチルヘキサン酸、４，５−ジメチルヘキサン酸、２，２，３−トリメチルペンタン酸、２，３，３−トリメチルペンタン酸、２，４，４−トリメチルペンタン酸、３，４，４−トリメチルペンタン酸、２−エチルヘキサン酸、３−エチルヘキサン酸、２−プロピルペンタン酸、２−メチル−２−エチルペンタン酸、２−メチル−３−エチルペンタン酸および３−メチル−３−エチルペンタン酸から選ばれる１〜２５種との組合せ；
（ｉｉｉ）ブタン酸、２−メチルプロパン酸、ペンタン酸、２−メチルブタン酸、３−メチルブタン酸、２，２−ジメチルプロパン酸、２−メチルペンタン酸、３−メチルペンタン酸、４−メチルペンタン酸、２，２−ジメチルブタン酸、２，３−ジメチルブタン酸、３，３−ジメチルブタン酸およびヘキサン酸から選ばれる１〜１３種と、２−メチルオクタン酸、３−メチルオクタン酸、４−メチルオクタン酸、５−メチルオクタン酸、６−メチルオクタン酸、７−メチルオクタン酸、８−メチルオクタン酸、２，２−ジメチルヘプタン酸、３，３−ジメチルヘプタン酸、４，４−ジメチルヘプタン酸、５，５−ジメチルヘプタン酸、６，６−ジメチルヘプタン酸、２，３−ジメチルヘプタン酸、２，４−ジメチルヘプタン酸、２，５−ジメチルヘプタン酸、２，６−ジメチルヘプタン酸、３，４−ジメチルヘプタン酸、３，５−ジメチルヘプタン酸、３，６−ジメチルヘプタン酸、４，５−ジメチルヘプタン酸、４，６−ジメチルヘプタン酸、２−エチルヘプタン酸、３−エチルヘプタン酸、４−エチルヘプタン酸、５−エチルヘプタン酸、２−プロピルヘキサン酸、３−プロピルヘキサン酸、２−ブチルペンタン酸、２，２，３−トリメチルヘキサン酸、２，２，３−トリメチルヘキサン酸、２，２，４−トリメチルヘキサン酸、２，２，５−トリメチルヘキサン酸、２，３，４−トリメチルヘキサン酸、２，３，５−トリメチルヘキサン酸、３，３，４−トリメチルヘキサン酸、３，３，５−トリメチルヘキサン酸、３，５，５−トリメチルヘキサン酸、４，４，５−トリメチルヘキサン酸、４，５，５−トリメチルヘキサン酸、２，２，３，３−テトラメチルペンタン酸、２，２，３，４−テトラメチルペンタン酸、２，２，４，４−テトラメチルペンタン酸、２，３，４，４−テトラメチルペンタン酸、３，３，４，４−テトラメチルペンタン酸、２，２−ジエチルペンタン酸、２，３−ジエチルペンタン酸、３，３−ジエチルペンタン酸、２−エチル−２，３，３−トリメチル酪酸、３−エチル−２，２，３−トリメチル酪酸および２，２−ジイソプロピルプロピオン酸から選ばれる１〜５０種との組合せ。
【０８６１】
上記多価アルコール脂肪酸エステルを構成する酸構成成分のさらに好ましい例としては、以下のものを挙げることができる。
（ｉ）２−メチルプロパン酸と、２−メチルヘキサン酸、３−メチルヘキサン酸、４−メチルヘキサン酸、５−メチルヘキサン酸、２，２−ジメチルペンタン酸、２，３−ジメチルペンタン酸、２，４−ジメチルペンタン酸、３，３−ジメチルペンタン酸、３，４−ジメチルペンタン酸、４，４−ジメチルペンタン酸、２−エチルペンタン酸、３−エチルペンタン酸および２−エチル−３−メチルブタン酸から選ばれる１〜１３種との組合せ；
（ｉｉ）２−メチルプロパン酸と、２−メチルヘプタン酸、３−メチルヘプタン酸、４−メチルヘプタン酸、５−メチルヘプタン酸、６−メチルヘプタン酸、２，２−ジメチルヘキサン酸、３，３−ジメチルヘキサン酸、４，４−ジメチルヘキサン酸、５，５−ジメチルヘキサン酸、２，３−ジメチルヘキサン酸、２，４−ジメチルヘキサン酸、２，５−ジメチルヘキサン酸、３，４−ジメチルヘキサン酸、３，５−ジメチルヘキサン酸、４，５−ジメチルヘキサン酸、２，２，３−トリメチルペンタン酸、２，３，３−トリメチルペンタン酸、２，４，４−トリメチルペンタン酸、３，４，４−トリメチルペンタン酸、２−エチルヘキサン酸、３−エチルヘキサン酸、２−プロピルペンタン酸、２−メチル−２−エチルペンタン酸、２−メチル−３−エチルペンタン酸および３−メチル−３−エチルペンタン酸から選ばれる１〜２５種との組合せ；
（ｉｉｉ）２−メチルプロパン酸と、２−メチルオクタン酸、３−メチルオクタン酸、４−メチルオクタン酸、５−メチルオクタン酸、６−メチルオクタン酸、７−メチルオクタン酸、８−メチルオクタン酸、２，２−ジメチルヘプタン酸、３，３−ジメチルヘプタン酸、４，４−ジメチルヘプタン酸、５，５−ジメチルヘプタン酸、６，６−ジメチルヘプタン酸、２，３−ジメチルヘプタン酸、２，４−ジメチルヘプタン酸、２，５−ジメチルヘプタン酸、２，６−ジメチルヘプタン酸、３，４−ジメチルヘプタン酸、３，５−ジメチルヘプタン酸、３，６−ジメチルヘプタン酸、４，５−ジメチルヘプタン酸、４，６−ジメチルヘプタン酸、２−エチルヘプタン酸、３−エチルヘプタン酸、４−エチルヘプタン酸、５−エチルヘプタン酸、２−プロピルヘキサン酸、３−プロピルヘキサン酸、２−ブチルペンタン酸、２，２，３−トリメチルヘキサン酸、２，２，３−トリメチルヘキサン酸、２，２，４−トリメチルヘキサン酸、２，２，５−トリメチルヘキサン酸、２，３，４−トリメチルヘキサン酸、２，３，５−トリメチルヘキサン酸、３，３，４−トリメチルヘキサン酸、３，３，５−トリメチルヘキサン酸、３，５，５−トリメチルヘキサン酸、４，４，５−トリメチルヘキサン酸、４，５，５−トリメチルヘキサン酸、２，２，３，３−テトラメチルペンタン酸、２，２，３，４−テトラメチルペンタン酸、２，２，４，４−テトラメチルペンタン酸、２，３，４，４−テトラメチルペンタン酸、３，３，４，４−テトラメチルペンタン酸、２，２−ジエチルペンタン酸、２，３−ジエチルペンタン酸、３，３−ジエチルペンタン酸、２−エチル−２，３，３−トリメチル酪酸、３−エチル−２，２，３−トリメチル酪酸および２，２−ジイソプロピルプロピオン酸から選ばれる１〜５０種との組合せ。
【０８６２】
上記多価アルコール脂肪酸エステル（Ａ）の含有量は、冷凍機油全量基準で５０質量％以上であり、好ましくは６０質量％以上、より好ましくは７０質量％以上、さらに好ましくは７５質量％以上である。本実施形態に係る冷凍機油は、後述するように多価アルコール脂肪酸エステル（Ａ）以外の潤滑油基油や添加剤を含有してもよいが、多価アルコール脂肪酸エステル（Ａ）が５０質量％未満であると、必要粘度と相溶性とを高水準で両立することができなくなる。
【０８６３】
本実施形態に係る冷凍機油において、多価アルコール脂肪酸エステル（Ａ）は主として基油として用いられる。本実施形態に係る冷凍機油の基油としては、多価アルコール脂肪酸エステル（Ａ）のみを単独で（すなわち多価アルコール脂肪酸エステル（Ａ）の含有量が１００質量％）用いてもよいが、これに加えて、その優れた性能を損なわない程度に、多価アルコール脂肪酸エステル（Ａ）以外の基油をさらに含有してもよい。多価アルコール脂肪酸エステル（Ａ）以外の基油としては、鉱油、オレフィン重合体、アルキルジフェニルアルカン、アルキルナフタレン、アルキルベンゼン等の炭化水素系油；多価アルコール脂肪酸エステル（Ａ）以外のポリオールエステル、コンプレックスエステル、脂環式ジカルボン酸エステル等のエステル、ポリグリコール、ポリビニルエーテル、ケトン、ポリフェニルエーテル、シリコーン、ポリシロキサン、パーフルオロエーテル等の酸素を含有する合成油（以下、場合により「他の含酸素合成油」という）などが挙げられる。
【０８６４】
酸素を含有する合成油としては、上記の中でも、多価アルコール脂肪酸エステル（Ａ）以外のエステル、ポリグリコール、ポリビニルエーテルが好ましく、特に好ましいのは、多価アルコール脂肪酸エステル（Ａ）以外のポリオールエステルである。多価アルコール脂肪酸エステル（Ａ）以外のポリオールエステルとしては、ネオペンチルグリコール、トリメチロールエタン、トリメチロールプロパン、トリメチロールブタン、ペンタエリスリトール、ジペンタエリスリトール等の多価アルコールと脂肪酸とのエステルが挙げられ、特に好ましいものは、ネオペンチルグリコールと脂肪酸とのエステル、ペンタエリスリトールと脂肪酸とのエステル及びジペンタエリスリトールと脂肪酸とのエステルである。
【０８６５】
ネオペンチルグリコールエステルとしては、ネオペンチルグリコールと炭素数５〜９の脂肪酸とのエステルであることが好ましい。このようなネオペンチルグリコールエステルとしては、具体的には例えば、ネオペンチルグリコールジ３，５，５−トリメチルヘキサノエート、ネオペンチルグリコールジ２−エチルヘキサノエート、ネオペンチルグリコールジ２−メチルヘキサノエート、ネオペンチルグリコールジ２−エチルペンタノエート、ネオペンチルグリコールと２−メチルヘキサン酸・２−エチルペンタン酸のエステル、ネオペンチルグリコールと３−メチルヘキサン酸・５−メチルヘキサン酸のエステル、ネオペンチルグリコールと２−メチルヘキサン酸・２−エチルヘキサン酸のエステル、ネオペンチルグリコールと３，５−ジメチルヘキサン酸・４，５−ジメチルヘキサン酸・３，４−ジメチルヘキサン酸のエステル、ネオペンチルグリコールジペンタノエート、ネオペンチルグリコールジ２−エチルブタノエート、ネオペンチルグリコールジ２−メチルペンタノエート、ネオペンチルグリコールジ２−メチルブタノエート、ネオペンチルグリコールジ３−メチルブタノエート等が挙げられる。
【０８６６】
ペンタエリスリトールエステルとしては、ペンタエリスリトールと炭素数５〜９の脂肪酸とのエステルが好ましい。このようなペンタエリスリトールエステルとしては、具体的には、ペンタエリスリトールと、ペンタン酸、２−メチルブタン酸、３−メチルブタン酸、ヘキサン酸、２−メチルペンタン酸、２−エチルブタン酸、２−エチルペンタン酸、２−メチルヘキサン酸、３，５，５−トリメチルヘキサン酸および２−エチルヘキサン酸から選ばれる１種以上の脂肪酸とのエステルが挙げられる。
【０８６７】
ジペンタエリスリトールエステルとしては、ジペンタエリスリトールと炭素数５〜９の脂肪酸のエステルが好ましい。このようなジペンタエリスリトールエステルとしては、具体的には、ジペンタエリスリトールと、ペンタン酸、２−メチルブタン酸、３−メチルブタン酸、ヘキサン酸、２−メチルペンタン酸、２−エチルブタン酸、２−エチルペンタン酸、２−メチルヘキサン酸、３，５，５−トリメチルヘキサン酸および２−エチルヘキサン酸から選ばれる１種以上の脂肪酸とのエステルが挙げられる。
【０８６８】
本実施形態に係る冷凍機油が多価アルコール脂肪酸エステル（Ａ）以外の含酸素合成油を含有する場合、多価アルコール脂肪酸エステル（Ａ）以外の含酸素合成油の含有量は、本実施形態に係る冷凍機油の優れた潤滑性と相溶性とを損なわない限りにおいて特に制限はないが、多価アルコール脂肪酸エステル（Ａ）以外のポリオールエステルを配合する場合、冷凍機油全量基準で、５０質量％未満であることが好ましく、４５質量％以下であることがより好ましく、４０質量％以下であることがさらに好ましく、３５質量％以下であることがさらにより好ましく、３０質量％以下であることが一層好ましく、２５質量％以下であることが最も好ましく；ポリオールエステル以外の含酸素合成油を配合する場合、冷凍機油全量基準で５０質量％未満であることが好ましく、４０質量％以下であることがより好ましく、３０質量％以下であることがさらに好ましい。ペンタエリスリトール脂肪酸エステル以外のポリオールエステルや他の含酸素合成油の配合量が多すぎると、上記効果が十分には得られない。
【０８６９】
なお、多価アルコール脂肪酸エステル（Ａ）以外のポリオールエステルは、多価アルコールの水酸基の一部がエステル化されずに水酸基のまま残っている部分エステルであっても良く、全ての水酸基がエステル化された完全エステルであっても良く、また部分エステルと完全エステルの混合物であっても良いが、水酸基価が、１０ｍｇＫＯＨ／ｇ以下であることが好ましく、５ｍｇＫＯＨ／ｇ以下であることがより好ましく、３ｍｇＫＯＨ／ｇ以下であることが最も好ましい。
【０８７０】
本実施形態に係る冷凍機および冷凍機用作動流体が多価アルコール脂肪酸エステル（Ａ）以外のポリオールエステルを含有する場合、該ポリオールエステルとして、単一の構造のポリオールエステルの１種からなるものを含有してもよく、また、構造の異なる２種以上のポリオールエステルの混合物を含有してもよい。
【０８７１】
また、多価アルコール脂肪酸エステル（Ａ）以外のポリオールエステルは、１種の脂肪酸と１種の多価アルコールとのエステル、２種以上の脂肪酸と１種の多価アルコールとのエステル、１種の脂肪酸と２種以上の多価アルコールとのエステル、２種以上の脂肪酸と２種以上の多価アルコールとのエステルのいずれであってもよい。
【０８７２】
本実施形態に係る冷凍機油は、多価アルコール脂肪酸エステル（Ａ）のみからなるものであってもよく、また、多価アルコール脂肪酸エステル（Ａ）とその他の基油とからなるものであってもよいが、後述する各種添加剤をさらに含有してもよい。また、本実施形態に係る冷凍機用作動流体においても、各種添加剤をさらに含有してもよい。なお、以下の説明において、添加剤の含有量については、冷凍機油全量を基準として示すが、冷凍機用作動流体におけるこれらの成分の含有量は、冷凍機油全量を基準とした場合に後述する好ましい範囲内となるように選定することが望ましい。
【０８７３】
本実施形態に係る冷凍機油および冷凍機用作動流体の耐摩耗性、耐荷重性をさらに改良するために、リン酸エステル、酸性リン酸エステル、チオリン酸エステル、酸性リン酸エステルのアミン塩、塩素化リン酸エステルおよび亜リン酸エステルからなる群より選ばれる少なくとも１種のリン化合物を配合することができる。これらのリン化合物は、リン酸または亜リン酸とアルカノール、ポリエーテル型アルコールとのエステルあるいはその誘導体である。
【０８７４】
具体的には例えば、リン酸エステルとしては、トリブチルホスフェート、トリペンチルホスフェート、トリヘキシルホスフェート、トリヘプチルホスフェート、トリオクチルホスフェート、トリノニルホスフェート、トリデシルホスフェート、トリウンデシルホスフェート、トリドデシルホスフェート、トリトリデシルホスフェート、トリテトラデシルホスフェート、トリペンタデシルホスフェート、トリヘキサデシルホスフェート、トリヘプタデシルホスフェート、トリオクタデシルホスフェート、トリオレイルホスフェート、トリフェニルホスフェート、トリクレジルホスフェート、トリキシレニルホスフェート、クレジルジフェニルホスフェート、キシレニルジフェニルホスフェートなどが挙げられる。
【０８７５】
酸性リン酸エステルとしては、モノブチルアシッドホスフェート、モノペンチルアシッドホスフェート、モノヘキシルアシッドホスフェート、モノヘプチルアシッドホスフェート、モノオクチルアシッドホスフェート、モノノニルアシッドホスフェート、モノデシルアシッドホスフェート、モノウンデシルアシッドホスフェート、モノドデシルアシッドホスフェート、モノトリデシルアシッドホスフェート、モノテトラデシルアシッドホスフェート、モノペンタデシルアシッドホスフェート、モノヘキサデシルアシッドホスフェート、モノヘプタデシルアシッドホスフェート、モノオクタデシルアシッドホスフェート、モノオレイルアシッドホスフェート、ジブチルアシッドホスフェート、ジペンチルアシッドホスフェート、ジヘキシルアシッドホスフェート、ジヘプチルアシッドホスフェート、ジオクチルアシッドホスフェート、ジノニルアシッドホスフェート、ジデシルアシッドホスフェート、ジウンデシルアシッドホスフェート、ジドデシルアシッドホスフェート、ジトリデシルアシッドホスフェート、ジテトラデシルアシッドホスフェート、ジペンタデシルアシッドホスフェート、ジヘキサデシルアシッドホスフェート、ジヘプタデシルアシッドホスフェート、ジオクタデシルアシッドホスフェート、ジオレイルアシッドホスフェートなどが挙げられる。
【０８７６】
チオリン酸エステルとしては、トリブチルホスフォロチオネート、トリペンチルホスフォロチオネート、トリヘキシルホスフォロチオネート、トリヘプチルホスフォロチオネート、トリオクチルホスフォロチオネート、トリノニルホスフォロチオネート、トリデシルホスフォロチオネート、トリウンデシルホスフォロチオネート、トリドデシルホスフォロチオネート、トリトリデシルホスフォロチオネート、トリテトラデシルホスフォロチオネート、トリペンタデシルホスフォロチオネート、トリヘキサデシルホスフォロチオネート、トリヘプタデシルホスフォロチオネート、トリオクタデシルホスフォロチオネート、トリオレイルホスフォロチオネート、トリフェニルホスフォロチオネート、トリクレジルホスフォロチオネート、トリキシレニルホスフォロチオネート、クレジルジフェニルホスフォロチオネート、キシレニルジフェニルホスフォロチオネートなどが挙げられる。
【０８７７】
酸性リン酸エステルのアミン塩としては、酸性リン酸エステルと、炭素数１〜２４、好ましくは５〜１８の１〜３級の直鎖または分岐アルキル基のアミンとのアミン塩が挙げられる。
【０８７８】
酸性リン酸エステルのアミン塩を構成するアミンとしては、直鎖または分岐のメチルアミン、エチルアミン、プロピルアミン、ブチルアミン、ペンチルアミン、ヘキシルアミン、ヘプチルアミン、オクチルアミン、ノニルアミン、デシルアミン、ウンデシルアミン、ドデシルアミン、トリデシルアミン、テトラデシルアミン、ペンタデシルアミン、ヘキサデシルアミン、ヘプタデシルアミン、オクタデシルアミン、オレイルアミン、テトラコシルアミン、ジメチルアミン、ジエチルアミン、ジプロピルアミン、ジブチルアミン、ジペンチルアミン、ジヘキシルアミン、ジヘプチルアミン、ジオクチルアミン、ジノニルアミン、ジデシルアミン、ジウンデシルアミン、ジドデシルアミン、ジトリデシルアミン、ジテトラデシルアミン、ジペンタデシルアミン、ジヘキサデシルアミン、ジヘプタデシルアミン、ジオクタデシルアミン、ジオレイルアミン、ジテトラコシルアミン、トリメチルアミン、トリエチルアミン、トリプロピルアミン、トリブチルアミン、トリペンチルアミン、トリヘキシルアミン、トリヘプチルアミン、トリオクチルアミン、トリノニルアミン、トリデシルアミン、トリウンデシルアミン、トリドデシルアミン、トリトリデシルアミン、トリテトラデシルアミン、トリペンタデシルアミン、トリヘキサデシルアミン、トリヘプタデシルアミン、トリオクタデシルアミン、トリオレイルアミン、トリテトラコシルアミンなどのアミンとの塩が挙げられる。アミンは単独の化合物であっても、２種以上の化合物の混合物であっても良い。
【０８７９】
塩素化リン酸エステルとしては、トリス・ジクロロプロピルホスフェート、トリス・クロロエチルホスフェート、トリス・クロロフェニルホスフェート、ポリオキシアルキレン・ビス［ジ（クロロアルキル）］ホスフェートなどが挙げられる。亜リン酸エステルとしては、ジブチルホスファイト、ジペンチルホスファイト、ジヘキシルホスファイト、ジヘプチルホスファイト、ジオクチルホスファイト、ジノニルホスファイト、ジデシルホスファイト、ジウンデシルホスファイト、ジドデシルホスファイト、ジオレイルホスファイト、ジフェニルホスファイト、ジクレジルホスファイト、トリブチルホスファイト、トリペンチルホスファイト、トリヘキシルホスファイト、トリヘプチルホスファイト、トリオクチルホスファイト、トリノニルホスファイト、トリデシルホスファイト、トリウンデシルホスファイト、トリドデシルホスファイト、トリオレイルホスファイト、トリフェニルホスファイト、トリクレジルホスファイトなどが挙げられる。また、これらの混合物も使用できる。
【０８８０】
本実施形態に係る冷凍機油および冷凍機用作動流体が上記リン化合物を含有する場合、リン化合物の含有量は特に制限されないが、冷凍機油全量基準（基油と全配合添加剤の合計量基準）で、０．０１〜５．０質量％であることが好ましく、０．０２〜３．０質量％であることがより好ましい。なお、上記リン化合物は１種を単独で用いてもよく、２種以上を併用してもよい。
【０８８１】
また、本実施形態に係る冷凍機油および冷凍機用作動流体は、その熱・化学的安定性をさらに改良するために、テルペン化合物を添加することができる。本開示でいう「テルペン化合物」とは、イソプレンの重合した化合物およびこれらの誘導体を意味し、イソプレンの２〜８量体が好ましく用いられる。テルペン化合物としては、具体的には、ゲラニオール、ネロール、リナロール、シトラール（ゲラニアールを含む）、シトロネロール、メントール、リモネン、テルピネロール、カルボン、ヨノン、ツヨン、樟脳（カンファー）、ボルネオールなどのモノテルペン、ファルネセン、ファルネソール、ネロリドール、幼若ホルモン、フムレン、カリオフイレン、エレメン、カジノール、カジネン、ツチンなどのセスキテルペン、ゲラニルゲラニオール、フィトール、アビエチン酸、ピマラジェン、ダフネトキシン、タキソール、ピマール酸などのジテルペン、ゲラニルファルネセンなどのセスタテルペン、スクアレン、リモニン、カメリアゲニン、ホパン、ラノステロールなどのトリテルペン、カロテノイドなどのテトラテルペンなどが挙げられる。
【０８８２】
これらのテルペン化合物の中でも、モノテルペン、セスキテルペン、ジテルペンが好ましく、セスキテルペンがより好ましく、αファルネセン（３，７，１１−トリメチルドデカ−１，３，６，１０−テトラエン）および／またはβファルネセン（７，１１−ジメチル−３−メチリデンドデカ−１，６，１０−トリエン）が特に好ましい。本開示において、テルペン化合物は、１種を単独で用いてもよく、２種以上を組み合わせて用いてもよい。
【０８８３】
本実施形態に係る冷凍機油におけるテルペン化合物の含有量は特に制限されないが、冷凍機油全量基準で、好ましくは０．００１〜１０質量％、より好ましくは０．０１〜５質量％、さらに好ましくは０．０５〜３質量％である。テルペン化合物の含有量が０．００１質量％未満であると熱・化学的安定性の向上効果が不十分となる傾向にあり、また、１０質量％を超えると潤滑性が不十分となる傾向にある。また、本実施形態に係る冷凍機用作動流体におけるテルペン化合物の含有量については、冷凍機油全量を基準とした場合に上記の好ましい範囲内となるように選定することが望ましい。
【０８８４】
また、本実施形態に係る冷凍機油および冷凍機用作動流体は、その熱・化学的安定性をさらに改良するために、フェニルグリシジルエーテル型エポキシ化合物、アルキルグリシジルエーテル型エポキシ化合物、グリシジルエステル型エポキシ化合物、アリルオキシラン化合物、アルキルオキシラン化合物、脂環式エポキシ化合物、エポキシ化脂肪酸モノエステルおよびエポキシ化植物油から選ばれる少なくとも１種のエポキシ化合物を含有することができる。
【０８８５】
フェニルグリシジルエーテル型エポキシ化合物としては、具体的には、フェニルグリシジルエーテルまたはアルキルフェニルグリシジルエーテルが例示できる。ここでいうアルキルフェニルグリシジルエーテルとは、炭素数１〜１３のアルキル基を１〜３個有するものが挙げられ、中でも炭素数４〜１０のアルキル基を１個有するもの、例えばｎ−ブチルフェニルグリシジルエーテル、ｉ−ブチルフェニルグリシジルエーテル、ｓｅｃ−ブチルフェニルグリシジルエーテル、ｔｅｒｔ−ブチルフェニルグリシジルエーテル、ペンチルフェニルグリシジルエーテル、ヘキシルフェニルグリシジルエーテル、ヘプチルフェニルグリシジルエーテル、オクチルフェニルグリシジルエーテル、ノニルフェニルグリシジルエーテル、デシルフェニルグリシジルエーテルなどが好ましいものとして例示できる。
【０８８６】
アルキルグリシジルエーテル型エポキシ化合物としては、具体的には、デシルグリシジルエーテル、ウンデシルグリシジルエーテル、ドデシルグリシジルエーテル、トリデシルグリシジルエーテル、テトラデシルグリシジルエーテル、２−エチルヘキシルグリシジルエーテル、ネオペンチルグリコールジグリシジルエーテル、トリメチロールプロパントリグリシジルエーテル、ペンタエリスリトールテトラグリシジルエーテル、１，６−ヘキサンジオールジグリシジルエーテル、ソルビトールポリグリシジルエーテル、ポリアルキレングリコールモノグリシジルエーテル、ポリアルキレングリコールジグリシジルエーテルなどが例示できる。
【０８８７】
グリシジルエステル型エポキシ化合物としては、具体的には、フェニルグリシジルエステル、アルキルグリシジルエステル、アルケニルグリシジルエステルなどが挙げられ、好ましいものとしては、グリシジル−２，２−ジメチルオクタノエート、グリシジルベンゾエート、グリシジルアクリレート、グリシジルメタクリレートなどが例示できる。
【０８８８】
アリルオキシラン化合物としては、具体的には、１，２−エポキシスチレン、アルキル−１，２−エポキシスチレンなどが例示できる。
【０８８９】
アルキルオキシラン化合物としては、具体的には、１，２−エポキシブタン、１，２−エポキシペンタン、１，２−エポキシヘキサン、１，２−エポキシヘプタン、１，２−エポキシオクタン、１，２−エポキシノナン、１，２−エポキシデカン、１，２−エポキシウンデカン、１，２−エポキシドデカン、１，２−エポキシトリデカン、１，２−エポキシテトラデカン、１，２−エポキシペンタデカン、１，２−エポキシヘキサデカン、１，２−エポキシヘプタデカン、１，１，２−エポキシオクタデカン、２−エポキシノナデカン、１，２−エポキシイコサンなどが例示できる。
【０８９０】
脂環式エポキシ化合物としては、具体的には、１，２−エポキシシクロヘキサン、１，２−エポキシシクロペンタン、３，４−エポキシシクロヘキシルメチル−３，４−エポキシシクロヘキサンカルボキシレート、ビス（３，４−エポキシシクロヘキシルメチル）アジペート、エキソ−２，３−エポキシノルボルナン、ビス（３，４−エポキシ−６−メチルシクロヘキシルメチル）アジペート、２−（７−オキサビシクロ［４．１．０］ヘプト−３−イル）−スピロ（１，３−ジオキサン−５，３’−［７］オキサビシクロ［４．１．０］ヘプタン、４−（１’−メチルエポキシエチル）−１，２−エポキシ−２−メチルシクロヘキサン、４−エポキシエチル−１，２−エポキシシクロヘキサンなどが例示できる。
【０８９１】
エポキシ化脂肪酸モノエステルとしては、具体的には、エポキシ化された炭素数１２〜２０の脂肪酸と炭素数１〜８のアルコールまたはフェノール、アルキルフェノールとのエステルなどが例示できる。特にエポキシステアリン酸のブチル、ヘキシル、ベンジル、シクロヘキシル、メトキシエチル、オクチル、フェニルおよびブチルフェニルエステルが好ましく用いられる。
【０８９２】
エポキシ化植物油としては、具体的には、大豆油、アマニ油、綿実油等の植物油のエポキシ化合物などが例示できる。
【０８９３】
これらのエポキシ化合物の中でも好ましいものは、フェニルグリシジルエーテル型エポキシ化合物、アルキルグリシジルエーテル型エポキシ化合物、グリシジルエステル型エポキシ化合物、および脂環式エポキシ化合物である。
【０８９４】
本実施形態に係る冷凍機油および冷凍機用作動流体が上記エポキシ化合物を含有する場合、エポキシ化合物の含有量は特に制限されないが、冷凍機油全量基準で、０．０１〜５．０質量％であることが好ましく、０．１〜３．０質量％であることがより好ましい。なお、上記エポキシ化合物は、１種を単独で用いてもよく、２種以上を併用してもよい。
【０８９５】
なお、多価アルコール脂肪酸エステル（Ａ）を含む冷凍機油の４０℃における動粘度は、好ましくは２０〜８０ｍｍ２／ｓ、より好ましくは２５〜７５ｍｍ２／ｓ、最も好ましくは３０〜７０ｍｍ２／ｓとすることができる。また、１００℃における動粘度は好ましくは２〜２０ｍｍ２／ｓ、より好ましくは３〜１０ｍｍ２／ｓとすることができる。動粘度が前記下限値以上の場合には冷凍機油として必要な粘度を確保しやすく、他方、前記上限値以下の場合には冷媒組成物としてジフルオロメタンが含まれている場合の当該ジフルオロメタンとの相溶性を十分にすることができる。
【０８９６】
また、多価アルコール脂肪酸エステル（Ａ）を含む冷凍機油の体積抵抗率は特に限定されないが、好ましくは１．０×１０１２Ω・ｃｍ以上、より好ましくは１．０×１０１３Ω・ｃｍ以上、最も好ましくは１．０×１０１４Ω・ｃｍ以上とすることができる。特に、密閉型の冷凍機用に用いる場合には高い電気絶縁性が必要となる傾向にある。なお、体積抵抗率とは、ＪＩＳ Ｃ ２１０１「電気絶縁油試験方法」に準拠して測定した２５℃での値を意味する。
【０８９７】
また、多価アルコール脂肪酸エステル（Ａ）を含む冷凍機油の水分含有量は特に限定されないが、冷凍機油全量基準で好ましくは２００ｐｐｍ以下、より好ましくは１００ｐｐｍ以下、最も好ましくは５０ｐｐｍ以下とすることができる。特に密閉型の冷凍機用に用いる場合には、冷凍機油の熱・化学的安定性や電気絶縁性への影響の観点から、水分含有量が少ないことが求められる。
【０８９８】
また、多価アルコール脂肪酸エステル（Ａ）を含む冷凍機油の酸価は特に限定されないが、冷凍機または配管に用いられている金属への腐食を防止するため、好ましくは０．１ｍｇＫＯＨ／ｇ以下、より好ましくは０．０５ｍｇＫＯＨ／ｇ以下とすることができる。なお、本開示において、酸価とは、ＪＩＳ Ｋ ２５０１「石油製品および潤滑油一中和価試験方法」に準拠して測定した酸価を意味する。
【０８９９】
また、多価アルコール脂肪酸エステル（Ａ）を含む冷凍機油の灰分は特に限定されないが、冷凍機油の熱・化学的安定性を高めスラッジ等の発生を抑制するため、好ましくは１００ｐｐｍ以下、より好ましくは５０ｐｐｍ以下とすることができる。なお、灰分とは、ＪＩＳ Ｋ ２２７２「原油および石油製品の灰分並びに硫酸灰分試験方法」に準拠して測定した灰分の値を意味する。
【０９００】
（コンプレックスエステル油）
コンプレックスエステル油とは、脂肪酸および二塩基酸と、一価アルコールおよびポリオールとのエステルである。脂肪酸、二塩基酸、一価アルコール、ポリオールとしては、上述と同様のものを用いることができる。
【０９０１】
脂肪酸としては、上記ポリオールエステルの脂肪酸で示したものが挙げられる。
【０９０２】
二塩基酸としては、シュウ酸、マロン酸、コハク酸、グルタル酸、アジピン酸、ピメリン酸、スベリン酸、アゼライン酸、セバシン酸、フタル酸、イソフタル酸、テレフタル酸等が挙げられる。
【０９０３】
ポリオールとしては、上記ポリオールエステルの多価アルコールとして示したものが挙げられる。コンプレックスエステルは、これらの脂肪酸、二塩基酸、ポリオールのエステルであり、各々単一成分でもよいし、複数成分からなるエステルでもよい。
【０９０４】
（ポリオール炭酸エステル油）
ポリオール炭酸エステル油とは、炭酸とポリオールとのエステルである。
【０９０５】
ポリオールとしては、上述と同様のジオールやポリオールが挙げられる。
【０９０６】
また、ポリオール炭酸エステル油としては、環状アルキレンカーボネートの開環重合体であってもよい。
【０９０７】
（２−１−２）エーテル系冷凍機油
エーテル系冷凍機油としては、ポリビニルエーテル油、ポリオキシアルキレン油等が挙げられる。
【０９０８】
（ポリビニルエーテル油）
ポリビニルエーテル油としては、ビニルエーテルモノマーの重合体、ビニルエーテルモノマーとオレフィン性二重結合を有する炭化水素モノマーとの共重合体、オレフィン性二重結合とポリオキシアルキレン鎖を有するモノマーとビニルエーテルモノマーとの共重合体等が挙げられる。
【０９０９】
ポリビニルエーテル油の炭素／酸素モル比は、２以上７．５以下であることが好ましく、２．５以上５．８以下であることがより好ましい。炭素／酸素モル比が当該範囲より低いと吸湿性が高くなり、当該範囲より高いと相溶性が低下する。また、ポリビニルエーテルの重量平均分子量は、好ましくは２００以上３０００以下、より好ましくは５００以上１５００以下である。
【０９１０】
ポリビニルエーテル油は、流動点が−３０℃以下であることが好ましい。ポリビニルエーテル油は、２０℃における表面張力が０．０２Ｎ／ｍ以上０．０４Ｎ／ｍ以下であることが好ましい。ポリビニルエーテル油は、１５℃における密度が０．８ｇ／ｃｍ３以上１．８ｇ／ｃｍ３以下であることが好ましい。ポリビニルエーテル油は、温度３０℃、相対湿度９０％における飽和水分量が２０００ｐｐｍ以上であることが好ましい。
【０９１１】
冷凍機油においては、ポリビニルエーテルが主成分として含まれていてもよい。冷媒にＨＦＯ−１２３４ｙｆが含まれている場合には、冷凍機油の主成分であるポリビニルエーテルが、当該ＨＦＯ−１２３４ｙｆに対して相溶性を有しており、冷凍機油の４０℃における動粘度が４００ｍｍ２／ｓ以下であると、ＨＦＯ−１２３４ｙｆが、冷凍機油にある程度溶解する。また、冷凍機油の流動点が−３０℃以下である場合には、冷媒回路において冷媒組成物や冷凍機油が低温となる部位においても冷凍機油の流動性を確保しやすい。また、冷凍機油の２０℃における表面張力が０．０４Ｎ／ｍ以下である場合には、圧縮機から吐出された冷凍機油が冷媒組成物によって押し流されにくくなるような大きな油滴になりにくい。このため、圧縮機から吐出された冷凍機油は、ＨＦＯ−１２３４ｙｆに溶解してＨＦＯ−１２３４ｙｆと共に圧縮機に戻されやすい。
【０９１２】
また、冷凍機油の４０℃における動粘度が３０ｍｍ２／ｓ以上である場合には、動粘度が低すぎて油膜強度が不十分になることが抑制され、潤滑性能を確保しやすい。また、冷凍機油の２０℃における表面張力が０．０２Ｎ／ｍ以上である場合には、圧縮機内のガス冷媒中で小さな油滴になりにくく、圧縮機から多量に冷凍機油が吐出されることを抑制できる。このため、圧縮機における冷凍機油の貯留量を充分に確保しやすい。
【０９１３】
また、冷凍機油の飽和水分量が、温度３０℃／相対湿度９０％において２０００ｐｐｍ以上である場合には、冷凍機油の吸湿性を比較的高いものとすることができる。これにより、冷媒にＨＦＯ−１２３４ｙｆが含まれている場合には、ＨＦＯ−１２３４ｙｆ中の水分を冷凍機油によって有る程度捕捉することが可能となる。ＨＦＯ−１２３４ｙｆは、含有される水分の影響により、変質／劣化し易い分子構造を有する。よって、冷凍機油による吸湿効果により、このような劣化を抑制することができる。
【０９１４】
さらに、冷媒回路を流れる冷媒と接触可能となるシール部や摺動部に所定の樹脂製機能部品が配置されている場合であって、当該樹脂製機能部品が、ポリテトラフルオロエチレン、ポリフェニレンサルファイド、フェノール樹脂、ポリアミド樹脂、クロロブレンゴム、シリコンゴム、水素化ニトリルゴム、フッ素ゴム、ヒドリンゴムのいずれかで構成されている場合には、冷凍機油のアニリン点は、当該樹脂製機能部品との適合性を考慮して、その数値範囲を設定することが好ましい。このようにアニリン点を設定することで、例えば樹脂製機能部品を構成する軸受と冷凍機油との適合性が向上する。具体的に、アニリン点が小さ過ぎると、冷凍機油が軸受等に浸透し易くなり、軸受等が膨潤し易くなる。一方、アニリン点が大き過ぎると、冷凍機油が軸受等と浸透し難くなり、軸受等が収縮し易くなる。そこで、冷凍機油のアニリン点を所定の数値範囲とすることで、軸受等の膨潤／収縮変形を防止できる。ここで、例えば各軸受等が膨潤／縮小変形してしまうと、摺動部での隙間（ギャップ）を所望とする長さに維持することができない。その結果、摺動抵抗の増大や摺動部の剛性の低下を招くおそれがある。しかしながら、上記のように冷凍機油のアニリン点を所定の数値範囲とすることで、軸受等の膨潤／縮小変形が抑制されるので、このような不具合を回避できる。
【０９１５】
ビニルエーテルモノマーは、１種を単独で用いてもよく、２種以上を組み合わせて用いてもよい。オレフィン性二重結合を有する炭化水素モノマーとしては、エチレン、プロピレン、各種ブテン、各種ペンテン、各種ヘキセン、各種ヘプテン、各種オクテン、ジイソブチレン、トリイソブチレン、スチレン、α−メチルスチレン、各種アルキル置換スチレン等が挙げられる。オレフィン性二重結合を有する炭化水素モノマーは、１種を単独で用いてもよく、２種以上を組み合わせて用いてもよい。
【０９１６】
ポリビニルエーテル共重合体は、ブロックまたはランダム共重合体のいずれであってもよい。ポリビニルエーテル油は、１種を単独で用いてもよく、２種以上を組み合わせて用いてもよい。
【０９１７】
好ましく用いられるポリビニルエーテル油は、下記一般式（１）で表される構造単位を有する。
【０９１８】
【化１】
2020017521.tif 000152
【０９１９】
（式中、Ｒ１、Ｒ２およびＲ３は同一でも異なっていてもよく、それぞれ水素原子または炭素数１〜８の炭化水素基を示し、Ｒ４は炭素数１〜１０の２価の炭化水素基または炭素数２〜２０の２価のエーテル結合酸素含有炭化水素基を示し、Ｒ５は炭素数１〜２０の炭化水素基を示し、ｍは上記ポリビニルエーテルについてのｍの平均値が０〜１０となるような数を示し、Ｒ１〜Ｒ５は構造単位ごとに同一であっても異なっていてもよく、一の構造単位においてｍが２以上である場合には、複数のＲ４Ｏは同一でも異なっていてもよい。）
上記一般式（１）におけるＲ１、Ｒ２およびＲ３は、少なくとも１つが水素原子、特には全てが水素原子であることが好ましい。一般式（１）におけるｍは０以上１０以下、特には０以上５以下が、さらには０であることが好ましい。一般式（１）におけるＲ５は炭素数１〜２０の炭化水素基を示すが、この炭化水素基としては、具体的にはメチル基、エチル基、ｎ−プロピル基、イソプロピル基、ｎ−ブチル基、イソブチル基、ｓｅｃ−ブチル基、ｔｅｒｔ−ブチル基、各種ペンチル基、各種ヘキシル基、各種ヘプチル基、各種オクチル基のアルキル基、シクロペンチル基、シクロヘキシル基、各種メチルシクロヘキシル基、各種エチルシクロヘキシル基、各種ジメチルシクロヘキシル基などのシクロアルキル基、フェニル基、各種メチルフェニル基、各種エチルフェニル基、各種ジメチルフェニル基のアリール基、ベンジル基、各種フェニルエチル基、各種メチルベンジル基のアリールアルキル基を示す。なお、アルキル基、シクロアルキル基、フェニル基、アリール基、アリールアルキル基の中でも、アルキル基、特には炭素数１以上５以下のアルキル基が好ましい。なお、上記ポリビニルエーテル油としては、Ｒ５の炭素数が１又は２のアルキル基であるポリビニルエーテル油：Ｒ５の炭素数が３又は４のアルキル基であるポリビニルエーテル油の比率が、４０％：６０％〜１００％：０％で含まれていることが好ましい。
【０９２０】
本実施形態におけるポリビニルエーテル油は、一般式（１）で表される構造単位が同一である単独重合体であっても、２種以上の構造単位で構成される共重合体であってもよい。共重合体はブロック共重合体またはランダム共重合体のいずれであってもよい。
【０９２１】
本実施形態に係るポリビニルエーテル油は、上記一般式（１）で表される構造単位のみで構成されるものであってもよいが、下記一般式（２）で表される構造単位をさらに含む共重合体であってもよい。この場合、共重合体はブロック共重合体またはランダム共重合体のいずれであってもよい。
【０９２２】
【化２】
2020017521.tif 000153
【０９２３】
（式中、Ｒ６〜Ｒ９は互いに同一でも異なっていてもよく、それぞれ水素原子または炭素数１〜２０の炭化水素基を示す。）
ビニルエーテル系モノマーとしては、下記一般式（３）の化合物が挙げられる。
【０９２４】
【化３】
2020017521.tif 000154
【０９２５】
（式中、Ｒ１、Ｒ２、Ｒ３、Ｒ４、Ｒ５およびｍは、それぞれ一般式（１）中のＲ１、Ｒ２、Ｒ３、Ｒ４、Ｒ５およびｍと同一の定義内容を示す。）
上記ポリビニルエーテル系化合物に対応する各種のものがあるが、例えば、ビニルメチルエーテル；ビニルエチルエーテル；ビニル−ｎ−プロピルエーテル；ビニル−イソプロピルエーテル；ビニル−ｎ−ブチルエーテル；ビニル−イソブチルエーテル；ビニル−ｓｅｃ−ブチルエーテル；ビニル−ｔｅｒｔ−ブチルエーテル；ビニル−ｎ−ペンチルエーテル；ビニル−ｎ−ヘキシルエーテル；ビニル−２−メトキシエチルエーテル；ビニル−２−エトキシエチルエーテル；ビニル−２−メトキシ−１−メチルエチルエーテル；ビニル−２−メトキシ−プロピルエーテル；ビニル−３，６−ジオキサヘプチルエーテル；ビニル−３，６，９−トリオキサデシルエーテル；ビニル−１，４−ジメチル−３，６−ジオキサヘプチルエーテル；ビニル−１，４，７−トリメチル−３，６，９−トリオキサデシルエーテル；ビニル−２，６−ジオキサ−４−ヘプチルエーテル；ビニル−２，６，９−トリオキサ−４−デシルエーテル；１−メトキシプロペン；１−エトキシプロペン；１−ｎ−プロポキシプロペン；１−イソプロポキシプロペン；１−ｎ−ブトキシプロペン；１−イソブトキシプロペン；１−ｓｅｃ−ブトキシプロペン；１−ｔｅｒｔ−ブトキシプロペン；２−メトキシプロペン；２−エトキシプロペン；２−ｎ−プロポキシプロペン；２−イソプロポキシプロペン；２−ｎ−ブトキシプロペン；２−イソブトキシプロペン；２−ｓｅｃ−ブトキシプロペン；２−ｔｅｒｔ−ブトキシプロペン；１−メトキシ−１−ブテン；１−エトキシ−１−ブテン；１−ｎ−プロポキシ−１−ブテン；１−イソプロポキシ−１−ブテン；１−ｎ−ブトキシ−１−ブテン；１−イソブトキシ−１−ブテン；１−ｓｅｃ−ブトキシ−１−ブテン；１−ｔｅｒｔ−ブトキシ−１−ブテン；２−メトキシ−１−ブテン；２−エトキシ−１−ブテン；２−ｎ−プロポキシ−１−ブテン；２−イソプロポキシ−１−ブテン；２−ｎ−ブトキシ−１−ブテン；２−イソブトキシ−１−ブテン；２−ｓｅｃ−ブトキシ−１−ブテン；２−ｔｅｒｔ−ブトキシ−１−ブテン；２−メトキシ−２−ブテン；２−エトキシ−２−ブテン；２−ｎ−プロポキシ−２−ブテン；２−イソプロポキシ−２−ブテン；２−ｎ−ブトキシ−２−ブテン；２−イソブトキシ−２−ブテン；２−ｓｅｃ−ブトキシ−２−ブテン；２−ｔｅｒｔ−ブトキシ−２−ブテン等が挙げられる。これらのビニルエーテル系モノマーは公知の方法により製造することができる。
【０９２６】
上記一般式（１）で表される構成単位を有するポリビニルエーテル系化合物は、その末端を本開示例に示す方法及び公知の方法により、所望の構造に変換することができる。変換する基としては、飽和の炭化水素，エーテル、アルコール、ケトン、アミド、ニトリルなどを挙げることができる。
【０９２７】
ポリビニルエーテル系化合物としては、次の末端構造を有するものが好ましい。
【０９２８】
【化４】
2020017521.tif 000155
【０９２９】
（式中、Ｒ１１、Ｒ２１およびＲ３１は互いに同一でも異なっていてもよく、それぞれ水素原子または炭素数１〜８の炭化水素基を示し、Ｒ４１は炭素数１〜１０の二価の炭化水素基または炭素数２〜２０の二価のエーテル結合酸素含有炭化水素基を示し、Ｒ５１は炭素数１〜２０の炭化水素基を示し、ｍはポリビニルエーテルについてのｍの平均値が０〜１０となるような数を示し、ｍが２以上の場合には、複数のＲ４１Ｏは同一でも異なっていてもよい。）
【０９３０】
【化５】
2020017521.tif 000156
【０９３１】
（式中、Ｒ６１、Ｒ７１、Ｒ８１およびＲ９１は互いに同一でも異なっていてもよく、それぞれ水素原子または炭素数１〜２０の炭化水素基を示す。）
【０９３２】
【化６】
2020017521.tif 000157
【０９３３】
（式中、Ｒ１２、Ｒ２２およびＲ３２は互いに同一でも異なっていてもよく、それぞれ水素原子または炭素数１〜８の炭化水素基を示し、Ｒ４２は炭素数１〜１０の二価の炭化水素基または炭素数２〜２０の二価のエーテル結合酸素含有炭化水素基を示し、Ｒ５２は炭素数１〜２０の炭化水素基を示し、ｍはポリビニルエーテルについてのｍの平均値が０〜１０となるような数を示し、ｍが２以上の場合には、複数のＲ４２Ｏは同一でも異なっていてもよい。）
【０９３４】
【化７】
2020017521.tif 000158
【０９３５】
（式中、Ｒ６２、Ｒ７２、Ｒ８２およびＲ９２は互いに同一でも異なっていてもよく、それぞれ水素原子または炭素数１〜２０の炭化水素基を示す。）
【０９３６】
【化８】
2020017521.tif 000159
【０９３７】
（式中、Ｒ１３、Ｒ２３およびＲ３３は互いに同一でも異なっていてもよく、それぞれ水素原子または炭素数１〜８の炭化水素基を示す。）
本実施形態におけるポリビニルエーテル油は、上記したモノマーをラジカル重合、カチオン重合、放射線重合などによって製造することができる。重合反応終了後、必要に応じて通常の分離・精製方法を施すことにより、目的とする一般式（１）で表される構造単位を有するポリビニルエーテル系化合物が得られる。
【０９３８】
（ポリオキシアルキレン油）
ポリオキシアルキレン油としては、炭素数２〜４のアルキレンオキシド（エチレンオキシド、プロピレンオキシド等）を、水や水酸基含有化合物を開始剤として重合させる方法等により得られたポリオキシアルキレン化合物が挙げられる。また、ポリオキシアルキレン化合物の水酸基をエーテル化またはエステル化したものであってもよい。ポリオキシアルキレン油中のオキシアルキレン単位は、１分子中において同一であってもよく、２種以上のオキシアルキレン単位が含まれていてもよい。１分子中に少なくともオキシプロピレン単位が含まれることが好ましい。
【０９３９】
具体的なポリオキシアルキレン油としては、例えば次の一般式（９）
Ｒ１０１−［（ＯＲ１０２）ｋ−ＯＲ１０３］ｌ      …（９）
（式中、Ｒ１０１は水素原子、炭素数１〜１０のアルキル基、炭素数２〜１０のアシル基又は結合部２〜６個を有する炭素数１〜１０の脂肪族炭化水素基、Ｒ１０２は炭素数２〜４のアルキレン基、Ｒ１０３は水素原子、炭素数１〜１０のアルキル基又は炭素数２〜１０のアシル基、ｌは１〜６の整数、ｋはｋ×ｌの平均値が６〜８０となる数を示す。）で表される化合物が挙げられる。
【０９４０】
上記一般式（９）において、Ｒ１０１、Ｒ１０３におけるアルキル基は直鎖状、分岐鎖状、環状のいずれであってもよい。該アルキル基の具体例としては、メチル基、エチル基、ｎ−プロピル基、イソプロピル基、各種ブチル基、各種ペンチル基、各種ヘキシル基、各種ヘプチル基、各種オクチル基、各種ノニル基、各種デシル基、シクロペンチル基、シクロヘキシル基などを挙げることができる。このアルキル基の炭素数が１０を超えると冷媒との相溶性が低下し、相分離を生じる場合がある。好ましいアルキル基の炭素数は１〜６である。
【０９４１】
また、Ｒ１０１、Ｒ１０３における該アシル基のアルキル基部分は直鎖状、分岐鎖状、環状のいずれであってもよい。該アシル基のアルキル基部分の具体例としては、上記アルキル基の具体例として挙げた炭素数１〜９の種々の基を同様に挙げることができる。該アシル基の炭素数が１０を超えると冷媒との相溶性が低下し、相分離を生じる場合がある。好ましいアシル基の炭素数は２〜６である。
【０９４２】
Ｒ１０１及びＲ１０３が、いずれもアルキル基又はアシル基である場合には、Ｒ１０１とＲ１０３は同一であってもよいし、互いに異なっていてもよい。
【０９４３】
さらにｌが２以上の場合には、１分子中の複数のＲ１０３は同一であってもよいし、異なっていてもよい。
【０９４４】
Ｒ１０１が結合部位２〜６個を有する炭素数１〜１０の脂肪族炭化水素基である場合、この脂肪族炭化水素基は鎖状のものであってもよいし、環状のものであってもよい。結合部位２個を有する脂肪族炭化水素基としては、例えば、エチレン基、プロピレン基、ブチレン基、ペンチレン基、ヘキシレン基、ヘプチレン基、オクチレン基、ノニレン基、デシレン基、シクロペンチレン基、シクロヘキシレン基などが挙げられる。また、結合部位３〜６個を有する脂肪族炭化水素基としては、例えば、トリメチロールプロパン、グリセリン、ペンタエリスリトール、ソルビトール；１，２，３−トリヒドロキシシクロヘキサン；１，３，５−トリヒドロキシシクロヘキサンなどの多価アルコールから水酸基を除いた残基を挙げることができる。
【０９４５】
この脂肪族炭化水素基の炭素数が１０を超えると冷媒との相溶性が低下し、相分離が生じる場合がある。好ましい炭素数は２〜６である。
【０９４６】
上記一般式（９）中のＲ１０２は炭素数２〜４のアルキレン基であり、繰り返し単位のオキシアルキレン基としては、オキシエチレン基、オキシプロピレン基、オキシブチレン基が挙げられる。１分子中のオキシアルキレン基は同一であってもよいし、２種以上のオキシアルキレン基が含まれていてもよいが、１分子中に少なくともオキシプロピレン単位を含むものが好ましく、特にオキシアルキレン単位中に５０モル％以上のオキシプロピレン単位を含むものが好適である。
【０９４７】
上記一般式（９）中のｌは１〜６の整数で、Ｒ１０１の結合部位の数に応じて定めることができる。例えばＲ１０１がアルキル基やアシル基の場合、ｌは１であり、Ｒ１０１が結合部位２，３，４，５及び６個を有する脂肪族炭化水素基である場合、ｌはそれぞれ２，３，４，５及び６となる。ｌは１または２であることが好ましい。また、ｋはｋ×ｌの平均値が６〜８０となる数であることが好ましい。
【０９４８】
ポリオキシアルキレン油の構造は、下記一般式（１０）で表されるポリオキシプロピレンジオールジメチルエーテル、並びに下記一般式（１１）で表されるポリ（オキシエチレン／オキシプロピレン）ジオールジメチルエーテルが経済性および前述の効果の点で好適であり、また、下記一般式（１２）で表されるポリオキシプロピレンジオールモノブチルエーテル、さらには下記一般式（１３）で表されるポリオキシプロピレンジオールモノメチルエーテル、下記一般式（１４）で表されるポリ（オキシエチレン／オキシプロピレン）ジオールモノメチルエーテル、下記一般式（１５）で表されるポリ（オキシエチレン／オキシプロピレン）ジオールモノブチルエーテル、下記一般式（１６）で表されるポリオキシプロピレンジオールジアセテートが、経済性等の点で好適である。
【０９４９】
ＣＨ３Ｏ−（Ｃ３Ｈ６Ｏ）ｈ−ＣＨ３      …（１０）
（式中、ｈは６〜８０の数を表す。）
ＣＨ３Ｏ−（Ｃ２Ｈ４Ｏ）ｉ−（Ｃ３Ｈ６Ｏ）ｊ−ＣＨ３      …（１１）
（式中、ｉおよびｊはそれぞれ１以上であり且つｉとｊとの合計が６〜８０となる数を表す。）
Ｃ４Ｈ９Ｏ−（Ｃ３Ｈ６Ｏ）ｈ−Ｈ      …（１２）
（式中、ｈは６〜８０の数を示す。）
ＣＨ３Ｏ−（Ｃ３Ｈ６Ｏ）ｈ−Ｈ      …（１３）
（式中、ｈは６〜８０の数を表す。）
ＣＨ３Ｏ−（Ｃ２Ｈ４Ｏ）ｉ−（Ｃ３Ｈ６Ｏ）ｊ−Ｈ      …（１４）
（式中、ｉおよびｊはそれぞれ１以上であり且つｉとｊとの合計が６〜８０となる数を表す。）
Ｃ４Ｈ９Ｏ−（Ｃ２Ｈ４Ｏ）ｉ−（Ｃ３Ｈ６Ｏ）ｊ−Ｈ      …（１５）
（式中、ｉおよびｊはそれぞれ１以上であり且つｉとｊとの合計が６〜８０となる数を表す。）
ＣＨ３ＣＯＯ−（Ｃ３Ｈ６Ｏ）ｈ−ＣＯＣＨ３      …（１６）
（式中、ｈは６〜８０の数を表す。）
このポリオキシアルキレン油は、１種を単独で用いてもよく、２種以上を組み合わせて用いてもよい。
【０９５０】
（２−２）炭化水素系冷凍機油
炭化水素系冷凍機油としては、例えば、アルキルベンゼンを用いることができる。
【０９５１】
アルキルベンゼンとしては、フッ化水素などの触媒を用いてプロピレンの重合物とベンゼンを原料として合成される分岐アルキルベンゼン、また同触媒を用いてノルマルパラフィンとベンゼンを原料として合成される直鎖アルキルベンゼンが使用できる。アルキル基の炭素数は、潤滑油基油として好適な粘度とする観点から、好ましくは１〜３０、より好ましくは４〜２０である。また、アルキルベンゼン１分子が有するアルキル基の数は、アルキル基の炭素数によるが粘度を設定範囲内とするために、好ましくは１〜４、より好ましくは１〜３である。
【０９５２】
なお、炭化水素系冷凍機油は、冷凍サイクル系内を、冷媒と共に循環することが好ましい。冷凍機油は冷媒と溶解することが最も好ましい形態だが、冷凍サイクル系内を冷媒と共に循環できる冷凍機油であれば、例えば、溶解性が低い冷凍機油（例えば、特許第２８０３４５１号公報に記載されている冷凍機油）であっても用いることができる。冷凍機油が冷凍サイクル系内を循環するためには、冷凍機油の動粘度が小さいことが求められる。炭化水素系冷凍機油の動粘度としては、４０℃において１ｍｍ２／ｓ以上５０ｍｍ２／ｓ以下であることが好ましく、１ｍｍ２／ｓ以上２５ｍｍ２／ｓ以下であることがより好ましい。
【０９５３】
これらの冷凍機油は、１種を単独で用いてもよく、２種以上を組み合わせて用いてもよい。
【０９５４】
冷凍機用作動流体における、炭化水素系冷凍機油の含有量は、例えば、冷媒組成物１００質量部に対して、１０質量部以上１００質量部以下であってよく、２０質量部以上５０質量部以下であることがより好ましい。
【０９５５】
（２−３）添加剤
冷凍機油には、１種または２種以上の添加剤が含まれていてもよい。
【０９５６】
添加剤としては、酸捕捉剤、極圧剤、酸化防止剤、消泡剤、油性剤、銅不活性化剤等の金属不活化剤、、摩耗防止剤、および、相溶化剤等が挙げられる。
【０９５７】
酸捕捉剤には、フェニルグリシジルエーテル、アルキルグリシジルエーテル、アルキレングリコールグリシジルエーテル、シクロヘキセンオキシド、α−オレフィンオキシド、エポキシ化大豆油などのエポキシ化合物、カルボジイミド等を用いることができる。なお、これらのうち、相溶性の観点から、フェニルグリシジルエーテル、アルキルグリシジルエーテル、アルキレングリコールグリシジルエーテル、シクロヘキセンオキシド、α−オレフィンオキシドが好ましい。アルキルグリシジルエーテルのアルキル基、及びアルキレングリコールグリシジルエーテルのアルキレン基は、分岐を有していてもよい。これらの炭素数は、３以上３０以下であればよく、４以上２４以下であればより好ましく、６以上１６以下であればさらに好ましい。また、α−オレフィンオキシドは、全炭素数が４以上５０以下であればよく、４以上２４以下であればより好ましく、６以上１６以下であればさらに好ましい。酸捕捉剤は、１種だけを用いてもよく、複数種類を併用することも可能である。
【０９５８】
極圧剤には、例えば、リン酸エステル類を含むものを用いることができる。
リン酸エステル類としては、リン酸エステル、亜リン酸エステル、酸性リン酸エステル、及び酸性亜リン酸エステル等を用いることができ、リン酸エステル、亜リン酸エステル、酸性リン酸エステル、及び酸性亜リン酸エステルのアミン塩を含むものを用いることもできる。
【０９５９】
リン酸エステルには、トリアリールホスフェート、トリアルキルホスフェート、トリアルキルアリールホスフェート、トリアリールアルキルホスフェート、トリアルケニルホスフェート等がある。さらに、リン酸エステルを具体的に列挙すると、トリフェニルホスフェート、トリクレジルホスフェート、ベンジルジフェニルホスフェート、エチルジフェニルホスフェート、トリブチルホスフェート、エチルジブチルホスフェート、クレジルジフェニルホスフェート、ジクレジルフェニルホスフェート、エチルフェニルジフェニルホスフェート、ジエチルフェニルフェニルホスフェート、プロピルフェニルジフェニルホスフェート、ジプロピルフェニルフェニルホスフェート、トリエチルフェニルホスフェート、トリプロピルフェニルホスフェート、ブチルフェニルジフェニルホスフェート、ジブチルフェニルフェニルホスフェート、トリブチルフェニルホスフェート、トリヘキシルホスフェート、トリ（２−エチルヘキシル）ホスフェート、トリデシルホスフェート、トリラウリルホスフェート、トリミリスチルホスフェート、トリパルミチルホスフェート、トリステアリルホスフェート、トリオレイルホスフェート等がある。
【０９６０】
また、亜リン酸エステルの具体的としては、トリエチルホスファイト、トリブチルホスファイト、トリフェニルホスファイト、トリクレジルホスファイト、トリ（ノニルフェニル）ホスファイト、トリ（２−エチルヘキシル）ホスファイト、トリデシルホスファイト、トリラウリルホスファイト、トリイソオクチルホスファイト、ジフェニルイソデシルホスファイト、トリステアリルホスファイト、トリオレイルホスファイト等がある。
【０９６１】
また、酸性リン酸エステルの具体的としては、２−エチルヘキシルアシッドホスフェート、エチルアシッドホスフェート、ブチルアシッドホスフェート、オレイルアシッドホスフェート、テトラコシルアシッドホスフェート、イソデシルアシッドホスフェート、ラウリルアシッドホスフェート、トリデシルアシッドホスフェート、ステアリルアシッドホスフェート、イソステアリルアシッドホスフェート等がある。
【０９６２】
また、酸性亜リン酸エステルの具体的としては、ジブチルハイドロゲンホスファイト、ジラウリルハイドロゲンホスファイト、ジオレイルハイドゲンホスファイト、ジステアリルハイドロゲンホスファイト、ジフェニルハイドロゲンホスファイト等がある。以上のリン酸エステル類の中で、オレイルアシッドホスフェート、ステアリルアシッドホスフェートが好適である。
【０９６３】
また、リン酸エステル、亜リン酸エステル、酸性リン酸エステル又は酸性亜リン酸エステルのアミン塩に用いられるアミンのうちモノ置換アミンの具体例としては、ブチルアミン、ペンチルアミン、ヘキシルアミン、シクロヘキシルアミン、オクチルアミン、ラウリルアミン、ステアリルアミン、オレイルアミン、ベンジルアミン等がある。また、ジ置換アミンの具体例としては、ジブチルアミン、ジペンチルアミン、ジヘキシルアミン、ジシクロヘキシルアミン、ジオクチルアミン、ジラウリルアミン、ジステアリルアミン、ジオレイルアミン、ジベンジルアミン、ステアリル・モノエタノールアミン、デシル・モノエタノールアミン、ヘキシル・モノプロパノールアミン、ベンジル・モノエタノールアミン、フェニル・モノエタノールアミン、トリル・モノプロパノール等がある。また、トリ置換アミンの具体例としては、トリブチルアミン、トリペンチルアミン、トリヘキシルアミン、トリシクロヘキシルアミン、トリオクチルアミン、トリラウリルアミン、トリステアリルアミン、トリオレイルアミン、トリベンジルアミン、ジオレイル・モノエタノールアミン、ジラウリル・モノプロパノールアミン、ジオクチル・モノエタノールアミン、ジヘキシル・モノプロパノールアミン、ジブチル・モノプロパノールアミン、オレイル・ジエタノールアミン、ステアリル・ジプロパノールアミン、ラウリル・ジエタノールアミン、オクチル・ジプロパノールアミン、ブチル・ジエタノールアミン、ベンジル・ジエタノールアミン、フェニル・ジエタノールアミン、トリル・ジプロパノールアミン、キシリル・ジエタノールアミン、トリエタノールアミン、トリプロパノールアミン等がある。
【０９６４】
また、上記以外の極圧剤としては、例えば、モノスルフィド類、ポリスルフィド類、スルホキシド類、スルホン類、チオスルフィネート類、硫化油脂、チオカーボネート類、チオフェン類、チアゾール類、メタンスルホン酸エステル類等の有機硫黄化合物系の極圧剤、チオリン酸トリエステル類等のチオリン酸エステル系の極圧剤、高級脂肪酸、ヒドロキシアリール脂肪酸類、多価アルコールエステル類、アクリル酸エステル類等のエステル系の極圧剤、塩素化パラフィン等の塩素化炭化水素類、塩素化カルボン酸誘導体等の有機塩素系の極圧剤、フッ素化脂肪族カルボン酸類、フッ素化エチレン樹脂、フッ素化アルキルポリシロキサン類、フッ素化黒鉛等の有機フッ素化系の極圧剤、高級アルコール等のアルコール系の極圧剤、ナフテン酸塩類（ナフテン酸鉛等）、脂肪酸塩類（脂肪酸鉛等）、チオリン酸塩類（ジアルキルジチオリン酸亜鉛等）、チオカルバミン酸塩類、有機モリブデン化合物、有機スズ化合物、有機ゲルマニウム化合物、ホウ酸エステル等の金属化合物系の極圧剤が挙げられる。
【０９６５】
酸化防止剤には、例えば、フェノール系の酸化防止剤やアミン系の酸化防止剤を用いることができる。フェノール系の酸化防止剤には、２，６−ジ−ｔｅｒｔ−ブチル−４−メチルフェノール（ＤＢＰＣ）、２，６−ジ−ｔｅｒｔ−ブチル−４−エチルフェノール、２，２’−メチレンビス（４−メチル−６−ｔｅｒｔ−ブチルフェノール）、２，４−ジメチル−６−ｔｅｒｔ−ブチルフェノール、２，６−ジ−ｔｅｒｔ−ブチルフェノール、ジ−ｔｅｒｔ−ブチル−ｐ−クレゾール、ビスフェノールＡ等がある。また、アミン系の酸化防止剤には、Ｎ，Ｎ’−ジイソプロピル−ｐ−フェニレンジアミン、Ｎ，Ｎ’−ジ−ｓｅｃ−ブチル−ｐ−フェニレンジアミン、フェニル−α−ナフチルアミン、Ｎ．Ｎ’−ジ−フェニル−ｐ−フェニレンジアミン、Ｎ，Ｎ−ジ（２−ナフチル）−ｐ−フェニレンジアミン等がある。なお、酸化防止剤には、酸素を捕捉する酸素捕捉剤も用いることができる。
【０９６６】
消泡剤としては、例えば、ケイ素化合物を用いることができる。
【０９６７】
油性剤としては、例えば、高級アルコール類、脂肪酸等を用いることができる。
【０９６８】
銅不活性化剤等の金属不活化剤としては、ベンゾトリアゾールやその誘導体等を用いることができる。
【０９６９】
摩耗防止剤としては、ジチオリン酸亜鉛等を用いることができる。
【０９７０】
相溶化剤としては、特に限定されず、一般に用いられる相溶化剤の中から適宜選択することができ、一種を単独で用いてもよいし、二種以上を用いてもよい。相溶化剤としては、例えば、ポリオキシアルキレングリコールエーテル、アミド、ニトリル、ケトン、クロロカーボン、エステル、ラクトン、アリールエーテル、フルオロエーテルおよび1,1,1-トリフルオロアルカン等が挙げられる。相溶化剤としては、ポリオキシアルキレングリコールエーテルが特に好ましい。
【０９７１】
なお、冷凍機油には、必要に応じて、耐荷重添加剤、塩素捕捉剤、清浄分散剤、粘度指数向上剤、耐熱性向上剤、安定剤、腐食防止剤、耐熱性向上剤、流動点降下剤、および、防錆剤等を添加することも可能である。
【０９７２】
上記各添加剤の配合量は、冷凍機油に含まれる割合が０．０１質量％以上５質量％以下であってよく、０．０５質量％以上３質量％以下であることが好ましい。なお、冷媒組成物と冷凍機油とを合わせた冷凍機用作動流体中の添加剤の配合割合が、５質量％以下であることが好ましく、３質量％以下であることがより好ましい。
【０９７３】
なお、冷凍機油は、塩素濃度が５０ｐｐｍ以下となっていることが好ましく、硫黄濃度が５０ｐｐｍ以下となっていることが好ましい。
【０９７４】
（３）冷媒サイクル装置
以下、上記の冷媒１Ａ、冷媒１Ｂ、冷媒１Ｃ、冷媒１Ｄ、冷媒１Ｅ、冷媒２Ａ、冷媒２Ｂ、冷媒２Ｃ、冷媒２Ｄ、及び冷媒２Ｅ、のいずれか１つ及び冷凍機油を用いた冷媒サイクル装置について説明する。冷媒サイクル装置は、冷凍用あるいは冷蔵用の冷媒サイクル装置であり、一般に、冷蔵ショーケースあるいは冷凍ショーケースと呼ばれている。冷蔵ショーケースや冷凍ショーケースの代表的な形態として、陳列室をエアカーテンの形成により外気と遮断するオープンタイプのショーケースと、陳列室をガラス扉等によって外気と遮断するクローズドタイプ（リーチインショーケース）のショーケースとがある。また、圧縮機や凝縮器等の冷凍サイクル機器をショーケースに内蔵した内蔵型ショーケースと、圧縮機や凝縮器を備えた冷凍機と冷媒配管を介して接続される別置型ショーケースとがある。さらに、利用する温度帯に関しても冷凍と冷蔵の区分があり、冷凍ではアイスクリーム用や冷凍食品用等があり、冷蔵では飲料水・アルコール用や生鮮食品用等がある。
【０９７５】
（３−１）内蔵型ショーケース
図３は、冷蔵ショーケースの一例である内蔵型オープンショーケースの縦断面側面図である。
【０９７６】
オープンショーケースを構成するショーケース本体１０１は、正面視および平面視で矩形の形状である。ショーケース本体１０１は、上に位置する天板部１０２と、下に位置する機械室１０３と、これらの天板部１０２と機械室１０３との間に位置する陳列室１０４とを有している。
【０９７７】
陳列室１０４は、天井部１０４ｂと、底面部１０４ｃと、背面壁１０４ａとに囲まれている。背面壁１０４ａは、天井部１０４ｂから底面部１０４ｃにかけて少しずつ前へ突出するように傾斜している。背面壁１０４ａには、４段の棚１０５が所定の間隔を有して設けられている。各棚１０５の上には、販売される食品や飲料等の商品が載せられて陳列される。
【０９７８】
陳列室１０４の背面壁１０４ａには、複数の冷却用吹出口１０６が設けられる。後述するように、棚１０５に並ぶ商品には、冷却用吹出口１０６から冷風が流れる。
【０９７９】
天井部１０４ｂには、エアカーテン吹出口１０８が形成されている。エアカーテン吹出口１０８は、ショーケース本体１０１の外部から陳列室１０４への空気の侵入を阻止する冷風を吹き出す。
【０９８０】
天板部１０２の内部は、空洞になっていて、エアカーテン吹出口１０８に冷風を案内するためのエアカーテン用ダクト１０９が形成されている。このエアカーテン用ダクト１０９の基端部は、後述する冷気循環用ダクト１１０に連通する。
【０９８１】
機械室１０３の上面となっている底面部１０４ｃには、吸込口１１１が設けられる。吸込口１１１は、背面壁１０４ａの冷却用吹出口１０６から吹き出される冷風と、天井部１０４ｂのエアカーテン吹出口１０８から吹き出されるエアカーテン冷風と、を吸い込む。吸込口１１１は、エアカーテン吹出口１０８との間に障害物がないように位置決めされている。そのため、エアカーテン吹出口１０８から吹き出されたエアカーテン冷風は、棚１０５に邪魔されることなく、吸込口１１１に円滑に吸い込まれ、エアカーテンを安定的に形成する。
【０９８２】
機械室１０３の内部には、圧縮機１２１、凝縮器１２２、膨張弁１２３、及び空気用送風機１２５が配置される。
【０９８３】
背面壁１０４ａと仕切り板１１５との間には、冷気循環用ダクト１１０が形成されている。仕切り板１１５とショーケース背面部１０１ａとの間には、排気用ダクト１１７が形成されている。
【０９８４】
冷気循環用ダクト１１０は、その下端において、吸込口１１１と連通する。冷気循環用ダクト１１０は、背面壁１０４ａの各冷却用吹出口１０６と連通する。また、冷気循環用ダクト１１０は、その上端において、エアカーテン用ダクト１０９に連通している。
【０９８５】
冷気循環用ダクト１１０には、吸込口１１１と所定の間隔をあけた位置に、冷気循環用送風機１１３が配置されている。冷気循環用ダクト１１０には、冷気循環用送風機１１３の風下側に、蒸発器１２４が配置されている。蒸発器１２４は、圧縮機１２１、凝縮器１２２、膨張弁１２３、レシーバ１２６、ドライヤ１２７、及びアキュムレータ１２８とともに、冷媒管１２９を介して冷媒サイクルを構成する。ドライヤ１２７は、乾燥剤を内包しており、膨張弁１２３の詰まりを予防する。
【０９８６】
機械室１０３の前面部には、通気口１０７が形成されている。通気口１０７は、凝縮器１２２を冷却するための空気用送風機１２５の駆動にともなって、外の空気を機械室３３内に取り入れる。
【０９８７】
機械室１０３内と排気用ダクト１１７とは、連通している。排気用ダクト１１７の上端部は、開口部１１７ａとなっており、外部に開放している。したがって、通気口１０７から機械室１０３の内部に取入れられた空気は、機械室１０３内を流通した後、排気用ダクト１１７を上昇して、開口部１１７ａから外部へ排出されることになる。
【０９８８】
このようにして構成されるオープンショーケースでは、圧縮機１２１が駆動され、空気用送風機１２５と冷気循環用送風機１１３とが駆動される。圧縮機１２１で冷媒が圧縮され、冷媒が高温高圧のガス冷媒として凝縮器１２２に導かれる。空気用送風機１２５は、機械室１０３の前面部に形成されている通気口１０７を介して、空気を機械室１０３内に取り込み、凝縮器１２２に空気を通す。
【０９８９】
凝縮器１２２において、ガス冷媒は、空気用送風機１２５によって機械室３３内に取り入れられた空気と熱交換して、凝縮する。熱交換後の空気は、凝縮器１２２から圧縮機１２１の周囲空間を流れ、これらを冷却する。高温となった空気は、その後、排気用ダクト１１７に導かれ開口部１１７ａから上方へ排出される。
【０９９０】
凝縮器１２２で液化した液冷媒は、膨張弁１２３で減圧され、蒸発器１２４に導かれる。蒸発器１２４において、冷媒は、冷気循環用送風機１１３から送風される空気と熱交換して蒸発する。このとき、冷媒は、空気から熱を奪って蒸発し、圧縮機１２１へと流れる。
【０９９１】
蒸発器１２４において冷媒と熱交換して低温になった空気（冷気）は、冷気循環用ダクト１１０を上昇し、その途中で各冷却用吹出口１０６から前方へ案内される。各冷却用吹出口１０６を通過した冷風は、陳列室１０４へ流れる。言い換えると、それぞれの冷却用吹出口１０６から各棚１０５上に載置される商品に対して冷風が吹出され、商品が冷風によって冷却される。
【０９９２】
冷気循環用ダクト１１０の上端部に至った冷風は、エアカーテン用ダクト１０９へと流れ、正面側のエアカーテン吹出口１０８から下向きに吹き出される。このエアカーテンにより、外部から陳列室１０４への外気の侵入を概ね遮断できる。
【０９９３】
エアカーテン吹出口１０８から吹き出される冷風と、冷却用吹出口１０６から吹き出される冷風は、ともに吸込口１１１に吸い込まれる。それぞれの機能を果たした冷風は、混合されて、吸込口１１１に吸い込まれる。
【０９９４】
（３−２）別置型ショーケース
図４に、別置型のショーケース冷却装置を示す。ショーケース冷却装置２０１は、コンビニエンスストア（店舗）の店内２０２に据え付けられた複数台のショーケース２１０ａ〜２１０ｊ（ショーケース２１０ｉ及びショーケース２１０ｊは、図５を参照）を冷却するものである。店外には、各ショーケース２１０ａ〜２１０ｊと冷媒配管２０７，２０８により接続された冷凍機２０６が設置されており、これらショーケース２１０ａ〜２１０ｊと冷凍機２０６とによって、ショーケース冷却装置２０１が構成されている。
【０９９５】
ショーケース２１０ａ〜２１０ｊは、オープンショーケースである。ショーケース２１０ａ、２１０ｃ〜２１０ｆは、庫内（陳列室）にチルド食品（商品）を陳列して販売するものである。ショーケース２１０ａ、２１０ｃ〜２１０ｆの庫内は、チルド食品の冷却に適した比較的低い冷蔵温度帯（０℃〜＋５℃）に冷却される。ショーケース２１０ｂは、庫内（陳列室）に弁当（商品）を陳列して販売するもので、庫内は弁当の冷却に適した比較的高い温度の冷蔵温度帯（＋１５℃〜＋２０℃）に冷却される。また、ショーケース２１０ａ及び２１０ｂは、チルド食品の陳列と弁当の陳列に切り換えて使用できる。ショーケース２１０ｉ及びショーケース２１０ｊは、冷凍食品やアイスクリームを冷凍状態（−２０℃〜−２５℃）で陳列する冷凍ショーケースである。ショーケース２１０ｉ及びショーケース２１０ｊでは、後述する蒸発器２７１の蒸発温度の目標値が、例えば−３０℃〜−４０℃に設定され、圧縮機２５７等が制御される。冷凍用あるいは冷蔵用の冷媒サイクル装置では、蒸発器２７１の蒸発温度の目標値が、＋１０℃〜−４５℃の範囲から選ばれる。
【０９９６】
ショーケース２１０ｇ，２１０ｈは、透明ガラス扉を有しており、店舗の壁面に設置されたクローズドタイプのショーケースである。ショーケース２１０ｇ，２１０ｈは、その庫内（陳列室）に、上述のチルド食品（商品）を陳列して販売するものである。ショーケース２１０ｇ，２１０ｈの庫内は、チルド食品の冷却に適した比較的低い冷蔵温度帯（０℃〜＋５℃）に冷却される。各ショーケース２１０ａ〜２１０ｊは、冷媒配管２０７，２０８により冷凍機２０６に対して並列に接続されている。
【０９９７】
次に、図５を参照して、ショーケース冷却装置２０１において冷媒回路を構成する機器を説明する。
【０９９８】
ショーケース冷却装置２０１は、上述の冷媒（冷媒１Ａ、冷媒１Ｂ、冷媒１Ｃ、冷媒１Ｄ、冷媒１Ｅ、冷媒２Ａ、冷媒２Ｂ、冷媒２Ｃ、冷媒２Ｄ、及び冷媒２Ｅ、のいずれか１つ）が封入された高段側冷媒回路２５０と、二酸化炭素冷媒（CO2冷媒）が封入された複数の低段側冷媒回路２７０と、から構成された２元の冷媒サイクルを含んでいる。高段側冷媒回路２５０は、主として、運転周波数を可変制御可能な圧縮機２５７と、放熱器２５８と、膨張弁２５９と、並列接続された複数の蒸発器２７１とから成っている。低段側冷媒回路２７０は、主として、圧縮機２７３と、放熱器２７４と、膨張弁２７６と、蒸発器２７７と、ドライヤ２８１と、レシーバ２８２と、アキュムレータ２８３とから成っている。ここでは、ショーケース２１０ｉ及びショーケース２１０ｊが、低段側冷媒回路２７０を備えている。
【０９９９】
高段側冷媒回路２５０の圧縮機２５７、放熱器２５８、及び膨張弁２５９と、放熱器２５８を空冷するファン２５１は、冷凍機２０６に設置される。
【１０００】
各低段側冷媒回路２７０と、それに対応する高段側冷媒回路２５０の各蒸発器２７１と、低段側冷媒回路２７０の放熱器２７４と熱交換した冷気を庫内に循環させる冷気循環ファン２８０は、ショーケース２１０ｉ及びショーケース２１０ｊにそれぞれ設置されている。高段側冷媒回路２５０の各蒸発器２７１の入口は冷媒配管２０７に接続され、それらの出口は冷媒配管２０８に接続されると共に、各ショーケース２１０ａ〜２１０ｈの低段側冷媒回路２７０の放熱器２７４とそれぞれ交熱的にカスケード接続され、それらでカスケード熱交換器２９０をそれぞれ構成している。これらカスケード熱交換器２９０は周囲から断熱されており、従って、このカスケード熱交換器２９０を構成する低段側冷媒回路２７０の放熱器２７１は、温度的には最も安定していることになる。
【１００１】
なお、ショーケース２１０ａなどの冷蔵ショーケースは、高段側冷媒回路２５０の蒸発器２７１によって庫内が冷却される。そのため、蒸発器２７１と熱交換した冷気を庫内に循環させる冷気循環ファン２８０ａが設けられている。
【１００２】
（３−３）冷凍用あるいは冷蔵用の冷媒サイクル装置で用いられる冷媒回路
上記の（３−１）で説明した内蔵型ショーケースでは、シンプルな単段圧縮の冷媒サイクルを採用している。また、上記の（３−２）で説明した別置型のショーケース冷却装置２０１では、２元の冷媒サイクルを含む冷媒回路を採用している。これらの冷媒回路に変えて、あるいは、これらの冷媒回路に機能を追加して、以下のような各冷媒回路を採用することも、冷凍用あるいは冷蔵用の冷媒サイクル装置では好ましい。
【１００３】
（３−３−１）
図３に示す上記の（３−１）で説明した冷媒回路に、図６に示すように中間インジェクションの機能を追加することも好ましい。この冷凍用あるいは冷蔵用の冷媒サイクル装置では、中間インジェクション回路１４０が追加されている。中間インジェクション回路１４０は、レシーバ１２６とドライヤ１２７との間を流れる高圧冷媒の一部を、膨張弁１４１を介して、圧縮機１２１内の圧縮室の途中に導く。膨張弁１４１で減圧され中間圧になった冷媒が、圧縮機１２１内の圧縮途中の冷媒を冷却することによって、圧縮効率が高まる。特に、冷凍用あるいは冷蔵用の冷媒サイクル装置では、圧縮比が大きくなる傾向があるため、中間インジェクションの効果が大きい。中間インジェクション回路１４０から圧縮機１２１内に入れる冷媒は、ガス冷媒でもよいが、少し湿った状態の気液二相の冷媒であることが好ましい。
【１００４】
（３−３−２）
図３に示す上記の（３−１）で説明した冷媒回路に、図７に示すように、能力の下限値を下げるため、バイパス回路１５０を付け加えることも好ましい。この冷凍用あるいは冷蔵用の冷媒サイクル装置では、圧縮機１２１の能力を下げることができない場合において、さらに冷凍、冷蔵の能力を落とす要求があるときに、バイパス回路１５０の開閉弁１５１を開けることによって要求を満たすことができる。
【１００５】
（３−３−３）
図３に示す上記の（３−１）で説明した冷媒回路に、図８に示すように、吸入インジェクションの機能を追加することも好ましい。この冷凍用あるいは冷蔵用の冷媒サイクル装置では、吸入インジェクション回路１６０が追加されている。吸入インジェクション回路１６０は、ドライヤ１２７と膨張弁１２３との間を流れる高圧冷媒の一部を、膨張弁１６１を介して、圧縮機１２１の吸入側に導く。圧縮機１２１の吐出冷媒温度が高くなったときに膨張弁１６１を開けると、膨張弁１６１で減圧され低圧になった冷媒が圧縮機１２１に吸入され、圧縮機１２１の吐出冷媒温度を下げることができる。
【１００６】
（３−３−４）
図３に示す上記の（３−１）で説明した冷媒回路に、図９に示すように、中間インジェクションの機能と、過冷却の機能とを付け加えることも好ましい。この冷凍用あるいは冷蔵用の冷媒サイクル装置では、中間インジェクション回路１７０と、エコノマイザ熱交換器１７５とが追加されている。中間インジェクション回路１７０は、レシーバ１２６とドライヤ１２７との間を流れる高圧冷媒の一部を、膨張弁１７１を介して、圧縮機１２１内の圧縮室の途中に導く。エコノマイザ熱交換器１７５は、膨張弁１７１によって減圧され温度が下がった中間圧冷媒と、レシーバ１２６とドライヤ１２７との間を流れる高圧冷媒との間で熱交換を行わせ、高圧冷媒の温度を下げる。これにより、高圧冷媒に過冷却状態となり、下流側の膨張弁１２３での制御性が向上する。また、膨張弁１４１で減圧され中間圧になった冷媒が、圧縮機１２１内の圧縮途中の冷媒を冷却することによって、圧縮効率が高まる。
【１００７】
（３−３−５）
冷凍用あるいは冷蔵用の冷媒サイクル装置において、上記の（３−１）や（３−２）で説明した単段圧縮の冷媒回路に代えて、図１０Ａに示す２段圧縮・単段膨張の冷媒回路を採用することも好ましい。この冷媒回路では、低段の圧縮機３２１ａから吐出された冷媒が、高段の圧縮機３２１ｂに吸入される。高段の圧縮機３２１ｂから吐出された冷媒は、凝縮器３２２で放熱して液化する。凝縮器３２２からレシーバ３２６、エコノマイザ熱交換器３７５、ドライヤ３２７を経て膨張弁３２３に流れた冷媒は、膨張弁３２３によって減圧されて蒸発器３２４に流れ込む。蒸発器３２４で蒸発した冷媒は、アキュムレータ３２８を経て低段の圧縮機３２１ａに吸入される。レシーバ３２６とドライヤ３２７との間を流れる高圧冷媒の一部は、中間インジェクション回路１７０の膨張弁３７１及びエコノマイザ熱交換器３７５を経て、低段の圧縮機３２１ａと高段の圧縮機３２１ｂとの間に流れる。
【１００８】
膨張弁３７１を制御するマイコン等から成る制御部（図示せず）は、まず、エコノマイザ熱交換器３７５の出口過熱度を、温度センサTh2とTh3の温度差（Th2-Th3）から算出する。次に、制御部は、その出口過熱度が一定の目標過熱度に近づくように、膨張弁３７１の開度を制御する。なお、出口過熱度は、温度センサTh2の検出温度と、圧力センサPS2の検出値から演算した飽和温度Tps2との温度差から、算出してもよい。また、制御部は、高段の圧縮機３２１ｂの吐出ガス冷媒の温度(温度センサTh1の検出温度)または過熱度(温度センサTh1の検出温度−圧力センサPS1の検出値から演算した飽和温度)が閾値を超えると、制御部は、膨張弁３７１の制御を、エコノマイザ熱交換器３７５の出口過熱度に基づく制御から、圧縮機３２１ｂの吐出ガス冷媒の温度を下げる制御に切り替える。圧縮機３２１ｂの吐出ガス冷媒の温度を下げる制御では、冷媒が気液二相状態になるように膨張弁３７１を制御する。
【１００９】
膨張弁３２３を制御する制御部は、まず、蒸発器３２４の出口過熱度を、温度センサTh4とTh5の温度差（温度センサTh5の検出温度−温度センサTh4の検出温度）から算出する。次に、制御部は、その蒸発器３２４の出口過熱度が一定の目標過熱度になるように、膨張弁３２３の開度を制御する。なお、蒸発器３２４の出口過熱度は、温度センサTh5の検出温度と、圧力センサPS3の検出値から演算した飽和温度Tps3との温度差から算出してもよい。
【１０１０】
図１０Ａに示す２段圧縮・単段膨張の冷媒回路における各ポイントａ〜ｉの圧力及び比エンタルピを、図１０Ｂに示す。
【１０１１】
（３−３−６）
冷凍用あるいは冷蔵用の冷媒サイクル装置において、上記の（３−１）や（３−２）で説明した単段圧縮の冷媒回路に代えて、図１１に示す２段圧縮・２段膨張の冷媒回路を採用することも好ましい。この冷媒回路では、低段の圧縮機４２１ａから吐出された冷媒が、高段の圧縮機４２１ｂに吸入される。高段の圧縮機４２１ｂから吐出された冷媒は、凝縮器４２２で放熱して液化する。凝縮器４２２から第１段の膨張弁４２３ａに流れた冷媒は、膨張弁４２３ａで減圧されて中間圧となる。その後、レシーバ４２６、ドライヤ４２７を経て、第２段の膨張弁４２３ｂに流れた冷媒は、膨張弁４２３ｂによって減圧されて低圧となり、蒸発器４２４に流れ込む。蒸発器４２４で蒸発した冷媒は、アキュムレータ４２８を経て低段の圧縮機４２１ａに吸入される。レシーバ４２６の上部空間からバイパス回路４７０に流れた中間圧のガス冷媒は、低段の圧縮機４２１ａと高段の圧縮機４２１ｂとの間に流れる。
【１０１２】
第１段の膨張弁４２３ａを制御する制御部は、高段の圧縮機４２１ｂの吐出ガス冷媒の圧力を測定する圧力センサＰＳ１１の検出値（高圧）が所定範囲に収まるように、膨張弁４２３ａの開度調整を行う。圧縮機４２１ｂの吐出ガス冷媒の圧力が上がり過ぎていると判断した場合、制御部は、膨張弁４２３ａの開度を大きくして、高圧を下げる。
【１０１３】
第２段の膨張弁４２３ｂを制御する制御部は、まず、蒸発器４２４の出口過熱度を、温度センサTh14とTh15の温度差（温度センサTh15の検出温度−温度センサTh14の検出温度）から算出する。次に、制御部は、その蒸発器４２４の出口過熱度が一定の目標過熱度になるように、膨張弁４２３ｂの開度を制御する。
【１０１４】
図１１Ａに示す２段圧縮・２段膨張の冷媒回路における各ポイントｐ〜ｘの圧力及び比エンタルピを、図１１Ｂに示す。
【１０１５】
（３−３−７）
上記の（３−１）で説明した冷媒回路に代えて、図１２に示すホットガスデフロスト機能を備える冷媒回路を採用することも好ましい。この冷凍用あるいは冷蔵用の冷媒サイクル装置の冷媒回路では、四路切換弁５２９が設けられる。圧縮機５２１から吐出された冷媒は、冷凍あるいは冷蔵運転において、四路切換弁５２９を経て凝縮器５２２に入り、放熱して液化する。凝縮器５２２を出た冷媒は、レシーバ５２６、ドライヤ５２７を経て膨張弁５２３で減圧され、二相状態で蒸発器５２４に入る。蒸発器において蒸発した冷媒は、四路切換弁５２９、アキュムレータ５２８を経て、圧縮機５２１に吸入される。一方、冷凍あるいは冷蔵運転において蒸発器５２４が着霜したと判断された場合には、制御部が、四路切換弁５２９を切り換え（図１２の四路切換弁５２９の点線の流路を参照）、ホットガスデフロスト運転を行う。ホットガスデフロスト運転では、圧縮機５２１から吐出された高温のガス冷媒（ホットガス）が四路切換弁５２９を経て熱交換器５２４に入る。冷凍あるいは冷蔵運転において蒸発器５２４として機能していた熱交換器５２４は、ホットガスデフロスト運転では凝縮器５２４として機能する。これにより、熱交換器５２４に付いていた霜が溶ける。
【１０１６】
（３−３−８）
上述のように、冷凍用あるいは冷蔵用の冷媒サイクル装置では、要求に合わせて種々の冷媒回路を用いることが可能である。そして、各冷媒回路において、機器の組合せも多様である。
【１０１７】
圧縮機については、ロータリー圧縮機、レシプロ圧縮機、スクロール圧縮機、スクリュー圧縮機などから適宜選択することになる。
【１０１８】
凝縮器は、空冷の凝縮器に限らず、水冷の凝縮器を選択することができる。
【１０１９】
蒸発器も、同じく、空冷も水冷も選択可能である。
【１０２０】
膨張弁は、電子膨張弁（電動膨張弁）のほか、機械式膨張弁を用いることができる。また、膨張弁の代わりの減圧手段として、キャピラリーチューブを用いることもできる。
【１０２１】
さらに、各冷媒回路の制御についても、種々の組合せが可能である。圧縮機の能力制御は、上述のバイパス回路１５０を用いた能力制御のほか、インバータ圧縮機であれば回転数制御、複数台の定速圧縮機の台数制御、などを行うことができる。デフロストの方法については、上述のホットガスデフロストのほか、圧縮機を止めてファンを回すことで蒸発液の霜を溶かす方法、電気ヒータを使う方法、散水によって霜を溶かす方法など、種々の方法を選択することができる。
【１０２２】
（３−３−９）
冷凍用あるいは冷蔵用の冷媒サイクル装置として、上記実施形態ではショーケースを挙げているが、海上コンテナに装着される冷媒サイクル装置や、倉庫用の冷媒サイクル装置であっても、上記の冷媒１Ａ、冷媒１Ｂ、冷媒１Ｃ、冷媒１Ｄ、冷媒１Ｅ、冷媒２Ａ、冷媒２Ｂ、冷媒２Ｃ、冷媒２Ｄ、及び冷媒２Ｅ、のいずれか１つを用いることが好ましい。
【１０２３】
（３−３−１０）
上記の冷蔵ショーケース、冷凍ショーケースでは、蒸発器の蒸発温度の目標値が、＋１０℃〜−４５℃の範囲から選ばれているが、図５に示すような２元の冷媒サイクルや、図１０Ａ，１１Ａに示すような２段圧縮を行う冷媒サイクルを採用する場合には、蒸発器の蒸発温度の目標値を、更に低い−２０℃〜−６５℃に設定することも可能である。遠洋漁業を目的とする漁船に搭載される冷凍用の冷媒サイクル装置では、このように低い蒸発温度の目標値を設定することもある。
【１０２４】
（３−３−１１）
上記のショーケース冷却装置２０１では、本開示の冷媒（冷媒１Ａ、冷媒１Ｂ、冷媒１Ｃ、冷媒１Ｄ、冷媒１Ｅ、冷媒２Ａ、冷媒２Ｂ、冷媒２Ｃ、冷媒２Ｄ、及び冷媒２Ｅ、のいずれか１つ）を高段側冷媒回路２５０に封入し、二酸化炭素冷媒（CO2冷媒）を複数の低段側冷媒回路２７０に封入している。しかし、冷媒の組合せは限定される訳ではない。二元の冷媒サイクルにおいて、高段側冷媒回路にプロパン等の可燃冷媒を封入し、低段側冷媒回路に本開示の冷媒を封入してもよい。
【１０２５】
（４）
以上、各実施形態を説明したが、請求の範囲に記載された本開示の趣旨及び範囲から逸脱することなく、形態や詳細の多様な変更が可能なことが理解されるであろう。
【符号の説明】
【１０２６】
１Ａ，１Ｂ，１Ｃ，１Ｄ，１Ｅ：冷媒
２Ａ，２Ｂ，２Ｃ，２Ｄ，２Ｅ：冷媒
１２１，２５７，２７３：圧縮機
３２１ａ，３２１ｂ，４２１ａ，４２１ｂ，５２１：圧縮機
１２２，３２２，４２２，５２２：凝縮器（放熱器）
２５８，２７４：放熱器
１２３，２５９，２７６，３２３，４２３ａ，４２３ｂ，５２３：膨張弁（減圧部）
１２４，２７１，２７７，３２４，４２４，５２４：蒸発器（吸熱器）
図２Ａ，図２ＢのＡ：ANSI/ASHRAE34-2013規格に従い測定された燃焼速度が5cm/sであって、HFC-32の濃度（質量%）が1.0質量%である質量比
図２Ａ，図２ＢのＢ：HFC-32の濃度（質量%）が1.0質量%であって、冷凍能力がR404Aに対して95%である質量比
図２Ａ，図２ＢのＣ：冷凍能力がR404Aに対して95%であって、GWPが125である質量比
図２Ａ，図２ＢのＤ：GWPが125であって、ANSI/ASHRAE34-2013規格に従い測定された燃焼速度が5cm/sである質量比
図２Ａ，図２ＢのＥ：冷凍能力がR404Aに対して95%であって、GWPが100である質量比
図２Ａ，図２ＢのＦ：GWPが100であって、ANSI/ASHRAE34-2013規格に従い測定された燃焼速度が5cm/sである質量比
図２Ａ，図２Ｂのａ：HFC-32の濃度（質量%）が1.0質量%である質量比を示す直線
図２Ａ，図２Ｂのｂ：冷凍能力がR404Aに対して95%である質量比を示す曲線
図２Ａ，図２Ｂのｃ：GWPが125である質量比を示す直線
図２Ａ，図２Ｂのｄ：ANSI/ASHRAE34-2013規格に従い測定された燃焼速度が5cm/sである質量比を示す曲線
図２Ａ，図２Ｂのｅ：GWPが100である質量比を示す直線
図２Ａ，図２Ｂのｆ：GWPが200である質量比を示す直線
図２Ａ，図２ＢのＰ：40℃での圧力が1.85MPaであって、HFC-32の濃度（質量%）が1.0質量%である質量比
図２Ａ，図２ＢのＢ：HFC-32の濃度（質量%）が1.0質量%であって、冷凍能力がR404Aに対して95%である質量比
図２Ａ，図２ＢのＱ：冷凍能力がR404Aに対して95%であって、HFO-1132(E)の濃度（質量%）が1.0質量%である質量比
図２Ａ，図２ＢのＲ：HFO-1132(E)の濃度（質量%）が1.0質量%であって、GWPが200である質量比
図２Ａ，図２ＢのＳ：GWPが200であって、40℃での圧力が1.85MPaである質量比
図２Ａ，図２Ｂのｐ：HFC-32の濃度（質量%）が1.0質量%である質量比を示す直線
図２Ａ，図２Ｂのｑ：冷凍能力がR404Aに対して95%である質量比を示す曲線
図２Ａ，図２Ｂのｒ：HFO-1132(E)の濃度（質量%）が1.0質量%である質量比を示す直線
図２Ａ，図２Ｂのｓ：GWPが200である質量比を示す直線
図２Ａ，図２Ｂのｔ：40℃での圧力が1.85MPaになる質量比を示す曲線
図２Ａ，図２Ｂのｕ：GWPが100である質量比を示す直線
図２ＣのＡ：ANSI/ASHRAE34-2013規格に従い測定された燃焼速度が3.0cm/sであって、HFO-1123の濃度（質量%）が1.0質量%である質量比
図２ＣのＢ：HFO-1123の濃度（質量%）が1.0質量%であって、冷凍能力がR404Aに対して85%である質量比
図２ＣのＣ：冷凍能力がR404Aに対して85%であって、HFO-1132(E)の濃度（質量%）が1.0質量%である質量比
図２ＣのＤ：HFO-1132(E)の濃度（質量%）が1.0質量%であって、40℃での飽和圧力が2.25MPaである質量比
図２ＣのＥ：40℃での飽和圧力が2.25MPaであって、ANSI/ASHRAE34-2013規格に従い測定された燃焼速度が3.0cm/sである質量比
図２ＣのＦ：HFO-1132(E)の濃度（質量%）が1.0質量%であって、40℃での飽和圧力が2.15MPaである質量比
図２ＣのＧ：40℃での飽和圧力が2.15MPaであって、ANSI/ASHRAE34-2013規格に従い測定された燃焼速度が3.0cm/sである質量比
図２ＣのＨ：HFO-1132(E)の濃度（質量%）が1.0質量%であって、COPがR404Aに対して100%である質量比
図２ＣのＩ：COPがR404Aに対して100%であって、40℃での飽和圧力が2.15MPaである質量比
図２Ｃのａ：HFO-1123の濃度（質量%）が1.0質量%である質量比を示す直線
図２Ｃのｂ：冷凍能力がR404Aに対して85%である質量比を示す曲線
図２Ｃのｃ：HFO-1132(E)の濃度（質量%）が1.0質量%である質量比を示す直線
図２Ｃのｄ：40℃での飽和圧力が2.25MPaである質量比を示す曲線
図２Ｃのｅ：ANSI/ASHRAE34-2013規格に従い測定された燃焼速度が3.0cm/sである質量比を示す直線
図２Ｃのｆ：40℃での飽和圧力が2.15MPaである質量比を示す曲線
図２Ｃのｇ：COPがR404Aに対して100%である質量比を示す曲線
図１Ｔの１：仕込みライン
図１Ｔの２：サンプリングライン
図１Ｔの３：温度計
図１Ｔの４：圧力計
図１Ｔの５：電極
図１Ｔの６：撹拌羽根（PTFE製）
図２Ｅの1：Ignition source
図２Ｅの2：Sample inlet
図２Ｅの3：Springs
図２Ｅの4：12-liter glass flask
図２Ｅの5：Electrodes
図２Ｅの6：Stirrer
図２Ｅの7：Insulated chamber
【先行技術文献】
【特許文献】
【１０２７】
【特許文献１】国際公開第２０１５／１４１６７８号
【特許文献１】特開２０１８−１８４５９７号公報
【図１Ａ】
2020017521.tif 000160
【図１Ｂ】
2020017521.tif 000161
【図１Ｃ】
2020017521.tif 000162
【図１Ｄ】
2020017521.tif 000163
【図１Ｅ】
2020017521.tif 000164
【図１Ｆ】
2020017521.tif 000165
【図１Ｇ】
2020017521.tif 000166
【図１Ｈ】
2020017521.tif 000167
【図１Ｉ】
2020017521.tif 000168
【図１Ｊ】
2020017521.tif 000169
【図１Ｋ】
2020017521.tif 000170
【図１Ｌ】
2020017521.tif 000171
【図１Ｍ】
2020017521.tif 000172
【図１Ｎ】
2020017521.tif 000173
【図１Ｏ】
2020017521.tif 000174
【図１Ｐ】
2020017521.tif 000175
【図１Ｑ】
2020017521.tif 000176
【図１Ｒ】
2020017521.tif 000177
【図１Ｓ】
2020017521.tif 000178
【図１Ｔ】
2020017521.tif 000179
【図２Ａ】
2020017521.tif 000180
【図２Ｂ】
2020017521.tif 000181
【図２Ｃ】
2020017521.tif 000182
【図２Ｄ】
2020017521.tif 000183
【図２Ｅ】
2020017521.tif 000184
【図２Ｆ】
2020017521.tif 000185
【図２Ｇ】
2020017521.tif 000186
【図２Ｈ】
2020017521.tif 000187
【図２Ｉ１】
2020017521.tif 000188
【図２Ｉ２】
2020017521.tif 000189
【図２Ｉ３】
2020017521.tif 000190
【図２Ｉ４】
2020017521.tif 000191
【図２Ｉ５】
2020017521.tif 000192
【図２Ｉ６】
2020017521.tif 000193
【図２Ｉ７】
2020017521.tif 000194
【図２Ｉ８】
2020017521.tif 000195
【図２Ｊ】
2020017521.tif 000196
【図２Ｋ】
2020017521.tif 000197
【図２Ｌ】
2020017521.tif 000198
【図２Ｍ】
2020017521.tif 000199
【図２Ｎ】
2020017521.tif 000200
【図２Ｏ】
2020017521.tif 000201
【図２Ｐ】
2020017521.tif 000202
【図２Ｑ】
2020017521.tif 000203
【図２Ｒ】
2020017521.tif 000204
【図２Ｓ】
2020017521.tif 000205
【図２Ｔ】
2020017521.tif 000206
【図３】
2020017521.tif 000207
【図４】
2020017521.tif 000208
【図５】
2020017521.tif 000209
【図６】
2020017521.tif 000210
【図７】
2020017521.tif 000211
【図８】
2020017521.tif 000212
【図９】
2020017521.tif 000213
【図１０Ａ】
2020017521.tif 000214
【図１０Ｂ】
2020017521.tif 000215
【図１１Ａ】
2020017521.tif 000216
【図１１Ｂ】
2020017521.tif 000217
【図１２】
2020017521.tif 000218
【国際調査報告】
2020017521.tif 000219
2020017521.tif 000220
2020017521.tif 000221
2020017521.tif 000222
2020017521.tif 000223
2020017521.tif 000224
2020017521.tif 000225
2020017521.tif 000226